(57)【特許請求の範囲】
【請求項１】
所定の遊技をすることが可能な遊技機であって、
遊技者にとって有利な有利状態の総継続期間を、最大総継続期間が予め定められた複数種類の総継続期間のうちから選択決定する継続期間決定手段と、
前記有利状態に制御する条件が成立したときに、前記継続期間決定手段により決定された総継続期間に亘り継続する前記有利状態に制御する状態制御手段と、
前記有利状態が終了する以前において、当該有利状態の終了後の所定期間以内に次の新たな前記有利状態に制御されるか否かを判定する状態判定手段と、
前記有利状態において、前記最大総継続期間未満となる期間を特定可能に報知する第１の報知演出を実行する第１報知演出手段と、
該第１の報知演出が行なわれた後に前記有利状態が継続することを報知する第２の報知演出を実行する第２報知演出手段と、
前記状態判定手段により次の新たな前記有利状態に制御されることが判定されたことに基づいて、前記第１の報知演出が行なわれた後の前記有利状態の継続中に前記最大総継続期間を超える期間を特定可能に報知する第３の報知演出を実行する第３報知演出手段とを備えることを特徴とする、遊技機。
【発明の詳細な説明】
【技術分野】
【０００１】
本発明は、パチンコ遊技機およびスロットマシン等の遊技機に関し、特に、所定の遊技をすることが可能な遊技機に関する。
【背景技術】
【０００２】
この種の遊技機として一般的に知られているものとしては、たとえば、パチンコ遊技機のように、所定の遊技をすることが可能であり、遊技の興趣の向上を図ることを目的として遊技の演出を行なうものがあった。
【０００３】
このような遊技機においては、たとえば、大当りのような有利状態の１回の総継続期間を複数の期間に分け、有利状態において、これら個別期間が終了するごとに有利状態が次の期間に亘り継続することを特定可能な継続報知演出を実行し、当該報知演出が行なわれるごとに有利状態が継続していくような印象を遊技者に与える制御を行なうものがあった。
【先行技術文献】
【特許文献】
【０００４】
【特許文献１】特開２００７−２６８１０３号公報（段落番号０１２７〜０１２９）
【発明の概要】
【発明が解決しようとする課題】
【０００５】
しかし、前述のように総継続期間を複数の期間に分けて個別期間ごとに継続報知演出を行なう従来の遊技機では、有利状態の最大総継続期間を知っている遊技者においては、有利状態の残期間が認識できれば、当該残期間が継続報知演出を行なう最小単位の個別期間未満になると、次の継続報知演出が実行されないことが把握されるので、その後、有利状態が終了するまでの期間において継続報知演出により遊技の興趣を向上させる演出を実行することができないという問題があった。
【０００６】
本発明は、かかる実情に鑑み考え出されたものであり、有利状態において有利状態の継続期間についての演出を行なうときの遊技の興趣を向上させることが可能な遊技機を提供することを目的とする。
【課題を解決するための手段】
【０００７】
（１）  所定の遊技をすることが可能な遊技機（パチンコ遊技機１、スロットマシン２００）であって、
遊技者にとって有利な有利状態（大当り遊技状態、ＡＴ状態）の総継続期間（図５におけるラウンド数によって特定される実質的に入賞可能なラウンド期間（決定総Ｒ数（５Ｒ〜１５Ｒ）、入賞個数によって特定されるラウンド期間、大入賞口の開放時間によって特定されるラウンド期間、ＡＴのゲーム数によって特定される決定総ゲーム数）を、最大総継続期間（最大総Ｒ数（１５Ｒ）、最大総ゲーム数（１００ゲーム））が予め定められた複数種類の総継続期間（図５に示す１５Ｒ確変大当りＡ〜Ｋ等の５〜１５Ｒ、第３実施形態のＡＴの２０、５０、１００ゲーム）のうちから選択決定する継続期間決定手段（遊技制御用マイクロコンピュータ５６０、図２５のＳ７３、制御部１１０）と、
前記有利状態に制御する条件が成立したとき（図２５のＳ６１により大当りとする判定がされたとき、ＡＴに制御する判定がされたとき）に、前記継続期間決定手段により決定された総継続期間に亘り継続する前記有利状態に制御する状態制御手段（遊技制御用マイクロコンピュータ５６０、図２８のＳ４０１〜Ｓ４０７、図２９のＳ４２０〜Ｓ４４１、
図３０のＳ１５１〜Ｓ１６０、制御部１１０）と、
前記有利状態が終了する以前において、当該有利状態の終了後の所定期間以内に次の新たな前記有利状態に制御されるか否かを判定する状態判定手段（図３８のＳ９７４，Ｓ９７８，Ｓ９８２，Ｓ９８５、制御部１２０ａ）と、
前記有利状態において、前記最大総継続期間未満となる期間（５Ｒという第１期間、１０ゲームという第１期間）を特定可能に報知する第１の報知演出（図３４（Ａ）の第１継続報知演出、第３実施形態の第１継続報知演出）を実行する第１報知演出手段と、
該第１の報知演出が行なわれた後に前記有利状態が継続することを報知する第２の報知演出（図３４（Ｂ），（Ｅ）の第２継続報知演出、第３実施形態の第２継続報知演出）を実行する第２報知演出手段と、
前記状態判定手段により次の新たな前記有利状態に制御されることが判定されたことに基づいて、前記第１の報知演出が行なわれた後の前記有利状態の継続中に前記最大総継続期間を超える期間を特定可能に報知する第３の報知演出を実行する第３報知演出手段とを備える。
【０００８】
このような構成によれば、有利状態において、遊技の興趣を向上させる演出を実行することができる。
【０００９】
（２）  前記状態制御手段は、始動領域（第１始動入賞口１３、第２始動入賞口１４）に遊技媒体（遊技球）が進入した後、変動表示の開始条件の成立に基づいて各々を識別可能な複数種類の識別情報（特別図柄、演出図柄）の変動表示が行なわれて表示結果が導出表示され、導出表示された表示結果が予め定められた特定表示結果（大当り表示結果）となったときに、前記有利状態に制御し（図２７のＳ１３３〜Ｓ１３９）、
前記始動領域に遊技媒体が進入したにもかかわらず未だ前記開始条件が成立していない前記変動表示について、所定の上限数の範囲内で保留記憶情報として記憶可能な保留記憶手段（遊技制御用マイクロコンピュータ５６０、図１８の第１保留記憶バッファ、第２保留記憶バッファ）と、
該保留記憶手段に記憶された前記保留記憶情報に基づいて、前記変動表示を実行する変動表示実行手段（遊技制御用マイクロコンピュータ５６０、図２２のＳ３０１〜Ｓ３０４、演出制御用マイクロコンピュータ１００、図３３のＳ８０１〜Ｓ８０３）と、
前記有利状態の終了後に、前記保留記憶情報の上限数の範囲内で行なわれる変動表示について、当該変動表示以降に行なわれる変動表示よりも、変動表示における変動開始時から変動終了時までに要する変動表示時間を短縮する（図１０（Ｅ）、図１２の超時短変動パターンでの変動表示時間とする）変動時間短縮制御を行なう変動時間短縮制御手段（遊技制御用マイクロコンピュータ５６０、図２６のＳ１０１Ａ，Ｓ１０１Ｂ、Ｓ９１Ａ〜Ｓ９１Ｃ）とをさらに含む。
【００１０】
このような構成によれば、有利状態の終了後に、保留記憶情報の上限数の範囲内で行なわれる変動表示について、当該変動表示以降に行なわれる変動表示よりも、短縮する変動時間短縮制御が行なわれるので、次回の有利状態がより早期に開始されるようにすることができ、遊技の興趣をより一層向上させることができる。
【００１１】
（３）  前記変動時間短縮制御手段は、前記複数種類の総継続期間に亘り継続する複数種類の有利状態のうち、前記状態制御手段により特定種類の有利状態に制御された場合に、前記変動表示時間を短縮させ（図２６のＳ１０１Ａ，Ｓ１０１Ｂ、Ｓ９１Ａ〜Ｓ９１Ｃ、また、１５Ｒ確変大当りＡ〜Ｋのうちの特定種類の１５Ｒ確変大当りとなったときに、１５Ｒ確変大当りとなる保留記憶情報が含まれているか否かにかかわらず、大当り遊技状態終了後に、保留記憶数の上限値の範囲内において、超時短の変動パターンで変動表示が実行される。）、
前記第３報知演出手段は、前記特定種類の有利状態に制御されていることを条件に前記第３の報知演出を実行するための制御を行なう（図３９のＳ９０９Ａ，Ｓ９０９Ｂ、図４１のＳ１９０３Ａ，Ｓ１９０３Ｂ、また、１５Ｒ確変大当りＡ〜Ｋのうちの特定種類の確変大当りの大当り遊技状態となったときにのみ、保留記憶中に１５Ｒ確変大当りとなる保留記憶情報が含まれているか否かにかかわらず、大当り遊技状態終了後に、保留記憶数の上限値の範囲内において、超時短の変動パターンで変動表示が実行される構成を用いる場合においては、特定種類の確変大当りの大当り遊技状態となったときにのみ、保留記憶中に１５Ｒ確変大当りとなる保留記憶情報が含まれていることを特定可能な第３継続報知演出が実行される。）。
【００１２】
このような構成によれば、複数種類の有利状態のうち、特定種類の有利状態に制御された場合に、変動表示時間が短縮され、特定種類の有利状態に制御されていることを条件に第３の報知演出を実行するための制御が行なわれるので、有利状態の種類に応じて、変動時間短縮制御が実行されるため、遊技の興趣をより一層向上させることができる。
【００１３】
（４）  前記変動表示実行手段により実行される変動表示の演出態様を複数種類の演出態様から選択する変動表示演出態様選択手段（演出制御用マイクロコンピュータ１００、図３７のＳ６１７）をさらに含み、
前記変動表示演出態様選択手段は、前記第３の報知演出が実行されたときと、前記第３の報知演出が実行されなかったときとで、前記有利状態の終了時の状態で前記保留記憶手段に記憶されている、前記有利状態となることが特定された保留記憶情報を対象として実行される演出の演出態様を異ならせる（第２実施形態で、１５Ｒ確変大当りとなる保留記憶情報に基づく大当りに対して実行する演出の演出態様が異なるようにする処理）。
【００１４】
このような構成によれば、第３の報知演出が実行されたときと、実行されなかったときとで、有利状態の終了時の状態で記憶されている、有利状態となることが特定された保留記憶情報を対象として実行される演出の演出態様が異なるので、第３の報知演出が実行されることに対して、遊技の興趣をより一層向上させることができる。
【００１５】
（５）  前記報知演出手段は、前記有利状態において、前記第２の報知演出の実行履歴に基づいて、前記第３の報知演出を実行する割合を異ならせる（Ｓ９７９，Ｓ９８３，Ｓ９８６により＋１〜＋３Ｒ単位の継続報知演出を実行可能であり、図３６の（Ａ）〜（Ｅ）に示すように、たとえば、「決定総Ｒ数−報知合計Ｒ数≧３」のときに、（Ｅ）のような超過Ｒ数の報知を実行するときは、（Ｂ）のような超過Ｒ数の報知を実行しないときと比べて、＋１Ｒのような比較的少ないラウンド数を報知する割合が低く、＋３Ｒのような比較的多いラウンド数を報知する割合が高い。）。
【００１６】
このような構成によれば、第２の報知演出の実行履歴に基づいて、第３の報知演出を実行する割合が異なるので、第２の報知演出が実行されることに対して、遊技の興趣をより一層向上させることができる。
【図面の簡単な説明】
【００１７】
【図１】パチンコ遊技機を正面からみた正面図である。
【図２】大当りおよび小当りを含む当り種別の制御の特徴を表形式で説明する図である。
【図３】パチンコ遊技機に搭載された各種の制御基板等を示す構成図である。
【図４】中継基板、演出制御基板、ランプドライバ基板および音声出力基板の回路構成例を示すブロック図である。
【図５】大当りおよび小当りを含む当り種別と、特別可変入賞球装置の開放パターンである開放態様との関係を表形式で示す図である。
【図６】各当り種別の大当り遊技状態での開放態様を示すタイミングチャートである。
【図７】主基板側で用いられる各乱数を示す説明図である。
【図８】大当り判定テーブル、小当り判定テーブル、および、大当り種別判定テーブルを示す説明図である。
【図９】大当り用変動パターン種別判定テーブルおよび小当り大当り用変動パターン種別判定テーブルを示す説明図である。
【図１０】はずれ用変動パターン種別判定テーブルを示す説明図である。
【図１１】当り変動パターン判定テーブルを示す説明図である。
【図１２】はずれ変動パターン判定テーブルを示す説明図である。
【図１３】演出制御コマンドの内容の一例を示す説明図である。
【図１４】演出制御コマンドの内容の一例を示す説明図である。
【図１５】図柄指定コマンドの内容の一例を示す説明図である。
【図１６】変動カテゴリコマンドの内容の一例を示す説明図である。
【図１７】変動カテゴリコマンドの内容の一例を示す説明図である。
【図１８】遊技制御用マイクロコンピュータにおける保留記憶バッファの構成例を示す説明図である。
【図１９】演出制御パターンの構成例等を示す説明図である。
【図２０】遊技制御用マイクロコンピュータが実行するメイン処理を示すフローチャートである。
【図２１】タイマ割込処理を示すフローチャートである。
【図２２】特別図柄プロセス処理のプログラムの一例を示すフローチャートである。
【図２３】始動入賞判定処理を示すフローチャートである。
【図２４】入賞時演出処理を示すフローチャートである。
【図２５】特別図柄通常処理を示すフローチャートである。
【図２６】変動パターン設定処理を示すフローチャートである。
【図２７】特別図柄停止処理を示すフローチャートである。
【図２８】大入賞口開放前処理を示すフローチャートである。
【図２９】大入賞口開放中処理を示すフローチャートである。
【図３０】大当り終了処理を示すフローチャートである。
【図３１】演出制御メイン処理の一例を示すフローチャートである。
【図３２】コマンド解析処理を示すフローチャートである。
【図３３】演出制御プロセス処理を示すフローチャートである。
【図３４】継続報知演出の一例を示す演出表示装置の表示画面図である。
【図３５】継続報知演出において報知する第１期間〜第３期間の表示例を示す画像図である。
【図３６】報知選択テーブルを表形式で示す図である。
【図３７】演出図柄変動開始処理を示すフローチャートである。
【図３８】演出図柄変動停止処理を示すフローチャートである。
【図３９】大当り表示処理を示すフローチャートである。
【図４０】ラウンド開始時判定処理を示すフローチャートである。
【図４１】ラウンド中処理を示すフローチャートである。
【図４２】ラウンド中継続報知演出処理を示すフローチャートである。
【図４３】ラウンド後処理を示すフローチャートである。
【図４４】第３実施形態によるスロットマシンの全体構造を示す正面図である。
【図４５】スロットマシンの制御回路の構成を示す図である。
【発明を実施するための形態】
【００１８】
以下、本発明の実施の形態を、図面を参照して説明する。なお、遊技機の一例としてパチンコ遊技機を示すが、本発明はパチンコ遊技機に限られず、スロットマシン等のその他の遊技機であってもよく、所定の遊技をすることが可能な遊技機であれば、どのような遊技機であってもよい。
【００１９】
［第１実施形態］
まず、遊技機の一例であるパチンコ遊技機１の全体の構成について説明する。図１はパチンコ遊技機１を正面からみた正面図である。図２は、大当りおよび小当りを含む当り種別の制御の特徴を表形式で説明する図である。図３は、パチンコ遊技機に搭載された各種の制御基板等を示す構成図である。
【００２０】
パチンコ遊技機１は、縦長の方形状に形成された外枠（図示せず）と、外枠の内側に開閉可能に取付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取付けられる機構板（図示せず）と、それらに取付けられる種々の部品（後述する遊技盤６を除く）とを含む構造体である。
【００２１】
ガラス扉枠２の下部表面には打球供給皿（上皿）３がある。打球供給皿３の下部には、打球供給皿３に収容しきれない遊技球を貯留する余剰球受皿４や、打球を発射する打球操作ハンドル（操作ノブ）５が設けられている。また、ガラス扉枠２の背面には、遊技盤６が着脱可能に取付けられている。なお、遊技盤６は、それを構成する板状体と、その板状体に取付けられた種々の部品とを含む構造体である。また、遊技盤６の前面には、打込まれた遊技球が流下可能な遊技領域７が形成されている。
【００２２】
遊技領域７における下部の左側には、各々を識別可能な識別情報としての第１特別図柄を変動表示する第１特別図柄表示器（第１変動表示部）８ａが設けられている。この実施の形態では、第１特別図柄表示器８ａは、０〜９の数字、および、Ａ，Ｃ，Ｅ，Ｆのような文字等の特別図柄を変動表示可能な簡易で小型の表示器（たとえば７セグメントＬＥＤ）で実現されている。すなわち、第１特別図柄表示器８ａは、０〜９のような数字およびＡ，Ｃ，Ｅ，Ｆのような文字（または、記号）等の識別情報を変動表示するように構成されている。遊技盤６における下部の右側には、各々を識別可能な識別情報としての第２特別図柄を変動表示する第２特別図柄表示器（第２変動表示部）８ｂが設けられている。第２特別図柄表示器８ｂは、０〜９の数字およびＡ，Ｃ，Ｅ，Ｆのような文字等の特別図柄を変動表示可能な簡易で小型の表示器（たとえば７セグメントＬＥＤ）で実現されている。すなわち、第２特別図柄表示器８ｂは、０〜９のような数字、および、Ａ，Ｃ，Ｅ，Ｆのような文字（または、記号）等の識別情報を変動表示するように構成されている。
【００２３】
小型の表示器は、たとえば方形状に形成されている。また、この実施の形態では、第１特別図柄の種類と第２特別図柄の種類とは同じ（たとえば、ともに０〜９の数字）であるが、種類が異なっていてもよい。また、第１特別図柄表示器８ａおよび第２特別図柄表示器８ｂは、それぞれ、たとえば、００〜９９の数字（または、２桁の記号）を変動表示するように構成されていてもよい。
【００２４】
以下、第１特別図柄と第２特別図柄とを特別図柄と総称することがあり、第１特別図柄表示器８ａと第２特別図柄表示器８ｂとを特別図柄表示器（変動表示部）と総称することがある。
【００２５】
なお、この実施の形態では、２つの特別図柄表示器８ａ，８ｂを備える場合を示しているが、遊技機は、特別図柄表示器を１つのみ備えるものであってもよい。
【００２６】
第１特別図柄または第２特別図柄の変動表示は、変動表示の実行条件である第１始動条件または第２始動条件が成立（たとえば、遊技球が後述する第１始動入賞口１３または第２始動入賞口１４を通過（入賞を含む）したこと）した後、変動表示の開始条件（たとえば、保留記憶数が０でない場合であって、第１特別図柄および第２特別図柄の変動表示が実行されていない状態であり、かつ、大当り遊技が実行されていない状態）が成立したことに基づいて開始され、変動表示時間（変動時間）が経過すると表示結果（停止図柄）を導出表示する。なお、遊技球が通過するとは、入賞口およびゲート等の予め入賞領域として定められている領域を遊技球が通過したことであり、入賞口に遊技球が入った（入賞した）ことを含む概念である。また、表示結果を導出表示するとは、図柄（識別情報の例）を最終的に停止表示させることである。
【００２７】
遊技領域７の中央付近には、液晶表示装置（ＬＣＤ）で構成された演出表示装置９が設けられている。演出表示装置９の表示画面には、第１特別図柄または第２特別図柄の変動表示に同期して、各々を識別可能な演出図柄の変動表示を行なう演出図柄表示領域がある。よって、演出表示装置９は、演出図柄の変動表示を行なう変動表示装置に相当する。演出図柄表示領域には、たとえば「左」、「中」、「右」の３つの装飾用（演出用）の演出図柄を変動表示する図柄表示エリアがある。図柄表示エリアには「左」、「中」、「右」の各図柄表示エリアがあるが、図柄表示エリアの位置は、演出表示装置９の表示画面において固定的でなくてもよいし、図柄表示エリアの３つ領域が離れてもよい。演出表示装置９は、演出制御基板に搭載されている演出制御用マイクロコンピュータによって制御される。演出制御用マイクロコンピュータが、第１特別図柄表示器８ａで第１特別図柄の変動表示が実行されているときに、その変動表示に伴って演出表示装置９で演出表示を実行させ、第２特別図柄表示器８ｂで第２特別図柄の変動表示が実行されているときに、その変動表示に伴って演出表示装置９で演出表示を実行させるので、遊技の進行状況を把握しやすくすることができる。
【００２８】
また、演出表示装置９において、最終停止図柄（たとえば左右中図柄のうち中図柄）となる図柄以外の図柄が、所定時間継続して、大当り図柄（たとえば左中右の図柄が同じ図柄で揃った図柄の組合せ）と一致している状態で停止、揺動、拡大縮小もしくは変形している状態、または、複数の図柄が同一図柄で同期して変動したり、表示図柄の位置が入れ替わっていたりして、最終結果が表示される前で大当り発生の可能性が継続している状態（以下、これらの状態をリーチ状態という。）において行なわれる演出をリーチ演出という。
【００２９】
ここで、リーチ状態は、演出表示装置９の表示領域において停止表示された演出図柄が大当り組合せの一部を構成しているときに未だ停止表示されていない演出図柄の変動が継続している表示状態、または、全部もしくは一部の演出図柄が大当り組合せの全部または一部を構成しながら同期して変動している表示状態である。言い換えると、リーチとは、複数の変動表示領域において識別情報が特定表示結果を構成しているが少なくとも一部の変動領域領域が変動表示中である状態をいう。この実施形態において、リーチ状態は、たとえば、左，右の図柄表示エリアで同じ図柄が停止し、中の図柄表示エリアで図柄が停止していない状態で形成される。リーチ状態が形成されるときの左，右の図柄表示エリアで停止された図柄は、リーチ形成図柄、または、リーチ図柄と呼ばれる。
【００３０】
そして、リーチ状態における表示演出が、リーチ演出表示（リーチ演出）である。また、リーチの際に、通常と異なる演出がランプや音で行なわれることがある。この演出をリーチ演出という。また、リーチの際に、キャラクタ（人物等を模した演出表示であり、図柄（演出図柄等）とは異なるもの）を表示させたり、演出表示装置９の背景画像の表示態様（たとえば、色等）を変化させたりすることがある。このキャラクタの表示や背景の表示態様の変化をリーチ演出表示という。また、リーチの中には、それが出現すると、通常のリーチに比べて、大当りが発生しやすいように設定されたものがある。このような特別（特定）のリーチをスーパーリーチという。
【００３１】
なお、この実施の形態では、演出表示装置９における液晶表示の演出として演出図柄の変動表示を行なう場合を示しているが、演出表示装置９で行なわれる演出は、この実施の形態で示したものに限らず、たとえば、所定のストーリー性を持つ演出を実行して、大当り判定や変動パターンの決定結果に基づいてストーリーの結果を表示するような演出を実行するようにしてもよい。たとえば、プロレスやサッカーの試合や敵味方のキャラクタが戦うバトル演出を行なうとともに、大当りであれば試合やバトルに勝利する演出を行ない、はずれであれば試合やバトルに敗北する演出を行なうようにしてもよい。また、たとえば、勝敗等の結果を表示するのではなく、物語等の所定のストーリーを順に展開させていくような演出を実行するようにしてもよい。
【００３２】
この実施の形態では、特別図柄の変動表示に同期して演出図柄の変動表示が実行される（演出図柄の変動表示は、演出制御用マイクロコンピュータ１００側で変動パターンコマンド（変動パターン指定コマンド）に基づいて認識した変動時間を計測することによって行なわれる。）。
【００３３】
演出表示装置９の下方には、第１始動入賞口１３を有する入賞装置が設けられている。第１始動入賞口１３に入賞した遊技球は、遊技盤６の背面に導かれ、第１始動口スイッチ１３ａによって検出される。
【００３４】
また、第１始動入賞口（第１始動口）１３を有する入賞装置の下方には、遊技球が入賞可能な第２始動入賞口１４を有する可変入賞球装置１５が設けられている。第２始動入賞口（第２始動口）１４に入賞した遊技球は、遊技盤６の背面に導かれ、第２始動口スイッチ１４ａによって検出される。可変入賞球装置１５は、ソレノイド１６によって開状態とされる。可変入賞球装置１５が開状態になることによって、遊技球が第２始動入賞口１４に入賞可能になり（始動入賞しやすくなり）、遊技者にとって有利な状態になる。可変入賞球装置１５が開状態になっている状態では、第１始動入賞口１３よりも、第２始動入賞口１４に遊技球が入賞しやすい。また、可変入賞球装置１５が閉状態になっている状態では、遊技球は第２始動入賞口１４に入賞しない。したがって、可変入賞球装置１５が閉状態になっている状態では、第２始動入賞口１４よりも、第１始動入賞口１３に遊技球が入賞しやすい。なお、可変入賞球装置１５が閉状態になっている状態において、入賞はしづらいものの、入賞することは可能である（すなわち、遊技球が入賞しにくい）ように構成されていてもよい。
【００３５】
以下、第１始動入賞口１３と第２始動入賞口１４とを総称して始動入賞口または始動口ということがある。
【００３６】
可変入賞球装置１５が開放状態に制御されているときには可変入賞球装置１５に向かう遊技球は第２始動入賞口１４に極めて入賞しやすい。そして、第１始動入賞口１３は演出表示装置９の直下に設けられているが、演出表示装置９の下端と第１始動入賞口１３との間の間隔をさらに狭めたり、第１始動入賞口１３の周辺で釘を密に配置したり、第１始動入賞口１３の周辺での釘配列を、遊技球を第１始動入賞口１３に導きづらくして、第２始動入賞口１４の入賞率の方を第１始動入賞口１３の入賞率よりもより高くするようにしてもよい。
【００３７】
なお、この実施の形態では、図１に示すように、第２始動入賞口１４に対してのみ開閉動作を行なう可変入賞球装置１５が設けられているが、第１始動入賞口１３および第２始動入賞口１４のいずれについても開閉動作を行なう可変入賞球装置が設けられている構成であってもよい。
【００３８】
第１特別図柄表示器８ａの側方には、第１始動入賞口１３に入った有効入賞球数すなわち第１保留記憶数（保留記憶を、始動記憶または始動入賞記憶ともいう。）を表示する４つの表示器からなる第１特別図柄保留記憶表示器１８ａが設けられている。第１特別図柄保留記憶表示器１８ａは、有効始動入賞がある毎に、点灯する表示器の数を１増やす。そして、第１特別図柄表示器８ａでの変動表示が開始される毎に、点灯する表示器の数を１減らす。
【００３９】
第２特別図柄表示器８ｂの側方には、第２始動入賞口１４に入った有効入賞球数すなわち第２保留記憶数を表示する４つの表示器からなる第２特別図柄保留記憶表示器１８ｂが設けられている。第２特別図柄保留記憶表示器１８ｂは、有効始動入賞がある毎に、点灯する表示器の数を１増やす。そして、第２特別図柄表示器８ｂでの変動表示が開始される毎に、点灯する表示器の数を１減らす。
【００４０】
また、演出表示装置９の表示画面の下部には、第１保留記憶数と第２保留記憶数との合計である合計数（合算保留記憶数）を表示する合算保留記憶表示部（表示領域）１８ｃが設けられている。この実施の形態では、合計数を表示する合算保留記憶表示部１８ｃが設けられていることによって、変動表示の開始条件が成立していない実行条件の成立数の合計を把握しやすくすることができる。なお、この実施の形態では、合算保留記憶表示部１８ｃにおいて、第１保留記憶と第２保留記憶とが第１始動入賞口１３および第２始動入賞口１４への入賞順に並べて表示されるとともに、第１保留記憶であるか第２保留記憶であるかを認識可能な態様で表示される（たとえば、第１保留記憶は赤色で表示され、第２保留記憶は青色で表示される。）。
【００４１】
なお、合算保留記憶表示部１８ｃが設けられているので、第１特別図柄保留記憶表示器１８ａおよび第２特別図柄保留記憶表示器１８ｂは、設けられていなくてもよい。また、合算保留記憶表示部１８ｃは、第１保留記憶数と第２保留記憶数とを区別することなく同じ色で表示してもよい。また、合算保留記憶表示部１８ｃは、第１保留記憶数と第２保留記憶数とを区別することなく同じ色で表示する場合に、第１保留記憶数と第２保留記憶数とを左右で区別することなく左端または右端から順番に表示してもよい。また、合算保留記憶表示部１８ｃは、第１保留記憶数と第２保留記憶数とを色で区別する場合に、第１保留記憶数と第２保留記憶数とを左右で区別することなく左端または右端から変動表示の優先順位に応じて順番に表示してもよい。
【００４２】
演出表示装置９は、第１特別図柄表示器８ａによる第１特別図柄の変動表示時間中、および第２特別図柄表示器８ｂによる第２特別図柄の変動表示時間中に、装飾用（演出用）の図柄としての演出図柄の変動表示を行なう。第１特別図柄表示器８ａにおける第１特別図柄の変動表示と、それに対応した演出表示装置９における演出図柄の変動表示とは同期して行なわれる。また、第２特別図柄表示器８ｂにおける第２特別図柄の変動表示と、それに対応した演出表示装置９における演出図柄の変動表示とは同期して行なわれる。また、第１特別図柄表示器８ａにおいて大当り図柄が停止表示されるときと、第２特別図柄表示器８ｂにおいて大当り図柄が停止表示されるときとには、演出表示装置９において大当りを想起させるような特定表示結果としての演出図柄の組合せが停止表示される。
【００４３】
この実施の形態では、後述するように、特別図柄の変動表示を制御する遊技制御用マイクロコンピュータ５６０が変動時間を特定可能な変動パターンコマンドを送信し、演出制御用マイクロコンピュータ１００によって、受信した変動パターンコマンドで特定される変動時間にしたがって演出図柄の変動表示が制御される。そのため、変動パターンコマンドに基づいて変動時間が特定されることから、特別図柄の変動表示と演出図柄の変動表示とは、原則として同期して実行されるはずである。ただし、万一変動パターンコマンドのデータ化け等が生じた場合には、遊技制御用マイクロコンピュータ５６０側で認識している変動時間と、演出制御用マイクロコンピュータ１００側で認識している変動時間との間にズレが生じる可能性がある。そのため、コマンドのデータ化け等の不測の事態が生じた場合には、特別図柄の変動表示と演出図柄の変動表示とが完全には同期しない事態が生じる可能性がある。
【００４４】
演出表示装置９の周囲の飾り部において、左側には、モータ８６の回転軸に取付けられ、モータ８６が回転すると移動する可動部材７８が設けられている。この実施の形態では、可動部材７８は、擬似連の演出および予告演出（可動物予告演出）等の所定の演出が実行されるときに動作する。
【００４５】
遊技盤６の右側方には、普通図柄表示器１０が設けられている。普通図柄表示器１０は、普通図柄と呼ばれる複数種類の識別情報（たとえば、「○」および「×」）を変動表示する。
【００４６】
遊技球がゲート３２を通過しゲートスイッチ３２ａで検出されると、普通図柄表示器１０での変動表示が開始される。この実施の形態では、上下のランプ（点灯時に図柄が視認可能になる）が交互に点灯することによって変動表示が行なわれ、たとえば、変動表示の終了時に下側のランプが点灯すれば当りとなる。そして、普通図柄表示器１０における停止図柄が所定の図柄（当り図柄）である場合に、可変入賞球装置１５が所定回数、所定時間だけ開状態になる。すなわち、可変入賞球装置１５の状態は、普通図柄の停止図柄が当り図柄である場合に、遊技者にとって不利な状態から有利な状態（第２始動入賞口１４に遊技球が入賞可能な状態）に変化する。普通図柄表示器１０の近傍には、ゲート３２を通過した入賞球数を表示する４つのＬＥＤによる表示部を有する普通図柄保留記憶表示器４１が設けられている。ゲート３２への遊技球の通過がある毎に、すなわちゲートスイッチ３２ａによって遊技球が検出される毎に、普通図柄保留記憶表示器４１は点灯するＬＥＤを１増やす。そして、普通図柄表示器１０の変動表示が開始される毎に、点灯するＬＥＤを１減らす。
【００４７】
また、図１に示すように、可変入賞球装置１５の下方には、特別可変入賞球装置２０が設けられている。特別可変入賞球装置２０は開閉板を備え、第１特別図柄表示器８ａに特定表示結果（大当り図柄）が導出表示されたときと、第２特別図柄表示器８ｂに特定表示結果（大当り図柄）が導出表示されたときに生起する遊技者にとって有利な有利状態である特定遊技状態（大当り遊技状態）においてソレノイド２１によって開閉板が開放状態に制御されることによって、入賞領域となる大入賞口が開放状態になる。大入賞口に入賞した遊技球はカウントスイッチ２３で検出される。
【００４８】
大当り遊技状態においては、特別可変入賞球装置２０が開放状態と閉鎖状態とを繰返す繰返し継続制御が行なわれる。繰返し継続制御において、特別可変入賞球装置２０が開放されている状態が、ラウンドと呼ばれる。これにより、繰返し継続制御は、ラウンド制御とも呼ばれる。本実施の形態では、大当りの種別が複数設けられており、大当りとすることが決定されたときには、いずれかの大当り種別が選択される。
【００４９】
図２においては、大当りおよび小当りにおける当りの種別ごとに、大当り遊技状態または小当り遊技状態の終了後の大当り確率、大当り遊技状態または小当り遊技状態の終了後のベース、大当り遊技状態または小当り遊技状態の終了後の変動時間、大当りにおける開放回数（ラウンド数）、および、各ラウンドの開放時間が示されている。図２に示すように、ラウンド数が異なる大当り遊技状態としては、１５ラウンドの大当り遊技状態と２ラウンドの大当り遊技状態との複数種類の大当り遊技状態が設けられている。小当りにおいては、２ラウンドの大当り遊技状態と同様の開放回数および開放時間の小当り遊技状態となる。
【００５０】
具体的に、１５ラウンドの大当り遊技状態においては、特別可変入賞球装置２０を、各ラウンドについて予め定められた開放態様で開放状態とする制御が行なわれる。１５ラウンドの大当り遊技状態においては、各ラウンドについて、特別可変入賞球装置２０（大入賞口）に実質的に遊技球の入賞が可能なラウンド（遊技球が入賞可能な長い開放時間が設定されているラウンドであり、実質的に賞球（入賞に対して払出される景品球）、すなわち、出玉が得られる開放時間が設定されているラウンドでもある）と、特別可変入賞球装置２０（大入賞口）に実質的に遊技球の入賞が不可能なラウンド（遊技球が入賞不可能な短い開放時間が設定されているラウンドであり、実質的に賞球（入賞に対して払出される景品球）、すなわち、出玉が得られない開放時間が設定されているラウンドでもある）とのいずれかに制御される。そして、各ラウンドは次のような終了条件が成立したときに終了する。
【００５１】
実質的に大入賞口に遊技球の入賞が可能なラウンドについては、ラウンド開始時から、遊技球が入賞可能な第１の所定期間（たとえば３０秒間）または所定個数（たとえば９個）の入賞球が発生するまでの期間、特別可変入賞球装置２０が開放状態とされる。また、実質的に大入賞口に遊技球の入賞が不可能なラウンドにおいては、ラウンド開始から遊技球が不可能な第２の所定期間所定期間（たとえば０．５秒間）または所定個数（たとえば９個）の入賞球が発生するまでの期間に亘り、特別可変入賞球装置２０が開放状態とされる。そして、各ラウンドの終了条件が成立すると、継続権が発生し、所定のインターバル（大入賞口が一旦閉状態となる）期間の経過後、次のラウンドに移行して、特別可変入賞球装置２０の開放が再度行なわれる。このような継続権の発生は、大当り遊技状態における開放回数が予め定められた上限値となる１５ラウンド（最終ラウンド）に達するまで繰返される。
【００５２】
また、２ラウンドの大当り遊技状態においては、特別可変入賞球装置２０が、１５ラウンドの大当り遊技状態よりも遊技者にとって不利な開放態様で開放状態とする制御が行なわれる。２ラウンドの大当り遊技状態においては、各ラウンドにおいて１回だけ開放状態とされる。各ラウンドは、ラウンド開始から所定期間（たとえば０．５秒間）が経過したこと、または、所定個数（たとえば９個）の入賞球が発生したというラウンドの終了条件が成立したことに応じて終了される。そして、第１ラウンドの終了条件が成立すると、継続権が発生し、特別可変入賞球装置２０の開放が再度行なわれた後、第２ラウンドの終了条件が成立すると大当り遊技状態が終了する。
【００５３】
このように、２ラウンドの大当りは、大入賞口の開放回数が１５ラウンドよりも少ない回数（この実施の形態では２回）まで許容されるが、大入賞口の開放時間が短い（たとえば、０．５秒間）大当り種類（種別）である。本実施の形態の場合、２ラウンドの大当りとしては、大入賞口の開放時間が極めて短く（０．５秒間）、実質的に大入賞口に遊技球の入賞が不可能なラウンド（実質的に賞球（入賞に対して払出される景品球）、すなわち、入賞（出玉）が得られない開放時間が設定されているラウンドでもある）が設けられた当りが設けられている。
【００５４】
なお、２ラウンドの大当りとしては、実質的に大入賞口に入賞（賞球）が得られない当りのみを設けてもよく、実質的に大入賞口に入賞（賞球）を得ることができる当りのみを設けてもよく、実質的に大入賞口に入賞（賞球）が得られない当りと入賞（賞球）を得ることができる当りとの両方を設けてもよい。
【００５５】
また、本実施の形態では、１５ラウンドの大当りとして、大当り遊技状態が同じく１５ラウンド継続するが、特別可変入賞球装置２０の開放態様に関して、遊技者にとって有利度合いが異なる複数種類の大当りが設けられている。複数種類の１５ラウンドの大当りの開放態様については、図５を用いて後述する。
【００５６】
「大当り」のうち、１５ラウンドまたは２ラウンドの大当り遊技状態に制御された後、特別遊技状態として、通常状態（確変状態でない通常の遊技状態）に比べて大当りとすることに決定される確率が高い状態である確変状態（確率変動状態の略語であり、高確率状態ともいう）に移行する大当りの種類（種別）は、「確変大当り」と呼ばれる。また、特別遊技状態としては、確変状態に付随して、または、独立して、特別図柄や演出図柄の変動時間（変動表示期間）が通常状態（非時短状態）よりも短縮される時短状態に制御される場合もある。このように時短状態に移行したときには、特別図柄や演出図柄の変動時間が短縮されるので、有効な始動入賞が発生しやすくなり大当り遊技が行なわれる可能性が高まる。
【００５７】
また、特別遊技状態としては、確変状態に付随して、または、独立して、可変入賞球装置１５が開状態になる頻度を高くして可変入賞球装置１５への入賞を容易化する電チューサポート制御状態に制御される場合もある。また、特別遊技状態としては、確変状態に付随して、または、独立して、時短状態および電チューサポート制御状態に制御される場合もある。また、特別遊技状態としては、確変状態に加えて、時短状態に付随して電チューサポート制御状態に制御される場合もあり、時短状態に独立して電チューサポート制御状態に制御される場合もある。
【００５８】
この実施の形態の場合は、大当り遊技状態の終了後において、特別遊技状態として、確変状態に制御されたときに、時短状態に付随して電チューサポート制御状態に制御される場合と、時短状態に制御されず電チューサポート制御状態にも制御されない場合とがある。また、大当りの遊技状態の終了後において、確変状態に制御されず通常状態となるときは、電チューサポート制御状態に制御されない。この実施の形態では、時短状態に付随して電チューサポート制御状態に制御され、時短状態に制御されないときには電チューサポート制御状態に制御されないので、時短状態でありかつ電チューサポート時短状態であるときを時短状態と呼び、時短状態でなくかつ電チューサポート時短状態でないときを非時短状態と呼ぶ場合がある。
【００５９】
ここで、電チューサポート制御について説明する。電チューサポート制御としては、普通図柄の変動時間（変動表示開始時から表示結果の導出表示時までの時間）を短縮して早期に表示結果を導出表示させる制御（普通図柄短縮制御）、普通図柄の停止図柄が当り図柄になる確率を高める制御（普通図柄確変制御）、可変入賞球装置１５の開放時間を長くする制御（開放時間延長制御）、および、可変入賞球装置１５の開放回数を増加させる制御（開放回数増加制御）が行なわれる。このような制御が行なわれると、当該制御が行なわれていないときと比べて、可変入賞球装置１５が開状態となっている時間比率が高くなるので、第２始動入賞口１４への入賞頻度が高まり、遊技球が始動入賞しやすくなる（特別図柄表示器８ａ，８ｂや演出表示装置９における変動表示の実行条件が成立しやすくなる）。また、このような制御によって第２始動入賞口１４への入賞頻度が高まることにより、第２始動条件の成立頻度および／または第２特別図柄の変動表示の実行頻度が高まる遊技状態となる。
【００６０】
このような電チューサポート制御により第２始動入賞口１４への入賞頻度が高められた状態（高頻度状態）は、発射球数に対して入賞に応じて賞球として払出される遊技球数の割合である「ベース」が、当該制御が行なわれないときと比べて、高い状態であるので、「高ベース状態」と呼ばれる。また、このような制御が行なわれないときは、「低ベース状態」と呼ばれる。また、このような制御は、可変入賞球装置１５、すなわち、電動チューリップにより入賞をサポートすることにより可変入賞球装置１５への入賞を容易化する制御であり、「電チューサポート制御」と呼ばれる。
【００６１】
さらに、電チューサポート制御としては、普通図柄短縮制御状態、普通図柄確変制御状態、開放時間延長制御状態、および、開放回数増加制御状態のうちのいずれか複数を組合せた状態に移行させることによって、高ベース状態に移行するようにしてもよい。また、電チューサポート制御としては、普通図柄短縮制御状態、普通図柄確変制御状態、開放時間延長制御状態、および、開放回数増加制御状態のうちのいずれか１つの状態に移行させることによって、高ベース状態に移行するようにしてもよい。このように、電チューサポート制御としては、普通図柄短縮制御状態、普通図柄確変制御状態、開放時間延長制御状態、および、開放回数増加制御状態のうち、いずれか１つの状態、いずれか複数（すべての組合せを除く）を組合せた状態、または、すべてを組合せた状態に制御するものであれば、どのような制御を行なうようにしてもよい。
【００６２】
また、「大当り」のうち、１５ラウンドまたは２ラウンドの大当り遊技状態に制御された後、確変状態に移行しない大当りの種類（種別）は、「通常大当り」と呼ばれる。
【００６３】
図２に示すように、１５ラウンドの大当りとしては、１５Ｒ（Ｒはラウンドを示す記号）通常大当りと、１５Ｒ確変大当りＡ〜Ｋとを含む複数種類の大当りが設けられている。また、２ラウンドの大当りとしては、２Ｒ確変大当りという１種類の大当りが設けられている。なお、２ラウンドの大当りとしては、大当り遊技状態後の制御状態が異なる複数種類の大当りを設けてもよい。
【００６４】
１５Ｒ通常大当りは、大当り遊技状態の終了後に、確変状態に移行する制御が行なわれず、時短状態および電チューサポート制御状態に移行する制御が行なわれない。
【００６５】
１５Ｒ確変大当りＡ〜Ｋは、大当り遊技状態の終了後に、確変状態、時短状態、および、電チューサポート制御状態に移行する制御が行なわれ、これらの制御状態が、次回の大当りが発生するまでの期間継続する大当りである。１５Ｒ確変大当りＡ〜Ｋのそれぞれは、大当り遊技状態における特別可変入賞球装置２０の開放態様が異なる。
【００６６】
２Ｒ確変大当りは、大当り遊技状態の終了後に、確変状態に移行する制御が行なわれるが、時短状態、および、電チューサポート制御状態に移行する制御が行なわれず、確変状態が次回の大当りが発生するまでの期間継続する大当りである。
【００６７】
２Ｒ確変大当りは、ラウンド数が少なく（２回）、大入賞口の開放時間が極めて短い態様（０．５秒間開放）で大入賞口が開放されることにより、大当り遊技状態の終了後に確変状態となったことを報知する場合には、遊技者に対して突然に確変状態となったかのように見せることが可能なものであり、「突然確変大当り」とも呼ばれる。「突然確変大当り」は、「突確大当り」または「突確」という略称で呼ばれる場合もある。２Ｒ確変大当りは、大当り遊技状態において、０．５秒間の開放が２回しか行なわれないため、実質的に賞球が得られない当りである。
【００６８】
以上に示したように、１５Ｒ確変大当りまたは２Ｒ確変大当りにより、確変状態となるときには、確変状態、時短状態、および、電チューサポート制御状態となる遊技者にとって有利な第１の有利状態と、時短状態、および、電チューサポート制御状態とならないが、確変状態となる遊技者にとって有利な第２の有利状とがある。第１の有利状態は、第２の有利状態と比べて遊技者にとって有利な状態態である。
【００６９】
なお、実質的に賞球が得られない当りとしては、１５ラウンドの大当りであるが、１ラウンドあたりの開放時間がたとえば０．１秒間のように極めて短いことにより、実質的に賞球が得られないものであってもよい。また、実質的に賞球が得られない当りとしては、ラウンド数が少ないこと、または、１ラウンドあたりの開放時間が短いことのうち少なくとも一方が実行されることにより実質的に賞球が得られないものであればよい。具体的に、実質的に賞球が得られない大当り（小当りも同様）については、開放回数が２回で開放時間が０．５秒、または、開放回数が１５回で開放時間が０．１秒のように設定すればよい。
【００７０】
また、１５Ｒ確変大当りＡ〜Ｋ、および、２Ｒ確変大当りにおける特別遊技状態としての確変状態および時短状態は、特別図柄の変動表示が予め定められた回数（たとえば、１００回）実行されるまで継続可能としてもよい。ただし、その場合は、変動表示回数が予め定められた回数に達する前に次回の大当りが発生したときには確変状態および時短状態が終了する。つまり、その場合は、変動表示が所定回数実行されるまでという条件、または、次回の大当りが発生するまでという条件のうちいずれか早い方の条件が成立するまでの期間に亘り確変状態および時短状態が継続する。そのような場合においては、時短状態が継続する回数（特別図柄および演出図柄の変動表示回数）は、固定的に定められているものであってもよく、または、大当りが発生するごとに複数種類の回数から選択（ランダムに選択、予め定められた順序で選択）されるものであってもよい。また、確変状態と時短状態とは、終了タイミングが異なるようにしてもよい。たとえば、確変状態を次回の大当り発生まで継続させ、時短状態を回数切りとなるようにしてもよく、その逆となるようにしてもよい。
【００７１】
また、大当りとしては、ラウンド数が同じであるが、１回の開放時間が長い開放パターンの大当りと、１回の開放時間が短い開放パターンの大当りとを設ける等、ラウンド数が同じであるが開放パターンが異なるものを複数設け、第１特別図柄の変動表示で大当りとなったときと、第２特別図柄の変動表示で大当りとなったときとで異なる選択割合で選択して実行されるようにしてもよい。
【００７２】
小当りは、小当りとなったときの遊技状態（小当り遊技状態）において、２Ｒ確変大当りと同様の開放回数および開放時間で特別可変入賞球装置２０を開放する当りである。小当りとなったときには、小当り遊技状態終了後に、大当り確率とベース状態とがともに、小当り遊技状態の開始前に対して変更されない。
【００７３】
２Ｒ確変大当りと、小当りとは、特別可変入賞球装置２０の開放回数および開放時間が同じであるので、大当り遊技状態および小当り遊技状態中に、２Ｒ確変大当りであるか小当りであるかを遊技者が認識しにくい。これにより、２Ｒ確変大当りの大当り遊技状態の終了後および小当り遊技状態の終了後において、確変状態となっていることを報知しない共通の演出が行なわれるときには、確変状態となっているか否かを遊技者が認識しにくい。このような制御状態は、確変状態が潜伏しているような状態であるので潜伏演出状態と呼ばれ、このような潜伏状態にする制御が潜伏演出制御と呼ばれる。なお、２Ｒ確変大当りとしては、大当り遊技状態の終了後に、時短状態に制御されず、電チューサポート制御に制御されるものを設けてもよい。
【００７４】
この実施形態によるパチンコ遊技機１においては、演出制御用マイクロコンピュータ１００において、２Ｒ確変大当りの大当り遊技状態の終了後および小当り遊技状態の終了後において、確変状態となっていることを報知しない共通の演出を行なう潜伏制御が行なわれる。このような潜伏制御が行なわれることにより、遊技者に対して確変状態であるか否かについての期待感を持たせることができ、遊技の興趣を向上させることができる。なお、この実施形態では、小当りを設けた例を示したが、これに限らず、小当りは設けなくてもよい。
【００７５】
遊技領域６には、遊技球の入賞に基づいて予め決められている所定数の景品遊技球の払出を行なうための入賞口（普通入賞口）２９，３０，３３，３９も設けられている。入賞口２９，３０，３３，３９に入賞した遊技球は、入賞口スイッチ２９ａ，３０ａ，３３ａ，３９ａで検出される。
【００７６】
遊技盤６の遊技領域７の左右周辺には、遊技中に点滅表示される装飾ＬＥＤ２５が設けられている。遊技盤６の遊技領域７の下部には、入賞しなかった打球が取り込まれるアウト口２６が設けられている。また、遊技領域７の外側の左右上部には、所定の音声出力として効果音や音声を発声する２つのスピーカ２７が設けられている。遊技領域７の外周には、前面枠に設けられた枠ＬＥＤ２８が設けられている。
【００７７】
打球供給皿３を構成する部材においては、遊技者により操作可能な操作手段としての操作ボタン１２０が設けられている。操作ボタン１２０には、遊技者が押圧操作をすることが可能な押しボタンスイッチが設けられている。操作ボタン１２０は、遊技者による押圧操作が可能な押しボタンスイッチが設けられているだけでなく、遊技者による回転操作が可能なダイヤルも設けられている。遊技者は、ダイヤルを回転操作することによって、所定の選択（たとえば演出の選択）を行なうことができる。
【００７８】
なお、操作ボタン１２０は、押下操作が可能なものに限定されず、たとえば回転型セレクタのような回転操作が可能なものであってもよいし、タッチパネルのように接触操作や押圧操作が可能なものであってもよいし、レバー型スイッチのような傾動操作が可能なものであってもよい。また、操作ボタン１２０に代えて、たとえば赤外線センサやＣＣＤセンサ、ＣＭＯＳセンサのように、遊技者による所定の操作行為を検出できるセンサを用いてもよい。すなわち、操作ボタン１２０は、遊技者による所定の操作行為を、機械的、電気的、あるいは、電磁的に、検出できるものであればよい。
【００７９】
遊技機には、遊技者が打球操作ハンドル５を操作することに応じて駆動モータを駆動し、駆動モータの回転力を利用して遊技球を遊技領域７に発射する打球発射装置（図示せず）が設けられている。打球発射装置から発射された遊技球は、遊技領域７を囲むように円形状に形成された打球レールを通って遊技領域７に入り、その後、遊技領域７を下りてくる。遊技球が第１始動入賞口１３に入り第１始動口スイッチ１３ａで検出されると、第１特別図柄の変動表示を開始できる状態であれば（たとえば、特別図柄の変動表示が終了し、第１の開始条件が成立したこと）、第１特別図柄表示器８ａにおいて第１特別図柄の変動表示（変動）が開始されるとともに、演出表示装置９において演出図柄の変動表示が開始される。すなわち、第１特別図柄および演出図柄の変動表示は、第１始動入賞口１３への入賞に対応する。第１特別図柄の変動表示を開始できる状態でなければ、第１保留記憶数が上限値に達していないことを条件として、第１保留記憶数を１増やす。
【００８０】
遊技球が第２始動入賞口１４に入り第２始動口スイッチ１４ａで検出されると、第２特別図柄の変動表示を開始できる状態であれば（たとえば、特別図柄の変動表示が終了し、第２の開始条件が成立したこと）、第２特別図柄表示器８ｂにおいて第２特別図柄の変動表示（変動）が開始されるとともに、演出表示装置９において演出図柄の変動表示が開始される。すなわち、第２特別図柄および演出図柄の変動表示は、第２始動入賞口１４への入賞に対応する。第２特別図柄の変動表示を開始できる状態でなければ、第２保留記憶数が上限値に達していないことを条件として、第２保留記憶数を１増やす。
【００８１】
図２は、主基板（遊技制御基板）３１における回路構成の一例を示すブロック図である。なお、図２は、払出制御基板３７および演出制御基板８０等も示されている。主基板３１には、プログラムにしたがってパチンコ遊技機１を制御する遊技制御用マイクロコンピュータ（遊技制御手段に相当）５６０が搭載されている。遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムにしたがって制御動作を行なうＣＰＵ５６およびＩ／Ｏポート部５７を含む。この実施の形態では、ＲＯＭ５４およびＲＡＭ５５は遊技制御用マイクロコンピュータ５６０に内蔵されている。すなわち、遊技制御用マイクロコンピュータ５６０は、１チップマイクロコンピュータである。１チップマイクロコンピュータには、少なくともＣＰＵ５６のほかＲＡＭ５５が内蔵されていればよく、ＲＯＭ５４は外付けであっても内蔵されていてもよい。また、Ｉ／Ｏポート部５７は、外付けであってもよい。遊技制御用マイクロコンピュータ５６０には、さらに、ハードウェア乱数（ハードウェア回路が発生する乱数）を発生する乱数回路５０３が内蔵されている。
【００８２】
また、ＲＡＭ５５は、その一部または全部が電源基板９１０において作成されるバックアップ電源によってバックアップされている不揮発性記憶手段としてのバックアップＲＡＭである。すなわち、パチンコ遊技機１に対する電力供給が停止しても、所定期間（バックアップ電源としてのコンデンサが放電してバックアップ電源が電力供給不能になるまで）は、ＲＡＭ５５の一部または全部の内容は保存される。特に、少なくとも、遊技状態すなわち遊技制御手段の制御状態に応じたデータ（特別図柄プロセスフラグ等）と未払出賞球数を示すデータは、バックアップＲＡＭに保存される。遊技制御手段の制御状態に応じたデータとは、停電等が生じた後に復旧した場合に、そのデータに基づいて、制御状態を停電等の発生前に復旧させるために必要なデータである。また、制御状態に応じたデータと未払出賞球数を示すデータとを遊技の進行状態を示すデータと定義する。なお、この実施の形態では、ＲＡＭ５５の全部が、電源バックアップされているとする。
【００８３】
なお、遊技制御用マイクロコンピュータ５６０においてＣＰＵ５６がＲＯＭ５４に格納されているプログラムにしたがって制御を実行するので、以下、遊技制御用マイクロコンピュータ５６０（またはＣＰＵ５６）が実行する（または、処理を行なう）ということは、具体的には、ＣＰＵ５６がプログラムにしたがって制御を実行することである。このことは、主基板３１以外の他の基板に搭載されているマイクロコンピュータについても同様である。
【００８４】
乱数回路５０３は、特別図柄の変動表示の表示結果により大当りとするか否か判定するための判定用の乱数を発生するために用いられるハードウェア回路である。乱数回路５０３は、初期値（たとえば、０）と上限値（たとえば、６５５３５）とが設定された数値範囲内で、数値データを、設定された更新規則にしたがって更新し、ランダムなタイミングで発生する始動入賞時が数値データの読出（抽出）時であることに基づいて、読出される数値データが乱数値となる乱数発生機能を有する。
【００８５】
乱数回路５０３は、数値データの更新範囲の選択設定機能（初期値の選択設定機能、および、上限値の選択設定機能）、数値データの更新規則の選択設定機能、および数値データの更新規則の選択切換え機能等の各種の機能を有する。このような機能によって、生成する乱数のランダム性を向上させることができる。
【００８６】
また、遊技制御用マイクロコンピュータ５６０は、乱数回路５０３が更新する数値データの初期値を設定する機能を有している。たとえば、遊技制御用マイクロコンピュータ５６０は、ＲＯＭ５４等の所定の記憶領域に記憶された遊技制御用マイクロコンピュータ５６０のＩＤナンバ（遊技制御用マイクロコンピュータ５６０の各製品ごとに異なる数値で付与されたＩＤナンバ）を用いて所定の演算を行なって得られた数値データを、乱数回路５０３が更新する数値データの初期値として設定する。そのような処理を行なうことによって、乱数回路５０３が発生する乱数のランダム性をより向上させることができる。
【００８７】
また、ゲートスイッチ３２ａ、第１始動口スイッチ１３ａ、第２始動口スイッチ１４ａ、カウントスイッチ２３、入賞口スイッチ２９ａ，３０ａ，３３ａ，３９ａからの検出信号を遊技制御用マイクロコンピュータ５６０に与える入力ドライバ回路５８も主基板３１に搭載されている。また、可変入賞球装置１５を開閉するソレノイド１６、および大入賞口を形成する特別可変入賞球装置２０を開閉するソレノイド２１を遊技制御用マイクロコンピュータ５６０からの指令にしたがって駆動する出力回路５９も主基板３１に搭載されている。
【００８８】
また、遊技制御用マイクロコンピュータ５６０は、特別図柄を変動表示する第１特別図柄表示器８ａ、第２特別図柄表示器８ｂ、普通図柄を変動表示する普通図柄表示器１０、第１特別図柄保留記憶表示器１８ａ、第２特別図柄保留記憶表示器１８ｂおよび普通図柄保留記憶表示器４１の表示制御を行なう。
【００８９】
なお、大当り遊技状態の発生を示す大当り情報等の情報出力信号をホールコンピュータ等の外部装置に対して出力する情報出力回路（図示せず）も主基板３１に搭載されている。
【００９０】
この実施の形態では、後述するような、演出制御基板８０に搭載されている演出制御手段としての演出制御用マイクロコンピュータ１００（図４参照）が、中継基板７７を介して遊技制御用マイクロコンピュータ５６０から演出内容を指示する演出制御コマンドを受信し、演出図柄を変動表示する演出表示装置９の表示制御を行なう。また、演出制御基板８０に搭載されている演出制御手段は、操作ボタン１２０からの操作検出信号が入力され、その信号に応じて、各種演出を行なう。
【００９１】
また、演出制御基板８０に搭載されている演出制御手段が、ランプドライバ基板３５を介して、遊技盤に設けられている装飾ＬＥＤ２５、および枠側に設けられている枠ＬＥＤ２８の表示制御を行なうとともに、音声出力基板７０を介してスピーカ２７からの音出力の制御を行なう。
【００９２】
図３は、中継基板７７、演出制御基板８０、ランプドライバ基板３５および音声出力基板７０の回路構成例を示すブロック図である。なお、図３に示す例では、ランプドライバ基板３５および音声出力基板７０には、マイクロコンピュータは搭載されていないが、マイクロコンピュータを搭載してもよい。また、ランプドライバ基板３５および音声出力基板７０を設けずに、演出制御に関して演出制御基板８０のみを設けてもよい。
【００９３】
演出制御基板８０は、演出制御用ＣＰＵ１０１、および演出図柄プロセスフラグ等の演出に関する情報を記憶するＲＡＭを含む演出制御用マイクロコンピュータ１００を搭載している。なお、ＲＡＭは外付けであってもよい。この実施の形態では、演出制御用マイクロコンピュータ１００におけるＲＡＭは電源バックアップされていない。演出制御基板８０において、演出制御用ＣＰＵ１０１は、内蔵または外付けのＲＯＭ（図示せず）に格納されたプログラムにしたがって動作し、中継基板７７を介して入力される主基板３１からの取込信号（演出制御ＩＮＴ信号）に応じて、入力ドライバ１０２および入力ポート１０３を介して演出制御コマンドを受信する。また、演出制御用ＣＰＵ１０１は、演出制御コマンドに基づいて、ＶＤＰ（ビデオディスプレイプロセッサ）１０９に演出表示装置９の表示制御を行なわせる。
【００９４】
この実施の形態では、演出制御用マイクロコンピュータ１００と共動して演出表示装置９の表示制御を行なうＶＤＰ１０９が演出制御基板８０に搭載されている。ＶＤＰ１０９は、演出制御用マイクロコンピュータ１００とは独立したアドレス空間を有し、そこにＶＲＡＭをマッピングする。ＶＲＡＭは、画像データを展開するためのバッファメモリである。そして、ＶＤＰ１０９は、ＶＲＡＭ内の画像データをフレームメモリを介して演出表示装置９に出力する。
【００９５】
演出制御用ＣＰＵ１０１は、受信した演出制御コマンドにしたがってＣＧＲＯＭ（図示せず）から必要なデータを読出すための指令をＶＤＰ１０９に出力する。ＣＧＲＯＭは、演出表示装置９に表示されるキャラクタ画像データや動画像データ、具体的には、人物、文字、図形や記号等（演出図柄を含む）、および背景画像のデータを予め格納しておくためのＲＯＭである。ＶＤＰ１０９は、演出制御用ＣＰＵ１０１の指令に応じて、ＣＧＲＯＭから画像データを読出す。そして、ＶＤＰ１０９は、読出した画像データに基づいて表示制御を実行する。
【００９６】
演出制御コマンドおよび演出制御ＩＮＴ信号は、演出制御基板８０において、まず、入力ドライバ１０２に入力する。入力ドライバ１０２は、中継基板７７から入力された信号を演出制御基板８０の内部に向かう方向にしか通過させない（演出制御基板８０の内部から中継基板７７への方向には信号を通過させない）信号方向規制手段としての単方向性回路でもある。
【００９７】
中継基板７７には、主基板３１から入力された信号を演出制御基板８０に向かう方向にしか通過させない（演出制御基板８０から中継基板７７への方向には信号を通過させない）信号方向規制手段としての単方向性回路７４が搭載されている。単方向性回路として、たとえばダイオードやトランジスタが使用される。図３には、ダイオードが例示されている。また、単方向性回路は、各信号毎に設けられる。さらに、単方向性回路である出力ポート５７１を介して主基板３１から演出制御コマンドおよび演出制御ＩＮＴ信号が出力されるので、中継基板７７から主基板３１の内部に向かう信号が規制される。すなわち、中継基板７７からの信号は主基板３１の内部（遊技制御用マイクロコンピュータ５６０側）に入り込まない。なお、出力ポート５７１は、図２に示されたＩ／Ｏポート部５７の一部である。また、出力ポート５７１の外側（中継基板７７側）に、さらに、単方向性回路である信号ドライバ回路が設けられていてもよい。
【００９８】
また、演出制御用ＣＰＵ１０１は、出力ポート１０６を介して、可動部材７８を動作させるためにモータ８６を駆動する。
【００９９】
また、操作ボタン１２０からの操作信号が、入力ポート１０７を介して演出制御用マイクロコンピュータ１００に入力される。演出制御用マイクロコンピュータ１００は、後述するように、操作ボタン１２０からの操作信号に基づいて、各種の遊技演出を行なう。
【０１００】
さらに、演出制御用ＣＰＵ１０１は、出力ポート１０５を介してランプドライバ基板３５に対してＬＥＤやランプを駆動する信号を出力する。また、演出制御用ＣＰＵ１０１は、出力ポート１０４を介して音声出力基板７０に対して音番号データを出力する。
【０１０１】
ランプドライバ基板３５において、ＬＥＤやランプを駆動する信号は、入力ドライバ３５１を介してＬＥＤ／ランプドライバ３５２に入力される。ＬＥＤ／ランプドライバ３５２は、ＬＥＤやランプを駆動する信号に基づいて枠ＬＥＤ２８等の枠側に設けられている発光体に電流を供給する。また、遊技盤側に設けられている装飾ＬＥＤ２５等に電流を供給する。
【０１０２】
音声出力基板７０において、音番号データは、入力ドライバ７０２を介して音声合成用ＩＣ７０３に入力される。音声合成用ＩＣ７０３は、音番号データに応じた音声や効果音を発生し増幅回路７０５に出力する。増幅回路７０５は、音声合成用ＩＣ７０３の出力レベルを、ボリューム７０６で設定されている音量に応じたレベルに増幅した音声信号をスピーカ２７に出力する。音声データＲＯＭ７０４には、音番号データに応じた制御データが格納されている。音番号データに応じた制御データは、所定期間（たとえば演出図柄の変動期間）における効果音または音声の出力態様を時系列的に示すデータの集まりである。
【０１０３】
次に、図５および図６を用いて、大当り遊技状態における開放態様を説明する。図５は、大当りおよび小当りを含む当り種別と、特別可変入賞球装置２０の開放パターンである開放態様（各ラウンドの開放回数および開放時間）との関係を表形式で示す図である。図５では、当り種別ごとに実質的に出玉が得られるラウンドの合計回数が付記されている。また、図６は、各当り種別の大当り遊技状態での開放態様を示すタイミングチャートである。
【０１０４】
図５に示すように、「２Ｒ確変大当り」（突然確変大当り）に基づく大当り遊技状態では、ラウンド数が２であり、各ラウンドにおける大入賞口の開放時間が０．５秒である。大当り遊技状態において、開放状態となった大入賞口に遊技球が入賞することで所定個数の賞球が払出されることとなるが、２Ｒ確変大当りは、大入賞口の１回の開放時間が０．５秒であり極めて短いため、実質的には賞球（出玉）が得られない大当りである。「小当り」に基づく小当り遊技状態は、開放態様が「２Ｒ確変大当り」と同様である。
【０１０５】
「１５Ｒ通常大当り」および「１５Ｒ確変大当りＫ」のそれぞれに基づく大当り遊技状態は、ラウンド数が１５であり、各ラウンドにおける大入賞口の開放時間が３０秒である（図６（Ｄ））。これら大当りに基づく大当り遊技状態は、極めて短い開放時間（０．５秒）が設定されていないので、実質的に賞球が得られるラウンドの合計回数が１５回である。
【０１０６】
「１５Ｒ確変大当りＡ」に基づく大当り遊技状態は、ラウンド数が１５であり、第１〜５ラウンドにおける開放時間が３０秒であり、第６〜１５ラウンドにおける開放時間が０．５秒である（図６（Ａ））。「１５Ｒ確変大当りＡ」に基づく大当り遊技状態は、極めて短い開放時間（０．５秒）が１０ラウンド分設定されているので、実質的に賞球が得られるラウンドの合計回数が５回である。これにより、「１５Ｒ確変大当りＡ」では、図６（Ａ）のように、遊技者からの見た目で、大当り遊技状態において実質的に大入賞口に遊技球が入賞可能な開放状態が５ラウンド実行される大当り遊技状態となる。
【０１０７】
「１５Ｒ確変大当りＢ」に基づく大当り遊技状態は、ラウンド数が１５であり、第１〜６ラウンドにおける開放時間が３０秒であり、第７〜１５ラウンドにおける開放時間が０．５秒である（図６（Ｂ））。「１５Ｒ確変大当りＢ」に基づく大当り遊技状態は、極めて短い開放時間（０．５秒）が９ラウンド分設定されているので、実質的に賞球が得られるラウンドの合計回数が６回である。これにより、「１５Ｒ確変大当りＢ」では、図６（Ｂ）のように、遊技者からの見た目で、大当り遊技状態において実質的に大入賞口に遊技球が入賞可能な開放状態が６ラウンド実行される大当り遊技状態となる。
【０１０８】
「１５Ｒ確変大当りＣ」に基づく大当り遊技状態は、ラウンド数が１５であり、第１〜７ラウンドにおける開放時間が３０秒であり、第８〜１５ラウンドにおける開放時間が０．５秒である。「１５Ｒ確変大当りＣ」に基づく大当り遊技状態は、極めて短い開放時間（０．５秒）が８ラウンド分設定されているので、実質的に賞球が得られるラウンドの合計回数が７回である。これにより、「１５Ｒ確変大当りＣ」では、遊技者からの見た目で、大当り遊技状態において実質的に大入賞口に遊技球が入賞可能な開放状態が７ラウンド実行される大当り遊技状態となる。
【０１０９】
「１５Ｒ確変大当りＤ」に基づく大当り遊技状態は、ラウンド数が１５であり、第１〜８ラウンドにおける開放時間が３０秒であり、第９〜１５ラウンドにおける開放時間が０．５秒である。「１５Ｒ確変大当りＤ」に基づく大当り遊技状態は、極めて短い開放時間（０．５秒）が７ラウンド分設定されているので、実質的に賞球が得られるラウンドの合計回数が８回である。これにより、「１５Ｒ確変大当りＤ」では、遊技者からの見た目で、大当り遊技状態において実質的に大入賞口に遊技球が入賞可能な開放状態が８ラウンド実行される大当り遊技状態となる。
【０１１０】
「１５Ｒ確変大当りＥ」に基づく大当り遊技状態は、ラウンド数が１５であり、第１〜９ラウンドにおける開放時間が３０秒であり、第１０〜１５ラウンドにおける開放時間が０．５秒である。「１５Ｒ確変大当りＥ」に基づく大当り遊技状態は、極めて短い開放時間（０．５秒）が６ラウンド分設定されているので、実質的に賞球が得られるラウンドの合計回数が９回である。これにより、「１５Ｒ確変大当りＥ」では、遊技者からの見た目で、大当り遊技状態において実質的に大入賞口に遊技球が入賞可能な開放状態が９ラウンド実行される大当り遊技状態となる。
【０１１１】
「１５Ｒ確変大当りＦ」に基づく大当り遊技状態は、ラウンド数が１５であり、第１〜１０ラウンドにおける開放時間が３０秒であり、第１１〜１５ラウンドにおける開放時間が０．５秒である。「１５Ｒ確変大当りＦ」に基づく大当り遊技状態は、極めて短い開放時間（０．５秒）が５ラウンド分設定されているので、実質的に賞球が得られるラウンドの合計回数が１０回である。これにより、「１５Ｒ確変大当りＦ」では、遊技者からの見た目で、大当り遊技状態において実質的に大入賞口に遊技球が入賞可能な開放状態が１０ラウンド実行される大当り遊技状態となる。
【０１１２】
「１５Ｒ確変大当りＧ」に基づく大当り遊技状態は、ラウンド数が１５であり、第１〜１１ラウンドにおける開放時間が３０秒であり、第１２〜１５ラウンドにおける開放時間が０．５秒である。「１５Ｒ確変大当りＧ」に基づく大当り遊技状態は、極めて短い開放時間（０．５秒）が４ラウンド分設定されているので、実質的に賞球が得られるラウンドの合計回数が１１回である。これにより、「１５Ｒ確変大当りＧ」では、遊技者からの見た目で、大当り遊技状態において実質的に大入賞口に遊技球が入賞可能な開放状態が１１ラウンド実行される大当り遊技状態となる。
【０１１３】
「１５Ｒ確変大当りＨ」に基づく大当り遊技状態は、ラウンド数が１５であり、第１〜１２ラウンドにおける開放時間が３０秒であり、第１３〜１５ラウンドにおける開放時間が０．５秒である。「１５Ｒ確変大当りＨ」に基づく大当り遊技状態は、極めて短い開放時間（０．５秒）が３ラウンド分設定されているので、実質的に賞球が得られるラウンドの合計回数が１２回である。これにより、「１５Ｒ確変大当りＨ」では、遊技者からの見た目で、大当り遊技状態において実質的に大入賞口に遊技球が入賞可能な開放状態が１２ラウンド実行される大当り遊技状態となる。
【０１１４】
「１５Ｒ確変大当りＩ」に基づく大当り遊技状態は、ラウンド数が１５であり、第１〜１３ラウンドにおける開放時間が３０秒であり、第１４〜１５ラウンドにおける開放時間が０．５秒である。「１５Ｒ確変大当りＩ」に基づく大当り遊技状態は、極めて短い開放時間（０．５秒）が３ラウンド分設定されているので、実質的に賞球が得られるラウンドの合計回数が１３回である。これにより、「１５Ｒ確変大当りＩ」では、遊技者からの見た目で、大当り遊技状態において実質的に大入賞口に遊技球が入賞可能な開放状態が１３ラウンド実行される大当り遊技状態となる。
【０１１５】
「１５Ｒ確変大当りＪ」に基づく大当り遊技状態は、ラウンド数が１５であり、第１〜１４ラウンドにおける開放時間が３０秒であり、第１５ラウンドにおける開放時間が０．５秒である。「１５Ｒ確変大当りＪ」に基づく大当り遊技状態は、極めて短い開放時間（０．５秒）が３ラウンド分設定されているので、実質的に賞球が得られるラウンドの合計回数が１４回である。これにより、「１５Ｒ確変大当りＪ」では、遊技者からの見た目で、大当り遊技状態において実質的に大入賞口に遊技球が入賞可能な開放状態が１４ラウンド実行される大当り遊技状態となる。
【０１１６】
図６（Ｃ）に示すように、「１５Ｒ確変大当りＫ」および「１５Ｒ通常大当り」のそれぞれについては、第１〜１５ラウンドのすべてのラウンドにおいて、実質的に大入賞口に遊技球が入賞可能な開放状態となる。一方、「１５Ｒ確変大当りＡ」〜「１５Ｒ確変大当りＪ」のそれぞれについては、第１〜１５ラウンドのうち一部のラウンドにおいて、実質的に大入賞口に遊技球が入賞可能な開放状態となる。具体的には、「１５Ｒ確変大当りＡ」〜「１５Ｒ確変大当りＪ」のそれぞれについては、５〜１４ラウンド分の期間において、実質的に大入賞口に遊技球が入賞可能な開放状態となった後、残りのラウンドにおいて実質的に大入賞口に遊技球が入賞可能な開放状態となる。
【０１１７】
このように、本実施の形態では、同じ１５Ｒの大当りではあるが、実質的に遊技球が大入賞口に入賞可能な開放状態となるラウンド数が５Ｒ，６Ｒ，７Ｒ，８Ｒ，９Ｒ，１０Ｒ，１１Ｒ，１２Ｒ，１３Ｒ，１４Ｒ，１５Ｒとなるような複数種類の大当りが設けられている。
【０１１８】
なお、前述したような複数種類の１５Ｒの大当りを用いる代わりに、すべてのラウンドの開放時間を実質的に大入賞口に遊技球が入賞可能な時間とし、ラウンド数の上限値が、５Ｒ，６Ｒ，７Ｒ，８Ｒ，９Ｒ，１０Ｒ，１１Ｒ，１２Ｒ，１３Ｒ，１４Ｒ，１５Ｒとなるようなラウンド数が異なる複数種類の大当りを設けてもよい。
【０１１９】
図５，６に示すような「１５Ｒ確変大当りＡ」〜「１５Ｒ確変大当りＫ」を設けたことにより、各大当りに設定された実質的に大入賞口に遊技球が入賞可能な状態は、途中のラウンドまで共通する（たとえば、１５Ｒ確変大当りＡと１５Ｒ確変大当りＢとでは５Ｒまで開放態様が共通する）。また、１５Ｒ確変大当りとなるときには、大当り遊技状態の開始時において当該大当りについて、実質的に大入賞口に遊技球が入賞可能な開放状態となるラウンド数が５Ｒ〜１５Ｒのどれに確定するかに関する情報が報知されない。これにより、遊技者は、実質的に大入賞口に遊技球が入賞不可能な開放状態（０．５秒間の開放状態）が現れるときまで、または、１５ラウンド目のラウンドが実行されるときまで、特別可変入賞球装置２０の動作を見ただけでは当該大当りで実質的に大入賞口に遊技球が入賞可能な開放状態がどのラウンドまで継続する（どの種類の確変大当りであるか）を把握することが困難である。
【０１２０】
本実施の形態では、このように、特別可変入賞球装置２０の動作を見ただけでは大当りで実質的に大入賞口に入賞可能な開放状態がどのラウンドまで継続するかを遊技者が把握することが困難であるので、遊技の興趣を向上させるために、後述するように、実質的に大入賞口に入賞可能な開放状態がどのラウンドまで継続するかを大当り遊技状態中に報知するランクアップ演出としての継続報知演出が実行される。このような継続報知演出が実行されることにより、大当り遊技状態における実質的大入賞口に入賞可能なラウンドの継続に期待する遊技者の期待感を向上させ、遊技の興趣を向上させることができる。
【０１２１】
図５および図６を用いて説明したような各種大当りの大当り遊技状態における開放態様、および、小当りの遊技状態における開放態様での開放制御を実行するための制御データとして、開放パターンデータテーブルがＲＯＭ５４に記憶されている。開放パターンデータテーブルのデータ（開放パターンデータ）は、各種別の大当りおよび小当りのそれぞれについて、開放回数（ラウンド上限数）、開放時間（各ラウンド中の開放時間）、ラウンド開放態様（各ラウンド中の開放態様）および、インターバル時間（各ラウンド間時間）を含む特別可変入賞球装置２０の開放パターンを示すテータであり、大当りおよび小当りの種別ごとに、図５のような開放態様を実行するためのデータとして用いられる。
【０１２２】
なお、図５および図６において、実質的に大入賞口に入賞可能なラウンド数が５Ｒ〜１４Ｒの確変大当りとしては、実質的に大入賞口に入賞不可能なラウンドを含む例を示したが、実質的に大入賞口に入賞可能なラウンド数が５Ｒ〜１４Ｒの確変大当りとしては、実質的に大入賞口に入賞不可能なラウンドを含まないものを用いてもよい。
【０１２３】
また、実質的に大入賞口に入賞不可能なラウンドを含まないものについては、次のようなものを用いてもよい。たとえば、同じ１５Ｒ確変大当りとして、１ラウンド中に大入賞口が開放する開放期間（たとえば、１回の開放時間が同じである期間）の回数が異なるものを複数種類設けることで、実質的に大入賞口に入賞可能な期間（開放期間数）が異なるようにしてもよい。１ラウンド中の開放回数が１回の大当りであれば、１〜１５Ｒのうちの各ラウンドにおいて１回の開放時間が設けられることで合計１５回の開放期間が実行され、１ラウンド中の開放回数が２回の大当りであれば、１〜１５Ｒのうちの各ラウンドにおいて２回の開放時間が設けられることで合計３０回の開放期間が実行され、１ラウンド中の開放回数が３回の大当りであれば、１〜１５Ｒのうちの各ラウンドにおいて３回の開放時間が設けられることで合計４５回の開放期間が実行される。このような大当り遊技状態においては、各ラウンドに開放期間が設けられたことにより、実質的に大入賞口に入賞可能なラウンドが終了した後、実質的に大入賞口に入賞不可能なラウンドを経ることなく大当り遊技状態が終了することとなる。そして、このような大当り遊技状態においては、各ラウンドの開放回数が異なることにより、大当りの種類により開放期間の総継続数が異なるので、ランクアップ演出として、実質的に大入賞口に入賞可能な開放状態が何回まで継続するかを報知する継続報知演出を実行することが可能である。
【０１２４】
図７は、遊技制御基板３１側で用いられる各乱数を示す説明図である。各乱数は、以下のように使用される。
【０１２５】
（１）ＭＲ１：大当りにするか否か、および、小当りにするか否かを判定するランダムカウンタである（大当り判定用）。
【０１２６】
（２）ＭＲ２：大当りの種類（１５Ｒ通常大当り、１５Ｒ確変大当りＡ〜Ｋ、２Ｒ確変大当り）を決定するランダムカウンタである（大当り種別決定用）。
【０１２７】
（３）ＭＲ３：変動パターンの種類（種別）を決定するランダムカウンタである（変動パターン種別決定用）。
【０１２８】
（４）ＭＲ４：変動パターン（変動時間）を決定するランダムカウンタである（変動パターン決定用）。
【０１２９】
（５）ＭＲ５：普通図柄に基づく当りを発生させるか否か決定するランダムカウンタである（普通図柄当り判定用）。
【０１３０】
（６）ＭＲ６：ＭＲ５の初期値を決定するランダムカウンタである（ＭＲ５初期値決定用）。
【０１３１】
この実施の形態では、前述したように、特定遊技状態である大当りとして、１５Ｒ通常大当り、１５Ｒ確変大当りＡ〜Ｋ、２Ｒ確変大当りというような複数の種別が含まれている。したがって、大当り判定用乱数（ＭＲ１）の値に基づいて大当りとする決定がされたときには、大当り種別決定用乱数（ＭＲ２）の値に基づいて、大当りの種別が、これらのうちいずれかの大当り種別に選択決定される。さらに、大当りの種別が選択決定されるときに、同時に大当り種別決定用乱数（ＭＲ２）の値に基づいて、大当り図柄も選択決定される。したがって、ＭＲ２は、大当り図柄決定用乱数でもある。また、当りとしては、小当りも含まれており、大当り判定用乱数（ＭＲ１）が小当り判定用乱数として兼用されている。そして、大当り判定用乱数（ＭＲ１）の値に基づいて小当りとする決定がされたときには、小当り図柄が、予め定められた図柄に決定される。
【０１３２】
また、この実施の形態では、変動パターンは、まず、変動パターン種別決定用乱数（ＭＲ３）を用いて変動パターン種別を決定し、変動パターン決定用乱数（ＭＲ４）を用いて、決定した変動パターン種別に含まれるいずれかの変動パターンに決定する。そのように、この実施の形態では、２段階の抽選処理によって変動パターンが決定される。
【０１３３】
変動パターン種別とは、複数の変動パターンをその変動態様の特徴にしたがってグループ化したものである。たとえば、複数の変動パターンをリーチの種類でグループ化して、ノーマルリーチを伴う変動パターンを含む変動パターン種別と、スーパーリーチＡを伴う変動パターンを含む変動パターン種別と、スーパーリーチＢを伴う変動パターンを含む変動パターン種別とに分けてもよい。また、たとえば、複数の変動パターンを擬似連の再変動の回数でグループ化して、擬似連を伴わない変動パターンを含む変動パターン種別と、再変動１回の変動パターンを含む変動パターン種別と、再変動２回の変動パターンを含む変動パターン種別と、再変動３回の変動パターンを含む変動パターン種別とに分けてもよい。ここで、擬似連とは、本来は１つの保留記憶に対応する１回の変動表示であるものの複数の保留記憶に対応する複数回の変動表示が連続して行なわれているように見せる演出表示である擬似連続変動を示す略語である。また、たとえば、複数の変動パターンを擬似連や滑り演出等の特定演出の有無でグループ化してもよい。
【０１３４】
なお、この実施の形態では、後述するように、１５Ｒ通常大当り、および、１５Ｒ確変大当りＡ〜Ｋのそれぞれである場合には、ノーマルリーチのみを伴う変動パターンを含む変動パターン種別であるノーマルＣＡ３−１と、ノーマルリーチおよび擬似連を伴う変動パターンを含む変動パターン種別であるノーマルＣＡ３−２と、スーパーリーチを伴う変動パターン種別であるスーパーＣＡ３−３とに種別分けされている。また、２Ｒ確変大当りである場合には、非リーチの変動パターンを含む変動パターン種別である特殊ＣＡ４−１と、リーチを伴う変動パターンを含む変動パターン種別である特殊ＣＡ４−２と、リーチも特定演出も伴わなわず前述の時短状態時の変動表示および短縮変動時の変動表示よりも変動時間が短い超時短変動パターンの変動パターン種別である超時短ＣＡ６とに種別分けされている。また、小当りである場合には、非リーチの変動パターンを含む変動パターン種別である特殊ＣＡ４−１に種別分けされている。また、はずれである場合には、リーチも特定演出も伴わない変動パターンを含む変動パターン種別である非リーチＣＡ２−１と、リーチを伴わないが特定演出を伴う変動パターンを含む変動パターン種別である非リーチＣＡ２−２と、リーチも特定演出も伴わない短縮変動の変動パターンを含む変動パターン種別である非リーチＣＡ２−３と、ノーマルリーチのみを伴う変動パターンを含む変動パターン種別であるノーマルＣＡ２−４と、ノーマルリーチおよび再変動２回の擬似連を伴う変動パターンを含む変動パターン種別であるノーマルＣＡ２−５と、ノーマルリーチおよび再変動１回の擬似連を伴う変動パターンを含む変動パターン種別であるノーマルＣＡ２−６と、スーパーリーチを伴う変動パターン種別であるスーパーＣＡ２−７と、リーチも特定演出も伴わなわず前述の時短状態時の変動表示および短縮変動時の変動表示よりも変動時間が短い超時短変動パターンの変動パターン種別である超時短ＣＡ５とに種別分けされている。なお、超時短ＣＡ５，ＣＡ６の変動パターン種別における超時短変動パターンとしては、リーチを伴うものであってもよく、リーチを伴うか否かに変わらず、時短状態時の変動表示および短縮変動時の変動表示よりも変動時間が短いものであればよい。
【０１３５】
なお、この実施の形態では、大当り判定用乱数として、遊技制御用マイクロコンピュータ５６０に内蔵されたハードウェア（遊技制御用マイクロコンピュータ５６０の外部のハードウェアでもよい。）が生成する乱数が用いられるが、大当り判定用乱数として、ハードウェア乱数ではなく、ソフトウェア乱数を用いてもよい。
【０１３６】
図８は、大当り判定テーブル、小当り判定テーブル、および、大当り種別判定テーブルを示す説明図である。これらテーブルは、ＲＯＭ５４に記憶されている。
【０１３７】
図８（Ａ）は、大当り判定テーブルを示す説明図である。大当り判定テーブルとは、ＲＯＭ５４に記憶されているデータの集まりであって、ＭＲ１と比較される大当り判定値が設定されているテーブルである。大当り判定テーブルには、通常状態（確変状態でない遊技状態）において用いられる通常時大当り判定テーブルと、確変状態において用いられる確変時大当り判定テーブルとがある。通常時大当り判定テーブルには、図８（Ａ）の左欄に記載されている各数値が設定され、確変時大当り判定テーブルには、図８（Ａ）の右欄に記載されている各数値が設定されている。図８（Ａ）に記載されている数値が大当り判定値である。
【０１３８】
この実施の形態では、１５Ｒ確変大当りＡ〜Ｋとなると、大当り遊技終了後に高確率状態に移行されるとともに高ベース状態に移行される。そして、大当り終了後、次回の大当りが発生するまで、確変状態および高ベース状態が継続する。また、２Ｒ確変大当りとなると、大当り遊技終了後に高確率状態に移行されるが高ベース状態に移行されない。そして、大当り終了後、次回の大当りが発生するまで、確変状態が継続する。
【０１３９】
図８（Ｂ），（Ｃ）は、小当り判定テーブルを示す説明図である。小当り判定テーブルとは、ＲＯＭ５４に記憶されているデータの集まりであって、ＭＲ１と比較される小当り判定値が設定されているテーブルである。小当り判定テーブルには、第１特別図柄の変動表示を行なうときに用いられる小当り判定テーブル（第１特別図柄用）と、第２特別図柄の変動表示を行なうときに用いられる小当り判定テーブル（第２特別図柄用）とがある。小当り判定テーブル（第１特別図柄用）には、図８（Ｂ）に記載されている各数値が設定され、小当り判定テーブル（第２特別図柄用）には、図８（Ｃ）に記載されている各数値が設定されている。また、図８（Ｂ），（Ｃ）に記載されている数値が小当り判定値である。
【０１４０】
なお、第１特別図柄の変動表示を行なう場合にのみ小当りと決定するようにし、第２特別図柄の変動表示を行なう場合には小当りを設けないようにしてもよい。この場合、図８（Ｃ）に示す第２特別図柄用の小当り判定テーブルは設けなくてもよい。この実施の形態では、遊技状態が確変状態に移行されているときには主として第２特別図柄の変動表示が実行される。遊技状態が確変状態に移行されているときにも小当りが発生するようにし、確変となるか否かを煽る演出を行なうように構成すると、現在の遊技状態が確変状態であるにもかかわらず却って遊技者に煩わしさを感じさせてしまう。そこで、第２特別図柄の変動表示中は小当りが発生しないように構成すれば、遊技状態が確変状態である場合には小当りが発生しにくくし必要以上に確変に対する煽り演出を行なわないようにすることができ、遊技者に煩わしさを感じさせる事態を防止することができる。
【０１４１】
ＣＰＵ５６は、所定の時期に、乱数回路５０３のカウント値を抽出して抽出値を大当り判定用乱数（ＭＲ１）の値とするのであるが、大当り判定用乱数値が図８（Ａ）に示すいずれかの大当り判定値に一致すると、特別図柄に関して大当り（１５Ｒ通常大当り、１５Ｒ確変大当りＡ〜Ｋ、２Ｒ確変大当り）にすることに決定する。また、大当り判定用乱数値が図８（Ｂ），（Ｃ）に示すいずれかの小当り判定値に一致すると、特別図柄に関して小当りにすることに決定する。なお、図８（Ａ）に示す「確率」は、大当りになる確率（割合）を示す。また、図８（Ｂ），（Ｃ）に示す「確率」は、小当りになる確率（割合）を示す。また、大当りにするか否か決定するということは、大当り遊技状態に移行させるか否か決定するということであるが、第１特別図柄表示器８ａまたは第２特別図柄表示器８ｂにおける停止図柄を大当り図柄にするか否か決定するということでもある。また、小当りにするか否か決定するということは、小当り遊技状態に移行させるか否か決定するということであるが、第１特別図柄表示器８ａまたは第２特別図柄表示器８ｂにおける停止図柄を小当り図柄にするか否か決定するということでもある。
【０１４２】
なお、この実施の形態では、図８（Ｂ），（Ｃ）に示すように、小当り判定テーブル（第１特別図柄用）を用いる場合には３００分の１の割合で小当りと決定されるのに対して、小当り判定テーブル（第２特別図柄用）を用いる場合には３０００分の１の割合で小当りと決定される場合を説明する。したがって、この実施の形態では、第１始動入賞口１３に始動入賞して第１特別図柄の変動表示が実行される場合には、第２始動入賞口１４に始動入賞して第２特別図柄の変動表示が実行される場合と比較して、「小当り」と決定される割合が高い。
【０１４３】
図８（Ｄ），（Ｅ）は、ＲＯＭ５４に記憶されている大当り種別判定テーブル１３１ａ，１３１ｂを示す説明図である。このうち、図８（Ｄ）は、遊技球が第１始動入賞口１３に入賞したことに基づく保留記憶のデータ（保留記憶情報）を用いて（すなわち、第１特別図柄の変動表示が行なわれるとき）大当り種別を決定する場合の大当り種別判定テーブル（第１特別図柄用）１３１ａである。また、図８（Ｅ）は、遊技球が第２始動入賞口１４に入賞したことに基づく保留記憶のデータ（保留記憶情報）を用いて（すなわち、第２特別図柄の変動表示が行なわれるとき）大当り種別を決定する場合の大当り種別判定テーブル（第２特別図柄用）１３１ｂである。
【０１４４】
大当り種別判定テーブル１３１ａ，１３１ｂは、変動表示結果を大当り図柄にする旨の判定がなされたときに、大当り種別決定用の乱数（ＭＲ２）に基づいて、大当りの種別を「１５Ｒ確変大当りＡ〜Ｋ」、「１５Ｒ通常大当り」、「２Ｒ確変大当り」のうちのいずれかに決定するために参照されるテーブルである。
【０１４５】
また、実施の形態では、図８（Ｄ），（Ｅ）に示すように、大当り種別判定テーブル１３１ａと比べて、大当り種別判定テーブル１３１ｂには、「１５Ｒ確変大当りＡ〜Ｋ」および「１５Ｒ通常大当り」のような１５ラウンドの大当りの方が「２Ｒ確変大当り」のような２Ｒラウンドの大当りよりも選択される割合が高く設定されている。したがって、第２特別図柄の方が第１特別図柄よりも、大当りとなったときに、大入賞口への入賞に関して遊技者にとって有利な大当り遊技状態に制御される。
【０１４６】
また、図８（Ｄ），（Ｅ）に示すように、大当り種別判定テーブル１３１ａと比べて、大当り種別判定テーブル１３１ｂには、１５ラウンドの大当りのうち、「１５Ｒ確変大当りＡ〜Ｋ」のような確変大当りの大当りの方が「１５Ｒ通常大当り」のような通常大当りよりも選択される割合が高く設定されている。したがって、第２特別図柄の方が第１特別図柄よりも、大当りとなったときに、大当り遊技状態終了後の確変状態に関して遊技者にとって有利となる。
【０１４７】
また、図８（Ｄ），（Ｅ）に示すように、大当り種別判定テーブル１３１ａと比べて、大当り種別判定テーブル１３１ｂには、「１５Ｒ確変大当りＡ〜Ｋ」のような確変大当りのうち、たとえば、１５Ｒ確変大当りＫのような実質的に遊技球が大入賞口に入賞可能なラウンドが多い大当りが選択される割合が高く設定されている。したがって、第２特別図柄の方が第１特別図柄よりも、大当りとなったときに、大入賞口への入賞に関して遊技者にとって有利な大当り遊技状態に制御される。
【０１４８】
なお、図８（Ｄ），（Ｅ）の大当り種別判定テーブルにおいては、第２特別図柄の方が第１特別図柄と比べて遊技者にとって有利な大当りが選択される割合が高く設定されている例を示した。しかし、これに限らず、また、第１特別図柄の方が第２特別図柄と比べて遊技者にとって有利な大当りが選択される割合が高く設定されるようにしてもよい。また、第１特別図柄と第２特別図柄とが遊技者にとって有利な大当りが選択される割合が同じ割合に設定されるようにしてもよい。
【０１４９】
また、第１特別図柄用の大当り種別判定テーブル１３１ａにのみ「２Ｒ確変大当り」を振り分けるようにし、第２特別図柄用の大当り種別判定テーブル１３１ｂには「２Ｒ確変大当り」の振り分けを行なわない（すなわち、第１特別図柄の変動表示を行なう場合にのみ、「２Ｒ確変大当り」と決定される場合がある）ようにしてもよい。
【０１５０】
なお、この実施の形態では、図８（Ｄ），（Ｅ）に示すように、所定量の遊技価値を付与する第１の大当りとしての２Ｒ確変大当りと、該遊技価値よりも多い量の遊技価値を付与する第２の大当りとしての１５Ｒ確変大当りおよび１５Ｒ通常大当りとに決定する場合があるとともに、第１特別図柄の変動表示が実行される場合に高い割合で第１の大当りとすることに決定する場合を示しているが、付与される遊技価値は、この実施の形態で示したようなラウンド数に限られない。たとえば、第１の大当りと比較して、遊技価値として１ラウンドあたりの大入賞口への遊技球の入賞数（カウント数）の許容量を多くした第２の大当りを決定するようにしてもよい。また、たとえば、第１の大当りと比較して、遊技価値として大当り中の１回あたりの大入賞口の開放時間を長くした第２の大当りを決定するようにしてもよい。また、たとえば、同じ１５ラウンドの大当りであっても、１ラウンドあたり大入賞口を１回開放する第１の大当りと、１ラウンドあたり大入賞口を複数回開放する第２の大当りとを用意し、大入賞口の開放回数が実質的に多くなるようにして第２の大当りの遊技価値を高めるようにしてもよい。この場合、たとえば、第１の大当りまたは第２の大当りのいずれの場合であっても、大入賞口を１５回開放したときに（この場合、第１の大当りの場合には１５ラウンドすべてを終了し、第２の大当りの場合には未消化のラウンドが残っていることになる）、大当りがさらに継続するか否かを煽るような態様の演出を実行するようにしてもよい。そして、第１の大当りの場合には内部的に１５ラウンドすべてを終了していることから大当り遊技を終了し、第２の大当りの場合には内部的に未消化のラウンドが残っていることから、大当り遊技が継続する（あたかも１５回開放の大当りを終了した後にさらにで大入賞口の開放が追加で始まったような演出）ようにしてもよい。
【０１５１】
また、「２Ｒ確変大当り」は、「１５Ｒ確変大当りＡ〜Ｋ」および「１５Ｒ通常大当り」と比較して大入賞口の開放回数が少ない回数（この実施の形態では０．５秒間の開放を２回）まで許容される大当りである。すなわち、「２Ｒ確変大当り」となった場合には、２ラウンドの大当り遊技状態に制御される。また、「１５Ｒ確変大当りＡ〜Ｋ」および「１５Ｒ通常大当り」では、１ラウンドあたりの大入賞口の開放時間が３０秒という長い場合があるのに対して、「２Ｒ確変大当り」では１ラウンドあたりの大入賞口の開放時間が０．５秒と極めて短く、大当り遊技中に大入賞口に遊技球が入賞することはほとんど期待できない。
【０１５２】
なお、前述したように、この実施の形態では、「小当り」となった場合にも、大入賞口の開放が０．５秒間ずつ２回行なわれ、「２Ｒ確変大当り」による大当り遊技状態と同様の制御が行なわれる。そして、「小当り」となった場合には、大入賞口の２回の開放が終了した後、遊技状態は変化せず、「小当り」となる前の遊技状態が維持される。そのようにすることによって、「２Ｒ確変大当り」であるか「小当り」であるかを認識できないようにし、遊技の興趣を向上させている。
【０１５３】
大当り種別判定テーブル１３１ａ，１３１ｂには、ＭＲ２の値と比較される数値であって、「１５Ｒ確変大当りＡ〜Ｋ」、「１５Ｒ通常大当り」、「２Ｒ確変大当り」のそれぞれに対応した判定値（大当り種別判定値）が設定されている。ＣＰＵ５６は、ＭＲ２の値が大当り種別判定値のいずれかに一致した場合に、大当りの種別を、一致した大当り種別判定値に対応する種別に決定する。
【０１５４】
図９は、大当り用変動パターン種別判定テーブルおよび小当り大当り用変動パターン種別判定テーブルを示す説明図である。
【０１５５】
図９（Ａ）〜（Ｄ）は、大当り用変動パターン種別判定テーブル１３２Ａ〜１３２Ｄを示す説明図である。大当り用変動パターン種別判定テーブル１３２Ａ〜１３２Ｄは、変動表示結果を大当り図柄にする旨の判定がなされたときに、大当り種別の判定結果に応じて、変動パターン種別を、変動パターン種別決定用の乱数（ＭＲ３）に基づいて複数種類のうちのいずれかに決定するために参照されるテーブルである。後述する超時短での変動表示を実行する条件が成立したときには、「１５Ｒ確変大当りＡ〜Ｋ」、「１５Ｒ通常大当り」、および、「２Ｒ確変大当り」の各大当りの変動パターン種別を判定するためのテーブルは、変動パターン種別判定テーブル１３２Ｄが、変動パターン種別判定テーブル１３２Ａ〜１３２Ｃに対して優先使用される。超時短での変動表示を実行する条件が成立していないときには、「１５Ｒ確変大当りＡ〜Ｋ」、「１５Ｒ通常大当り」、および、「２Ｒ確変大当り」のそれぞれの大当りの変動パターン種別を判定するためのテーブルは、変動パターン種別判定テーブル１３２Ａ〜１３２Ｃが、変動パターン種別判定テーブル１３２Ｄに対して優先使用される。
【０１５６】
各大当り用変動パターン種別判定テーブル１３２Ａ〜１３２Ｄには、変動パターン種別決定用の乱数（ＭＲ３）の値と比較される数値（判定値）であって、ノーマルＣＡ３−１〜ノーマルＣＡ３−２、スーパーＣＡ３−３、特殊ＣＡ４−１、特殊ＣＡ４−２、および、超時短ＣＡ６の変動パターン種別のいずれかに対応する判定値が設定されている。
【０１５７】
たとえば、大当り種別が「１５Ｒ通常大当り」である場合に用いられる図９（Ａ）に示す大当り用変動パターン種別判定テーブル１３２Ａと、大当り種別が「１５Ｒ確変大当りＡ〜Ｋ」である場合に用いられる図９（Ｂ）に示す大当り用変動パターン種別判定テーブル１３２Ｂとで、ノーマルＣＡ３−１〜ノーマルＣＡ３−２、スーパーＣＡ３−３の変動パターン種別に対する判定値の割当てが異なっている。
【０１５８】
このように、大当り種別に応じて選択される大当り用変動パターン種別判定テーブル１３２Ａ〜１３２Ｄを比較すると、大当り種別に応じて各変動パターン種別に対する判定値の割当てが異なっている。また、大当り種別に応じて異なる変動パターン種別に対して判定値が割当てられている。よって、大当り種別を複数種類のうちのいずれにするかの決定結果に応じて、異なる変動パターン種別に決定することができ、同一の変動パターン種別に決定される割合を異ならせることができる。
【０１５９】
なお、図９（Ａ），（Ｂ）に示すように、この実施の形態では、「１５Ｒ通常大当り」または「１５Ｒ確変大当りＡ〜Ｋ」である場合には、変動パターン種別決定用の乱数（ＭＲ３）の値が１５０〜２５１であれば、少なくともスーパーリーチ（スーパーリーチＡ、スーパーリーチＢ）を伴う変動表示が実行されることがわかる。
【０１６０】
また、スーパーリーチ大当りについて、擬似連を伴う変動パターン種別（スーパーＰＡ３−３、スーパーＰＡ３−４の変動パターンを含む変動パターン種別）と、擬似連を伴わない変動パターン種別（スーパーＰＢ３−３、スーパーＰＢ３−４の変動パターンを含む変動パターン種別）とに分けてもよい。この場合、１５Ｒ通常大当り用の大当り用変動パターン種別判定テーブル１３２Ａおよび１５Ｒ確変大当り用の大当り用変動パターン種別判定テーブル１３２Ｂの両方において、スーパーリーチかつ擬似連を伴う変動パターン種別と、スーパーリーチかつ擬似連を伴わない変動パターン種別とが割当てられることになる。
【０１６１】
また、大当り種別が「２Ｒ確変大当り」である場合に用いられる大当り用変動パターン種別判定テーブル１３２Ｃでは、たとえば、特殊ＣＡ４−１、特殊ＣＡ４−２といった大当り種別が「２Ｒ確変大当り」以外である場合には判定値が割当てられない変動パターン種別に対して、判定値が割当てられている。よって、変動表示結果が「大当り」となり大当り種別が「２Ｒ確変大当り」となることに応じて２Ｒ確変大当り状態に制御する場合には、１５Ｒ確変大当りおよび１５Ｒ通常大当りによる大当り状態に制御する場合とは異なる変動パターン種別に決定することができる。
【０１６２】
また、図９（Ｄ）の超時短用の変動パターン種別判定テーブル１３２Ｄに設定された超時短の変動パターン種別は、リーチも特定演出も伴なわず前述の時短状態時の変動表示および短縮変動時の変動表示よりも変動時間が短い（たとえば、変動時間が０．６秒間）変動表示を行なう超時短変動パターンの変動パターン種別である。このような超時短変動パターンによる変動表示は、１５Ｒ確変大当り（１５Ｒ確変大当りＡ〜Ｋのいずれか）の大当り遊技状態において保留記憶中に１５Ｒ確変大当り（１５Ｒ確変大当りＡ〜Ｋのいずれか）となる保留記憶情報が含まれているときに、超時短での変動表示を実行する条件が成立し、大当り遊技状態終了後に、当該保留記憶情報に基づく変動表示が実行されるまで、極めて短い変動時間で保留記憶に基づく変動表示が行なわれる。このような超時短の変動表示により、大当り遊技状態において保留記憶中に存在した１５Ｒ確変大当りが早期に開始されるようにすることができ、遊技の興趣をより一層向上させることができる。また、１５Ｒ確変大当りというような大当りの種類に応じて、超時短の変動表示が実行されるため、遊技の興趣をより一層向上させることができる。
【０１６３】
このような超時短の変動表示は、１５Ｒ確変大当り（１５Ｒ確変大当りＡ〜Ｋのいずれか）の大当り遊技状態において保留記憶中に１５Ｒ確変大当り（１５Ｒ確変大当りＡ〜Ｋのいずれか）となる保留記憶情報が含まれているときに行なわれる演出として、後述する超過Ｒ報知演出と対応関係を持って実行されるものである。
【０１６４】
また、図９（Ｅ）は、小当り用変動パターン種別判定テーブル１３２Ｄを示す説明図である。小当り用変動パターン種別判定テーブル１３２Ｄは、変動表示結果を小当り図柄にする旨の判定がなされたときに、変動パターン種別を、変動パターン種別決定用の乱数（ＭＲ３）に基づいて複数種類のうちのいずれかに決定するために参照されるテーブルである。この実施の形態では、図９（Ｅ）に示すように、小当りとすることに決定されている場合には、変動パターン種別として特殊ＣＡ４−１が決定される場合が示されている。
【０１６５】
図１０は、はずれ用変動パターン種別判定テーブル１３５Ａ〜１３５Ｅを示す説明図である。このうち、図１０（Ａ）は、遊技状態が通常状態であるとともに合算保留記憶数が３未満である場合に用いられるはずれ用変動パターン種別判定テーブル１３５Ａを示している。また、図１０（Ｂ）は、遊技状態が通常状態であるとともに合算保留記憶数が３以上である場合に用いられるはずれ用変動パターン種別判定テーブル１３５Ｂを示している。また、図１０（Ｃ）は、遊技状態が確変状態のうちの高確率／高ベース状態（１５Ｒ確変大当り終了後の状態）である場合に用いられるはずれ用変動パターン種別判定テーブル１３５Ｃを示している。また、図１０（Ｄ）は、遊技状態が確変状態のうちの高確率／低ベース状態（２Ｒ確変大当り終了後の状態）である場合に用いられるはずれ用変動パターン種別判定テーブル１３５Ｄを示している。また、図１０（Ｅ）は、１５Ｒ確変大当りＡ〜Ｋのうちいずれかの１５Ｒ確変大当りの大当り遊技状態中において保留記憶内に、１５Ｒ確変大当りＡ〜Ｋのいずれかとなる保留記憶情報が含まれているときに、当該大当り遊技状態後に当該保留記憶のすべてが消化されるまでの期間に亘り、他のテーブルに対して優先的に用いられるはずれ用変動パターン種別判定テーブル１３５Ｅを示している。はずれ用変動パターン種別判定テーブル１３５Ａ〜１３５Ｅは、変動表示結果をはずれ図柄にする旨の判定がなされたときに、変動パターン種別を、変動パターン種別決定用の乱数（ランダム２）に基づいて複数種類のうちのいずれかに決定するために参照されるテーブルである。
【０１６６】
なお、図１０に示す例では、遊技状態が高ベース状態である場合と合算保留記憶数が３以上である場合とで別々のはずれ用変動パターン種別判定テーブル１３５Ｂ〜１３５Ｄを用いる場合を示しているが、高ベース状態である場合と合算保留記憶数が３以上である場合とで、共通のはずれ用変動パターン種別判定テーブルを用いるように構成してもよい。また、図１０（Ｃ）に示す例では、合算保留記憶数にかかわらず共通の高ベース用のはずれ用変動パターン種別判定テーブル１３５Ｃを用いる場合を示しているが、高ベース用のはずれ用変動パターン種別判定テーブルとして合算保留記憶数に応じた複数のはずれ用変動パターン判定テーブル（判定値の割合を異ならせたテーブル）を用いるようにしてもよい。
【０１６７】
また、この実施の形態では、遊技状態が通常状態である場合には、合算保留記憶数が３未満である場合に用いるはずれ用変動パターン種別判定テーブル１３５Ａと、合算保留記憶数が３以上である場合に用いるはずれ用変動パターン種別判定テーブル１３５Ｂとの２種類のテーブルを用いる場合を示しているが、はずれ用変動パターン種別判定テーブルの分け方は、この実施の形態で示したものに限られない。たとえば、合算保留記憶数の値ごとに別々のはずれ用変動パターン種別判定テーブルをそれぞれ備えてもよい（すなわち、合算保留記憶数０個用、合算保留記憶数１個用、合算保留記憶数２個用、合算保留記憶数３個用、合算保留記憶数４個用・・・のはずれ用変動パターン種別判定テーブルをそれぞれ別々に用いるようにしてもよい）。また、たとえば、合算保留記憶数の他の複数の値の組合せに対応したはずれ用変動パターン種別判定テーブルを用いるようにしてもよい。たとえば、合算保留記憶数０〜２用、合算保留記憶数３用、合算保留記憶数４用・・・のはずれ用変動パターン種別判定テーブルを用いるようにしてもよい。
【０１６８】
また、この実施の形態では、合算保留記憶数に応じてはずれ用変動パターン種別判定テーブルを複数備える場合を示しているが、第１保留記憶数や第２保留記憶数に応じてはずれ用変動パターン種別判定テーブルを複数備えるようにしてもよい。たとえば、第１特図の変動表示を行なう場合には、第１保留記憶数の値ごとに別々に用意されたはずれ用変動パターン種別判定テーブルを用いるようにしてもよい（すなわち、第１保留記憶数０個用、第１保留記憶数１個用、第１保留記憶数２個用、第１保留記憶数３個用、第１保留記憶数４個用・・・のはずれ用変動パターン種別判定テーブルをそれぞれ別々に用いるようにしてもよい）。また、たとえば、第１保留記憶数の他の複数の値の組合せに対応したはずれ用変動パターン種別判定テーブルを用いるようにしてもよい。たとえば、第１保留記憶数０〜２用、第１保留記憶数３用、第１保留記憶数４用・・・のはずれ用変動パターン種別判定テーブルを用いるようにしてもよい。この場合であっても、第１保留記憶数や第２保留記憶数が多い場合（たとえば３以上）には、変動時間が短い変動パターンを含む変動パターン種別が選択されやすいように構成すればよい。また、このような場合であっても、特定の変動表示パターンとしてのスーパーリーチを伴う変動パターンを含む変動パターン種別に対して共通の判定値を割当てるように構成すればよい。
【０１６９】
なお、「特定の演出態様」とは、スーパーリーチを伴う変動パターン等、少なくとも大当りに対する期待度が高く設定され、遊技者に大当りに対する期待感を抱かせることができる変動パターン種別、変動パターンのことである。また、「大当りに対する期待度（信頼度）」とは、その特定の演出態様による変動表示（たとえば、スーパーリーチを伴う変動表示）が実行された場合に大当りが出現する出現率（確率）を示している。たとえば、スーパーリーチを伴う変動表示が実行される場合の大当り期待度は、（大当りと決定されている場合にスーパーリーチが実行される割合）／（大当りと決定されている場合およびはずれと決定されている場合の両方にスーパーリーチが実行される割合）を計算することによって求められる。
【０１７０】
各はずれ用変動パターン種別判定テーブル１３５Ａ〜１３５Ｅには、変動パターン種別決定用の乱数（ＭＲ３）の値と比較される数値（判定値）であって、非リーチＣＡ２−１〜非リーチＣＡ２−３、ノーマルＣＡ２−４〜ノーマルＣＡ２−６、スーパーＣＡ２−７、超時短ＣＡ５の変動パターン種別のいずれかに対応する判定値が設定されている。
【０１７１】
なお、図１０（Ａ），（Ｂ）に示すように、この実施の形態では、はずれであるとともに遊技状態が通常状態である場合には、変動パターン種別決定用の乱数（ＭＲ３）の値が２３０〜２５１であれば、合算保留記憶数にかかわらず、少なくともスーパーリーチ（スーパーリーチＡ、スーパーリーチＢ）を伴う変動表示が実行されることがわかる。
【０１７２】
また、図１０（Ａ）、（Ｂ）に示すように、この実施の形態では、はずれであるとともに遊技状態が通常状態である場合には、変動パターン種別決定用の乱数（ＭＲ３）の値が１〜７９であれば、合算保留記憶数にかかわらず、少なくともリーチを伴わない（擬似連や滑り演出等の特定演出も伴わない）通常変動の変動表示が実行されることがわかる。そのようなテーブル構成により、この実施の形態では、判定テーブル（はずれ用変動パターン種別判定テーブル１３５Ａ，１３５Ｂ）は、リーチ用変動表示パターン（リーチを伴う変動パターン）以外の変動表示パターンのうちの少なくとも一部に対して、保留記憶手段（第１保留記憶バッファや第２保留記憶バッファ）が記憶する権利の数（第１保留記憶数、第２保留記憶数、合算保留記憶数）にかかわらず、共通の判定値（図１０（Ａ），（Ｂ）に示す例では１〜７９）が割当てられるように構成されている。なお、「リーチ用変動表示パターン以外の変動表示パターン」とは、この実施の形態で示したように、たとえば、リーチを伴わず、擬似連や滑り演出等の特定演出も伴わず、変動表示結果が大当りとならない場合に用いられる変動表示パターン（変動パターン）のことである。
【０１７３】
なお、この実施の形態では、図９に示すように、現在の遊技状態にかかわらず、共通の大当り用変動パターン種別判定テーブルを用いる場合を示したが、現在の遊技状態が確変状態であるか通常状態であるかに応じて、それぞれ別々に用意された大当り用変動パターン種別判定テーブルを用いるようにしてもよい。また、この実施の形態では、合算保留記憶数が３以上である場合に、図１０（Ｂ）に示す短縮用のはずれ用変動パターン種別判定テーブルを選択して短縮変動の変動パターンが決定される場合があるように構成する場合を示しているが、現在の遊技状態に応じて短縮変動の変動パターンが選択され得る場合の合算保留記憶数（第１保留記憶数や第２保留記憶数でもよい）の閾値を異ならせてもよい。たとえば、遊技状態が通常状態である場合には、合算保留記憶数が３である場合に（または、たとえば、第１保留記憶数や第２保留記憶数が２である場合に）、短縮用のはずれ用変動パターン種別判定テーブルを選択して短縮変動の変動パターンが決定される場合があるようにし、遊技状態が高ベース状態である場合には、合算保留記憶数がより少ない１または２の場合でも（または、たとえば、第１保留記憶数や第２保留記憶数がより少ない０または１の場合でも）、短縮用のはずれ用変動パターン種別判定テーブルを選択して短縮変動の変動パターンが決定される場合があるようにしてもよい。
【０１７４】
また、図１０（Ｅ）および前述した図９（Ｄ）に示すように、この実施の形態では、１５Ｒ確変大当りＡ〜Ｋのうちいずれかの１５Ｒ確変大当りの大当り遊技状態中において保留記憶内に、１５Ｒ確変大当りＡ〜Ｋのいずれかとなる保留記憶情報が含まれているときに、当該大当り遊技状態後に当該保留記憶のすべてが消化されるまでの期間に亘り、リーチも特定演出も伴わなわず時短状態時の変動表示および短縮変動時の変動表示よりも変動時間が短い（たとえば、変動時間が０．６秒間）超時短変動パターンの変動パターン種別である超時短ＣＡ５他のテーブルに対して優先的に用いられることにより、大当り遊技状態において後述するような超過Ｒ継続報知演出が実行された後において、極めて短い変動時間での変動表示が行なわれて、当該保留記憶が極めて短時間で消化されることとなる。
【０１７５】
図１１は、ＲＯＭ１０１に記憶されている当り変動パターン判定テーブル１３７Ａ〜１３７Ｂを示す説明図である。
【０１７６】
当り変動パターン判定テーブル１３７Ａ〜１３７Ｂは、変動表示結果を「大当り」や「小当り」にする旨の判定がなされたときに、大当り種別や変動パターン種別の決定結果等に応じて、変動パターン決定用の乱数（ＭＲ４）に基づいて、変動パターンを複数種類のうちのいずれかに決定するために参照されるテーブルである。各当り変動パターン判定テーブル１３７Ａ〜１３７Ｂは、変動パターン種別の決定結果に応じて、使用テーブルとして選択される。すなわち、変動パターン種別をノーマルＣＡ３−１〜ノーマルＣＡ３−２、スーパーＣＡ３−３、超時短ＣＡ６のいずれかにする旨の決定結果に応じて当り変動パターン判定テーブル１３７Ａが使用テーブルとして選択される。たとえば、超時短ＣＡ６の変動パターン種別が選択決定されたときには、変動時間が極めて短い（たとえば、０．６秒間）超時短変動パターンＰＣ２が選択決定される。一方、変動パターン種別を特殊ＣＡ４−１、特殊ＣＡ４−２のいずれかにする旨の決定結果に応じて当り変動パターン判定テーブル１３７Ｂが使用テーブルとして選択される。各当り変動パターン判定テーブル１３７Ａ〜１３７Ｂは、変動パターン種別に応じて、変動パターン決定用の乱数（ＭＲ４）の値と比較される数値（判定値）であって、演出図柄の変動表示結果が「大当り」である場合に対応した複数種類の変動パターンのいずれかに対応するデータ（判定値）を含む。
【０１７７】
なお、図１１（Ａ）に示す例では、変動パターン種別として、ノーマルリーチのみを伴う変動パターンを含む変動パターン種別であるノーマルＣＡ３−１と、ノーマルリーチおよび擬似連を伴う変動パターンを含む変動パターン種別であるノーマルＣＡ３−２と、スーパーリーチを伴う（スーパーリーチとともに擬似連を伴う場合もある）変動パターンを含む変動パターン種別であるスーパーＣＡ３−３と、変動時間が極めて短い（たとえば、０．６秒間）超時短変動パターンＰＣ１とに種別分けされている場合が示されている。また、図１１（Ｂ）に示す例では、変動パターン種別として、非リーチの変動パターンを含む変動パターン種別である特殊ＣＡ４−１と、リーチを伴う変動パターンを含む変動パターン種別である特殊ＣＡ４−２とに種別分けされている場合が示されている。なお、図１１（Ｂ）において、リーチの有無によって変動パターン種別を分けるのではなく、擬似連や滑り演出等の特定演出の有無によって変動パターン種別を分けてもよい。この場合、たとえば、特殊ＣＡ４−１は、特定演出を伴わない変動パターンである特殊ＰＧ１−１と特殊ＰＧ２−１を含むようにし、特殊ＣＡ４−２は、特定演出を伴う特殊ＰＧ１−２、特殊ＰＧ１−３および特殊ＰＧ２−２を含むように構成してもよい。
【０１７８】
図１２は、ＲＯＭ５５に記憶されているはずれ変動パターン判定テーブル１３８Ａを示す説明図である。はずれ変動パターン判定テーブル１３８Ａは、変動表示結果を「はずれ」にする旨の判定がなされたときに、変動パターン種別の決定結果に応じて、変動パターン決定用の乱数（ＭＲ４）に基づいて、変動パターンを複数種類のうちのいずれかに決定するために参照されるテーブルである。はずれ変動パターン判定テーブル１３８Ａは、変動パターン種別の決定結果に応じて、使用テーブルとして選択される。たとえば、超時短ＣＡ５の変動パターン種別が選択決定されたときには、変動時間が極めて短い（たとえば、０．６秒間）超時短変動パターンＰＣ１が選択決定される。
【０１７９】
図１３および図１４は、遊技制御用マイクロコンピュータ５６０が送信する演出制御コマンドの内容の一例を示す説明図である。図１３に示す例において、コマンド８０ＸＸ（Ｈ）は、特別図柄の変動表示に対応して演出表示装置９において変動表示される演出図柄の変動パターンを指定する演出制御コマンド（変動パターンコマンド）である（それぞれ変動パターンＸＸに対応）。つまり、使用され得る変動パターンのそれぞれに対して一意な番号を付した場合に、その番号で特定される変動パターンのそれぞれに対応する変動パターンコマンドがある。「（Ｈ）」は１６進数であることを示す。また、変動パターンを指定する演出制御コマンドは、変動開始を指定するためのコマンドでもある。したがって、演出制御用ＣＰＵ１０１は、コマンド８０ＸＸ（Ｈ）を受信すると、演出表示装置９において演出図柄の変動表示を開始するように制御する。
【０１８０】
コマンド８Ｃ０１（Ｈ）〜８Ｃ０８（Ｈ）は、大当りとするか否か、小当りとするか否か、および大当り種別を示す演出制御コマンドである。演出制御用ＣＰＵ１０１は、コマンド８Ｃ０１（Ｈ）〜８Ｃ０Ｆ（Ｈ）の受信に応じて演出図柄の表示結果を決定するので、コマンド８Ｃ０１（Ｈ）〜８Ｃ０Ｆ（Ｈ）を表示結果指定コマンドという。
【０１８１】
コマンド８Ｄ０１（Ｈ）は、第１特別図柄の変動表示を開始することを示す演出制御コマンド（第１図柄変動指定コマンド）である。コマンド８Ｄ０２（Ｈ）は、第２特別図柄の変動表示を開始することを示す演出制御コマンド（第２図柄変動指定コマンド）である。第１図柄変動指定コマンドと第２図柄変動指定コマンドとを特別図柄特定コマンド（または図柄変動指定コマンド）と総称することがある。なお、第１特別図柄の変動表示を開始するのか第２特別図柄の変動表示を開始するのかを示す情報を、変動パターンコマンドに含めるようにしてもよい。
【０１８２】
コマンド８Ｆ００（Ｈ）は、第１，第２特別図柄の変動を終了することを指定するコマンド（図柄確定指定コマンド）である。
【０１８３】
コマンド９０００（Ｈ）は、遊技機に対する電力供給が開始されたときに送信される演出制御コマンド（初期化指定コマンド：電源投入指定コマンド）である。コマンド９２００（Ｈ）は、遊技機に対する電力供給が再開されたときに送信される演出制御コマンド（停電復旧指定コマンド）である。遊技制御用マイクロコンピュータ５６０は、遊技機に対する電力供給が開始されたときに、バックアップＲＡＭにデータが保存されている場合には、停電復旧指定コマンドを送信し、そうでない場合には、初期化指定コマンドを送信する。
【０１８４】
コマンド９Ｆ００（Ｈ）は、客待ちデモンストレーションを指定する演出制御コマンド（客待ちデモ指定コマンド）である。
【０１８５】
コマンドＡ００１〜Ａ００Ｄ（Ｈ）は、ファンファーレ画面を表示すること、すなわち大当り遊技の開始を指定する演出制御コマンド（大当り開始指定コマンド：ファンファーレ指定コマンド）である。この実施の形態では、大当りの種類に応じて、大当り開始指定コマンドが用いられる。具体的には、「１５Ｒ通常大当り」である場合には大当り開始指定コマンド（Ａ００１（Ｈ））が用いられる。
【０１８６】
「１５Ｒ確変大当りＡ」である場合には大当り開始指定コマンド（Ａ００２（Ｈ））が用いられる。「１５Ｒ確変大当りＢ」である場合には大当り開始指定コマンド（Ａ００３（Ｈ））が用いられる。「１５Ｒ確変大当りＣ」である場合には大当り開始指定コマンド（Ａ００４（Ｈ））が用いられる。「１５Ｒ確変大当りＤ」である場合には大当り開始指定コマンド（Ａ００５（Ｈ））が用いられる。「１５Ｒ確変大当りＥ」である場合には大当り開始指定コマンド（Ａ００６（Ｈ））が用いられる。「１５Ｒ確変大当りＦ」である場合には大当り開始指定コマンド（Ａ００７（Ｈ））が用いられる。「１５Ｒ確変大当りＧ」である場合には大当り開始指定コマンド（Ａ００８（Ｈ））が用いられる。「１５Ｒ確変大当りＨ」である場合には大当り開始指定コマンド（Ａ００９（Ｈ））が用いられる。「１５Ｒ確変大当りＩ」である場合には大当り開始指定コマンド（Ａ００Ａ（Ｈ））が用いられる。「１５Ｒ確変大当りＪ」である場合には大当り開始指定コマンド（Ａ００Ｂ（Ｈ））が用いられる。「１５Ｒ確変大当りＫ」である場合には大当り開始指定コマンド（Ａ００Ｃ（Ｈ））が用いられる。「２Ｒ確変大当り」である場合には大当り開始指定コマンド（Ａ００Ｄ（Ｈ））が用いられる。
【０１８７】
コマンドＡ００Ｅ（Ｈ）は、２Ｒ確変大当りと共通のファンファーレ画面を表示すること、すなわち小当り遊技の開始を指定する演出制御コマンドである。なお、遊技制御用マイクロコンピュータ５６０は、２Ｒ確変大当りである場合に２Ｒ確変大当り開始指定用のファンファーレ指定コマンドを送信するものの、小当りである場合にはファンファーレ指定コマンドを送信しないように構成してもよい。
【０１８８】
コマンドＡ１ＸＸ（Ｈ）は、ＸＸで示す回数目（ラウンド）の大入賞口開放中の表示を示す演出制御コマンド（大入賞口開放中指定コマンド）である。大入賞口開放中指定コマンドはラウンドごとにそのラウンドを指定する値がＥＸＴデータに設定されて送信されるので、ラウンドごとに異なる大入賞口開放中指定コマンドが送信される。たとえば、大当り遊技中の第１ラウンドを実行する際には、ラウンド１を指定する大入賞口開放中指定コマンド（Ａ１０１（Ｈ））が送信され、大当り遊技中の第１０ラウンドを実行する際には、ラウンド１０を指定する大入賞口開放中指定コマンド（Ａ１０Ａ（Ｈ））が送信される。Ａ２ＸＸ（Ｈ）は、ＸＸで示す回数目（ラウンド）の大入賞口閉鎖を示す演出制御コマンド（大入賞口開放後指定コマンド）である。大入賞口開放後指定コマンドはラウンドごとにそのラウンドを指定する値がＥＸＴデータに設定されて送信されるので、ラウンドごとに異なる大入賞口開放後指定コマンドが送信される。たとえば、大当り遊技中の第１ラウンドを終了する際には、ラウンド１を指定する大入賞口開放後指定コマンド（Ａ２０１（Ｈ））が送信され、大当り遊技中の第１０ラウンドを終了する際には、ラウンド１０を指定する大入賞口開放後指定コマンド（Ａ３０Ａ（Ｈ））が送信される。
【０１８９】
コマンドＡ３０１（Ｈ）〜Ａ３０Ｄ（Ｈ）は、大当り終了画面を表示すること、すなわち大当り遊技の終了を指定する演出制御コマンド（大当り終了指定コマンド）である。大当り終了指定コマンド（Ａ３０１（Ｈ））は、「１５Ｒ通常大当り」による大当り遊技を終了する場合に用いられる。コマンドＡ３０２（Ｈ）は、「１５Ｒ確変大当りＡ」による大当り遊技を終了する場合に用いられる。コマンドＡ３０３（Ｈ）は、「１５Ｒ確変大当りＢ」による大当り遊技を終了する場合に用いられる。コマンドＡ３０４（Ｈ）は、「１５Ｒ確変大当りＣ」による大当り遊技を終了する場合に用いられる。コマンドＡ３０５（Ｈ）は、「１５Ｒ確変大当りＤ」による大当り遊技を終了する場合に用いられる。コマンドＡ３０６（Ｈ）は、「１５Ｒ確変大当りＥ」による大当り遊技を終了する場合に用いられる。コマンドＡ３０７（Ｈ）は、「１５Ｒ確変大当りＦ」による大当り遊技を終了する場合に用いられる。コマンドＡ３０８（Ｈ）は、「１５Ｒ確変大当りＧ」による大当り遊技を終了する場合に用いられる。コマンドＡ３０９（Ｈ）は、「１５Ｒ確変大当りＨ」による大当り遊技を終了する場合に用いられる。コマンドＡ３０Ａ（Ｈ）は、「１５Ｒ確変大当りＩ」による大当り遊技を終了する場合に用いられる。コマンドＡ３０Ｂ（Ｈ）は、「１５Ｒ確変大当りＪ」による大当り遊技を終了する場合に用いられる。コマンドＡ３０Ｃ（Ｈ）は、「１５Ｒ確変大当りＫ」による大当り遊技を終了する場合に用いられる。コマンドＡ３０Ｄ（Ｈ）は、「２Ｒ確変大当り」による大当り遊技を終了する場合に用いられる。
【０１９０】
コマンドＡ３０Ｅ（Ｈ）は、２Ｒ確変大当りと共通の大当り終了画面を表示すること、すなわち小当り遊技の終了を指定する演出制御コマンドである。なお、遊技制御用マイクロコンピュータ５６０は、２Ｒ確変大当りである場合に２Ｒ確変大当り終了指定用の指定コマンドを送信するものの、小当りである場合には小当り終了指定用の指定コマンドを送信しないように構成してもよい。
【０１９１】
図１４に示す例において、コマンドＢ０００（Ｈ）は、遊技状態が低確率／低ベース状態（通常状態）であることを指定する演出制御コマンド（低確率／低ベース状態指定コマンド）である。コマンドＢ００１（Ｈ）は、遊技状態が高確率／高ベース状態であることを指定する演出制御コマンド（高確率／高ベース状態指定コマンド）である。コマンドＢ００２（Ｈ）は、遊技状態が高確率／低ベース状態であることを指定する演出制御コマンド（高確率／低ベース状態指定コマンド）である。
【０１９２】
コマンドＣ０００（Ｈ）は、第１始動入賞があったことを指定する演出制御コマンド（第１始動入賞指定コマンド）である。コマンドＣ１００（Ｈ）は、第２始動入賞があったことを指定する演出制御コマンド（第２始動入賞指定コマンド）である。なお、この実施の形態では、以下、第１始動入賞指定コマンドと第２始動入賞指定コマンドとを、始動入賞指定コマンドと総称することがある。
【０１９３】
コマンドＣ２ＸＸ（Ｈ）は、第１保留記憶数と第２保留記憶数との合計である合計数（合算保留記憶数）を指定する演出制御コマンド（合算保留記憶数指定コマンド）である。コマンドＣ２ＸＸ（Ｈ）における「ＸＸ」が、合算保留記憶数を示す。コマンドＣ３００（Ｈ）は、合算保留記憶数を１減算することを指定する演出制御コマンド（合算保留記憶数減算指定コマンド）である。なお、この実施の形態では、遊技制御用マイクロコンピュータ５６０は、合算保留記憶数を減算する場合には合算保留記憶数減算指定コマンドを送信するが、合算保留記憶数減算指定コマンドを使用せず、合算保留記憶数を減算するときに、減算後の合算保留記憶数を指定する合算保留記憶数指定コマンドを送信するようにしてもよい。
【０１９４】
なお、この実施の形態では、保留記憶数を指定するコマンドとして、合算保留記憶数を指定する合算保留記憶数指定コマンドを送信する場合を示しているが、第１保留記憶と第２保留記憶とのうち増加した方の保留記憶数を指定するコマンドを送信するように構成してもよい。具体的には、第１保留記憶が増加した場合に第１保留記憶数を指定する第１保留記憶数指定コマンドを送信し、第２保留記憶が増加した場合に第２保留記憶数を指定する第２保留記憶数指定コマンドを送信するようにしてもよい。
【０１９５】
また、この実施の形態では、保留記憶情報として、第１始動入賞口１３と第２始動入賞口１４とのいずれに始動入賞したかを指定する始動入賞指定コマンドを送信するとともに、合算保留記憶数を指定する合算保留記憶数指定コマンドを送信する場合を示しているが、保留記憶情報として送信する演出制御コマンドは、この実施の形態で示したものに限られない。たとえば、保留記憶数が増加したときに、第１保留記憶数または第２保留記憶数が増加したことを示す保留記憶数加算指定コマンド（第１保留記憶数加算指定コマンドまたは第２保留記憶数加算指定コマンド）を送信する一方、保留記憶数が減少したときに、第１保留記憶数または第２保留記憶数が減少したことを示す保留記憶数減算指定コマンド（第１保留記憶数減算指定コマンドまたは第２保留記憶数減算指定コマンド）を送信するようにしてもよい。
【０１９６】
コマンドＣ４ＸＸ（Ｈ）およびコマンドＣ６ＸＸ（Ｈ）は、入賞時判定結果の内容を示す演出制御コマンド（入賞時判定結果指定コマンド）である。このうち、コマンドＣ４ＸＸ（Ｈ）は、入賞時判定結果のうち、大当りとなるか否か、小当りとなるか否か、および、大当りの種別の判定結果を示す演出制御コマンド（図柄指定コマンド）である。また、コマンドＣ６ＸＸ（Ｈ）は、入賞時判定結果のうち、変動パターン種別決定用乱数の値がいずれの判定値の範囲となるかの判定結果（変動パターン種別の判定結果（変動カテゴリ））を示す演出制御コマンド（変動カテゴリコマンド）である。また、後述するような大入賞口への入賞に応じたランクアップ演出が行なわれる構成においては、カウントスイッチ２３により入賞が検出されるごとに、当該入賞が検出されたことを指定する大入賞口入賞指定コマンドを送信する。
【０１９７】
この実施の形態では、後述する入賞時演出処理（図２４参照）において、遊技制御用マイクロコンピュータ５６０は、始動入賞時に、大当りとなるか否か、小当りとなるか否か、大当りの種別、変動パターン種別決定用乱数の値がいずれの判定値の範囲にとなるかを判定する。そして、図柄指定コマンドのＥＸＴデータに、大当りまたは小当りとなることを指定する値、および、大当りの種別を指定する値を設定し、演出制御用ＣＰＵ１０１に対して送信する制御を行なう。また、変動カテゴリコマンドのＥＸＴデータに判定結果としての判定値の範囲を指定する値を設定し、演出制御用ＣＰＵ１０１に対して送信する制御を行なう。この実施の形態では、演出制御用ＣＰＵ１０１は、図柄指定コマンドに設定されている値に基づいて、表示結果が大当りまたは小当りとなるか否か、大当りの種別を認識できるとともに、変動カテゴリコマンドに基づいて、変動パターン種別決定用乱数の値が所定の判定値となる場合には変動パターン種別を認識できる。
【０１９８】
図１５は、図柄指定コマンドの内容の一例を示す説明図である。図１５に示すように、この実施の形態では、大当りまたは小当りとなるか否かと、大当りの種別とに応じて、ＥＸＴデータが設定され、図柄指定コマンドが送信される。
【０１９９】
たとえば、後述する入賞時演出処理において、「はずれ」となると判定された場合には、ＣＰＵ５６は、ＥＸＴデータに「００（Ｈ）」を設定した図柄指定コマンド（図柄１指定コマンド）を送信する。「１５Ｒ通常大当り」となると判定された場合には、ＣＰＵ５６は、ＥＸＴデータに「０１（Ｈ）」を設定した図柄指定コマンド（図柄２指定コマンド）を送信する。「１５Ｒ確変大当りＡ」となると判定された場合には、ＣＰＵ５６は、ＥＸＴデータに「０２（Ｈ）」を設定した図柄指定コマンド（図柄３指定コマンド）を送信する。「１５Ｒ確変大当りＢ」となると判定された場合には、ＣＰＵ５６は、ＥＸＴデータに「０３（Ｈ）」を設定した図柄指定コマンド（図柄４指定コマンド）を送信する。「１５Ｒ確変大当りＣ」となると判定された場合には、ＣＰＵ５６は、ＥＸＴデータに「０４（Ｈ）」を設定した図柄指定コマンド（図柄５指定コマンド）を送信する。「１５Ｒ確変大当りＤ」となると判定された場合には、ＣＰＵ５６は、ＥＸＴデータに「０５（Ｈ）」を設定した図柄指定コマンド（図柄６指定コマンド）を送信する。「１５Ｒ確変大当りＥ」となると判定された場合には、ＣＰＵ５６は、ＥＸＴデータに「０６（Ｈ）」を設定した図柄指定コマンド（図柄４指定コマンド）を送信する。「１５Ｒ確変大当りＦ」となると判定された場合には、ＣＰＵ５６は、ＥＸＴデータに「０７（Ｈ）」を設定した図柄指定コマンド（図柄５指定コマンド）を送信する。「１５Ｒ確変大当りＧ」となると判定された場合には、ＣＰＵ５６は、ＥＸＴデータに「０８（Ｈ）」を設定した図柄指定コマンド（図柄９指定コマンド）を送信する。「１５Ｒ確変大当りＨ」となると判定された場合には、ＣＰＵ５６は、ＥＸＴデータに「０９（Ｈ）」を設定した図柄指定コマンド（図柄１０指定コマンド）を送信する。「１５Ｒ確変大当りＩ」となると判定された場合には、ＣＰＵ５６は、ＥＸＴデータに「０Ａ（Ｈ）」を設定した図柄指定コマンド（図柄１１指定コマンド）を送信する。「１５Ｒ確変大当りＪ」となると判定された場合には、ＣＰＵ５６は、ＥＸＴデータに「０Ｂ（Ｈ）」を設定した図柄指定コマンド（図柄１２指定コマンド）を送信する。「１５Ｒ確変大当りＫ」となると判定された場合には、ＣＰＵ５６は、ＥＸＴデータに「０Ｃ（Ｈ）」を設定した図柄指定コマンド（図柄１３指定コマンド）を送信する。
【０２００】
「２Ｒ確変大当り」となると判定された場合には、ＣＰＵ５６は、ＥＸＴデータに「０Ｄ（Ｈ）」を設定した図柄指定コマンド（図柄１４指定コマンド）を送信する。「小当り」となると判定された場合には、ＣＰＵ５６は、ＥＸＴデータに「０Ｅ（Ｈ）」を設定した図柄指定コマンド（図柄１５指定コマンド）を送信する。
【０２０１】
なお、図柄指定コマンドに設定されるＥＸＴデータと、表示結果指定コマンドに設定されるＥＸＴデータとを共通化してもよい。そのように構成すれば、図柄指定コマンドを設定する際と表示結果指定コマンドを設定する際とで、読出すデータを共通化することができる。
【０２０２】
図１６および図１７は、変動カテゴリコマンドの内容の一例を示す説明図である。図１６および図１７に示すように、この実施の形態では、いずれの遊技状態であるかと、特別図柄や演出図柄の表示結果がいずれの表示結果となるかと、始動入賞時に変動パターン種別決定用乱数の値がいずれの判定値の範囲になると判定したとかとに応じて、ＥＸＴデータに値が設定され、変動カテゴリコマンドが送信される。
【０２０３】
たとえば、始動入賞時に、遊技状態が通常状態且つはずれとなると判定した場合、後述する入賞時演出処理のＳ２３２において、ＣＰＵ５６は、まず、変動パターン種別決定用乱数の値が１〜７９となるか否かを判定する。変動パターン種別決定用乱数の値が１〜７９となる場合には、ＣＰＵ５６は、ＥＸＴデータに「００（Ｈ）」を設定した変動カテゴリ１コマンドを送信する。なお、この実施の形態では、遊技状態が通常状態である場合には、合算保留記憶数にかかわらず、判定値１〜７９の範囲には非リーチＣＡ２−１の変動パターン種別が共通に割当てられているのであるから、演出制御用ＣＰＵ１０１は、変動カテゴリ１コマンドを受信したことに基づいて、少なくとも変動パターン種別が非リーチＣＡ２−１となることを認識することができる。次いで、ＣＰＵ５６は、変動パターン種別決定用乱数の値が８０〜８９となる場合には、ＥＸＴデータに「０１（Ｈ）」を設定した変動カテゴリ２コマンドを送信する。次いで、ＣＰＵ５６は、変動パターン種別決定用乱数の値が９０〜９９となる場合には、ＥＸＴデータに「０２（Ｈ）」を設定した変動カテゴリ３コマンドを送信する。次いで、ＣＰＵ５６は、変動パターン種別決定用乱数の値が１００〜１６９となる場合には、ＥＸＴデータに「０３（Ｈ）」を設定した変動カテゴリ４コマンドを送信する。次いで、ＣＰＵ５６は、変動パターン種別決定用乱数の値が１７０〜１９９となる場合には、ＥＸＴデータに「０４（Ｈ）」を設定した変動カテゴリ５コマンドを送信する。次いで、ＣＰＵ５６は、変動パターン種別決定用乱数の値が２００〜２１４となる場合には、ＥＸＴデータに「０５（Ｈ）」を設定した変動カテゴリ６コマンドを送信する。次いで、ＣＰＵ５６は、変動パターン種別決定用乱数の値が２１５〜２２９となる場合には、ＥＸＴデータに「０６（Ｈ）」を設定した変動カテゴリ７コマンドを送信する。次いで、ＣＰＵ５６は、変動パターン種別決定用乱数の値が２３０〜２５１となる場合には、ＥＸＴデータに「０７（Ｈ）」を設定した変動カテゴリ８コマンドを送信する。なお、この実施の形態では、遊技状態が通常状態である場合には、合算保留記憶数にかかわらず、判定値２３０〜２５１の範囲にはスーパーＣＡ２−７の変動パターン種別が共通に割当てられているのであるから、演出制御用ＣＰＵ１０１は、変動カテゴリ８コマンドを受信したことに基づいて、少なくとも変動パターン種別がスーパーＣＡ２−７となることを認識することができる。
【０２０４】
なお、上記のいずれの変動カテゴリに属するかを判定するために用いられる閾値７９、８９、９９、１６９、１９９、２１４および２２９は、具体的には、図１０（Ａ），（Ｂ）に示すはずれ用変動パターン種別判定テーブルにおける各変動パターン種別に割当てられた判定値の範囲の境界となり得る値をピックアップして導き出されたものである。このことは、以降の変動カテゴリ９〜１２，２１〜２９についても同様であり、図９（Ａ）〜（Ｄ）や図１０（Ｃ），（Ｄ）に示す変動パターン種別判定テーブルにおける各変動パターン種別に割当てられた判定値の範囲の境界となり得る値をピックアップしてカテゴリ判定のために用いられる閾値が導き出される。
【０２０５】
また、たとえば、始動入賞時に、遊技状態が高確率／高ベース状態且つはずれとなると判定した場合、後述する入賞時演出処理のＳ２３２において、ＣＰＵ５６は、まず、変動パターン種別決定用乱数の値が１〜２１９となるか否かを判定する。変動パターン種別決定用乱数の値が１〜２１９となる場合（すなわち、非リーチＣＡ２−３の変動パターン種別となる場合）には、ＣＰＵ５６は、ＥＸＴデータに「０８（Ｈ）」を設定した変動カテゴリ９コマンドを送信する。次いで、ＣＰＵ５６は、変動パターン種別決定用乱数の値が２２０〜２５１となる場合（すなわち、スーパーＣＡ２−７の変動パターン種別となる場合）には、ＥＸＴデータに「０９（Ｈ）」を設定した変動カテゴリ１０コマンドを送信する。
【０２０６】
また、たとえば、始動入賞時に、遊技状態が高確率／低ベース状態且つはずれとなると判定した場合、後述する入賞時演出処理のＳ２３２において、ＣＰＵ５６は、まず、変動パターン種別決定用乱数の値が１〜７９となるか否かを判定する。変動パターン種別決定用乱数の値が１〜７９となる場合（すなわち、非リーチＣＡ２−１の変動パターン種別となる場合）には、ＣＰＵ５６は、ＥＸＴデータに「０Ａ（Ｈ）」を設定した変動カテゴリ１１コマンドを送信する。次いで、ＣＰＵ５６は、変動パターン種別決定用乱数の値が８０〜２５１となる場合（すなわち、スーパーＣＡ２−７の変動パターン種別となる場合）には、ＥＸＴデータに「０Ｂ（Ｈ）」を設定した変動カテゴリ１２コマンドを送信する。
【０２０７】
また、たとえば、始動入賞時に、遊技状態が超時短状態（１５Ｒ確変大当り終了時の保留記憶に１５Ｒ確変大当りとなる保留記憶情報が含まれている状態）且つはずれとなると判定した場合、後述する入賞時演出処理のＳ２３２において、ＣＰＵ５６は、変動パターン種別決定用乱数の値によらず、ＥＸＴデータに「０Ｃ（Ｈ）」を設定した変動カテゴリ１３コマンドを送信する。
【０２０８】
なお、遊技状態が確変状態（高確率／高ベース状態や高確率／低ベース状態）である場合にも、判定値２３０〜２５１の範囲にスーパーＣＡ２−７の変動パターン種別を割当てるようにしてもよい。そのようにすれば、遊技状態にかかわらず、スーパーＣＡ２−７の変動パターン種別に対して共通の判定値が割当てられるようにすることができる。そのため、後述する入賞時演出の処理のＳ２３２の処理を実行する際に、はずれであれば、遊技状態にかかわらず共通の判定処理を行なえばよくなり、プログラム容量をより低減することができる。また、この場合、Ｓ２２６の遊技状態の判定処理も不要とすることができる。
【０２０９】
また、たとえば、始動入賞時に、「１５Ｒ通常大当り」となると判定した場合、後述する入賞時演出処理のＳ２３２において、ＣＰＵ５６は、まず、変動パターン種別決定用乱数の値が１〜７４となるか否かを判定する。変動パターン種別決定用乱数の値が１〜７４となる場合（すなわち、ノーマルＣＡ３−１の変動パターン種別となる場合）には、ＣＰＵ５６は、ＥＸＴデータに「１０（Ｈ）」を設定した変動カテゴリ２１コマンドを送信する。次いで、ＣＰＵ５６は、変動パターン種別決定用乱数の値が７５〜１４９となる場合（すなわち、ノーマルＣＡ３−２の変動パターン種別となる場合）には、ＥＸＴデータに「１１（Ｈ）」を設定した変動カテゴリ２２コマンドを送信する。次いで、ＣＰＵ５６は、変動パターン種別決定用乱数の値が１５０〜２５１となる場合（すなわち、スーパーＣＡ３−３の変動パターン種別となる場合）には、ＥＸＴデータに「１２（Ｈ）」を設定した変動カテゴリ２３コマンドを送信する。
【０２１０】
また、たとえば、始動入賞時に、「１５Ｒ確変大当りＡ〜Ｋ」のいずれかとなると判定した場合、後述する入賞時演出処理のＳ２３２において、ＣＰＵ５６は、まず、変動パターン種別決定用乱数の値が１〜３８となるか否かを判定する。変動パターン種別決定用乱数の値が１〜３８となる場合（すなわち、ノーマルＣＡ３−１の変動パターン種別となる場合）には、ＣＰＵ５６は、ＥＸＴデータに「１３（Ｈ）」を設定した変動カテゴリ２４コマンドを送信する。次いで、ＣＰＵ５６は、変動パターン種別決定用乱数の値が３９〜７９となる場合（すなわち、ノーマルＣＡ３−２の変動パターン種別となる場合）には、ＥＸＴデータに「１４（Ｈ）」を設定した変動カテゴリ２５コマンドを送信する。次いで、ＣＰＵ５６は、変動パターン種別決定用乱数の値が８０〜２５１となる場合（すなわち、スーパーＣＡ３−３の変動パターン種別となる場合）には、ＥＸＴデータに「１５（Ｈ）」を設定した変動カテゴリ２６コマンドを送信する。
【０２１１】
また、たとえば、始動入賞時に、２Ｒ確変大当りとなると判定した場合、後述する入賞時演出処理のＳ２３２において、ＣＰＵ５６は、まず、変動パターン種別決定用乱数の値が１〜１００となるか否かを判定する。変動パターン種別決定用乱数の値が１〜１００となる場合（すなわち、特殊ＣＡ４−１の変動パターン種別となる場合）には、ＣＰＵ５６は、ＥＸＴデータに「１６（Ｈ）」を設定した変動カテゴリ２７コマンドを送信する。次いで、ＣＰＵ５６は、変動パターン種別決定用乱数の値が１０１〜２５１場合（すなわち、特殊ＣＡ４−２の変動パターン種別となる場合）には、ＥＸＴデータに「１７（Ｈ）」を設定した変動カテゴリ２８コマンドを送信する。
【０２１２】
また、たとえば、始動入賞時に、遊技状態が超時短状態（１５Ｒ確変大当り終了時の保留記憶に１５Ｒ確変大当りとなる保留記憶情報が含まれている状態）且つ各大当り（１５Ｒ通常大当り、１５Ｒ確変大当りＡ〜Ｋ、２Ｒ確変大当り）となると判定した場合、後述する入賞時演出処理のＳ２３２において、ＣＰＵ５６は、変動パターン種別決定用乱数の値によらず、ＥＸＴデータに「１８（Ｈ）」を設定した変動カテゴリ１３コマンドを送信する。また、たとえば、始動入賞時に、小当りとなると判定した場合、ＣＰＵ５６は、ＥＸＴデータに「１９（Ｈ）」を設定した変動カテゴリ２９コマンドを送信する。
【０２１３】
なお、始動入賞時に入賞時判定を行なったときと実際に変動表示を開始するときとでは必ずしも合算保留記憶数が同じであるとは限らないのであるから、入賞時判定結果指定コマンドで示される変動パターン種別が実際に変動表示で用いられる変動パターン種別と一致しない場合も生じ得る。しかし、この実施の形態では、少なくとも非リーチＣＡ２−１、スーパーＣＡ２−７およびスーパーＣＡ３−３の変動パターン種別については、合算保留記憶数にかかわらず共通の判定値が割当てられているのであるから（図９、図１０参照）、入賞時判定結果と実際に実行される変動表示の変動パターン種別とで不整合が生じない。そのため、この実施の形態では、非リーチＣＡ２−１、スーパーＣＡ２−７またはスーパーＣＡ３−３の変動パターン種別になると入賞時判定された変動表示に対して後述する先読み予告演出が実行される。なお、非リーチＣＡ２−１、スーパーＣＡ２−７およびスーパーＣＡ３−３の変動パターン種別となると判定した場合にのみ、図１６および図１７に示す変動カテゴリコマンド（具体的には、変動カテゴリ１コマンド、変動カテゴリ８コマンド、変動カテゴリ２３コマンド、変動カテゴリ２６コマンドのみ）を送信し、それ以外の変動パターン種別の入賞時判定結果の場合には変動カテゴリコマンドを送信しないようにしてもよい。また、非リーチＣＡ２−１、スーパーＣＡ２−７およびスーパーＣＡ３−３以外となると入賞時判定された場合には、変動パターン種別を特定不能であることを示す変動カテゴリコマンドを送信するようにしてもよい。
【０２１４】
「先読み予告演出」とは、予告演出の対象となる変動表示が開始されるよりも前に実行される予告演出のことである。この実施の形態では、先読み予告演出として、予告対象となる変動表示に対する始動入賞（保留記憶）が発生した後に開始される変動表示から演出を開始し、その予告演出の対象となる始動入賞（保留記憶）に対応する変動表示が開始されるよりも前の複数回の変動表示に亘って連続して実行されるものが実行される。
【０２１５】
なお、先読み予告演出は、複数回の変動表示に亘って予告演出を実行する必要はなく、たとえば、その予告演出の対象となる変動表示が開始されるよりも前の１回のみの変動表示において予告演出を行なうものであってもよい。また、先読み予告演出は、たとえば、その予告演出の対象となる変動表示が開始されるよりも前の変動表示から予告演出を開始して、その予告演出の対象となる変動表示の直前の変動表示までで予告演出を終了するものであってもよいし、その予告演出の対象となる変動表示にも亘って予告演出を行なうものであってもよい。また、複数回の変動表示に亘って必ずしも連続して実行する必要はなく、たとえば、１回おきまたは２回おきに間欠的に複数回の変動表示において予告演出を実行してもよい。
【０２１６】
なお、先読み予告演出としては、予告対象となる変動表示に対する始動入賞が発生したタイミングで直ちに実行されるものとして、「保留記憶表示」の表示態様が特定の表示態様となることにより先読み予告を行なう演出が含まれてもよい。また、先読み予告演出としては、予告対象となる変動表示に対する始動入賞が発生したタイミングで直ちに実行されるものの他に、予告対象となる変動表示に対する始動入賞が発生した後に開始される変動表示から演出を開始するものが含まれてもよい。
【０２１７】
この実施の形態では、遊技状態にかかわらず（たとえば、高確率状態または高ベース状態であるか否か、および、大当り遊技中であるか否かにかかわらず）、始動入賞が発生するごとに入賞時判定の処理が実行され、必ず図１５に示す図柄指定コマンドが送信されるとともに図１６および図１７に示す変動カテゴリコマンドが送信される。そして、演出制御用ＣＰＵ１０１は、受信した図柄指定コマンドや変動カテゴリコマンドに基づいて、予告対象の変動表示が開始される以前に、先読み予告が実行される。
【０２１８】
演出制御基板８０に搭載されている演出制御用マイクロコンピュータ１００における演出制御用ＣＰＵ１０１は、主基板３１に搭載されている遊技制御用マイクロコンピュータ５６０から演出制御コマンドを受信すると、図１３に示された内容に応じて演出表示装置９の表示状態を変更したり、ランプの表示状態を変更したり、音声出力基板７０に対して音番号データを出力したりする。
【０２１９】
たとえば、遊技制御用マイクロコンピュータ５６０は、始動入賞があり第１特別図柄表示器８ａまたは第２特別図柄表示器８ｂにおいて特別図柄の変動表示が開始される度に、演出図柄の変動パターンを指定する変動パターンコマンドおよび表示結果指定コマンドを演出制御用マイクロコンピュータ１００に送信する。
【０２２０】
この実施の形態では、演出制御コマンドは２バイト構成であり、１バイト目はＭＯＤＥ（コマンドの分類）を表し、２バイト目はＥＸＴ（コマンドの種類）を表す。ＭＯＤＥデータの先頭ビット（ビット７）は必ず「１」に設定され、ＥＸＴデータの先頭ビット（ビット７）は必ず「０」に設定される。なお、そのようなコマンド形態は一例であって他のコマンド形態を用いてもよい。たとえば、１バイトや３バイト以上で構成される制御コマンドを用いてもよい。
【０２２１】
なお、演出制御コマンドの送出方式として、演出制御信号ＣＤ０〜ＣＤ７の８本のパラレル信号線で１バイトずつ主基板３１から演出制御基板８０に演出制御コマンドデータを出力し、演出制御コマンドデータの他に、演出制御コマンドデータの取込を指示するパルス状（矩形波状）の取込信号（演出制御ＩＮＴ信号）を出力する方式を用いる。演出制御コマンドの８ビットの演出制御コマンドデータは、演出制御ＩＮＴ信号に同期して出力される。演出制御基板８０に搭載されている演出制御用マイクロコンピュータ１００は、演出制御ＩＮＴ信号が立ち上がったことを検知して、割込処理によって１バイトのデータの取込み処理を開始する。
【０２２２】
図１３に示す例では、変動パターンコマンドおよび表示結果指定コマンドを、第１特別図柄表示器８ａでの第１特別図柄の変動に対応した演出図柄の変動表示と、第２特別図柄表示装置８ｂでの第２特別図柄の変動表示に対応した演出図柄の変動表示とで共通に使用でき、第１特別図柄および第２特別図柄の変動表示に伴って演出を行なう演出表示装置９等の演出用部品を制御する際に、遊技制御用マイクロコンピュータ５６０から演出制御用マイクロコンピュータ１００に送信されるコマンドの種類を増大させないようにすることができる。
【０２２３】
図１８は、遊技制御用マイクロコンピュータ５６０における保留記憶バッファの構成例を示す説明図である。
【０２２４】
図１８（Ａ）は、保留記憶特定情報記憶領域（保留特定領域）の構成例を示す説明図である。保留特定領域は、ＲＡＭ５５に形成されている。「ＲＡＭ５５に形成されている」とは、ＲＡＭ５５内の領域であることを意味する。図１８（Ａ）に示すように、保留特定領域には、合算保留記憶数を計数する合計保留記憶数カウンタの値の最大値（この例では８）に対応した領域が確保されている。図１８（Ａ）には、合計保留記憶数カウンタの値が５である場合の例が示されている。図１８（Ａ）に示すように、保留特定領域には、第１始動入賞口１３または第２始動入賞口１４への入賞に基づいて入賞順に「第１」または「第２」であることを示すデータがセットされる。したがって、保留特定領域には、第１始動入賞口１３および第２始動入賞口１４への入賞順が記憶される。
【０２２５】
図１８（Ｂ）は、保留記憶に対応する乱数等を保存する保存領域（保留記憶バッファ）の構成例を示す説明図である。図１８（Ｂ）に示すように、第１保留記憶バッファには、第１保留記憶数の上限値（この例では４）に対応した保存領域が確保されている。また、第２保留記憶バッファには、第２保留記憶数の上限値（この例では４）に対応した保存領域が確保されている。第１保留記憶バッファおよび第２保留記憶バッファは、ＲＡＭ５５に形成されている。第１保留記憶バッファおよび第２保留記憶バッファには、ハードウェア乱数である大当り判定用乱数（ＭＲ１）、および、ソフトウェア乱数である大当り種別決定用乱数（ＭＲ２）、変動パターン種別決定用乱数（ＭＲ３）、および、変動パターン決定用乱数（ＭＲ４）が記憶される。
【０２２６】
第１始動入賞口１３または第２始動入賞口１４への入賞に基づいて、ＣＰＵ５６は、乱数回路５０３およびソフトウェア乱数を生成するためのランダムカウンタからこのような乱数値を抽出し、それらを、第１保留記憶バッファまたは第２保留記憶バッファにおける保存領域に保存（格納）する処理を実行する。具体的に、第１始動入賞口１３への入賞に基づいて、これら乱数値が抽出されて第１保留記憶バッファに保存され、第２始動入賞口１４への入賞に基づいて、これら乱数値が抽出されて第２保留記憶バッファに保存される。
【０２２７】
このように第１保留記憶バッファまたは第２保留記憶バッファに前述のような始動入賞に関する情報が記憶されることを「保留記憶される」と示す場合がある。なお、変動パターン決定用乱数（ＭＲ４）を始動入賞判定処理（始動入賞時）において抽出して保存領域に予め格納しておくのではなく、特別図柄の変動開始時に抽出するようにしてもよい。たとえば、遊技制御用マイクロコンピュータ５６０は、後述する変動パターン設定処理において、変動パターン決定用乱数（ＭＲ４）を生成するための変動パターン決定用乱数カウンタから値を直接抽出するようにしてもよい。
【０２２８】
このように保留特定領域および保存領域に記憶されたデータは、後述するように、始動入賞時に読出されて先読み予告演出のために用いられるとともに、変動表示開始時に読出されて変動表示のために用いられる。
【０２２９】
図２に示す演出制御基板８０に搭載されたＲＯＭには、演出制御用のプログラムの他にも、演出動作を制御するために用いられる各種のデータテーブルなどが格納されている。たとえば、演出制御基板８０に搭載されたＲＯＭには、演出制御用ＣＰＵ１０１が各種の判定や決定、設定を行なうために用意された複数の判定テーブルや決定テーブルを構成するテーブルデータ、各種の演出制御パターンを構成するパターンデータなどが記憶されている。
【０２３０】
一例として、演出制御基板８０に搭載されたＲＯＭには、演出制御用ＣＰＵ１０１が各種の演出装置（たとえば演出制御装置９、スピーカ２７、各種ＬＥＤ２５，２８、可動部材７８等）による演出動作を制御するために使用する演出制御パターンを複数種類格納した演出制御パターンテーブルが記憶されている。演出制御パターンは、パチンコ遊技機１における遊技の進行状況に応じて実行される各種の演出動作に対応して、その制御内容を示すデータなどから構成されている。演出制御パターンテーブルには、たとえば特図変動時演出制御パターンと、予告演出制御パターンと、各種演出制御パターンとを含む複数種類の演出制御パターンが格納されている。
【０２３１】
この実施の形態において、特図変動時演出制御パターンは、複数種類の変動パターンに対応して、変動表示において特別図柄の変動が開始されてから特図表示結果となる確定特別図柄が導出表示されるまでの期間における、演出図柄の変動表示動作やリーチ演出、再抽選演出等における演出表示動作、あるいは、演出図柄の変動表示を伴わない各種の演出表示動作といった、様々な演出動作の制御内容を示すデータ等から構成されている。予告演出制御パターンは、予め複数パターンが用意された予告パターンに対応して実行される予告演出となる演出動作の制御内容を示すデータ等から構成されている。各種演出制御パターンは、パチンコ遊技機１における遊技の進行状況に応じて実行される各種の演出動作に対応して、その制御内容を示すデータ等から構成されている。
【０２３２】
特図変動時演出制御パターンのうちには、たとえばリーチ演出を実行する変動パターンごとに、それぞれのリーチ演出における演出態様を異ならせた複数種類のリーチ演出制御パターンが含まれてもよい。
【０２３３】
図１９（Ａ）は、演出制御パターンの構成例を示す説明図である。
特図変動時演出制御パターンおよび各種演出制御パターンというような、それぞれの演出制御パターンは、たとえば演出制御プロセスタイマ判定値、表示制御データ、音声制御データ、ランプ制御データ、操作検出制御データ、終了コードというような、各種の演出動作を制御するための制御データから構成され、時系列的に、各種の演出制御の内容や、演出制御の切換タイミング等が設定されていればよい。その他にも、演出制御パターンには、たとえば遊技領域７の内部または外部に設けられた可動部材における動作制御の内容等を指定する可動部材制御データ等が、含まれていてもよい。演出制御プロセスタイマ判定値は、演出制御用ＣＰＵ１０１に内蔵された演出制御用ＲＡＭの所定領域に設けられた演出制御プロセスタイマの値（演出制御プロセスタイマ値）と比較される値（判定値）であって、各演出動作の実行時間（演出時間）に対応した判定値が予め設定されている。なお、演出制御プロセスタイマ判定値に代えて、たとえば主基板３１から所定の演出制御コマンドを受信したこと、および、演出制御用ＣＰＵ１０１において演出動作を制御するための処理として所定の処理が実行されたことというような、所定の制御内容や処理内容に対応して、演出制御の切換タイミング等を示すデータが設定されていてもよい。
【０２３４】
表示制御データには、たとえば特別図柄の変動表示中における演出図柄の変動態様を示すデータというような、演出表示装置９の表示領域における演出画像の表示態様を示すデータが含まれている。すなわち、表示制御データは、演出表示装置９の表示領域における演出画像の表示動作を指定するデータである。音声制御データには、たとえば特別図柄の変動表示中における演出図柄の変動表示動作に連動した効果音等の出力態様を示すデータというような、スピーカ２７からの音声出力態様を示すデータが含まれている。すなわち、音声制御データは、スピーカ２７からの音声出力動作を指定するデータである。ランプ制御データには、たとえば遊技効果ランプ９や装飾用ＬＥＤというような、発光体の点灯動作態様を示すデータが含まれている。すなわち、ランプ制御データは、発光体の点灯動作を指定するデータである。操作検出制御データには、たとえば操作ボタン３０というような操作部に対する操作を有効に検出する期間や、有効に検出した場合における演出動作の制御内容等を示すデータが含まれている。すなわち、操作検出制御データは、操作部に対する操作に応じた演出動作を指定するデータである。なお、これらの制御データは、すべての演出制御パターンに含まれなければならないものではなく、各演出制御パターンによる演出動作の内容に応じて、一部の制御データを含んで構成される演出制御パターンがあってもよい。
【０２３５】
図１９（Ｂ）は、演出制御パターンの内容にしたがって実行される各種の演出動作を説明するための図である。演出制御用ＣＰＵ１０１は、演出制御パターンに含まれる各種の制御データにしたがって、演出動作の制御内容を決定する。たとえば、演出制御プロセスタイマ値が演出制御プロセスタイマ判定値のいずれかと合致したときには、その演出制御プロセスタイマ判定値と対応付けられた表示制御データにより指定される態様で演出図柄を表示させるとともに、キャラクタ画像や背景画像というような演出画像を演出表示装置９の画面上に表示させる制御を行なう。また、音声制御データにより指定される態様でスピーカ２７から音声を出力させる制御を行なうとともに、ランプ制御データにより指定される態様で装飾用ＬＥＤ等の発光体を点滅させる制御を行ない、操作検出制御データにより指定される操作有効期間において操作ボタン１２０に対する操作を受付けて演出内容を決定する制御を行なう。なお、演出制御プロセスタイマ判定値と対応していても制御対象にならない演出用部品に対応するデータには、ダミーデータ（制御を指定しないデータ）が設定されてもよい。
【０２３６】
図１９（Ｂ）に示す演出動作は、演出図柄の変動が開始されてから最終停止するまでの期間全体に対応しているが、これに限定されるものではなく、演出図柄の変動表示中における一部の期間（たとえば予告演出を実行する期間等）に対応して演出動作を実行するための演出制御パターンが設けられてもよい。あるいは、演出図柄の変動表示中以外の所定期間（たとえば大当り遊技状態においてラウンドを実行中の期間や、大当り遊技状態の終了時にエンディング演出を実行する期間等）に対応して演出動作を実行するための演出制御パターンが設けられてもよい。
【０２３７】
演出制御用ＣＰＵ１０１は、たとえば演出図柄の変動表示を開始するとき等に、変動パターン指定コマンドに示された変動パターン等に基づいて演出制御パターン（特図変動時演出制御パターン）をセットする。また、演出制御用ＣＰＵ１０１は、たとえば予告演出というような所定演出の実行を開始するとき等に、対応する演出制御パターン（予告演出制御パターン）をセットする。ここで、演出制御パターンをセットする際には、該当する演出制御パターンを構成するパターンデータを、ＲＯＭから読出してＲＡＭの所定領域に一時記憶させてもよいし、該当する演出制御パターンを構成するパターンデータのＲＯＭにおける記憶アドレスを、ＲＡＭの所定領域に一時記憶させて、ＲＯＭにおける記憶データの読出位置を指定するだけでもよい。その後、演出制御プロセスタイマ値が更新されるごとに、演出制御プロセスタイマ判定値のいずれかと合致したか否かの判定を行ない、合致した場合には、対応する各種の制御データに応じた演出動作の制御を行なう。このように、演出制御用ＣＰＵ１０１は、演出制御パターンに含まれるプロセスデータ＃１〜プロセスデータ＃ｎ（ｎは任意の整数）の内容にしたがって、演出装置（演出表示装置９、スピーカ２７、各種ＬＥＤ等の発光体、可動部材７８のような可動部材等）の制御を進行させる。なお、各プロセスデータ＃１〜プロセスデータ＃ｎにおいて、演出制御プロセスタイマ判定値＃１〜＃ｎと対応付けられた表示制御データ＃１〜表示制御データ＃ｎ、音声制御データ＃１〜音声制御データ＃ｎ、ランプ制御データ＃１〜ランプ制御データ＃ｎ、操作検出制御データ＃１〜操作検出制御データ＃ｎは、演出装置における演出動作の制御内容を示し、演出制御の実行を指定する演出制御実行データ＃１〜演出制御実行データ＃ｎを構成する。
【０２３８】
こうしてセットした演出制御パターンに従った指令が、演出制御用ＣＰＵ１０１からＶＤＰ１０９、音声出力基板７０、および、ランプドライバ基板３５等に対して出力される。演出制御用ＣＰＵ１０１からの指令を受けたＶＤＰ１０９は、その指令に示される画像データをＣＧＲＯＭ等の画像データメモリから読出してＶＲＡＭに一時記憶させること等により展開させる。また、演出制御用ＣＰＵ１０１からの指令を受けた音声出力基板７０では、たとえば音声合成用ＩＣ７０３がその指令に示される音声データを音声データＲＯＭ７０４から読出して音声ＲＡＭ等に一時記憶させること等により展開させる。
【０２３９】
次に、遊技機の動作について説明する。図２０は、主基板３１における遊技制御用マイクロコンピュータ５６０が実行するメイン処理を示すフローチャートである。遊技機に対して電源が投入され電力供給が開始されると、リセット信号が入力されるリセット端子の入力レベルがハイレベルになり、遊技制御用マイクロコンピュータ５６０（具体的には、ＣＰＵ５６）は、プログラムの内容が正当か否か確認するための処理であるセキュリティチェック処理を実行した後、ステップＳ（以下単にＳという）１以降のメイン処理を開始する。メイン処理において、ＣＰＵ５６は、まず、必要な初期設定を行なう。
【０２４０】
初期設定処理において、ＣＰＵ５６は、まず、割込禁止に設定する（Ｓ１）。次に、割込モードを割込モード２に設定し（Ｓ２）、スタックポインタにスタックポインタ指定アドレスを設定する（Ｓ３）。そして、内蔵デバイスの初期化（内蔵デバイス（内蔵周辺回路）であるＣＴＣ（カウンタ／タイマ）およびＰＩＯ（パラレル入出力ポート）の初期化等）を行なった後（Ｓ４）、ＲＡＭをアクセス可能状態に設定する（Ｓ５）。なお、割込モード２は、ＣＰＵ５６が内蔵する特定レジスタ（Ｉレジスタ）の値（１バイト）と内蔵デバイスが出力する割込ベクタ（１バイト：最下位ビット０）とから合成されるアドレスが、割込番地を示すモードである。
【０２４１】
次いで、ＣＰＵ５６は、入力ポートを介して入力されるクリアスイッチ（たとえば、電源基板に搭載されている。）の出力信号（クリア信号）の状態を確認する（Ｓ６）。その確認においてオンを検出した場合には、ＣＰＵ５６は、通常の初期化処理（Ｓ１０〜Ｓ１５）を実行する。
【０２４２】
クリアスイッチがオンの状態でない場合には、遊技機への電力供給が停止したときにバックアップＲＡＭ領域のデータ保護処理（たとえばパリティデータの付加等の電力供給停止時処理）が行なわれたか否か確認する（Ｓ７）。そのような保護処理が行なわれていないことを確認したら、ＣＰＵ５６は初期化処理を実行する。バックアップＲＡＭ領域にバックアップデータがあるか否かは、たとえば、電力供給停止時処理においてバックアップＲＡＭ領域に設定されるバックアップフラグの状態によって確認される。
【０２４３】
電力供給停止時処理が行なわれたことを確認したら、ＣＰＵ５６は、バックアップＲＡＭ領域のデータチェックを行なう（Ｓ８）。この実施の形態では、データチェックとしてパリティチェックを行なう。よって、Ｓ８では、算出したチェックサムと、電力供給停止時処理で同一の処理によって算出され保存されているチェックサムとを比較する。不測の停電等の電力供給停止が生じた後に復旧した場合には、バックアップＲＡＭ領域のデータは保存されているはずであるから、チェック結果（比較結果）は正常（一致）になる。チェック結果が正常でないということは、バックアップＲＡＭ領域のデータが、電力供給停止時のデータとは異なっていることを意味する。そのような場合には、内部状態を電力供給停止時の状態に戻すことができないので、電力供給の停止からの復旧時でない電源投入時に実行される初期化処理を実行する。
【０２４４】
チェック結果が正常であれば、ＣＰＵ５６は、遊技制御手段の内部状態と演出制御手段等の電気部品制御手段の制御状態を電力供給停止時の状態に戻すための遊技状態復旧処理（Ｓ４１〜Ｓ４３の処理）を行なう。具体的には、ＲＯＭ５４に格納されているバックアップ時設定テーブルの先頭アドレスをポインタに設定し（Ｓ４１）、バックアップ時設定テーブルの内容を順次作業領域（ＲＡＭ５５内の領域）に設定する（Ｓ４２）。作業領域はバックアップ電源によって電源バックアップされている。バックアップ時設定テーブルには、作業領域のうち初期化してもよい領域についての初期化データが設定されている。Ｓ４１およびＳ４２の処理によって、作業領域のうち初期化してはならない部分については、保存されていた内容がそのまま残る。初期化してはならない部分とは、たとえば、電力供給停止前の遊技状態を示すデータ（特別図柄プロセスフラグ、高確率フラグ、時短フラグ等）、出力ポートの出力状態が保存されている領域（出力ポートバッファ）、未払出賞球数を示すデータが設定されている部分等である。
【０２４５】
また、ＣＰＵ５６は、電力供給復旧時の初期化コマンドとしての停電復旧指定コマンドを送信する（Ｓ４３）。また、ＣＰＵ５６は、バックアップＲＡＭに保存されている表示結果（１５Ｒ確変大当り、１０Ｒ確変大当り、２Ｒ確変大当り、突然確変大当り、小当り、またははずれ）を指定した表示結果指定コマンドを演出制御基板８０に対して送信する（Ｓ４４）。そして、Ｓ１４に移行する。なお、Ｓ４４において、ＣＰＵ５６は、たとえば、後述する特別図柄ポインタの値もバックアップＲＡＭに保存している場合には、第１図柄変動指定コマンドや第２図柄変動指定コマンド（図１３参照）も送信するようにしてもよい。
【０２４６】
なお、この実施の形態では、バックアップＲＡＭ領域には、後述する変動時間タイマの値も保存される。したがって、停電復旧した場合には、Ｓ４４で表示結果指定コマンドが送信された後、保存していた変動時間タイマの値の計測を再開して特別図柄の変動表示が再開されるとともに、保存していた変動時間タイマの値がタイムアウトしたときに、さらに後述する図柄確定指定コマンドが送信される。また、この実施の形態では、バックアップＲＡＭ領域には、後述する特別図柄プロセスフラグの値も保存される。したがって、停電復旧した場合には、保存されている特別図柄プロセスフラグの値に応じたプロセスから特別図柄プロセス処理が再開される。
【０２４７】
なお、停電復旧時に必ず表示結果指定コマンドを送信するのではなく、ＣＰＵ５６は、まず、バックアップＲＡＭ領域に保存している変動時間タイマの値が０であるか否かを確認するようにしてもよい。そして、変動時間タイマの値が０でなければ、変動中に停電した場合であると判断して、表示結果指定コマンドを送信するようにし、変動時間タイマが０であれば、停電時に変動中の状態ではなかったと判断して、表示結果指定コマンドを送信しないようにしてもよい。
【０２４８】
また、ＣＰＵ５６は、まず、バックアップＲＡＭ領域に保存している特別図柄プロセスフラグの値が３であるか否かを確認するようにしてもよい。そして、特別図柄プロセスフラグの値が３であれば、変動中に停電した場合であると判断して、表示結果指定コマンドを送信するようにし、特別図柄プロセスフラグが３でなければ、停電時に変動中ではなかったと判断して、表示結果指定コマンドを送信しないようにしてもよい。
【０２４９】
なお、この実施の形態では、バックアップフラグとチェックデータとの双方を用いてバックアップＲＡＭ領域のデータが保存されているか否か確認しているが、いずれか一方のみを用いてもよい。すなわち、バックアップフラグとチェックデータとのいずれかを、遊技状態復旧処理を実行するための契機としてもよい。
【０２５０】
初期化処理では、ＣＰＵ５６は、まず、ＲＡＭクリア処理を行なう（Ｓ１０）。なお、ＲＡＭクリア処理によって、所定のデータ（たとえば、普通図柄当り判定用乱数を生成するためのカウンタのカウント値のデータ）は０に初期化されるが、任意の値または予め決められている値に初期化するようにしてもよい。また、ＲＡＭ５５の全領域を初期化せず、所定のデータ（たとえば、普通図柄当り判定用乱数を生成するためのカウンタのカウント値のデータ）をそのままにしてもよい。また、ＲＯＭ５４に格納されている初期化時設定テーブルの先頭アドレスをポインタに設定し（Ｓ１１）、初期化時設定テーブルの内容を順次作業領域に設定する（Ｓ１２）。
【０２５１】
Ｓ１１およびＳ１２の処理によって、たとえば、普通図柄当り判定用乱数カウンタ、特別図柄バッファ、総賞球数格納バッファ、特別図柄プロセスフラグ等制御状態に応じて選択的に処理を行なうためのフラグに初期値が設定される。
【０２５２】
また、ＣＰＵ５６は、サブ基板（主基板３１以外のマイクロコンピュータが搭載された基板。）を初期化するための初期化指定コマンド（遊技制御用マイクロコンピュータ５６０が初期化処理を実行したことを示すコマンドでもある。）をサブ基板に送信する（Ｓ１３）。たとえば、演出制御用マイクロコンピュータ１００は、初期化指定コマンドを受信すると、演出表示装置９において、遊技機の制御の初期化がなされたことを報知するための画面表示、すなわち初期化報知を行なう。
【０２５３】
また、ＣＰＵ５６は、乱数回路５０３を初期設定する乱数回路設定処理を実行する（Ｓ１４）。ＣＰＵ５６は、たとえば、乱数回路設定プログラムにしたがって処理を実行することによって、乱数回路５０３に大当り判定用のランダムＭＲ１の値を更新させるための設定を行なう。
【０２５４】
そして、Ｓ１５において、ＣＰＵ５６は、所定時間（たとえば４ｍｓ）毎に定期的にタイマ割込がかかるように遊技制御用マイクロコンピュータ５６０に内蔵されているＣＴＣのレジスタの設定を行なう。すなわち、初期値としてたとえば４ｍｓに相当する値が所定のレジスタ（時間定数レジスタ）に設定される。この実施の形態では、４ｍｓ毎に定期的にタイマ割込がかかるとする。
【０２５５】
初期化処理の実行（Ｓ１０〜Ｓ１５）が完了すると、ＣＰＵ５６は、メイン処理で、表示用乱数更新処理（Ｓ１７）および初期値用乱数更新処理（Ｓ１８）を繰り返し実行する。表示用乱数更新処理および初期値用乱数更新処理を実行するときには割込禁止状態に設定し（Ｓ１６）、表示用乱数更新処理および初期値用乱数更新処理の実行が終了すると割込許可状態に設定する（Ｓ１９）。この実施の形態では、表示用乱数とは、たとえば、変動パターンの種別決定、および、変動パターン決定をするための乱数であり、表示用乱数更新処理とは、表示用乱数を発生するためのカウンタのカウント値を更新する処理である。また、初期値用乱数更新処理とは、初期値用乱数を発生するためのカウンタのカウント値を更新する処理である。この実施の形態では、初期値用乱数とは、普通図柄に関して当りとするか否か決定するための乱数を発生するためのカウンタ（普通図柄当り判定用乱数発生カウンタ）のカウント値の初期値を決定するための乱数である。後述する遊技の進行を制御する遊技制御処理（遊技制御用マイクロコンピュータ５６０が、遊技機に設けられている演出表示装置、可変入賞球装置、球払出装置等の遊技用の装置を、自身で制御する処理、または他のマイクロコンピュータに制御させるために指令信号を送信する処理、遊技装置制御処理ともいう）において、普通図柄当り判定用乱数のカウント値が１周（普通図柄当り判定用乱数の取りうる値の最小値から最大値までの間の数値の個数分歩進したこと）すると、そのカウンタに初期値が設定される。
【０２５６】
なお、この実施の形態では、リーチ演出は、演出表示装置９において変動表示される演出図柄を用いて実行される。また、特別図柄の表示結果を大当り図柄にする場合には、リーチ演出は常に実行される（ただし、突然確変大当りの場合には、リーチとはならずに突然確変大当り図柄（たとえば「１３５」）が停止表示される場合もある）。特別図柄の表示結果を大当り図柄にしない場合には、遊技制御用マイクロコンピュータ５６０は、乱数を用いた変動パターン種別や変動パターンを決定する抽選を行なうことによって、リーチ演出を実行するか否か決定する。ただし、実際にリーチ演出の制御を実行するのは、演出制御用マイクロコンピュータ１００である。
【０２５７】
図２１は、タイマ割込処理を示すフローチャートである。タイマ割込が発生すると、ＣＰＵ５６は、図２１に示すＳ２０〜Ｓ３４のタイマ割込処理を実行する。タイマ割込処理において、まず、電源断信号が出力されたか否か（オン状態になったか否か）を検出する電源断検出処理を実行する（Ｓ２０）。電源断信号は、たとえば電源基板に搭載されている電源監視回路が、遊技機に供給される電源の電圧の低下を検出した場合に出力する。そして、電源断検出処理において、ＣＰＵ５６は、電源断信号が出力されたことを検出したら、必要なデータをバックアップＲＡＭ領域に保存するための電力供給停止時処理を実行する。次いで、入力ドライバ回路５８を介して、ゲートスイッチ３２ａ、第１始動口スイッチ１３ａ、第２始動口スイッチ１４ａおよびカウントスイッチ２３の検出信号を入力し、それらの状態判定を行なう（スイッチ処理：Ｓ２１）。
【０２５８】
次に、ＣＰＵ５６は、第１特別図柄表示器８ａ、第２特別図柄表示器８ｂ、普通図柄表示器１０、第１特別図柄保留記憶表示器１８ａ、第２特別図柄保留記憶表示器１８ｂ、普通図柄保留記憶表示器４１の表示制御を行なう表示制御処理を実行する（Ｓ２２）。第１特別図柄表示器８ａ、第２特別図柄表示器８ｂおよび普通図柄表示器１０については、Ｓ３２，Ｓ３３で設定される出力バッファの内容に応じて各表示器に対して駆動信号を出力する制御を実行する。
【０２５９】
また、遊技制御に用いられる普通図柄当り判定用乱数および大当り種別判定用乱数等の各判定用乱数を生成するための各カウンタのカウント値を更新する処理を行なう（判定用乱数更新処理：Ｓ２３）。ＣＰＵ５６は、さらに、初期値用乱数および表示用乱数を生成するためのカウンタのカウント値を更新する処理を行なう（初期値用乱数更新処理，表示用乱数更新処理：Ｓ２４，Ｓ２５）。
【０２６０】
さらに、ＣＰＵ５６は、特別図柄プロセス処理を行なう（Ｓ２６）。特別図柄プロセス処理では、第１特別図柄表示器８ａ、第２特別図柄表示器８ｂおよび大入賞口を所定の順序で制御するための特別図柄プロセスフラグにしたがって該当する処理を実行する。ＣＰＵ５６は、特別図柄プロセスフラグの値を、遊技状態に応じて更新する。
【０２６１】
次いで、普通図柄プロセス処理を行なう（Ｓ２７）。普通図柄プロセス処理では、ＣＰＵ５６は、普通図柄表示器１０の表示状態を所定の順序で制御するための普通図柄プロセスフラグにしたがって該当する処理を実行する。ＣＰＵ５６は、普通図柄プロセスフラグの値を、遊技状態に応じて更新する。
【０２６２】
また、ＣＰＵ５６は、演出制御用マイクロコンピュータ１００に演出制御コマンドを送出する処理を行なう（演出制御コマンド制御処理：Ｓ２８）。
【０２６３】
さらに、ＣＰＵ５６は、たとえばホール管理用コンピュータに供給される大当り情報、始動情報、確率変動情報等のデータを出力する情報出力処理を行なう（Ｓ２９）。
【０２６４】
また、ＣＰＵ５６は、第１始動口スイッチ１３ａ、第２始動口スイッチ１４ａおよびカウントスイッチ２３の検出信号に基づく賞球個数の設定等を行なう賞球処理を実行する（Ｓ３０）。具体的には、第１始動口スイッチ１３ａ、第２始動口スイッチ１４ａおよびカウントスイッチ２３のいずれかがオンしたことに基づく入賞検出に応じて、払出制御基板３７に搭載されている払出制御用マイクロコンピュータに賞球個数を示す払出制御コマンド（賞球個数信号）を出力する。払出制御用マイクロコンピュータは、賞球個数を示す払出制御コマンドに応じて球払出装置９７を駆動する。
【０２６５】
この実施の形態では、出力ポートの出力状態に対応したＲＡＭ領域（出力ポートバッファ）が設けられているのであるが、ＣＰＵ５６は、出力ポートの出力状態に対応したＲＡＭ領域におけるソレノイドのオン／オフに関する内容を出力ポートに出力する（Ｓ３１：出力処理）。
【０２６６】
また、ＣＰＵ５６は、特別図柄プロセスフラグの値に応じて特別図柄の演出表示を行なうための特別図柄表示制御データを特別図柄表示制御データ設定用の出力バッファに設定する特別図柄表示制御処理を行なう（Ｓ３２）。
【０２６７】
さらに、ＣＰＵ５６は、普通図柄プロセスフラグの値に応じて普通図柄の演出表示を行なうための普通図柄表示制御データを普通図柄表示制御データ設定用の出力バッファに設定する普通図柄表示制御処理を行なう（Ｓ３３）。ＣＰＵ５６は、たとえば、普通図柄の変動に関する開始フラグがセットされると終了フラグがセットされるまで、普通図柄の変動速度が０．２秒ごとに表示状態（「○」および「×」）を切替えるような速度であれば、０．２秒が経過する毎に、出力バッファに設定される表示制御データの値（たとえば、「○」を示す１と「×」を示す０）を切替える。また、ＣＰＵ５６は、出力バッファに設定された表示制御データに応じて、Ｓ２２において駆動信号を出力することによって、普通図柄表示器１０における普通図柄の演出表示を実行する。
【０２６８】
その後、割込許可状態に設定し（Ｓ３４）、処理を終了する。
以上の制御によって、この実施の形態では、遊技制御処理は４ｍｓ毎に起動されることになる。なお、遊技制御処理は、タイマ割込処理におけるＳ２１〜Ｓ３３（Ｓ２９を除く。）の処理に相当する。また、この実施の形態では、タイマ割込処理で遊技制御処理が実行されているが、タイマ割込処理ではたとえば割込が発生したことを示すフラグのセットのみがなされ、遊技制御処理はメイン処理において実行されるようにしてもよい。
【０２６９】
図２２は、主基板３１に搭載される遊技制御用マイクロコンピュータ５６０（具体的には、ＣＰＵ５６）が実行する特別図柄プロセス処理（Ｓ２６）のプログラムの一例を示すフローチャートである。
【０２７０】
前述したように、特別図柄プロセス処理では第１特別図柄表示器８ａまたは第２特別図柄表示器８ｂおよび大入賞口を制御するための処理が実行される。特別図柄プロセス処理において、ＣＰＵ５６は、始動入賞判定処理を実行する（Ｓ３１１）。始動入賞判定処理においては、第１始動入賞口１３または第２始動入賞口１４への始動入賞が発生したときに、図２３に示すような始動入賞時の各種判定処理が行なわれる。そして、パチンコ遊技機１の内部制御状態を示す特別図柄プロセスフラグに応じて、Ｓ３００〜Ｓ３１０のうちいずれかの処理が行なわれる。
【０２７１】
Ｓ３００〜Ｓ３１０の処理は、以下のような処理である。
特別図柄通常処理（Ｓ３００）：特別図柄プロセスフラグの値が０であるときに実行される。遊技制御用マイクロコンピュータ５６０は、特別図柄の変動表示が開始できる状態になると、保留記憶バッファに記憶される数値データの記憶数（合算保留記憶数）を確認する。保留記憶バッファに記憶される数値データの記憶数は合算保留記憶数カウンタのカウント値により確認できる。また、合算保留記憶数カウンタのカウント値が０でなければ、第１特別図柄または第２特別図柄の変動表示の表示結果を大当りとするか否かを決定する。大当りとする場合には大当りフラグをセットする。そして、内部状態（特別図柄プロセスフラグ）をＳ３０１に応じた値（この例では１）に更新する。なお、大当りフラグは、大当り遊技が終了するときにリセットされる。
【０２７２】
変動パターン設定処理（Ｓ３０１）：特別図柄プロセスフラグの値が１であるときに実行される。また、変動パターンを決定し、その変動パターンにおける変動時間（変動表示時間：変動表示を開始してから表示結果を導出表示（停止表示）するまでの時間）を特別図柄の変動表示の変動時間とすることに決定する。また、決定した変動パターンに応じた変動パターンコマンドを演出制御用マイクロコンピュータ１００に送信する制御を行ない、特別図柄の変動時間を計測する変動時間タイマをスタートさせる。そして、内部状態（特別図柄プロセスフラグ）をＳ３０２に対応した値（この例では２）に更新する。
【０２７３】
表示結果指定コマンド送信処理（Ｓ３０２）：特別図柄プロセスフラグの値が２であるときに実行される。演出制御用マイクロコンピュータ１００に、表示結果指定コマンドを送信する制御を行なう。そして、内部状態（特別図柄プロセスフラグ）をＳ３０３に対応した値（この例では３）に更新する。
【０２７４】
特別図柄変動中処理（Ｓ３０３）：特別図柄プロセスフラグの値が３であるときに実行される。変動パターン設定処理で選択された変動パターンの変動時間が経過（Ｓ３０１でセットされる変動時間タイマがタイムアウトすなわち変動時間タイマの値が０になる）すると、演出制御用マイクロコンピュータ１００に、図柄確定指定コマンドを送信する制御を行ない、内部状態（特別図柄プロセスフラグ）をＳ３０４に対応した値（この例では４）に更新する。
【０２７５】
特別図柄停止処理（Ｓ３０４）：特別図柄プロセスフラグの値が４であるときに実行される。大当りフラグがセットされている場合に、内部状態（特別図柄プロセスフラグ）をＳ３０５に対応した値（この例では５）に更新する。また、小当りフラグがセットされている場合には、内部状態（特別図柄プロセスフラグ）をＳ３０８に対応した値（この例では８）に更新する。大当りフラグおよび小当りフラグのいずれもセットされていない場合には、内部状態（特別図柄プロセスフラグ）をＳ３００に対応した値（この例では０）に更新する。なお、この実施の形態では、特別図柄プロセスフラグの値が４となったことに基づいて、後述するように、特別図柄表示制御処理において特別図柄の停止図柄を停止表示するための特別図柄表示制御データが特別図柄表示制御データ設定用の出力バッファに設定され、Ｓ２２の表示制御処理において出力バッファの設定内容に応じて実際に特別図柄の停止図柄が停止表示される。
【０２７６】
大入賞口開放前処理（Ｓ３０５）：特別図柄プロセスフラグの値が５であるときに実行される。大入賞口開放前処理では、大入賞口を開放する制御を行なう。具体的には、カウンタ（たとえば、大入賞口に入った遊技球数をカウントするカウンタ）等を初期化するとともに、ソレノイド２１を駆動して大入賞口を開放状態にする。また、大入賞口開放中指定コマンドを演出制御用マイクロコンピュータ１００に送信する制御を行なうとともに、タイマによって大入賞口開放中処理の実行時間を設定し、内部状態（特別図柄プロセスフラグ）をＳ３０６に対応した値（この例では６）に更新する。なお、大入賞口開放前処理は各ラウンド毎に実行されるが、第１ラウンドを開始する場合には、大入賞口開放前処理は大当り遊技を開始する処理でもある。また、大入賞口開放中指定コマンドはラウンドごとにそのラウンドを指定する値がＥＸＴデータに設定されて送信されるので、ラウンドごとに異なる大入賞口開放中指定コマンドが送信される。たとえば、大当り遊技中の第１ラウンドを実行する際には、ラウンド１を指定する大入賞口開放中指定コマンド（Ａ１０１（Ｈ））が送信され、大当り遊技中の第１０ラウンドを実行する際には、ラウンド１０を指定する大入賞口開放中指定コマンド（Ａ１０Ａ（Ｈ））が送信される。
【０２７７】
大入賞口開放中処理（Ｓ３０６）：特別図柄プロセスフラグの値が６であるときに実行される。大入賞口開放中処理では、大入賞口の閉成条件の成立を確認する処理等を行なう。大入賞口の閉成条件が成立し、かつ、まだ残りラウンドがある場合には、内部状態（特別図柄プロセスフラグ）をＳ３０５に対応した値（この例では５）に更新する。また、大当り中開放後指定コマンドを演出制御用マイクロコンピュータ１００に送信する制御を行なうとともに、全てのラウンドを終えた場合には、内部状態（特別図柄プロセスフラグ）をＳ３０７に対応した値（この例では７）に更新する。
【０２７８】
大当り終了処理（Ｓ３０７）：特別図柄プロセスフラグの値が７であるときに実行される。大当り遊技状態が終了したことを遊技者に報知する表示制御を演出制御用マイクロコンピュータ１００に行なわせるための制御を行なう。また、遊技状態を示すフラグ（たとえば、高確率フラグ、時短フラグ）をセットする処理を行なう。そして、内部状態（特別図柄プロセスフラグ）をＳ３００に対応した値（この例では０）に更新する。
【０２７９】
小当り開放前処理（Ｓ３０８）：特別図柄プロセスフラグの値が８であるときに実行される。小当り開放前処理では、大入賞口を開放する制御を行なう。具体的には、カウンタ（たとえば、大入賞口に入った遊技球数をカウントするカウンタ）等を初期化するとともに、ソレノイド２１を駆動して大入賞口を開放状態にする。また、タイマによって大入賞口開放中処理の実行時間を設定し、内部状態（特別図柄プロセスフラグ）をＳ３０９に対応した値（この例では９）に更新する。なお、小当り開放前処理は小当り遊技中の大入賞口の開放毎に実行されるが、小当り遊技中の最初の開放を開始する場合には、小当り開放前処理は小当り遊技を開始する処理でもある。
【０２８０】
小当り開放中処理（Ｓ３０９）：特別図柄プロセスフラグの値が９であるときに実行される。大入賞口の閉成条件の成立を確認する処理等を行なう。大入賞口の閉成条件が成立し、かつ、まだ大入賞口の開放回数が残っている場合には、内部状態（特別図柄プロセスフラグ）をＳ３０８に対応した値（この例では８）に更新する。また、全ての開放を終えた場合には、内部状態（特別図柄プロセスフラグ）をＳ３１０に対応した値（この例では１０）に更新する。
【０２８１】
小当り終了処理（Ｓ３１０）：特別図柄プロセスフラグの値が１０であるときに実行される。小当り遊技状態が終了したことを遊技者に報知する表示制御を演出制御用マイクロコンピュータ１００に行なわせるための制御を行なう。そして、内部状態（特別図柄プロセスフラグ）をＳ３００に対応した値（この例では０）に更新する。
【０２８２】
図２３は、Ｓ１０１の始動入賞判定処理を示すフローチャートである。
始動入賞判定処理において、ＣＰＵ５６は、まず、第１始動口スイッチ１３ａがオン状態であるか否かを確認する（Ｓ１２１１）。第１始動口スイッチ１３ａがオン状態でなければ、Ｓ１２２２に移行する。第１始動口スイッチ１３ａがオン状態であれば、ＣＰＵ５６は、第１保留記憶数が上限値に達しているか否か（具体的には、第１保留記憶数をカウントするための第１保留記憶数カウンタの値が４であるか否か）を確認する（Ｓ１２１２）。第１保留記憶数が上限値に達していれば、Ｓ１２２２に移行する。
【０２８３】
第１保留記憶数が上限値に達していなければ、ＣＰＵ５６は、第１保留記憶数カウンタの値を１増やす（Ｓ１２１３）とともに、合算保留記憶数をカウントするための合算保留記憶数カウンタの値を１増やす（Ｓ１２１４）。また、ＣＰＵ５６は、図１８で説明した第１始動入賞口１３および第２始動入賞口１４への入賞順を記憶するための保留記憶特定情報記憶領域（保留特定領域）において、合算保留記憶数カウンタの値に対応した領域に、「第１」を示すデータをセットする（Ｓ１２１５）。
【０２８４】
この実施の形態では、第１始動口スイッチ１３ａがオン状態となった場合（すなわち、第１始動入賞口１３に遊技球が始動入賞した場合）には「第１」を示すデータをセットし、第２始動口スイッチ１４ａがオン状態となった場合（すなわち、第２始動入賞口１４に遊技球が始動入賞した場合）には「第２」を示すデータをセットする。たとえば、ＣＰＵ５６は、図１８に示す保留記憶特定情報記憶領域（保留特定領域）において、第１始動口スイッチ１３ａがオン状態となった場合には「第１」を示すデータとして０１（Ｈ）をセットし、第２始動口スイッチ１４ａがオン状態となった場合には「第２」を示すデータとして０２（Ｈ）をセットする。なお、この場合、対応する保留記憶がない場合には、保留記憶特定情報記憶領域（保留特定領域）には、００（Ｈ）がセットされている。
【０２８５】
図１８（Ａ）に示すように、保留特定領域には、合算保留記憶数カウンタの値の最大値（この例では８）に対応した領域が確保されており、第１始動入賞口１３または第２始動入賞口１４への入賞に基づき入賞順に「第１」または「第２」であることを示すデータがセットされる。したがって、保留記憶特定情報記憶領域（保留特定領域）には、第１始動入賞口１３および第２始動入賞口１４への入賞順番が記憶される。
【０２８６】
次いで、ＣＰＵ５６は、乱数回路５０３やソフトウェア乱数を生成するためのカウンタから値を抽出し、それらを、第１保留記憶バッファ（図１８（Ｂ）参照）における保存領域に格納する処理を実行する（Ｓ１２１６）。なお、Ｓ１２１６の処理では、大当り判定用乱数（ＭＲ１）、大当り種別決定用乱数（ＭＲ２）、変動パターン種別決定用乱数（ＭＲ３）、および、変動パターン決定用乱数（ＭＲ４）が抽出され、保存領域に格納される。なお、変動パターン決定用乱数（ＭＲ４）を始動入賞判定処理（始動入賞時）において抽出して保存領域に予め格納しておくのではなく、第１特図の変動開始時に抽出するようにしてもよい。たとえば、遊技制御用マイクロコンピュータ５６０は、後述する変動パターン設定処理において、変動パターン決定用乱数（ＭＲ４）を生成するための変動パターン決定用乱数カウンタから値を直接抽出するようにしてもよい。
【０２８７】
次いで、ＣＰＵ５６は、検出した始動入賞に基づく変動がその後実行されたときの変動表示結果や変動パターン種別を始動入賞時に予め判定する入賞時演出処理を実行する（Ｓ１２１７）。そして、ＣＰＵ５６は、入賞時演出処理の判定結果に基づいて図柄指定コマンドを演出制御用ＣＰＵ１０１に送信する制御を行なう（Ｓ１２１８）とともに、変動カテゴリコマンドを演出制御用ＣＰＵ１０１に送信する制御を行なう（Ｓ１２１９）。また、ＣＰＵ５６は、第１始動入賞指定コマンドを演出制御用ＣＰＵ１０１に送信する制御を行なう（Ｓ１２２０）とともに、合算保留記憶数カウンタの値をＥＸＴデータに設定して合算保留記憶数指定コマンドを演出制御用ＣＰＵ１０１に送信する制御を行なう（Ｓ１２２１）。
【０２８８】
なお、Ｓ１２１８，Ｓ１２１９の処理を実行することによって、この実施の形態では、遊技状態（高確率状態や高ベース状態であるか否か、大当り遊技状態であるか否か）にかかわらず、ＣＰＵ５６は、第１始動入賞口１３に始動入賞するごとに、必ず図柄指定コマンドおよび変動カテゴリコマンドの両方を演出制御用ＣＰＵ１０１に対して送信する。
【０２８９】
また、この実施の形態では、Ｓ１２１８〜Ｓ１２２１の処理が実行されることによって、第１始動入賞口１３への始動入賞が発生したときに、図柄指定コマンド、変動カテゴリコマンド、第１始動入賞指定コマンドおよび合算保留記憶数指定コマンドの４つのコマンドのセットが１タイマ割込内に一括して送信される。
【０２９０】
次いで、ＣＰＵ５６は、第２始動口スイッチ１４ａがオン状態であるか否かを確認する（Ｓ１２２２）。第２始動口スイッチ１４ａがオン状態でなければ、そのまま処理を終了する。第２始動口スイッチ１４ａがオン状態であれば、ＣＰＵ５６は、第２保留記憶数が上限値に達しているか否か（具体的には、第２保留記憶数をカウントするための第２保留記憶数カウンタの値が４であるか否か）を確認する（Ｓ１２２３）。第２保留記憶数が上限値に達していれば、そのまま処理を終了する。
【０２９１】
第２保留記憶数が上限値に達していなければ、ＣＰＵ５６は、第２保留記憶数カウンタの値を１増やす（Ｓ１２２４）とともに、合算保留記憶数をカウントするための合算保留記憶数カウンタの値を１増やす（Ｓ１２２５）。また、ＣＰＵ５６は、保留記憶特定情報記憶領域（保留特定領域）において、合算保留記憶数カウンタの値に対応した領域に、「第２」を示すデータをセットする（Ｓ１２２６）。
【０２９２】
次いで、ＣＰＵ５６は、乱数回路５０３やソフトウェア乱数を生成するためのカウンタから値を抽出し、それらを、第２保留記憶バッファ（図１８（Ｂ）参照）における保存領域に格納する処理を実行する（Ｓ１２２７）。なお、Ｓ１２２７の処理では、大当り判定用乱数（ＭＲ１）、大当り種別決定用乱数（ＭＲ２）、変動パターン種別決定用乱数（ＭＲ３）、および、変動パターン決定用乱数（ＭＲ４）が抽出され、保存領域に格納される。なお、変動パターン決定用乱数（ＭＲ４）を始動入賞判定処理（始動入賞時）において抽出して保存領域に予め格納しておくのではなく、第２特図の変動開始時に抽出するようにしてもよい。たとえば、遊技制御用マイクロコンピュータ５６０は、後述する変動パターン設定処理において、変動パターン決定用乱数（ＭＲ４）を生成するための変動パターン決定用乱数カウンタから値を直接抽出するようにしてもよい。
【０２９３】
次いで、ＣＰＵ５６は、入賞時演出処理を実行する（Ｓ１２２８）。そして、ＣＰＵ５６は、入賞時演出処理の判定結果に基づいて図柄指定コマンドを演出制御用ＣＰＵ１０１に送信する制御を行なう（Ｓ１２２９）とともに、変動カテゴリコマンドを演出制御用ＣＰＵ１０１に送信する制御を行なう（Ｓ１２３０）。また、ＣＰＵ５６は、第２始動入賞指定コマンドを演出制御用ＣＰＵ１０１に送信する制御を行なう（Ｓ１２３１）とともに、合算保留記憶数カウンタの値をＥＸＴデータに設定して合算保留記憶数指定コマンドを演出制御用ＣＰＵ１０１に送信する制御を行なう（Ｓ１２３２）。
【０２９４】
なお、Ｓ１２２９，Ｓ１２３０の処理を実行することによって、この実施の形態では、遊技状態（高確率状態や高ベース状態であるか否か、大当り遊技状態であるか否か）にかかわらず、ＣＰＵ５６は、第２始動入賞口１４に始動入賞するごとに、必ず図柄指定コマンドおよび変動カテゴリコマンドの両方を演出制御用ＣＰＵ１０１に対して送信する。
【０２９５】
また、この実施の形態では、Ｓ１２２９〜Ｓ１２３２の処理が実行されることによって、第２始動入賞口１４への始動入賞が発生したときに、図柄指定コマンド、変動カテゴリコマンド、第２始動入賞指定コマンドおよび合算保留記憶数指定コマンドの４つのコマンドのセットが１タイマ割込内に一括して送信される。
【０２９６】
図２４は、始動入賞判定処理におけるＳ１２１７，Ｓ１２２８の入賞時演出処理を示すフローチャートである。
【０２９７】
入賞時演出処理では、ＣＰＵ５６は、まず、始動入賞判定処理におけるＳ１２１６またはＳ１２２７で抽出した大当り判定用乱数（ＭＲ１）と図５（Ａ）の左欄に示す通常時の大当り判定値とを比較し、それらが一致するか否かを確認する（Ｓ２２０）。この実施の形態では、特別図柄および演出図柄の変動を開始するタイミングで、後述する特別図柄通常処理において大当りや小当りとするか否か、大当り種別を決定したり、変動パターン設定処理において変動パターンを決定したりするのであるが、それとは別に、遊技球が第１始動入賞口１３または第２始動入賞口１４に始動入賞したタイミングで、その始動入賞に基づく変動表示が開始される前に、入賞時演出処理を実行することによって、予め大当りや小当りとなるか否か、および、大当りの種別、変動パターン種別決定用乱数の値がいずれの判定値の範囲にとなるかを確認する。そのようにすることによって、演出図柄の変動表示が実行されるより前に予め変動表示結果や変動パターン種別を予測し、後述するように、入賞時の判定結果に基づいて、演出制御用ＣＰＵ１０１によって演出図柄の変動表示中に大当りとなることを予告する先読み予告演出を実行する。
【０２９８】
大当り判定用乱数（ＭＲ１）が通常時の大当り判定値と一致しなければ（Ｓ２２０のＮ）、ＣＰＵ５６は、遊技状態が確変状態である高確率状態（確変状態、高確率／高ベース状態と高確率／低ベース状態とを含む。）であることを示す高確率フラグがセットされているか否かを確認する（Ｓ２２１）。高確率フラグがセットされていれば、ＣＰＵ５６は、Ｓ１２１６，Ｓ１２２７で抽出した大当り判定用乱数（ＭＲ１）と図８（Ａ）の右欄に示す確変時の大当り判定値とを比較し、それらが一致するか否かを確認する（Ｓ２２２）。なお、始動入賞時にＳ２２１で確変状態であるか否かを確認してから、実際にその始動入賞に基づく変動表示が開始されるまでの間には、複数の変動表示が実行される可能性がある。そのため、始動入賞時にＳ２２１で確変状態であるか否かを確認してから、実際にその始動入賞に基づく変動表示が開始されるまでの間に遊技状態が変化している（たとえば、変動開始前に１５Ｒ確変大当りＡ〜Ｋ、または、２Ｒ確変大当りが発生した場合には通常状態から確変状態に変化している。）場合がある。そのため、始動入賞時にＳ２２１で判定する遊技状態と変動開始時に判定する遊技状態（後述するＳ６１参照）とは、必ずしも一致するとは限らない。なお、そのような不一致を防止するため、現在記憶している保留記憶内の遊技状態の変更を伴うものを特定して、変更後の遊技状態に基づいて始動入賞時の判定を行なうようにしてもよい。
【０２９９】
大当り判定用乱数（ＭＲ１）が確変時の大当り判定値とも一致しなければ（Ｓ２２２のＮ）、ＣＰＵ５６は、Ｓ１２１６，Ｓ１２２７で抽出した大当り判定用乱数（ＭＲ１）と図８（Ｂ），（Ｃ）に示す小当り判定値とを比較し、それらが一致するか否かを確認する（Ｓ２２３）。この場合、ＣＰＵ５６は、第１始動入賞口１３への始動入賞があった場合（Ｓ１２１７の入賞時演出処理を実行する場合）には、図８（Ｂ）に示す小当り判定テーブル（第１特別図柄用）に設定されている小当り判定値と一致するか否かを判定する。また、第１始動入賞口６２への始動入賞があった場合（Ｓ１２２８の入賞時演出処理を実行する場合）には、図８（Ｃ）に示す小当り判定テーブル（第２特別図柄用）に設定されている小当り判定値と一致するか否かを判定する。
【０３００】
大当り判定用乱数（ＭＲ１）が小当り判定値とも一致しなければ（Ｓ２２３のＮ）、ＣＰＵ５６は、「はずれ」となることを示すＥＸＴデータ「００（Ｈ）」を図柄指定コマンドに設定する処理を行なう（Ｓ２２４）。
【０３０１】
次いで、ＣＰＵ５６は、現在の遊技状態を判定する処理を行なう（Ｓ２２５）。この実施の形態では、ＣＰＵ５６は、Ｓ２２５において、遊技状態が高確率状態であるか否かおよび高ベース状態であるか否か（具体的には、高確率フラグおよび時短フラグがセットされているか否か）を判定する。なお、始動入賞時にＳ２２５で高確率状態であるか否かおよび高ベース状態であるか否かを確認してから、実際にその始動入賞に基づく変動表示が開始されるまでの間には、複数の変動表示が実行される可能性がある。そのため、始動入賞時にＳ２２５で高確率状態であるか否かおよび高ベース状態であるか否かを確認してから、実際にその始動入賞に基づく変動表示が開始されるまでの間に遊技状態が変化している（たとえば、変動開始前に１５Ｒ確変大当りＡ〜Ｋまたは２Ｒ確変大当りが発生した場合には通常状態から確変状態に変化している。）場合がある。そのため、始動入賞時にＳ２２５で判定する遊技状態と変動開始時に判定する遊技状態（後述するＳ６１参照）とは、必ずしも一致するとは限らない。なお、そのような不一致を防止するため、現在記憶している保留記憶内の遊技状態の変更を伴うものを特定して、変更後の遊技状態に基づいて始動入賞時の判定を行なうようにしてもよい。
【０３０２】
そして、ＣＰＵ５６は、Ｓ２２５の判定結果に応じて、はずれ用の各閾値を設定する（Ｓ２２６）。この実施の形態では、予め閾値判定を行なう閾値判定プログラムが組み込まれており、閾値より大きいか否かを判定することにより、変動パターン種別決定用乱数の値がいずれの判定値の範囲にとなるかが判定され、図１５および図１６に示す変動カテゴリコマンドに設定するＥＸＴデータの値が決定される。
【０３０３】
たとえば、ＣＰＵ５６は、遊技状態が高確率／高ベース状態であると判定した場合には閾値２１９を設定する。この場合、ＣＰＵ５６は、後述するＳ２３２において、変動パターン種別決定用乱数の値が閾値２１９以下であるか否かを判定し、閾値２１９以下である場合（すなわち、１〜２１９である場合）には変動カテゴリコマンドのＥＸＴデータとして「０８（Ｈ）」を設定すると判定する（図１６参照）。また、閾値２１９以下でない場合（すなわち、２２０〜２５１である場合）には変動カテゴリコマンドのＥＸＴデータとして「０９（Ｈ）」を設定すると判定する（図１６参照）。
【０３０４】
また、たとえば、ＣＰＵ５６は、遊技状態が高確率／低ベース状態であると判定した場合には閾値７９を設定する。この場合、ＣＰＵ５６は、後述するＳ２３２において、変動パターン種別決定用乱数の値が閾値７９以下であるか否かを判定し、閾値７９以下である場合（すなわち、１〜７９である場合）には変動カテゴリコマンドのＥＸＴデータとして「０Ａ（Ｈ）」を設定すると判定する（図１６参照）。また、閾値７９以下でない場合（すなわち、８０〜２５１である場合）には変動カテゴリコマンドのＥＸＴデータとして「０Ｂ（Ｈ）」を設定すると判定する（図１６参照）。
【０３０５】
また、たとえば、ＣＰＵ５６は、遊技状態が通常状態であると判定した場合には、合算保留記憶数にかかわらず、閾値７９、８９、９９、１６９、１９９、２１４および２２９を設定する。この場合、ＣＰＵ５６は、後述するＳ２３２において、変動パターン種別決定用乱数の値が閾値７９以下であるか否かを判定し、閾値７９以下である場合（すなわち、１〜７９である場合）には変動カテゴリコマンドのＥＸＴデータとして「００（Ｈ）」を設定すると判定する（図１６参照）。また、閾値８９以下である場合（すなわち、８０〜８９である場合）には変動カテゴリコマンドのＥＸＴデータとして「０１（Ｈ）」を設定すると判定する（図１６参照）。また、閾値９９以下である場合（すなわち、９０〜９９である場合）には変動カテゴリコマンドのＥＸＴデータとして「０２（Ｈ）」を設定すると判定する（図１６参照）。また、閾値１６９以下である場合（すなわち、１００〜１６９である場合）には変動カテゴリコマンドのＥＸＴデータとして「０３（Ｈ）」を設定すると判定する（図１６参照）。また、閾値１９９以下である場合（すなわち、１７０〜１９９である場合）には変動カテゴリコマンドのＥＸＴデータとして「０４（Ｈ）」を設定すると判定する（図１６参照）。また、閾値２１４以下である場合（すなわち、２００〜２１４である場合）には変動カテゴリコマンドのＥＸＴデータとして「０５（Ｈ）」を設定すると判定する（図１６参照）。また、閾値２２９以下である場合（すなわち、２１５〜２２９である場合）には変動カテゴリコマンドのＥＸＴデータとして「０６（Ｈ）」を設定すると判定する（図１６参照）。また、閾値２２９以下でない場合（すなわち、２３０〜２５１である場合）には変動カテゴリコマンドのＥＸＴデータとして「０７（Ｈ）」を設定すると判定する（図１６参照）。
【０３０６】
なお、上記に示す閾値判定の例では、閾値の値が小さい方から順に７９、８９、９９、１６９、１９９、２１４および２２９と判定していくので、後の順番の閾値で判定されたものが前の順番の閾値以下の範囲内となることはない。すなわち、閾値７９以下であるか否かを判定した後に、閾値８９以下であるか否かを判定するときには、前の順番の閾値以下の１〜７９の範囲内となることはなく、８０〜８９の範囲であるか否かを判定することになる。また、この実施の形態では、閾値の値が小さい方から順に７９、８９、９９、１６９、１９９、２１４および２２９と判定していく場合を示したが、逆に大きい方から順に２２９、２１４、１９９、１６９、９９、８９および７９と判定していってもよい。このことは、以下に示す他の閾値を用いた判定を行なう場合も同様である。
【０３０７】
なお、Ｓ２２５の遊技状態の判定を行なうことなく、常に通常状態（低確率／低ベース状態）における閾値を設定するようにしてもよい。そのように構成しても、少なくとも「非リーチはずれ」となる変動パターン種別と「スーパーリーチはずれ」となる変動パターン種別とに関しては判定値の範囲が共通化されているのであるから、「非リーチはずれ」や「スーパーリーチはずれ」となるか否かについては判定することができる。
【０３０８】
大当り判定用乱数（ＭＲ１）が小当り判定値と一致した場合には（Ｓ２２３のＹ）、ＣＰＵ５６は、「小当り」となることを示すＥＸＴデータ「０５（Ｈ）」を図柄指定コマンドに設定する処理を行なう（Ｓ２２７）。
【０３０９】
次いで、ＣＰＵ５６は、小当り用の閾値を設定する（Ｓ２２８）。なお、この実施の形態では、ＣＰＵ５６は、閾値２５１を設定するものとし、後述するＳ２３２において、変動パターン種別決定用乱数の値が閾値２５１以下である（１〜２５１である）と判定して、変動カテゴリコマンドのＥＸＴデータとして「１８（Ｈ）」を設定すると判定するものとする（図１７参照）。なお、小当りである場合には、閾値判定を行なうことなく、そのままＥＸＴデータ「１８（Ｈ）」を設定すると判定するようにしてもよい。
【０３１０】
Ｓ２２０またはＳ２２２で大当り判定用乱数（ＭＲ１）が大当り判定値と一致した場合には、ＣＰＵ５６は、Ｓ１２１６，Ｓ１２２７で抽出した大当り種別決定用乱数（ＭＲ２）に基づいて大当りの種別を判定する（Ｓ２２９）。この場合、ＣＰＵ５６は、第１始動入賞口１３への始動入賞があった場合（Ｓ１２１７の入賞時演出処理を実行する場合）には、図８（Ｄ）に示す大当り種別判定テーブル（第１特別図柄用）１３１ａを用いて大当り種別が「１５Ｒ確変大当りＡ〜Ｋ」、「１５Ｒ通常大当り」、または、「２Ｒ確変大当り」のいずれとなるかを判定する。また、第２始動入賞口１４への始動入賞があった場合（Ｓ１２２８の入賞時演出処理を実行する場合）には、図８（Ｅ）に示す大当り種別判定テーブル（第２特別図柄用）１３１ｂを用いて大当り種別が「１５Ｒ確変大当りＡ〜Ｋ」、「１５Ｒ通常大当り」、または、「２Ｒ確変大当り」のいずれとなるかを判定する。
【０３１１】
次いで、ＣＰＵ５６は、大当り種別の判定結果に応じたＥＸＴデータを図柄指定コマンドに設定する処理を行なう（Ｓ２３０）。この場合、「１５Ｒ通常大当り」となると判定した場合には、ＣＰＵ５６は、「１５Ｒ通常大当り」となることを示すＥＸＴデータ「０１（Ｈ）」を図柄指定コマンドに設定する処理を行なう。また、「１５Ｒ確変大当り」となると判定した場合には、ＣＰＵ５６は、「１５Ｒ確変大当りＡ〜Ｋ」となることを示すＥＸＴデータ「０２（Ｈ）」〜「０Ｃ（Ｈ）」のいずれかを図柄指定コマンドに設定する処理を行なう。また、「２Ｒ確変大当り」となると判定した場合には、ＣＰＵ５６は、「２Ｒ確変大当り」となることを示すＥＸＴデータ「０Ｄ（Ｈ）」を図柄指定コマンドに設定する処理を行なう。
【０３１２】
そして、ＣＰＵ５６は、Ｓ２２９で判定した大当り種別に応じて、大当り用の各閾値を設定する（Ｓ２３１）。
【０３１３】
たとえば、ＣＰＵ５６は、「１５Ｒ通常大当り」と判定した場合には、閾値７４および１４９を設定する。この場合、ＣＰＵ５６は、後述するＳ２３２において、変動パターン種別決定用乱数の値が閾値７４以下であるか否かを判定し、閾値７４以下である場合（すなわち、１〜７４である場合）には変動カテゴリコマンドのＥＸＴデータとして「１０（Ｈ）」を設定すると判定する（図１７参照）。また、閾値１４９以下である場合（すなわち、７５〜１４９である場合）には変動カテゴリコマンドのＥＸＴデータとして「１１（Ｈ）」を設定すると判定する（図１７参照）。また、閾値１４９以下でない場合（すなわち、１５０〜２５１である場合）には変動カテゴリコマンドのＥＸＴデータとして「１２（Ｈ）」を設定すると判定する（図１７参照）。
【０３１４】
また、たとえば、ＣＰＵ５６は、「１５Ｒ確変大当りＡ〜Ｋ」のいずれかと判定した場合には、閾値３８および７９を設定する。この場合、ＣＰＵ５６は、後述するＳ２３２において、変動パターン種別決定用乱数の値が閾値３８以下であるか否かを判定し、閾値３８以下である場合（すなわち、１〜３８である場合）には変動カテゴリコマンドのＥＸＴデータとして「１３（Ｈ）」を設定すると判定する（図１７参照）。また、閾値７９以下である場合（すなわち、３９〜７９である場合）には変動カテゴリコマンドのＥＸＴデータとして「１４（Ｈ）」を設定すると判定する（図１７参照）。また、閾値７９以下でない場合（すなわち、８０〜２５１である場合）には変動カテゴリコマンドのＥＸＴデータとして「１５（Ｈ）」を設定すると判定する（図１７参照）。
【０３１５】
また、たとえば、ＣＰＵ５６は、「２Ｒ確変大当り」と判定した場合には、閾値１００を設定する。この場合、ＣＰＵ５６は、後述するＳ２３２において、変動パターン種別決定用乱数の値が閾値１００以下であるか否かを判定し、閾値１００以下である場合（すなわち、１〜１００である場合）には変動カテゴリコマンドのＥＸＴデータとして「１６（Ｈ）」を設定すると判定する（図１７参照）。また、閾値１００以下でない場合（すなわち、１０１〜２５１である場合）には変動カテゴリコマンドのＥＸＴデータとして「１７（Ｈ）」を設定すると判定する（図１７参照）。
【０３１６】
次いで、ＣＰＵ５６は、Ｓ２２６，Ｓ２２８，Ｓ２３１で設定した閾値と、Ｓ１２１６，Ｓ１２２７で抽出した変動パターン種別決定用乱数（ＭＲ３）とを用いて、変動パターン種別決定用乱数の値がいずれの判定値の範囲となるかを判定する（Ｓ２３２）。
【０３１７】
なお、Ｓ２２６，Ｓ２２８，Ｓ２３１において、予め定められた閾値を設定するのではなく、変動パターン種別判定テーブル（図９、図１０参照）を設定するようにし、Ｓ２３２において、設定した変動パターン種別判定テーブルを用いて、変動パターン種別決定用乱数の値の範囲やいずれの変動パターン種別となるかを判定するようにしてもよい。
【０３１８】
そして、ＣＰＵ５６は、判定結果に応じたＥＸＴデータを変動カテゴリコマンドに設定する処理を行なう（Ｓ２３３）。具体的には、ＣＰＵ５６は、Ｓ２３２でいずれの変動パターン種別になると判定したかに応じて、図１６および図１７に示すような「００（Ｈ）」〜「０Ｃ（Ｈ）」、「１０（Ｈ）」〜「１９（Ｈ）」のいずれかの値を変動カテゴリコマンドのＥＸＴデータに設定する処理を行なう。
【０３１９】
なお、この実施の形態では、入賞時判定において大当りや小当りとなると判定した場合であっても一律に変動パターン種別決定用乱数の値がいずれの範囲となるかを判定する場合を示したが、大当りや小当りとなると判定した場合には、変動パターン種別決定用乱数の値の範囲の判定を行なわないようにしてもよい。そして、大当りまたは小当りとなると入賞時判定したことを示す図柄指定コマンドを送信するとともに、大当りまたは小当りの変動パターン種別となることを包括的に示す変動カテゴリコマンドを送信するようにしてもよい。そして、たとえば、演出制御用ＣＰＵ１０１は、具体的にいずれの変動パターン種別となるかまでは示されていないものの、包括的にいずれかの大当りの変動パターン種別となることが示された変動カテゴリコマンドを受信したことに基づいて、後述する先読み予告演出を実行するようにしてもよい。
【０３２０】
図２５は、特別図柄プロセス処理における特別図柄通常処理（Ｓ３００）を示すフローチャートである。
【０３２１】
特別図柄通常処理において、ＣＰＵ５６は、合算保留記憶数の値を確認する（Ｓ５１）。具体的には、合算保留記憶数カウンタのカウント値を確認する。合算保留記憶数が０であれば、まだ客待ちデモ指定コマンドを送信していなければ、演出制御用ＣＰＵ１０１に対して客待ちデモ指定コマンドを送信する制御を行ない（Ｓ５１Ａ）、処理を終了する。
【０３２２】
なお、たとえば、ＣＰＵ５６は、Ｓ５１Ａで客待ちデモ指定コマンドを送信すると、客待ちデモ指定コマンドを送信したことを示す客待ちデモ指定コマンド送信済フラグをセットする。そして、客待ちデモ指定コマンドを送信した後に次回のタイマ割込以降の特別図柄通常処理を実行する場合には、客待ちデモ指定コマンド送信済フラグがセットされていることに基づいて重ねて客待ちデモ指定コマンドを送信しないように制御すればよい。また、この場合、客待ちデモ指定コマンド送信済フラグは、次回の特別図柄の変動表示が開始されるときにリセットされるようにすればよい。
【０３２３】
また、Ｓ５１において、ＣＰＵ５６は、合算保留記憶数の値を確認するのではなく、保留特定領域の１番目の領域にデータが設定されているか否かを確認し、設定されていれば保留記憶があると判定してＳ５２に移行し、設定されていなければ保留記憶がないと判定してＳ５１Ａに移行してもよい。
【０３２４】
合算保留記憶数が０でなければ、ＣＰＵ５６は、保留特定領域（図１７（Ａ）参照）に設定されているデータのうち１番目のデータが「第１」を示すデータであるか否か確認する（Ｓ５２）。保留特定領域に設定されている１番目のデータが「第１」を示すデータでない（すなわち、「第２」を示すデータである）場合（Ｓ５２のＮ）、ＣＰＵ５６は、特別図柄ポインタ（第１特別図柄について特別図柄プロセス処理を行っているのか第２特別図柄について特別図柄プロセス処理を行っているのかを示すフラグ）に「第２」を示すデータを設定する（Ｓ５３）。保留特定領域に設定されている１番目のデータが「第１」を示すデータである場合（Ｓ５２のＹ）、ＣＰＵ５６は、特別図柄ポインタに「第１」を示すデータを設定する（Ｓ５４）。
【０３２５】
Ｓ５２〜Ｓ５４の処理が実行されることによって、この実施の形態では、第１始動入賞口１３と第２始動入賞口１４とに遊技球が入賞した始動入賞順にしたがって、第１特別図柄の変動表示または第２特別図柄の変動表示が実行される。
【０３２６】
なお、この実施の形態では、第１始動入賞口１３と第２始動入賞口１４とに遊技球が入賞した始動入賞順にしたがって、第１特別図柄の変動表示または第２特別図柄の変動表示が実行される場合を示しているが、第１特別図柄と第２特別図柄とのいずれか一方の変動表示を優先して実行するように構成してもよい。この場合、たとえば、高ベース状態に移行された場合には可変入賞球装置１５が設けられた第２始動入賞口１４に始動入賞しやすくなり第２保留記憶が溜まりやすくなるのであるから、第２特別図柄の変動表示を優先して実行するようにしてもよい。
【０３２７】
また、第２特別図柄の変動表示を優先して実行するように構成する場合、図２３に示した入賞時演出処理において、大当り判定用乱数（ＭＲ１）の値を、低確率状態における大当り判定値と比較する処理のみを実行するようにし、高確率状態における大当り判定値とは比較しないようにしてもよい（具体的には、Ｓ２２０の処理のみを実行し、Ｓ２２１，Ｓ２２２の処理は行なわないようにしてもよい）。そのように構成すれば、第２特別図柄の変動表示を優先して実行するように構成する場合に、入賞時判定における大当りの判定結果と実際の変動開始時における大当りの決定結果との間にズレが生じることを防止することができる。
【０３２８】
次いで、ＣＰＵ５６は、ＲＡＭ５５において、特別図柄ポインタが示す方の保留記憶数＝１に対応する保存領域に格納されている各乱数値を読出してＲＡＭ５５の乱数バッファ領域に格納する（Ｓ５５）。具体的には、ＣＰＵ５６は、特別図柄ポインタが「第１」を示している場合には、第１保留記憶バッファにおける第１保留記憶数＝１に対応する保存領域に格納されている各乱数値を読出してＲＡＭ５５の乱数バッファ領域に格納する。また、ＣＰＵ５６は、特別図柄ポインタが「第２」を示している場合には、第２保留記憶バッファにおける第２保留記憶数＝１に対応する保存領域に格納されている各乱数値を読出してＲＡＭ５５の乱数バッファ領域に格納する。
【０３２９】
そして、ＣＰＵ５６は、特別図柄ポインタが示す方の保留記憶数カウンタのカウント値を１減算し、かつ、各保存領域の内容をシフトする（Ｓ５６）。具体的には、ＣＰＵ５６は、特別図柄ポインタが「第１」を示している場合には、第１保留記憶数カウンタのカウント値を１減算し、かつ、保留特定領域および第１保留記憶バッファにおける各保存領域の内容をシフトする。また、特別図柄ポインタが「第２」を示している場合に、第２保留記憶数カウンタのカウント値を１減算し、かつ、保留特定領域および第２保留記憶バッファにおける各保存領域の内容をシフトする。
【０３３０】
すなわち、ＣＰＵ５６は、特別図柄ポインタが「第１」を示している場合に、ＲＡＭ５５の第１保留記憶バッファにおいて第１保留記憶数＝ｎ（ｎ＝２，３，４）に対応する保存領域に格納されている各乱数値を、第１保留記憶数＝ｎ−１に対応する保存領域に格納する。また、特別図柄ポインタが「第２」を示す場合に、ＲＡＭ５５の第２保留記憶バッファにおいて第２保留記憶数＝ｎ（ｎ＝２，３，４）に対応する保存領域に格納されている各乱数値を、第２保留記憶数＝ｎ−１に対応する保存領域に格納する。また、ＣＰＵ５６は、保留特定領域において合算保留記憶数＝ｍ（ｍ＝２〜８）に対応する保存領域に格納されている値（「第１」または「第２」を示す値）を、合算保留記憶数＝ｍ−１に対応する保存領域に格納する。
【０３３１】
よって、各第１保留記憶数（または、各第２保留記憶数）に対応するそれぞれの保存領域に格納されている各乱数値が抽出された順番は、常に、第１保留記憶数（または、第２保留記憶数）＝１，２，３，４の順番と一致するようになっている。また、各合算保留記憶数に対応するそれぞれの保存領域に格納されている各値が抽出された順番は、常に、合算保留記憶数＝１〜８の順番と一致するようになっている。
【０３３２】
そして、ＣＰＵ５６は、合算保留記憶数の値を１減らす。すなわち、合算保留記憶数カウンタのカウント値を１減算する（Ｓ５８）。なお、ＣＰＵ５６は、カウント値が１減算される前の合算保留記憶数カウンタの値をＲＡＭ５５の所定の領域に保存する。
【０３３３】
また、ＣＰＵ５６は、低確率／低ベース状態指定コマンド、高確率／高ベース状態指定コマンド、および、高確率／低ベース状態指定コマンドのような遊技状態指定コマンドのうち、現在の遊技状態に応じた遊技状態指定コマンドを演出制御用ＣＰＵ１０１に送信する制御を行なう（Ｓ６０）。この場合、高確率状態であることを示す高確率フラグがセットされているとともに、高ベース状態である（本実施の形態では、時短状態に付随して電チューサポート制御状態となるので、時短フラグがセットされているときは高ベース状態である）ことを示す時短フラグがセットされている場合には、高確率／高ベース状態指定コマンドを送信する制御を行なう。また、高確率フラグがセットされており、時短フラグがセットされていないときには、高確率／低ベース状態指定コマンドを送信する制御を行なう。また、高確率フラグも時短フラグもセットされていないときには、低確率／低ベース状態指定コマンドを送信する制御を行なう。
【０３３４】
具体的には、ＣＰＵ５６は、演出制御用ＣＰＵ１０１に演出制御コマンドを送信する際に、演出制御コマンドに応じたコマンド送信テーブル（予めＲＯＭにコマンド毎に設定されている）のアドレスをポインタにセットする。そして、演出制御コマンドに応じたコマンド送信テーブルのアドレスをポインタにセットして、演出制御コマンド制御処理（Ｓ２８）において演出制御コマンドを送信する。この実施の形態では、特別図柄の変動を開始するときに、タイマ割込ごとに、遊技状態指定コマンド、変動パターンコマンド、表示結果指定コマンド、合算保留記憶数減算指定コマンドの順に、演出制御コマンドが演出制御用ＣＰＵ１０１に送信されることになる。具体的には、特別図柄の変動を開始するときに、まず、遊技状態指定コマンドが送信され、４ｍｓ経過後に変動パターンコマンドが送信され、さらに４ｍｓ経過後に表示結果指定コマンドが送信され、さらに４ｍｓ経過後に合算保留記憶数減算指定コマンドが送信される。特別図柄の変動を開始するときにはさらに図柄変動指定コマンド（第１図柄変動指定コマンド、第２図柄変動指定コマンド）も送信されるが、図柄変動指定コマンドは、変動パターンコマンドと同じタイマ割込において演出制御用ＣＰＵ１０１に対して送信される。
【０３３５】
特別図柄通常処理では、最初に、第１始動入賞口１３を対象として処理を実行することを示す「第１」を示すデータすなわち第１特別図柄を対象として処理を実行することを示す「第１」を示すデータ、または第２始動入賞口１４を対象として処理を実行することを示す「第２」を示すデータすなわち第２特別図柄を対象として処理を実行することを示す「第２」を示すデータが、特別図柄ポインタに設定される。そして、特別図柄プロセス処理における以降の処理では、特別図柄ポインタに設定されているデータに応じた処理が実行される。よって、Ｓ３００〜Ｓ３２０の処理を、第１特別図柄を対象とする場合と第２特別図柄を対象とする場合とで共通化することができる。
【０３３６】
次いで、ＣＰＵ５６は、乱数バッファ領域からＭＲ１（大当り判定用乱数）を読出し、大当り判定モジュールを実行する。なお、この場合、ＣＰＵ５６は、始動入賞判定処理のＳ１２１６やＳ１２２７で抽出し第１保留記憶バッファや第２保留記憶バッファに予め格納した大当り判定用乱数を読出し、大当り判定を行なう。大当り判定モジュールは、予め決められている大当り判定値や小当り判定値（図８参照）と大当り判定用乱数とを比較し、それらが一致したら大当りや小当りとすることに決定する処理を実行するプログラムである。すなわち、大当り判定や小当り判定の処理を実行するプログラムである。
【０３３７】
大当り判定の処理では、遊技状態が確変状態（高確率／高ベース状態、高確率／低ベース状態）の場合には、遊技状態が非確変状態（通常状態）の場合よりも、大当りとなる確率が高くなるように構成されている。具体的には、予め大当り判定値の数が多く設定されている確変時大当り判定テーブル（ＲＯＭ５４における図８（Ａ）の右側の数値が設定されているテーブル）と、大当り判定値の数が確変時大当り判定テーブルよりも少なく設定されている通常時大当り判定テーブル（ＲＯＭ５４における図８（Ａ）の左側の数値が設定されているテーブル）とが設けられている。そして、ＣＰＵ５６は、遊技状態が確変状態（高確率状態）であるか否かを確認し、遊技状態が確変状態であるときは、確変時大当り判定テーブルを使用して大当りの判定の処理を行ない、遊技状態が通常状態であるときは、通常時大当り判定テーブルを使用して大当りの判定の処理を行なう。すなわち、ＣＰＵ５６は、大当り判定用乱数（ＭＲ１）の値が図８（Ａ）に示すいずれかの大当り判定値に一致すると、特別図柄に関して大当りとすることに決定する。大当りとすることに決定した場合には（Ｓ６１）、Ｓ７１に移行する。大当りとするか否か決定するということは、大当り遊技状態に移行させるか否か決定するということであるが、特別図柄表示器における停止図柄を大当り図柄とするか否か決定するということでもある。
【０３３８】
現在の遊技状態が確変状態であるか否かの確認は、高確率フラグがセットされているか否かにより行われる。高確率フラグは、遊技状態を確変状態に移行するときにセットされ、確変状態を終了するときにリセットされる。具体的には、「１５Ｒ確変大当りＡ〜Ｋ」、「１５Ｒ通常大当り」、または、「２Ｒ確変大当り」とすることに決定され、大当り遊技を終了する処理においてセットされる。そして、大当り遊技終了後、次回の大当りが発生したときにリセットされる。
【０３３９】
大当り判定用乱数（ＭＲ１）の値がいずれの大当り判定値にも一致しなければ（Ｓ６１のＮ）、ＣＰＵ５６は、小当り判定テーブル（図８（Ｂ），（Ｃ）参照）を使用して小当りの判定の処理を行なう。すなわち、ＣＰＵ５６は、大当り判定用乱数（ＭＲ１）の値が図８（Ｂ），（Ｃ）に示すいずれかの小当り判定値に一致すると、特別図柄に関して小当りとすることに決定する。この場合、ＣＰＵ５６は、特別図柄ポインタが示すデータを確認し、特別図柄ポインタが示すデータが「第１」である場合には、図８（Ｂ）に示す小当り判定テーブル（第１特別図柄用）を用いて小当りとするか否かを決定する。また、特別図柄ポインタが示すデータが「第２」である場合には、図８（Ｃ）に示す小当り判定テーブル（第２特別図柄用）を用いて小当りとするか否かを決定する。そして、小当りとすることに決定した場合には（Ｓ６２）、ＣＰＵ５６は、小当りであることを示す小当りフラグをセットし（Ｓ６３）、Ｓ７５に移行する。
【０３４０】
なお、ＭＲ１の値が大当り判定値および小当り判定値のいずれにも一致しない場合には（Ｓ６２のＮ）、すなわち、はずれである場合には、そのままＳ７５に移行する。
【０３４１】
Ｓ７１では、ＣＰＵ５６は、大当りであることを示す大当りフラグをセットする。そして、大当り種別を複数種類のうちのいずれかに決定するために使用するテーブルとして、特別図柄ポインタが示す方の大当り種別判定テーブルを選択する（Ｓ７２）。具体的には、ＣＰＵ５６は、特別図柄ポインタが「第１」を示している場合には、図８（Ｄ）に示す第１特別図柄用の大当り種別判定テーブル１３１ａを選択する。また、ＣＰＵ５６は、特別図柄ポインタが「第２」を示している場合には、図８（Ｅ）に示す第２特別図柄用の大当り種別判定テーブル１３１ｂを選択する。
【０３４２】
次いで、ＣＰＵ５６は、選択した大当り種別判定テーブルを用いて、乱数バッファ領域に格納された大当り種別決定用の乱数（ＭＲ２）の値と一致する値に対応した種別（「１５Ｒ確変大当りＡ〜Ｋ」、「１５Ｒ通常大当り」、または、「２Ｒ確変大当り」）を大当りの種別に決定する（Ｓ７３）。この場合、ＣＰＵ５６は、始動入賞判定処理のＳ１２１６やＳ１２２７で抽出し第１保留記憶バッファや第２保留記憶バッファに予め格納した大当り種別決定用乱数（ＭＲ２）を読出し、大当り種別の決定を行なう。また、この場合に、図８（Ｄ），（Ｅ）に示すように、第１特別図柄の変動表示が実行される場合には、第２特別図柄の変動表示が実行される場合と比較して、２Ｒ確変大当りが選択される割合が高い。
【０３４３】
また、ＣＰＵ５６は、決定した大当りの種別を示すデータをＲＡＭ５５に設けられた大当り種別バッファに設定する（Ｓ７４）。たとえば、大当り種別が「１５Ｒ通常大当り」の場合には大当り種別を示すデータとして「０１」（１６進数、以下同様）が設定される。大当り種別が「１５Ｒ確変大当りＡ」の場合には大当り種別を示すデータとして「０２」が設定される。大当り種別が「１５Ｒ確変大当りＢ」の場合には大当り種別を示すデータとして「０３」が設定される。大当り種別が「１５Ｒ確変大当りＣ」の場合には大当り種別を示すデータとして「０４」が設定される。大当り種別が「１５Ｒ確変大当りＤ」の場合には大当り種別を示すデータとして「０５」が設定される。大当り種別が「１５Ｒ確変大当りＥ」の場合には大当り種別を示すデータとして「０６」が設定される。大当り種別が「１５Ｒ確変大当りＦ」の場合には大当り種別を示すデータとして「０７」が設定される。大当り種別が「１５Ｒ確変大当りＧ」の場合には大当り種別を示すデータとして「０８」が設定される。大当り種別が「１５Ｒ確変大当りＨ」の場合には大当り種別を示すデータとして「０９」が設定される。大当り種別が「１５Ｒ確変大当りＩ」の場合には大当り種別を示すデータとして「０Ａ」が設定される。大当り種別が「１５Ｒ確変大当りＪ」の場合には大当り種別を示すデータとして「０Ｂ」が設定される。大当り種別が「１５Ｒ確変大当りＫ」の場合には大当り種別を示すデータとして「０Ｃ」が設定される。大当り種別が「２Ｒ確変大当り」の場合には大当り種別を示すデータとして「０Ｄ」が設定される。大当り種別が「２Ｒ確変大当り」の場合には大当り種別を示すデータとして「０Ｅ」が設定される。
【０３４４】
次いで、ＣＰＵ５６は、特別図柄の停止図柄を決定する（Ｓ７５）。具体的には、大当りフラグおよび小当りフラグのいずれもセットされていない場合には、はずれ図柄となる「−」を特別図柄の停止図柄に決定する。大当りフラグがセットされている場合には、大当り種別の決定結果に応じて、大当り図柄となる「０」、「１」、「２」、「３」、「４」、「５」、「６」、「７」、「８」、「９」、「Ａ」、「Ｃ」、「Ｅ」のいずれかを特別図柄の停止図柄に決定する。すなわち、大当り種別を「１５Ｒ通常大当り」に決定した場合には「０」を特別図柄の停止図柄に決定する。大当り種別を「２Ｒ通常大当り」に決定した場合には「１」を特別図柄の停止図柄に決定する。「１５Ｒ確変大当りＡ」に決定した場合には「２」を特別図柄の停止図柄に決定する。「１５Ｒ確変大当りＢ」に決定した場合には「３」を特別図柄の停止図柄に決定する。「１５Ｒ確変大当りＣ」に決定した場合には「４」を特別図柄の停止図柄に決定する。「１５Ｒ確変大当りＤ」に決定した場合には「５」を特別図柄の停止図柄に決定する。「１５Ｒ確変大当りＥ」に決定した場合には「６」を特別図柄の停止図柄に決定する。「１５Ｒ確変大当りＦ」に決定した場合には「７」を特別図柄の停止図柄に決定する。「１５Ｒ確変大当りＧ」に決定した場合には「８」を特別図柄の停止図柄に決定する。「１５Ｒ確変大当りＨ」に決定した場合には「９」を特別図柄の停止図柄に決定する。「１５Ｒ確変大当りＩ」に決定した場合には「Ａ」を特別図柄の停止図柄に決定する。「１５Ｒ確変大当りＪ」に決定した場合には「Ｃ」を特別図柄の停止図柄に決定する。「１５Ｒ確変大当りＫ」に決定した場合には「Ｅ」を特別図柄の停止図柄に決定する。また、小当りフラグがセットされている場合には、小当り図柄となる「Ｆ」を特別図柄の停止図柄に決定する。
【０３４５】
なお、この実施の形態では、まず大当り種別を決定し、決定した大当り種別に対応する特別図柄の停止図柄を決定する場合を示したが、大当り種別および特別図柄の停止図柄の決定方法は、この実施の形態で示したものに限られない。たとえば、予め特別図柄の停止図柄と大当り種別とを対応付けたテーブルを用意しておき、大当り種別決定用乱数に基づいてまず特別図柄の停止図柄を決定すると、その決定結果に基づいて対応する大当り種別も決定されるように構成してもよい。
【０３４６】
そして、特別図柄プロセスフラグの値を変動パターン設定処理（Ｓ３０１）に対応した値に更新する（Ｓ７６）。
【０３４７】
図２６は、特別図柄プロセス処理における変動パターン設定処理（Ｓ３０１）を示すフローチャートである。
【０３４８】
変動パターン設定処理において、ＣＰＵ５６は、大当りフラグがセットされているか否か確認する（Ｓ９１）。大当りフラグがセットされている場合には、ＣＰＵ５６は、後述する特別大当り保留記憶フラグがセットされているか否かを確認する（Ｓ９１Ａ）。特別大当り保留記憶フラグは、１５Ｒ確変大当り（１５Ｒ確変大当りＡ〜Ｋのいずれか）の大当り遊技状態において保留記憶中に１５Ｒ確変大当り（１５Ｒ確変大当りＡ〜Ｋのいずれか）となる保留記憶情報が含まれているときに、大当り終了処理（Ｓ３０７）のＳ１５８Ｂにおいてセットされるフラグである。このような特別大当り保留記憶フラグは、たとえば、１５Ｒ確変大当り（１５Ｒ確変大当りＡ〜Ｋのいずれか）の大当り遊技状態終了後に超時短変動パターンでの変動表示を行なう条件が成立しているか否かを示すために用いられる。
【０３４９】
Ｓ９１Ａで特別大当り保留記憶フラグがセットされていると判断したときは、図９（Ｄ）の大当り用変動パターン種別判定テーブル１３２Ｄを選択し（Ｓ９１Ｂ）、特別大当り保留記憶フラグをリセットして（Ｓ９１Ｃ）、後述するＳ１０２に進む。これにより、特別大当り保留記憶フラグがセットされているときには、超時短変動パターンでの変動表示が選択されて実行されることとなる。
【０３５０】
また、前述したＳ９１Ａで特別大当り保留記憶フラグがセットされていないと判断したときは、ＣＰＵ５６は、大当り種別に応じて、変動パターン種別を複数種類のうちのいずれかに決定するために使用するテーブルとして、大当り用変動パターン種別判定テーブル１３２Ａ〜１３２Ｃ（図９（Ａ）〜（Ｃ）参照）のいずれかを選択する（Ｓ９２）。そして、Ｓ１０２に移行する。このように、特別大当り保留記憶フラグがセットされているときには、超時短の変動表示をするための大当り用変動パターン種別判定テーブル１３２Ｄが、超時短の変動表示以外の変動表示をするための大当り用変動パターン種別判定テーブル１３２Ａ〜１３２Ｃよりも優先して選択されることとなる。
【０３５１】
大当りフラグがセットされていない場合には、ＣＰＵ５６は、後述する特別大当り保留記憶フラグがセットされているか否かを判定する（Ｓ１０１Ａ）。Ｓ１０１Ａで特別大当り保留記憶フラグがセットされているときは、変動パターン種別を複数種類のうちのいずれかに決定するために使用するテーブルとして、はずれ用変動パターン種別判定テーブル１３５Ｅ（図１０（Ｅ）参照）を選択し（Ｓ１０１Ｂ）、後述するＳ１０２に進む。はずれ用変動パターン種別判定テーブル１３５Ｅは、超時短の変動表示が行なわれる変動パターンが選択されるときに用いられる変動パターン種別判定テーブルであるので、１５Ｒ確変大当り（１５Ｒ確変大当りＡ〜Ｋのいずれか）の大当り遊技状態において保留記憶中に１５Ｒ確変大当り（１５Ｒ確変大当りＡ〜Ｋのいずれか）となる保留記憶情報が含まれているときには、大当り遊技状態終了後に当該保留記憶情報に基づく変動表示が実行される前に、はずれとなる変動表示において超時短の変動パターンで変動表示が実行される。
【０３５２】
Ｓ１０１Ａで特別大当り保留記憶フラグがセットされていないときは、小当りフラグがセットされているか否かを確認する（Ｓ９３）。小当りフラグがセットされている場合には、ＣＰＵ５６は、変動パターン種別を複数種類のうちのいずれかに決定するために使用するテーブルとして、小当り用変動パターン種別判定テーブル１３２Ｄ（図９（Ｄ）参照）を選択する（Ｓ９４）。そして、Ｓ１０２に移行する。
【０３５３】
小当りフラグがセットされていない場合には、ＣＰＵ５６は、高ベース状態であることを示す時短フラグがセットされているか否かを確認する（Ｓ９５）。なお、時短フラグは、遊技状態を確変状態に移行するときにセットされ、高ベース状態を終了するときにリセットされる。具体的には、「１５Ｒ確変大当りＡ〜Ｋ」、または、「１５Ｒ通常大当り」とすることに決定され、大当り遊技を終了する処理においてセットされる。また、大当り遊技終了後、次回の大当りが発生したときにリセットされる。
【０３５４】
高ベース状態であることを示す時短フラグがセットされていなければ（Ｓ９５のＮ）、ＣＰＵ５６は、高確率状態（確変状態）であることを示す高確率フラグがセットされているか否かを確認する（Ｓ９６）。高確率フラグもセットされていなければ（Ｓ９６のＮ）、すなわち、遊技状態が通常状態（低確率／低ベース状態）であれば、ＣＰＵ５６は、合算保留記憶数が３以上であるか否かを確認する（Ｓ９７）。合算保留記憶数が３未満であれば（Ｓ９７のＮ）、ＣＰＵ５６は、変動パターン種別を複数種類のうちのいずれかに決定するために使用するテーブルとして、はずれ用変動パターン種別判定テーブル１３５Ａ（図１０（Ａ）参照）を選択する（Ｓ９８）。そして、Ｓ１０２に移行する。
【０３５５】
合算保留記憶数が３以上である場合（Ｓ９７のＹ）には、ＣＰＵ５６は、変動パターン種別を複数種類のうちのいずれかに決定するために使用するテーブルとして、はずれ用変動パターン種別判定テーブル１３５Ｂ（図１０（Ｂ）参照）を選択する（Ｓ９９）。そして、Ｓ１０２に移行する。
【０３５６】
高確率フラグがセットされている場合（Ｓ９６のＹ）には、すなわち、遊技状態が高確率／低ベース状態であれば、ＣＰＵ５６は、変動パターン種別を複数種類のうちのいずれかに決定するために使用するテーブルとして、はずれ用変動パターン種別判定テーブル１３５Ｄ（図１０（Ｄ）参照）を選択する（Ｓ１００）。そして、Ｓ１０２に移行する。
【０３５７】
高ベース状態であることを示す時短フラグがセットされている場合（Ｓ９５のＹ）には、すなわち、遊技状態が高確率／高ベース状態であれば（この実施の形態では、低確率／高ベース状態に制御されることはないので、時短フラグがセットされていれば高確率／高ベース状態である）、ＣＰＵ５６は、変動パターン種別を複数種類のうちのいずれかに決定するために使用するテーブルとして、はずれ用変動パターン種別判定テーブル１３５Ｃ（図１０（Ｃ）参照）を選択する（Ｓ１０１）。そして、Ｓ１０２に移行する。
【０３５８】
このように、この実施の形態では、Ｓ１０１Ａ〜Ｓ１０１Ｂの処理が実行されることによって、１５Ｒ確変大当り（１５Ｒ確変大当りＡ〜Ｋのいずれか）の大当り遊技状態において保留記憶中に１５Ｒ確変大当り（１５Ｒ確変大当りＡ〜Ｋのいずれか）となる保留記憶情報が含まれているときには、大当り遊技状態終了後に当該保留記憶情報に基づく大当りとなる変動表示が実行されるまで、変動表示において超時短の変動パターンで変動表示が実行されることとなる。
【０３５９】
また、この実施の形態では、１５Ｒ確変大当りの大当り遊技状態において保留記憶中に１５Ｒ確変大当りとなる保留記憶情報が含まれていることを条件として、大当り遊技状態終了後に、超時短の変動パターンで変動表示が実行されることとなる例を説明した。しかし、これに限らず、１５Ｒ確変大当りとなるときには、保留記憶中に１５Ｒ確変大当りとなる保留記憶情報が含まれているか否かにかかわらず、大当り遊技状態終了後に、保留記憶数の上限値の範囲内において、超時短の変動パターンで変動表示が実行されるようにしてもよい。
【０３６０】
また、１５Ｒ確変大当りＡ〜Ｋのうちの特定種類の大当りとなったときにのみ、保留記憶中に１５Ｒ確変大当りとなる保留記憶情報が含まれているか否かにかかわらず、大当り遊技状態終了後に、保留記憶数の上限値の範囲内において、超時短の変動パターンで変動表示が実行されるようにしてもよい。たとえば、１５Ｒ確変大当りＡ〜Ｋは、このような大当り遊技状態終了後に、保留記憶数の上限値の範囲内において超時短の変動パターンで変動表示をする特定種類の１５Ｒ確変大当りと、それ以外の１５Ｒ確変大当りとを含み、特定種類の１５Ｒ確変大当り（たとえば、１５Ｒ確変大当りＫ）となったときには、保留記憶中に１５Ｒ確変大当りとなる保留記憶情報が含まれているか否かにかかわらず、大当り遊技状態終了後に、保留記憶数の上限値の範囲内（たとえば、保留記憶数の上限値に対応する回数等の上限値の範囲内の回数）において、超時短の変動パターンで変動表示が実行されるようにし、特定種類以外の種類の１５Ｒ確変大当りとなったときには、このような超時短の変動パターンでの変動表示が実行されず、通常の変動パターンでの変動表示が実行されるようにしてもよい。これにより、大当りとなるときの大当り表示結果（大当り図柄）により特定可能な大当りの種類に基づいて、超時短の変動パターンでの変動表示を実行するか否かが決まることとなる。このような１５Ｒ確変大当りＡ〜Ｋのうちの特定種類の確変大当りの大当り遊技状態となったときにのみ、保留記憶中に１５Ｒ確変大当りとなる保留記憶情報が含まれているか否かにかかわらず、大当り遊技状態終了後に、保留記憶数の上限値の範囲内において、超時短の変動パターンで変動表示が実行される構成を用いる場合においては、後述するように、特定種類の１５Ｒ確変大当りの大当り遊技状態となったことを条件に、継続報知演出に含まれる後述の第１〜第３継続報知演出のうち、保留記憶中に１５Ｒ確変大当りとなる保留記憶情報が含まれていることを特定可能な第３継続報知演出を実行するようにしてもよい。
【０３６１】
このように大当り遊技状態終了後に、保留記憶数の上限値の範囲内において、超時短の変動パターンで変動表示を実行するときの変動表示回数は、保留記憶数の上限値の範囲内であれば、予め定められた回数（たとえば、保留記憶数の上限値に対応する回数等の固定された回数）でもよく、大当り有利状態が発生するごとに複数種類の回数のうちから選択された回数（たとえば、１５Ｒ確変大当りとなる保留記憶による変動表示が実行されるまでの回数、または、１５Ｒ確変大当りとなる保留記憶による変動表示が実行される前まで（１５Ｒ確変大当りとなる保留記憶による変動表示回を含まない）の回数等の変化可能な回数）であってもよい。
【０３６２】
また、この実施の形態では、Ｓ１０１Ａ〜Ｓ１０１Ｂ、Ｓ９１Ａ〜Ｓ９１Ｃの処理が実行されることによって、１５Ｒ確変大当りの大当り遊技状態において保留記憶中に１５Ｒ確変大当りとなる保留記憶情報が含まれているときには、大当り遊技状態終了後に、必ず超時短の変動パターンで変動表示が実行されることとなる例を説明した。しかし、これに限らず、このような場合に、大当り遊技状態終了後に、超時短の変動パターンで変動表示が実行されないようにしてもよい。また、このような場合に、大当り遊技状態終了後に、所定割合で超時短の変動パターンで変動表示を実行するか否かを判定する処理を行ない、実行することが判定されたときに、超時短の変動パターンで変動表示を実行するようにしてもよい。このような判定は、各保留記憶を対象として保留記憶ごとに行なってもよく、すべての保留記憶を対象として一括的に行なってもよい。
【０３６３】
また、このような超時短の変動パターンで実行する変動表示は、このような保留記憶のうち、表示結果がはずれとなる変動表示のみを対象として行なうようにしてもよい。
【０３６４】
また、この実施の形態では、Ｓ９５〜Ｓ１０１の処理が実行されることによって、遊技状態が通常状態であって合算保留記憶数が３以上である場合には、図１０（Ｂ）に示すはずれ用変動パターン種別判定テーブル１３５Ｂが選択される。また、遊技状態が高確率／高ベース状態である場合には、図１０（Ｃ）に示すはずれ用変動パターン種別判定テーブル１３５Ｃが選択される。この場合、後述するＳ１０２の処理で変動パターン種別として非リーチＣＡ２−３が決定される場合があり、非リーチＣＡ２−３の変動パターン種別が決定された場合には、Ｓ１０５の処理で変動パターンとして短縮変動の非リーチＰＡ１−２が決定される（図１２参照）。したがって、この実施の形態では、遊技状態が高確率／高ベース状態である場合または合算保留記憶数が３以上である場合には、短縮変動の変動表示が行われる場合がある。なお、この実施の形態では、高確率／高ベース状態で用いる短縮変動用の変動パターン種別判定テーブル（図１０（Ｃ）参照）と、保留記憶数に基づく短縮変動用の変動パターン種別判定テーブル（図１０（Ｂ）参照）とが異なるテーブルである場合を示したが、短縮変動用の変動パターン種別判定テーブルとして共通のテーブルを用いるようにしてもよい。
【０３６５】
なお、この実施の形態では、遊技状態が高ベース状態である場合であっても、合算保留記憶数がほぼ０である場合（たとえば、０であるか、０または１である場合）には、短縮変動の変動表示を行なわないようにしてもよい。この場合、たとえば、ＣＰＵ５６は、Ｓ９５でＹと判定したときに、合算保留記憶数がほぼ０であるか否かを確認し、合算保留記憶数がほぼ０であれば、はずれ用変動パターン種別判定テーブル１３５Ａ（図１０（Ａ）参照）を選択するようにしてもよい。
【０３６６】
次いで、ＣＰＵ５６は、乱数バッファ領域（第１保留記憶バッファまたは第２保留記憶バッファ）からＭＲ３（変動パターン種別決定用乱数）を読出し、Ｓ９２、Ｓ９４、Ｓ９８、Ｓ９９、Ｓ１００、Ｓ１０１またはＳ１０１Ｅの処理で選択したテーブルを参照することによって、変動パターン種別を複数種類のうちのいずれかに決定する（Ｓ１０２）。
【０３６７】
次いで、ＣＰＵ５６は、Ｓ１０２の変動パターン種別の決定結果に基づいて、変動パターンを複数種類のうちのいずれかに決定するために使用するテーブルとして、当り変動パターン判定テーブル１３７Ａ、１３７Ｂ（図１１参照）、はずれ変動パターン判定テーブル１３８Ａ（図１２参照）のうちのいずれかを選択する（Ｓ１０３）。また、乱数バッファ領域（第１保留記憶バッファまたは第２保留記憶バッファ）からＭＲ４（変動パターン決定用乱数）を読出し、Ｓ１０３の処理で選択した変動パターン判定テーブルを参照することによって、変動パターンを複数種類のうちのいずれかに決定する（Ｓ１０５）。なお、始動入賞のタイミングでＭＲ４（変動パターン決定用乱数）を抽出しないように構成する場合には、ＣＰＵ５６は、変動パターン決定用乱数（ＭＲ４）を生成するための変動パターン決定用乱数カウンタから値を直接抽出し、抽出した乱数値に基づいて変動パターンを決定するようにしてもよい。
【０３６８】
次いで、ＣＰＵ５６は、特別図柄ポインタが示す方の図柄変動指定コマンドを、演出制御用ＣＰＵ１０１に送信する制御を行なう（Ｓ１０６）。具体的には、ＣＰＵ５６は、特別図柄ポインタが「第１」を示している場合には、第１図柄変動指定コマンドを送信する制御を行なう。また、ＣＰＵ５６は、特別図柄ポインタが「第２」を示している場合には、第２図柄変動指定コマンドを送信する制御を行なう。また、ＣＰＵ５６は、決定した変動パターンに対応する演出制御コマンド（変動パターンコマンド）を、演出制御用ＣＰＵ１０１に送信する制御を行なう（Ｓ１０７）。
【０３６９】
次に、ＣＰＵ５６は、ＲＡＭ５５に形成されている変動時間タイマに、選択された変動パターンに対応した変動時間に応じた値を設定する（Ｓ１０８）。そして、特別図柄プロセスフラグの値を表示結果指定コマンド送信処理（Ｓ３０２）に対応した値に更新する（Ｓ１０９）。
【０３７０】
なお、はずれと決定されている場合において、いきなり変動パターン種別を決定するのではなく、まず、リーチ判定用乱数を用いた抽選処理によってリーチとするか否かを決定するようにしてもよい。そして、リーチとするか否かの判定結果に基づいて、Ｓ９５〜Ｓ１０２の処理を実行し、変動パターン種別を決定するようにしてもよい。この場合、予め非リーチ用の変動パターン種別判定テーブル（図１０に示す非リーチＣＡ２−１〜非リーチＣＡ２−３の変動パターン種別を含むもの）と、リーチ用の変動パターン種別判定テーブル（図１０に示すノーマルＣＡ２−４〜ノーマルＣＡ２−６、スーパーＣＡ２−７の変動パターン種別を含むもの）とを用意しておき、リーチ判定結果に基づいて、いずれかの変動パターン種別判定テーブルを選択して、変動パターン種別を決定するようにしてもよい。
【０３７１】
また、リーチ判定用乱数を用いた抽選処理によってリーチとするか否かを決定する場合にも、合算保留記憶数（第１保留記憶数や第２保留記憶数でもよい）に応じて、リーチの選択割合が異なるリーチ判定テーブルを選択して、保留記憶数が多くなるにしたがってリーチ確率が低くなるようにリーチとするか否かを決定するようにしてもよい。この場合、ＣＰＵ５６は、たとえば、入賞時演出処理における「スーパーリーチはずれ」や「非リーチはずれ」となるか否かの判定において、リーチ判定テーブルの共通の範囲に割当てられた判定値に合致するか否かを判定することによって、リーチとなるか否かを予め判定するようにしてもよい。なお、予告演出の実行割合が低下してしまうことを考慮すると、この実施の形態で示したように、リーチ判定用乱数を用いた抽選処理を行なうことなく、変動パターン種別によって「スーパーリーチはずれ」や「非リーチはずれ」となるか否かを事前判定して先読み予告演出を行なうように構成することが好ましい。
【０３７２】
図２７は、特別図柄プロセス処理における特別図柄停止処理（Ｓ３０４）を示すフローチャートである。特別図柄停止処理において、ＣＰＵ５６は、Ｓ３２の特別図柄表示制御処理で参照される終了フラグをセットして特別図柄の変動を終了させ、第１特別図柄表示器８ａまたは第２特別図柄表示器８ｂに停止図柄を導出表示する制御を行なう（Ｓ１３１）。特別図柄ポインタに「第１」を示すデータが設定されている場合には第１特別図柄表示器８ａでの第１特別図柄の変動を終了させ、特別図柄ポインタに「第２」を示すデータが設定されている場合には第２特別図柄表示器８ｂでの第２特別図柄の変動を終了させる。なお、Ｓ３２の特別図柄表示制御処理においては、終了フラグを参照して特別図柄の変動表示を終了するのではなく、特別図柄プロセス処理のプロセスの状態を参照して特別図柄の変動表示を終了するようにしてもよい。
【０３７３】
また、演出制御用マイクロコンピュータ１００に図柄確定指定コマンドを送信する制御を行なう（Ｓ１３２）。そして、大当りフラグがセットされているか否かを確認する（Ｓ１３３）。大当りフラグがセットされていない場合には、後述するＳ１４６に移行する。
【０３７４】
大当りフラグがセットされている場合に、ＣＰＵ５６は、高確率フラグ、および、時短フラグのうちセットされているフラグをリセットし（Ｓ１３４）、演出制御用マイクロコンピュータ１００に大当り開始指定コマンドを送信する制御を行なう（Ｓ１３５）。具体的には、大当りの種別が１５Ｒ通常大当りである場合には大当り開始１指定コマンドを送信する。大当りの種別が１５Ｒ確変大当りＡである場合には大当り開始２指定コマンドを送信する。大当りの種別が１５Ｒ確変大当りＢである場合には大当り開始３指定コマンドを送信する。大当りの種別が１５Ｒ確変大当りＣである場合には大当り開始４指定コマンドを送信する。大当りの種別が１５Ｒ確変大当りＤである場合には大当り開始５指定コマンドを送信する。大当りの種別が１５Ｒ確変大当りＥである場合には大当り開始６指定コマンドを送信する。大当りの種別が１５Ｒ確変大当りＦである場合には大当り開始７指定コマンドを送信する。大当りの種別が１５Ｒ確変大当りＧである場合には大当り開始８指定コマンドを送信する。大当りの種別が１５Ｒ確変大当りＨである場合には大当り開始９指定コマンドを送信する。大当りの種別が１５Ｒ確変大当りＩである場合には大当り開始１０指定コマンドを送信する。大当りの種別が１５Ｒ確変大当りＪである場合には大当り開始１１指定コマンドを送信する。大当りの種別が１５Ｒ確変大当りＫである場合には大当り開始１２指定コマンドを送信する。大当りの種別が２Ｒ確変大当りである場合には大当り開始１３指定コマンドを送信する。
【０３７５】
Ｓ１３５において、大当りの種別がいずれであるかは、ＲＡＭ５５に記憶されている大当り種別を示すデータ（大当り種別バッファに記憶されているデータ）に基づいて判定される。
【０３７６】
また、ＣＰＵ５６は、演出制御用マイクロコンピュータ１００に通常状態（低確率／低ベース状態）指定コマンドを送信する制御を行なう（Ｓ１３６）。
【０３７７】
また、大当り遊技状態における制御時間を管理するための大入賞口制御タイマに、大当りの発生時において演出表示装置９で大当りが発生したことを報知する大当り表示時間に相当する値を設定する（Ｓ１３７）。また、ＲＡＭ５５に記憶されている大当り種別を示すデータにより特定される大当りの種別に応じて、ＲＯＭ５４に記憶されている開放パターンデータ（図５参照）を参照し、大当りのラウンド数を計数するためのラウンド数計数用カウンタにラウンド数（たとえば、１５Ｒ通常大当りおよび１５Ｒ確変大当りＡ〜Ｋの場合には１５回。２Ｒ確変大当りの場合には２回。）をセットする（Ｓ１３８Ａ）。そして、１ラウンド中における開放回数を計数するためのカウンタとしてのラウンド中開放数カウンタを初期値（０回）にセットする（Ｓ１３８Ｂ）。そして、特別図柄プロセスフラグの値を大入賞口開放前処理（Ｓ３０５）に対応した値に更新し（Ｓ１３９）、処理を終了する。
【０３７８】
また、前述のＳ１３３で大当りフラグがセットされていないときに、ＣＰＵ５６は、小当りフラグがセットされているか否かを確認する（Ｓ１４６）。小当りフラグがセットされていない場合には、表示結果がはずれのときであり、特別図柄プロセスフラグの値を特別図柄通常処理（Ｓ３００）に対応した値に更新し（Ｓ１４７）、処理を終了する。
【０３７９】
小当りフラグがセットされている場合に、ＣＰＵ５６は、小当り開始指定コマンドを演出制御用マイクロコンピュータ１００に送信する制御を行なう（Ｓ１４８Ａ）。
【０３８０】
また、大入賞口制御タイマに小当り表示時間（小当りが発生したことをたとえば演出表示装置９において報知する時間）に相当する値を設定する（Ｓ１４８Ｂ）。また、ＲＯＭ５４に記憶されている小当りの開放パターンデータを参照し、小当り開放前処理（Ｓ３０８）および小当り開放中処理（Ｓ３０９）で大入賞口の開放回数を計数管理するために用いる開放回数カウンタに開放回数（２回）をセットする（Ｓ１４８Ｃ）。そして、特別図柄プロセスフラグの値を小当り開放前処理（Ｓ３０８）に対応した値に更新し（Ｓ１４８Ｄ）、処理を終了する。これにより、その後、小当り開放前処理（Ｓ３０８）および小当り開放中処理（Ｓ３０９）が実行されることにより、小当り遊技状態において２Ｒ確変大当りの大当り遊技状態と同じ態様で大入賞口が２回開放されることとなる。
【０３８１】
図２８は、特別図柄プロセス処理における大入賞口開放前処理（Ｓ３０５）を示すフローチャートである。大入賞口開放前処理において、ＣＰＵ５６は、大入賞口制御タイマの値を−１する（Ｓ４０１）。そして、大入賞口制御タイマの値が０であるか否かを確認し（Ｓ４０２）、大入賞口制御タイマの値が０になっていなければ、Ｓ４１１に進む。
【０３８２】
大入賞口制御タイマの値が０になっている場合には、ＣＰＵ５６は、ソレノイド２１を駆動して大入賞口（特別可変入賞球装置２０）を開放する制御を行なう（Ｓ４０３）。そして、ラウンド数計数用カウンタの値を−１する（Ｓ４０４）。また、ＣＰＵ５６は、大入賞口の開放中（ラウンド中）におけるラウンド数に応じた表示状態を指定する大入賞口開放中指定コマンド（Ａ１ＸＸ（Ｈ））を演出制御用マイクロコンピュータ１００に送信する制御を行ない（Ｓ４０５）、Ｓ４０６に進む。なお、ＣＰＵ５６は、現在のラウンド数を、大当り遊技中のラウンド数をカウントするためのラウンド数計数用カウンタの値を確認することにより認識する。
【０３８３】
次いで、Ｓ４０６において、ＣＰＵ５６は、大当りの種別に応じた開放パターンデータに基づいて、大入賞口制御タイマに、大入賞口が開放可能な最大時間（大入賞口開放時間）に応じた大入賞口開放時間を設定する（Ｓ４０６）。大入賞口開放時間は、ＲＡＭ５５に記憶されている大当り種別を示すデータにより特定される大当りの種別に応じて、ＲＯＭ５４に記憶されている開放パターンデータを参照して設定する。Ｓ４０６において、大入賞口開放時間としては、大当り種別やラウンド数（ラウンド数計数用カウンタの値）、ラウンド中開放数カウンタの値に応じて０．５秒または３０秒がセットされる。
【０３８４】
具体的には、１５Ｒ通常大当りのすべてのラウンド、１５Ｒ確変大当りＡにおける第１〜５ラウンド、１５Ｒ確変大当りＢにおける第１〜６ラウンド、１５Ｒ確変大当りＣにおける第１〜７ラウンド、１５Ｒ確変大当りＤにおける第１〜８ラウンド、１５Ｒ確変大当りＥにおける第１〜９ラウンド、１５Ｒ確変大当りＦにおける第１〜１０ラウンド、１５Ｒ確変大当りＧにおける第１〜１１ラウンド、１５Ｒ確変大当りＨにおける第１〜１２ラウンド、１５Ｒ確変大当りＩにおける第１〜１３ラウンド、１５Ｒ確変大当りＪにおける第１〜１４ラウンド、および、１５Ｒ確変大当りＫにおける第１〜１５ラウンドにおいては、大入賞口開放時間に３０秒がセットされる。
【０３８５】
また、２Ｒ確変大当りのすべてのラウンド、１５Ｒ確変大当りＡにおける第６〜１５ラウンド、１５Ｒ確変大当りＢにおける第７〜１５ラウンド、１５Ｒ確変大当りＣにおける第８〜１５ラウンド、１５Ｒ確変大当りＤにおける第９〜１５ラウンド、１５Ｒ確変大当りＥにおける第１０〜１５ラウンド、１５Ｒ確変大当りＦにおける第１１〜１５ラウンド、１５Ｒ確変大当りＧにおける第１２〜１５ラウンド、１５Ｒ確変大当りＨにおける第１３〜１５ラウンド、１５Ｒ確変大当りＩにおける第１４〜１５ラウンド、および、１５Ｒ確変大当りＪにおける第１５ラウンドラウンドにおいては、大入賞口開放時間に０．５秒がセットされる。
【０３８６】
そして、特別図柄プロセスフラグの値を大入賞口開放中処理（Ｓ３０６）に応じた値に更新する（Ｓ４０７）。
【０３８７】
また、Ｓ４１１の処理では、ＣＰＵ５６は、ラウンド中開放数カウンタの値が０であるか否かによって、ラウンド中の閉鎖であるか否か判定できるが、大入賞口開放中処理において、ラウンド中開放数カウンタの値を−１したときにラウンド中開放数カウンタの値が０でないときにラウンド中の閉鎖を示すフラグをセットし、Ｓ４１１の処理で、そのフラグに基づいてラウンド中の閉鎖であるか否か判定してもよい。その場合には、大入賞口開放中処理に移行するときに、そのフラグをリセットする。
【０３８８】
図２９は、特別図柄プロセス処理における大入賞口開放中処理（Ｓ３０６）を示すフローチャートである。大入賞口開放中処理において、ＣＰＵ５６は、大入賞口制御タイマの値を−１する（Ｓ４２０）。
【０３８９】
そして、ＣＰＵ５６は、大入賞口制御タイマの値が０になったか否か確認する（Ｓ４２１）。大入賞口制御タイマの値が０になっていないときは、カウントスイッチ２３がオンしたか否か確認し（Ｓ４３２）、カウントスイッチ２３がオンしていなければ、処理を終了する。カウントスイッチ２３がオンした場合には、大入賞口への遊技球の入賞個数をカウントするための入賞個数カウンタの値を＋１する（Ｓ４３３）。そして、ＣＰＵ５６は、入賞個数カウンタの値が所定数（たとえば９）になっているか否か確認する（Ｓ４３４）。入賞個数カウンタの値が所定数になっていなければ、処理を終了する。なお、Ｓ４２１とＳ４２２との判定順は逆でもよい。
【０３９０】
入賞個数カウンタの値が所定数になっているときには、ＣＰＵ５６は、ソレノイド２１を駆動して大入賞口を閉鎖する制御を行なう（Ｓ４３５）。そして、Ｓ４３６に進む。
【０３９１】
一方、Ｓ４２１で大入賞口制御タイマの値が０になっている場合には（Ｓ４２１）、ソレノイド２１を駆動して大入賞口を閉鎖する制御を行ない（Ｓ４２２）、Ｓ４３６に進む。
【０３９２】
Ｓ４３６に進んだ場合、ＣＰＵ５６は、入賞個数カウンタの値をクリアする（０にする）。次いで、ＣＰＵ５６は、ラウンド数計数用カウンタの値を確認する（Ｓ４３８）。ラウンド数計数用カウンタの値が０でない場合には、ＣＰＵ５６は、大入賞口の開放後（ラウンドの終了後）におけるラウンド数に応じた表示状態を指定する大入賞口開放後指定コマンド（Ａ２ＸＸ（Ｈ））を演出制御用マイクロコンピュータ１００に送信する制御を行なう（Ｓ４３９）。
【０３９３】
そして、大入賞口制御タイマに、ラウンドが終了してから次のラウンドが開始するまでのインターバル時間に相当する値を設定する（Ｓ４４０）。具体的に、大当り種別は、ＲＡＭ５５における大当り種別バッファに設定した大当り種別を示すデータに基づいて確認する。また、インターバル時間は、ＲＡＭ５５に記憶されている大当り種別を示すデータにより特定される大当りの種別に応じて、ＲＯＭ５４に記憶されている開放パターンデータを参照して設定する。具体的に、インターバル期間は、基本的に５秒である。一方、２Ｒ確変大当りの場合は、これより短い期間（たとえば０．５秒）である。これにより、大当り遊技状態中のラウンド間においては、大入賞口制御タイマの値が０になるまで、インターバル時間となり、インターバル時間について予め定められた演出をする制御が行なわれる。そして、特別図柄プロセスフラグの値を大入賞口開放前処理（Ｓ３０５）に応じた値に更新する（Ｓ４４１）。
【０３９４】
また、開放回数カウンタの値が０である場合に、ＣＰＵ５６は、大当り種別に応じた大当り終了コマンドを演出制御用マイクロコンピュータ１００に送信するための制御を行なう（Ｓ４４２）。具体的に、ＲＡＭ５５における大当り種別バッファに設定した大当り種別を示すデータに基づいて、大当り種別を確認する。そして、大当り種別が１５Ｒ通常大当りであった場合には、大当り終了１指定コマンドを送信する。大当り種別が１５Ｒ確変大当りＡであった場合には、大当り終了２指定コマンドを送信する。大当り種別が１５Ｒ確変大当りＢであった場合には、大当り終了３指定コマンドを送信する。大当り種別が１５Ｒ確変大当りＣであった場合には、大当り終了４指定コマンドを送信する。大当り種別が１５Ｒ確変大当りＤであった場合には、大当り終了５指定コマンドを送信する。大当り種別が１５Ｒ確変大当りＥであった場合には、大当り終了６指定コマンドを送信する。大当り種別が１５Ｒ確変大当りＦであった場合には、大当り終了７指定コマンドを送信する。大当り種別が１５Ｒ確変大当りＧであった場合には、大当り終了８指定コマンドを送信する。大当り種別が１５Ｒ確変大当りＨであった場合には、大当り終了９指定コマンドを送信する。大当り種別が１５Ｒ確変大当りＩであった場合には、大当り終了１０指定コマンドを送信する。大当り種別が１５Ｒ確変大当りＪであった場合には、大当り終了１１指定コマンドを送信する。大当り種別が１５Ｒ確変大当りＫであった場合には、大当り終了１２指定コマンドを送信する。大当り種別が２Ｒ確変大当りであった場合には、大当り終了１３終了指定コマンドを送信する。
【０３９５】
次に、ＣＰＵ５６は、大入賞口制御タイマに大当り終了時間（大当り遊技が終了したことをたとえば、演出表示装置９において報知する時間）に相当する値を設定し（Ｓ４４３）、特別図柄プロセスフラグの値を大当り終了処理（Ｓ３０７）に応じた値に更新し（Ｓ４４４）、処理を終了する。
【０３９６】
図３０は、特別図柄プロセス処理における大当り終了処理（Ｓ３０７）を示すフローチャートである。大当り終了処理において、ＣＰＵ５６は、大入賞口制御タイマの値を１減算する（Ｓ１５１）。そして、ＣＰＵ５６は、大入賞口制御タイマの値が０になっているか否か、すなわち大当り終了時間が経過したか否か確認する（Ｓ１５２）。経過していなければ処理を終了する。一方、経過していれば、大当りフラグをリセットする（Ｓ１５３）。そして、終了する大当りの大当り種別が、１５Ｒ確変大当りＡ〜Ｋ、および、２Ｒ確変大当りのうちのいずれかに該当するか否かを判定する（Ｓ１５４）。
【０３９７】
Ｓ１５４で、前述のような種別の大当りでないときには、大当り遊技状態の終了後に、確変状態に制御せず、時短状態および電チューサポート制御状態に制御しない大当り（１５Ｒ通常大当り）であるので、高確率フラグおよび時短フラグをセットせずにＳ１６０に進む。
【０３９８】
一方、Ｓ１５４で、判定される種別の大当りは、すべて確変大当りであるので、これら種別の大当りであるときには、高確率フラグをセットして遊技状態を確変状態に移行させる（Ｓ１５５）。
【０３９９】
次に、これら種別の大当りのうち、終了する大当りの種別が、１５Ｒ確変大当りＡ〜Ｋのいずれかに該当するか否か確認する（Ｓ１５６）。１５Ｒ確変大当りＡ〜Ｋは、確変状態に制御するとともに、時短状態および電チューサポート制御状態に制御する大当りであるので、１５Ｒ確変大当りＡ〜Ｋのいずれかに該当するときには、時短フラグをセットし（Ｓ１５７）する。そして、ＣＰＵ５６は、演出制御用マイクロコンピュータ１００に対して高確率／高ベース状態指定コマンドを送信する制御を行ない（Ｓ１５８）、Ｓ１５８Ａに進む。
【０４００】
Ｓ１５８Ａでは、保留記憶中に１５Ｒ確変大当り（１５Ｒ確変大当りＡ〜Ｋのいずれか）となる保留記憶情報が含まれているかどうかを判定する（１５８Ａ）。１５８Ａで、そのような保留記憶情報が含まれていないときはＳ１６０に進み、一方、そのような保留記憶情報が含まれている含まれているときは、特別大当り保留記憶フラグをセットし（Ｓ１５８Ｂ）、Ｓ１６０に進む。
【０４０１】
前述したように、特別大当り保留記憶フラグは、１５Ｒ確変大当りＡ〜Ｋのいずれかの大当り遊技状態において記憶されている保留記憶情報中に１５Ｒ確変大当りＡ〜Ｋのいずれかとなる保留記憶情報が含まれているときにセットされるフラグであり、大当り遊技状態終了後に、当該保留記憶情報に基づく変動表示を、前述したような超時短の変動時間での変動パターンで実行させるために用いられる。これにより、１５Ｒ確変大当りの大当り遊技状態の終了後、大当り遊技状態において存在した保留記憶情報のうち１５Ｒ確変大当りとなる変動表示が実行されるまで超時短の変動パターンの変動表示が実行されることで、保留記憶が極めて短時間で消化されることとなる。
【０４０２】
また、前述したＳ１５６で１５Ｒ確変大当りＡ〜Ｋのいずれにも該当しないときは、消去法的に２Ｒ確変大当りであり、２Ｒ確変大当りでは、確変状態に制御するが時短状態および電チューサポート制御状態に制御しない大当りであるので、大当り終了処理においては、時短フラグをセットしない。そして、ＣＰＵ５６は、演出制御用マイクロコンピュータ１００に対して高確率／低ベース状態指定コマンドを送信する制御を行ない（Ｓ１５９）、Ｓ１６０に進む。
【０４０３】
Ｓ１６０において、ＣＰＵ５６は、特別図柄プロセスフラグの値を特別図柄通常処理（Ｓ３００）に対応した値に更新し（Ｓ１７０）、処理を終了する。
【０４０４】
前述したＳ１５４，Ｓ１５６において、大当り種別は、ＲＡＭ５５における大当り種別バッファに設定した大当り種別を示すデータに基づいて確認される。
【０４０５】
前述したように、高確率／高ベース状態となるとき、および、高確率／低ベース状態となるときには、これらの状態を指定する遊技状態指定コマンドが送信されることにより、演出制御用マイクロコンピュータ１００において、遊技状態が、高確率／低ベース状態、高確率／低ベース状態、および、高確率／高ベース状態のいずれにあるかを認識することができるので、遊技状態の種別に応じて異なる演出を行なうことができる。
【０４０６】
また、取り扱うタイマやフラグは異なるものの、Ｓ３０８の小当り開放前処理はＳ３０５の大当り開放前処理において２Ｒ確変大当りのときに実行される処理と同様の処理であり、Ｓ３０９の小当り開放中処理はＳ３０６の大当り開放中処理において２Ｒ確変大当りのときに実行される処理と同様の処理であり、Ｓ３１０の小当り終了処理はＳ３０７の大当り終了処理において２Ｒ確変大当りのときに実行される処理と同様の処理であり、これらの処理が実行されることにより、小当り遊技状態では、２Ｒ確変大当りのときの大当り遊技状態と同様の開放パターンで特別可変入賞球装置２０の大入賞口が開放動作させられる。小当り終了処理においては、高確率フラグおよび時短フラグはセットされない。
【０４０７】
次に、演出制御基板８０における動作を説明する。図３１は、演出制御メイン処理の一例を示すフローチャートである。
【０４０８】
演出制御基板８０では、電源基板等から電源電圧の供給を受けると、演出制御用ＣＰＵ１０１が起動して、図３１のフローチャートに示すような演出制御メイン処理を実行する。図３１に示す演出制御メイン処理を開始すると、演出制御用ＣＰＵ１０１は、まず、所定の初期化処理を実行して（Ｓ５０１）、ＲＡＭ１２２のクリアや各種初期値の設定、また演出制御基板８０に搭載されたＣＴＣ（カウンタ／タイマ回路）のレジスタ設定等を行なう。その後、タイマ割込みフラグがオンとなっているか否かの判定を行なう（Ｓ５０２）。タイマ割込みフラグは、たとえばＣＴＣのレジスタ設定に基づき、所定時間（たとえば２ミリ秒）が経過するごとにオン状態にセットされる。このとき、タイマ割込みフラグがオフであれば（Ｓ５０２；Ｎｏ）、Ｓ５０２の処理を繰り返し実行して待機する。
【０４０９】
また、演出制御基板８０の側では、所定時間が経過するごとに発生するタイマ割込みとは別に、主基板３１から演出制御コマンドを受信するための割込みが発生する。この割込みは、たとえば主基板３１からの演出制御ＩＮＴ信号がオン状態となることにより発生する割込みである。演出制御ＩＮＴ信号がオン状態となることによる割込みが発生すると、演出制御用ＣＰＵ１０１は、自動的に割込み禁止に設定するが、自動的に割込み禁止状態にならないＣＰＵを用いている場合には、割込み禁止命令（ＤＩ命令）を発行することが望ましい。演出制御用ＣＰＵ１０１は、演出制御ＩＮＴ信号がオン状態となることによる割込みに対応して、たとえば所定のコマンド受信割込み処理を実行する。このコマンド受信割込み処理では、Ｉ／Ｏに含まれる入力ポートのうちで、中継基板７７を介して主基板３１から送信された制御信号を受信する所定の入力ポートより、演出制御コマンドとなる制御信号を取込む。このとき取込まれた演出制御コマンドは、たとえば演出制御基板８０に搭載されたＲＡＭにおける演出制御バッファ設定部に設けられた演出制御コマンド受信用バッファに格納する。一例として、演出制御コマンドが２バイト構成である場合には、１バイト目（ＭＯＤＥ）と２バイト目（ＥＸＴ）を順次に受信して演出制御コマンド受信用バッファに格納する。その後、演出制御用ＣＰＵ１０１は、割込み許可に設定してから、コマンド受信割込み処理を終了する。
【０４１０】
Ｓ５０２でタイマ割込みフラグがオンである場合には（Ｓ５０２；Ｙｅｓ）、タイマ割込みフラグをクリアしてオフ状態にするとともに（Ｓ５０３）、コマンド解析処理を実行する（Ｓ５０４）。Ｓ５０４で実行されるコマンド解析処理では、たとえば主基板３１の遊技制御用マイクロコンピュータ５６０から送信されて演出制御コマンド受信用バッファに格納されている各種の演出制御コマンドを読出した後に、その読出された演出制御コマンドに対応した設定や制御等が行なわれる。
【０４１１】
Ｓ５０４でコマンド解析処理を実行した後には、演出制御プロセス処理を実行する（Ｓ５０５）。Ｓ５０５の演出制御プロセス処理では、たとえば演出表示装置９の表示領域における演出画像の表示動作、スピーカ２７からの音声出力動作、枠ＬＥＤ２８および装飾ＬＥＤ２５というような装飾発光体における点灯動作、演出用模型における駆動動作というような、各種の演出装置を用いた演出動作の制御内容について、主基板３１から送信された演出制御コマンド等に応じた判定や決定、設定等が行なわれる。
【０４１２】
Ｓ５０５の演出制御プロセス処理に続いて、演出用乱数更新処理が実行され（Ｓ５０６）、演出制御に用いる各種の乱数値として、ＲＡＭに設けられた演出制御カウンタ設定部のランダムカウンタによってカウントされる演出用乱数を示す数値データを、ソフトウェアにより更新する。演出制御用ＣＰＵ１０１では、演出用乱数として、演出図柄の表示結果を決定するために用いるＳＲ１−１（左演出図柄決定用），ＳＲ１−２（中演出図柄決定用），ＳＲ１−３（右演出図柄決定用）が用いられる。さらに、演出制御用ＣＰＵ１０１では、演出用乱数として、先読み予告を実行するか否かの判定および先読み予告を実行するときの演出態様（ステージ（演出場面））の選択を行なう先読み予告判定用乱数ＳＲ２等の各種の演出用乱数が用いられる。
【０４１３】
このような演出制御メイン処理が実行されることにより、演出制御用ＣＰＵ１０１では、遊技制御用マイクロコンピュータ５６０から送信され、受信した演出制御コマンドに応じて、演出表示装置９、各種ＬＥＤ２５，２８等の各種ランプ、および、スピーカ２７等の演出装置を制御することにより、遊技状態に応じた各種の演出制御が行なわれる。
【０４１４】
たとえば、演出制御用マイクロコンピュータ１００においては、変動パターンコマンドを受信したときに、演出図柄の変動表示を開始させ、図柄確定指定コマンドを受信したときに、演出図柄の変動表示を停止させる。変動表示は、各変動パターンコマンドに対応する変動時間で実行されるように制御される。また、演出図柄の停止図柄は、表示結果指定コマンドに基づいて、はずれとなるか大当りとなるかの判別、および、大当りとなるときの大当り種別の判別を行ない、前述したような演出図柄の表示結果決定用の演出用乱数（ＳＲ１−１，ＳＲ１−２，ＳＲ１−３）を用いて決定される。
【０４１５】
たとえば、「１５Ｒ確変大当りＡ〜Ｋ」、および、「１５Ｒ通常大当り」のような大当りとなるときには、大当り種別に対応して予め定められた大当り表示結果（ゾロ目の表示結果）が決定される。また、「２Ｒ確変大当り」または「小当りと」なるときには、大当り図柄の組合せ以外の図柄の組合せよりなるチャンス目が表示結果として決定される。また、はずれとなるときには、ぞろ目とならない左，中，右の演出図柄の組合せをはずれ表示結果としてランダムに決定する。ただし、はずれとなるときにおいて、変動パターンコマンドがリーチとなることを指定するコマンドであるときには、変動表示中において左，右の図柄が揃ったリーチ図柄を形成することが可動なはずれ表示結果を決定し、変動パターンコマンドがリーチとならない（通常変動となる）ことを指定するコマンドであるときには、変動表示中において左，右の図柄が揃ったリーチ図柄を形成しないようなはずれ表示結果を決定する。
【０４１６】
また、変動パターンコマンドにおいてノーマルリーチが指定されたときには、各ノーマルリーチの種類に対応したリーチ演出が行なわれる。さらに、変動パターンコマンドにおいてスーパーリーチが指定されたときには、各スーパーリーチの種類に対応したリーチ演出が行なわれる。
【０４１７】
図３２は、図３１に示された演出制御メイン処理におけるコマンド解析処理（Ｓ５０４）を示すフローチャートである。
【０４１８】
図３２に示すコマンド解析処理において、演出制御用ＣＰＵ１０１は、まず、演出制御コマンド受信用バッファの記憶内容を確認すること等により、中継基板１５を介して伝送された主基板３１からの受信コマンドがあるか否かを判定する（Ｓ５１１）。このとき、受信コマンドがなければ（Ｓ５１１；Ｎｏ）、コマンド解析処理を終了する。
【０４１９】
Ｓ５１１で受信コマンドがある場合には（Ｓ５１１；Ｙｅｓ）、たとえば受信コマンドのＭＯＤＥデータを確認すること等により、以下のように、その受信コマンドがどのようなコマンドであるかを判定する。たとえば、その受信コマンドがいずれかの図柄指定コマンドであるか否かを判定する（Ｓ５１２）。Ｓ５１１で受信コマンドが図柄指定コマンドではない場合には（Ｓ５１２；Ｎｏ）、その受信コマンドがいずれかの変動カテゴリコマンドであるか否かを判定する（Ｓ５１３）。Ｓ５１３で受信コマンドが変動カテゴリコマンドではない場合には（Ｓ５１３；Ｎｏ）、受信コマンドが第１始動入賞指定コマンドであるか否かを判定する（Ｓ５１４）。Ｓ５１４で受信コマンドが第１始動入賞指定コマンドではない場合には（Ｓ５１４；Ｎｏ）、受信コマンドが第２始動入賞指定コマンドであるか否かを判定する（Ｓ５１５）。Ｓ５１５で受信コマンドが第２始動入賞指定コマンドではない場合には（Ｓ５１５；Ｎｏ）、受信コマンドが合算保留記憶数指定コマンドであるか否かを判定する（Ｓ５１６）。Ｓ５１６で受信コマンドが合算保留記憶数指定コマンドでない場合には、その他の受信コマンドに応じた設定を行ない（Ｓ５１８）、Ｓ５１１の処理に戻る。
【０４２０】
Ｓ５１２〜Ｓ５１６のそれぞれで、該当するコマンドであると判定されたときには、次のように、受信コマンドを始動入賞時受信コマンドバッファにおける空き領域の先頭に格納し（Ｓ５１７）、Ｓ５１１の処理に戻る。
【０４２１】
Ｓ５１２で受信した演出制御コマンドがいずれかの図柄指定コマンドであれば受信した図柄指定コマンドを、演出制御基板８０に搭載されたＲＡＭに設けられた始動入賞時受信コマンドバッファの空いている最初の格納領域における図柄指定コマンド用の領域に格納する（Ｓ５１７）。また、Ｓ５１３で受信した演出制御コマンドがいずれかの変動カテゴリコマンドであれば、受信した変動カテゴリコマンドを、始動入賞時受信コマンドバッファの各格納領域のうち最新の図柄指定コマンドが格納されている格納領域における変動カテゴリコマンド用の領域に格納する（Ｓ５１７）。ただし、最新の図柄指定コマンドが格納されている格納領域に既に変動カテゴリコマンド、始動入賞指定コマンド、または、合算保留記憶数指定コマンドが格納されていた場合には、今回のタイマ割込内で変動カテゴリコマンドよりも先に受信すべき図柄指定コマンドを取りこぼしてしまったことを意味する。その場合には、受信した変動カテゴリコマンドを、始動入賞時受信コマンドバッファの空いている最初の格納領域における変動カテゴリコマンド用の領域に格納する（Ｓ５１７）。
【０４２２】
また、Ｓ５１４で受信した演出制御コマンドが第１始動入賞指定コマンドであれば、演出制御用ＣＰＵ１０１は、受信した第１始動入賞指定コマンドを、始動入賞時受信コマンドバッファに設けられた複数の格納領域のうち最新の図柄指定コマンドおよび変動カテゴリコマンドが格納されている格納領域における始動入賞指定コマンド用の領域に格納する（Ｓ５１７）。
【０４２３】
また、Ｓ５１５で受信した演出制御コマンドが第２始動入賞指定コマンドであれば、演出制御用ＣＰＵ１０１は、受信した第２始動入賞指定コマンドを、始動入賞時受信コマンドバッファに設けられた複数の格納領域のうち最新の図柄指定コマンドおよび変動カテゴリコマンドが格納されている格納領域における始動入賞指定コマンド用の領域に格納する（Ｓ５１７）。
【０４２４】
Ｓ５１６で受信した演出制御コマンドが合算保留記憶数指定コマンドであれば、受信した合算保留記憶数指定コマンドを、始動入賞時受信コマンドバッファに設けられた複数の格納領域のうち最新の図柄指定コマンドおよび変動カテゴリコマンドが格納されている格納領域における合算保留記憶数指定コマンド用の領域に格納する（Ｓ５１７）。
【０４２５】
また、この実施の形態では、始動入賞の発生時に受信する図柄指定コマンド、変動カテゴリコマンド、始動入賞指定コマンドおよび合算保留記憶数指定コマンドを、包括的に表現する場合に、始動入賞時のコマンドともいう。また、これら始動入賞時のコマンドのうち、第１保留記憶数または第２保留記憶数が増加したことを認識可能な情報を指定するコマンドである始動入賞指定コマンドおよび合算保留記憶数指定コマンドを、包括的に表現する場合に、保留記憶情報ともいう。また、始動入賞時の入賞時演出処理（図２４参照）で判定される大当りまたは小当りとなるか否か、大当り種別の判定結果、変動パターン種別の判定結果を示すコマンドである図柄指定コマンドおよび変動カテゴリコマンドを、包括的に表現する場合に、入賞時判定結果指定コマンドともいい、判定結果情報ともいう。
【０４２６】
また、始動入賞が発生したときに、乱数値ＭＲ１〜ＭＲ３等を示す数値データに基づいて、変動表示結果が「大当り」または「小当り」に決定されるか否かの判定結果、大当り種別の判定結果、変動カテゴリの判定結果を指定する演出制御コマンドである図柄指定コマンド、および、変動カテゴリコマンドは、判定結果情報ともいう。
【０４２７】
なお、始動入賞時受信コマンドバッファにおける空き領域の先頭から順次に受信コマンドを格納するときには、受信コマンドが、図柄指定コマンド、変動カテゴリコマンド、始動入賞指定コマンド、および、合算保留記憶数指定コマンドのうちいずれであるかを区別せずに格納してもよいし、各受信コマンドを区別して、対応する格納領域における空き領域の先頭に格納してもよい。各受信コマンドを区別して受信する場合には、取りこぼした受信コマンドの格納領域が空欄となり、１セットとして受信すべき一部の演出制御コマンドのみが過剰に格納されることになる。
【０４２８】
このようなコマンド解析処理においては、コマンドを受信したときに、必要に応じて、後述するような演出制御に用いるために、受信したコマンドを特定可能なコマンド受信フラグをセットする。このようにセットされたコマンド受信フラグは、演出制御において不要になった段階で適宜リセットされる。
【０４２９】
図３３は、図３１に示された演出制御メイン処理における演出制御プロセス処理（Ｓ５０５）を示すフローチャートである。
【０４３０】
図３３に示す演出制御プロセス処理において、演出制御用ＣＰＵ１０１は、たとえばＲＡＭの演出制御フラグ設定部等に設けられた演出制御プロセスフラグの値に応じてＳ８００〜Ｓ８０７のうちのいずれかの処理を行なう。各処理において、以下のような処理を実行する。なお、演出制御プロセス処理では、演出表示装置９の表示状態が制御され、演出図柄の変動表示が実現されるが、第１特別図柄の変動に同期した演出図柄の変動表示に関する制御も、第２特別図柄の変動に同期した演出図柄の変動表示に関する制御も、１つの演出制御プロセス処理において実行される。
【０４３１】
変動パターンコマンド受信待ち処理（Ｓ８００）：遊技制御用マイクロコンピュータ５６０から変動パターンコマンドを受信しているか否か確認する。具体的には、変動パターンコマンドを受信したときにコマンド解析処理でセットされる変動パターンコマンド受信フラグがセットされているか否か確認する。変動パターンコマンドを受信していれば、演出制御プロセスフラグの値を演出図柄変動開始処理（Ｓ８０１）に対応した値に変更する。
【０４３２】
演出図柄変動開始処理（Ｓ８０１）：演出図柄の変動表示が開始されるように制御する。また、演出図柄の停止図柄（表示結果）を停止図柄決定用の乱数値に基づいて決定する。変動表示の開始時に、受信した変動パターンコマンドに対応して実行する変動表示の変動時間を計時する変動表示時間タイマの計時をスタートさせる。そして、演出制御プロセスフラグの値を演出図柄変動中処理（Ｓ８０２）に対応した値に更新する。
【０４３３】
演出図柄変動中処理（Ｓ８０２）：変動パターンを構成する各変動状態（変動速度）の切替えタイミング等を制御するとともに、変動表示時間タイマにより計時される変動時間が終了したか否かを監視する。そして、変動時間が終了したか、または、全図柄停止を指示する演出制御コマンド（図柄確定指定コマンド）を受信したことに基づいて、変動表示を終了させるために、演出制御プロセスフラグの値を演出図柄変動停止処理（Ｓ８０３）に対応した値に更新する。
【０４３４】
演出図柄変動停止処理（Ｓ８０３）：演出図柄の変動表示を停止し、変動表示の表示結果（停止図柄）を導出表示する制御を行なう。そして、大当り表示結果となるときには、演出制御プロセスフラグの値を大当り表示処理（Ｓ８０４）に対応した値に更新し、はずれ表示結果となるときには、演出制御プロセスフラグの値を変動パターンコマンド受信待ち処理（Ｓ８００）に対応した値に更新する。
【０４３５】
大当り表示処理（Ｓ８０４）：変動時間の終了後、演出表示装置９に大当りの発生を報知するための画面を表示する制御を行なう。そして、演出制御プロセスフラグの値をラウンド中処理（Ｓ８０５）に対応した値に更新する。
【０４３６】
ラウンド中処理（Ｓ８０５）：ラウンド中の表示制御を行なう。そして、ラウンド終了条件が成立したら、最終ラウンドが終了していなければ、演出制御プロセスフラグの値をラウンド後処理（Ｓ８０６）に対応した値に更新する。最終ラウンドが終了していれば、演出制御プロセスフラグの値を大当り終了処理（Ｓ８０７）に対応した値に更新する。
【０４３７】
ラウンド後処理（Ｓ８０６）：ラウンド間の表示制御を行なう。そして、ラウンド開始条件が成立したら、演出制御プロセスフラグの値をラウンド中処理（Ｓ８０５）に対応した値に更新する。
【０４３８】
大当り終了演出処理（Ｓ８０７）：演出表示装置９において、大当り遊技状態が終了したことを遊技者に報知する表示制御を行なう。そして、演出制御プロセスフラグの値を変動パターンコマンド受信待ち処理（Ｓ８００）に対応した値に更新する。
【０４３９】
演出制御用マイクロコンピュータ１００においては、変動パターンコマンド受信待ち処理において変動パターンコマンドを受信したときに、演出図柄変動開始処理により演出図柄の変動表示を開始させ、演出図柄変動中処理において図柄確定指定コマンドを受信したときに、演出図柄変動開始処理により演出図柄の変動表示を停止させる。変動表示は、各変動パターンコマンドに対応する変動時間で実行されるように制御される。また、演出図柄の停止図柄は、演出図柄変動開始処理において、表示結果指定コマンドに基づいて、はずれとなるか、大当りとなるか、小当りとなるかの判別、および、大当りとなるときの大当り種別の判別を行なうことに基づいて決定する。
【０４４０】
演出図柄変動開始処理においては、演出図柄の変動表示の表示結果を次のように決定する。１５Ｒ通常大当りおよび１５Ｒ確変大当りＡ〜Ｋとなるときには、左，中，右の演出図柄が揃ったぞろ目の大当り図柄の組合せを演出図柄の大当り表示結果として決定する。大当り図柄の組合せは、たとえば、１５Ｒ通常大当りとなるときには、たとえば、「４」等の偶数のぞろ目を大当り図柄の組合せとして決定する。また、１５Ｒ確変大当りＡ〜Ｋとなるときには、たとえば、「７」等の奇数のぞろ目を大当り図柄の組合せとして決定する。
【０４４１】
このように、偶数のぞろ目と、奇数のぞろ目との表示結果で１５Ｒ通常大当りと、１５Ｒ確変大当りＡ〜Ｋとを区別することにより、確変大当りであるかどうかを区別しやすいようにすることができる。また、１５Ｒ通常大当りとなるときには奇数図柄の組合せを大当り表示結果として選択決定し、１５Ｒ確変大当りＡ〜Ｋとなるときには偶数図柄の組合せを大当り表示結果として決定してもよい。あるいは、１５Ｒ通常大当りとなるときには偶数図柄の組合せを大当り表示結果として選択決定し、１５Ｒ確変大当りＡ〜Ｋとなるときには偶数図柄または奇数図柄の組合せを大当り表示結果として決定してもよい。
【０４４２】
また、２Ｒ確変大当りとなるときには、大当り図柄の組合せ以外の図柄の組合せよりなるチャンス目を、大当り図柄の組合せとして決定する。なお、２Ｒ確変大当りとなるときに表示するチャンス目は、複数種類のチャンス目のうちから選択決定するようにしてもよい。また、小当りとなるときには、２Ｒ確変大当りとなるときと同様にチャンス目を、小当り図柄の組合せとして決定する。
【０４４３】
一方、はずれとなるときには、ぞろ目とならない左，中，右の演出図柄の組合せをはずれ表示結果としてランダムに決定する。ただし、はずれとなるときにおいて、変動パターンコマンドがリーチとなることを指定するコマンドであるときには、変動表示中において左，右の図柄が揃ったリーチ図柄を形成することが可動なはずれ表示結果を決定し、変動パターンコマンドがリーチとならない（通常変動となる）ことを指定するコマンドであるときには、変動表示中において左，右の図柄が揃ったリーチ図柄を形成しないようなはずれ表示結果を決定する。
【０４４４】
なお、変動パターンコマンドにより、変動パターンに加えて、大当りとするか否か、および、大当りの種別を特定可能とする場合には、変動パターンコマンドにより特定される大当りとするか否かの情報、および、大当りの種別の情報に基づいて、演出図柄の停止図柄の組合せを決定するようにしてもよい。
【０４４５】
また、変動パターンコマンドにおいてノーマルリーチが指定されたときには、演出図柄変動中処理において、各ノーマルリーチの種類に対応したリーチ演出が行なわれる。さらに、変動パターンコマンドにおいてスーパーリーチが指定されたときには、演出図柄変動中処理において、各スーパーリーチの種類に対応したリーチ演出が行なわれる。
【０４４６】
また、演出制御用マイクロコンピュータ１００においては、コマンド解析処理により、遊技制御用マイクロコンピュータ５６０から送信されてくる遊技状態指定コマンドとしての低確率／低ベース状態指定コマンド、高確率／高ベース状態指定コマンド、高確率／低ベース状態指定コマンド等に基づいて、遊技状態がどのような状態にあるかを特定するデータを記憶し、その記憶データに基づいて、遊技状態を常に認識する。そして、このように認識している遊技状態と、遊技制御用マイクロコンピュータ５６０から送信されてくる変動パターンコマンドとに基づいて、演出制御用マイクロコンピュータ１００は、演出制御プロセス処理により、現在の遊技状態に応じた演出態様で演出図柄の変動表示を実行させることが可能である。
【０４４７】
また、演出制御用マイクロコンピュータ１００においては、演出制御プロセス処理において、前述した潜伏演出制御を次のように行なう。２Ｒ確変大当りの終了を示す大当り終了１３指定コマンドを受信したときと、小当りの終了を示す小当り指定コマンドを受信したときには、演出制御プロセス処理において、大当り遊技状態の終了時および小当り遊技状態の終了時のそれぞれにおいて、次に大当りが終了するまでの間に亘り潜伏演出フラグをセットする。そして、潜伏演出フラグがセットされている間において、演出制御用マイクロコンピュータ１００は、確変状態であるか否かを報知せず、共通の背景画像を表示する等、確変状態となっているか否かを遊技者が認識しにくい潜伏演出を行なう。なお、このような潜伏演出は、次回の大当りが発生するまでの期間継続させる例の他に、所定回数（たとえば、１００回等）の変動表示（特別図柄および演出図柄の変動表示）が実行されるまでの期間継続させるようにしてもよい。
【０４４８】
次に、演出制御用マイクロコンピュータ１００により実行される大当り遊技状態の継続報知演出について説明する。継続報知演出は、１５Ｒ確変大当りの大当り遊技状態において、実質的に大入賞口に入賞可能なラウンドの継続期間を特定可能な情報を複数回に分けて、ランクアップ（たとえば、最初５Ｒと報知していた期間を次に１０Ｒと報知することで継続期間がランクアップするようなもの）可能に報知することにより、遊技の興趣を高めるための演出である。継続報知演出は、前述したようにランクアップ演出とも呼ばれる。この実施の形態においては、大当り遊技状態において報知する、実質的に大入賞口に入賞可能なラウンドの継続期間を特定可能な情報として、ラウンド数を示すことによりラウンドの継続期間を特定可能とした情報を一例として示す。しかし、これに限らず、実質的に大入賞口に入賞可能なラウンドの継続期間を特定可能な情報は、ラウンド数に対応した入賞個数または賞球個数を示すことによりラウンドの継続期間を特定可能とした情報（たとえば、１Ｒの継続期間を１Ｒ分の入賞個数（入賞９個）で特定し、２Ｒの継続期間を２Ｒ分の入賞個数（入賞１８個）で特定する等）でもよい。また、実質的に大入賞口に入賞可能なラウンドの継続期間を特定可能な情報は、ラウンド数に対応した時間（たとえば、３０秒というような開放時間）を示すことによりラウンドの継続期間を特定可能とした情報（たとえば、１Ｒの継続期間を１Ｒ分の大入賞口の開放時間（３０秒）で特定し、２Ｒの継続期間を２Ｒ分の大入賞口の開放時間（６０秒）で特定する等）でもよい。
【０４４９】
継続報知演出としては、大当り遊技状態において、まず、１５Ｒ確変大当りＡ〜Ｋで実質的に大入賞口に入賞可能なラウンドの最大総継続期間（たとえば、１５Ｒ、以下最大総Ｒ数と呼ぶ）未満となる第１期間（たとえば、５Ｒ、以下第１期間と呼ぶ）を特定可能に報知する第１継続報知演出が、大当り遊技状態の開始時に実行させられる。
【０４５０】
そして、第１継続報知演出が行なわれた後に、実行が開始される大当り遊技状態、すなわち、複数種類の１５Ｒ確変大当りＡ〜Ｋのうちから選択決定された種別の大当り遊技状態において実質的に大入賞口に入賞可能なラウンドの総継続期間（たとえば、１５Ｒ確変大当りＦでは１０Ｒ、１５Ｒ確変大当りＫでは１５Ｒ、以下、決定総Ｒ数と呼ぶ）と、前述の第１期間との差分期間（たとえば、１５Ｒ確変大当りＦでは１０Ｒ−５Ｒ＝５Ｒの期間）以下である第２期間（たとえば、現報知Ｒ数＋１Ｒ、現報知Ｒ数＋２Ｒ、現報知Ｒ数＋３Ｒの期間であり、以下第２期間と呼ぶ）を特定可能に報知する（たとえば、現報知Ｒ数が５Ｒであり、３Ｒを追加報知するときには、加算分だけ＋３Ｒと報知してもよく、合計８Ｒと報知してもよい）第２継続報知演出が、各ラウンドで実行され得る。
【０４５１】
また、第１継続報知演出が行なわれた後に、当該報知演出が行なわれた大当り遊技状態の終了後に、次の新たな１５Ｒ確変大当りＡ〜Ｋの大当り遊技状態が実行されることが判定されたときに（当該報知演出が行なわれた大当り遊技状態が終了するまでに保留記憶中に特定の大当り（たとえば、１５Ｒ確変大当りＡ〜Ｋ）となる保留記憶情報が含まれているとき）は、前述の最大総Ｒ数（１５Ｒ）と前述の第１継続報知演出または第２継続報知演出により特定される期間との差分期間（たとえば、第１継続報知演出（５Ｒ）＋第２継続報知演出（たとえば、＋３Ｒ）により合計８Ｒまで報知されているときは、１５Ｒ−８Ｒ＝７Ｒの期間）を超える超過Ｒ数としての第３期間（たとえば、差分期間が７Ｒのときは＋８Ｒ（合計１６Ｒ）の期間であり、以下、超過Ｒ数と呼ぶ場合がある）を特定可能に報知する第３継続報知演出が各ラウンドで実行され得る。
【０４５２】
本実施の形態において、このような第１〜第３継続報知演出は、大当り遊技状態のうちの１５Ｒ確変大当りＡ〜Ｋのいずれかの大当り遊技状態となったときに実行される。また、前述したような、１５Ｒ確変大当りＡ〜Ｋのうちの特定種類の確変大当りの大当り遊技状態となったときにのみ、保留記憶中に１５Ｒ確変大当りとなる保留記憶情報が含まれているか否かにかかわらず、大当り遊技状態終了後に、保留記憶数の上限値の範囲内において、超時短の変動パターンで変動表示が実行される構成を用いる場合においては、超時短の変動パターンで変動表示が実行される特定種類の１５Ｒ確変大当りの大当り遊技状態となったときにのみ、保留記憶中に１５Ｒ確変大当りとなる保留記憶情報が含まれていることを特定可能な第３継続報知演出を実行するようにしてもよい。このように、超時短の変動パターンで変動表示が実行される特定種類の１５Ｒ確変大当りの大当り遊技状態となったときにのみ第３継続報知演出を実行する理由は、次のとおりである。特定種類の確変大当りの大当り遊技状態となったときにのみ超時短の変動パターンで変動表示が実行される場合には、第３継続報知演出を実行すると、大当り遊技状態の終了後の超時短の変動表示により短時間で保留記憶が消化されるので、第３継続報知演出により存在することが特定された保留記憶中の１５Ｒ確変大当りが大当り遊技状態の終了後において１５Ｒ確変大当りが連続的に実行されるかのように早期に出現することとなる。遊技者としては、このように第３継続報知演出が実行されれば、次の１５Ｒ確変大当りが、連続的に実行されるかのように早期に出現するので、第３継続報知演出に対する遊技者の期待感を向上させることができる。また、特定種類以外の１５Ｒ確変大当りの大当り遊技状態となったときはこのような超時短の変動表示と第３継続報知演出とを組合わせた制御が行なわれないので、次の１５Ｒ確変大当りが早期に出現し得ないこととなる。これにより、１５Ｒ確変大当りの種類に応じて、次の１５Ｒ確変大当りが早期に出現する制御と、次の１５Ｒ確変大当りが早期に出現しない制御とが実行されるので、演出制御のバリエーションを豊富にして演出の面白みを向上させることができる。
【０４５３】
また、図６の開放パターンの変形例として前述したような、１ラウンド中に大入賞口が開放する回数が異なる１５Ｒ確変大当りを複数種類設けることで、実質的に大入賞口に入賞可能な期間（開放期間数）が異なるようにした構成では、各ラウンドに開放期間が設けられたことにより、実質的に大入賞口に入賞可能なラウンドが終了した後、実質的に大入賞口に入賞不可能なラウンドを経ることなく大当り遊技状態が終了するので、大当り遊技状態の終了後に超時短の変動表示をして保留記憶内の１５Ｒ確変大当りを早期に出現させる制御を行なうときには、実質的に大入賞口に入賞可能な期間が終了してから次の１５Ｒ確変大当りをより一層早期に出現させることができる。
【０４５４】
次に、大当り遊技状態におけるランクアップ演出としての継続報知演出の具体例を図を用いて説明する。図３４は、継続報知演出の一例を示す演出表示装置９の表示画面図である。図３５は、継続報知演出において報知する第１期間〜第３期間の表示例を示す画像図である。
【０４５５】
図３４においては、１５Ｒ確変大当りＫ（実質的に大入賞口に入賞可能なラウンド数が１５Ｒ）の大当り遊技状態において、前述した第１期間の報知後に第２期間が報知され、その後、最大総Ｒ数を超える第３期間が報知される例と、決定総Ｒ数以内で第２期間が報知される例とが示されている。
【０４５６】
演出表示装置９においては、次のように各種画像が表示される。大当り遊技状態の開始時（第１Ｒ開始前の大当り表示時、または第１Ｒ開始直後）には、図３４（Ａ）に示す「５Ｒまで続くよ」という第１期間（５Ｒ）を特定可能な第１期間特定画像が、継続報知ラウンド画像９１として表示される。これにより、大当り遊技状態が５Ｒまで継続することが保証されていることを演出により確認することが可能となる。図３４（Ａ）は、第３Ｒ目の表示例であるが、演出表示装置９においては、各ラウンドにおいて、現在のラウンド数を報知する現ラウンド報知画像９２が表示される。これにより、大当り遊技状態における現ラウンド数を演出により確認することが可能となる。
【０４５７】
そして、図３４（Ａ）〜（Ｅ）に示すように、各ラウンドにおいては、第２期間を特定可能な第２期間特定画像Ｃ１，Ｃ３が表示される場合（図３４（Ｂ），（Ｅ））と、第３期間を特定可能な第３期間特定画像Ｃ３０が表示される場合（図３４（Ｄ））と、このような第２期間または第３期間が表示されない場合（図３４（Ａ））とが生じる。
【０４５８】
図３５（Ａ）〜（Ｃ）に示すように、第２期間特定画像Ｃ１〜Ｃ３としては、追加報知するラウンド数（＋１Ｒ、＋２Ｒ，＋３Ｒ）と、当該追加報知ラウンド数に対応したキャラクタとが組合された画像が表示される。＋１Ｒを特定する第２期間特定画像Ｃ１と、＋２Ｒを特定する第２期間特定画像Ｃ２と、＋３Ｒを特定する第２期間特定画像Ｃ３とでは、対応して表示するキャラクタの種類が異ならされている。
【０４５９】
図３４（Ｅ）に示すように、第２期間特定画像Ｃ１〜Ｃ３を表示するときには、追加報知するラウンド数（＋１Ｒ、＋２Ｒ，＋３Ｒ）が、決定総Ｒ数（たとえば、１５Ｒ確変大当りＫでは１５Ｒ）以下となるように決定されたラウンド数が表示されることとなる。たとえば、図３４（Ｅ）の場合には、１４Ｒまでラウンドが継続することが報知されている状態では、＋２Ｒまたは＋３Ｒを特定する第２期間特定画像が表示されることを制限し、＋１Ｒを特定する第２期間特定画像Ｃ１が表示されるようにすることにより、決定総Ｒ数以下となる第２期間特定画像が表示される。また、たとえば、決定総Ｒ数の最終ラウンド（たとえば、１５Ｒ）までラウンドが継続することが報知されている状態の最終ラウンドでは、第２継続報知演出により報知するラウンド数が決定総Ｒ数を超えないようにするために、第２継続報知演出が実行されないように演出の実行が制限される。
【０４６０】
また、図３４（Ｄ）に示すように、第３期間特定画像Ｃ３０としては、追加報知するラウンド数（＋１Ｒ〜＋１５Ｒのいずれか）と、当該追加報知ラウンド数に対応したキャラクタとが組合された画像が表示される。図３４（Ｃ），（Ｄ）に示すように、この実施の形態では、第３期間特定画像Ｃ３０として、第２期間特定画像Ｃ３と共通のキャラクタを用いた画像が表示される。このように、第３期間特定画像として、第２期間特定画像と共通の画像を用いれば、第３継続報知演出と第２継続報知演出との間に演出上の関連性を持たせることができるとともに、画像表示用のデータを削減できる。
【０４６１】
なお、第３期間特定画像としては、第２期間特定画像とキャラクタを異ならせる等、第２期間特定画像と異なる画像を用いてもよい。第３期間特定画像としては、第２期間特定画像とすべての画像を異ならせてもよく（たとえば、ラウンド数の数字のフォント、および、キャラクタの種類のすべてが異なる）、一部の画像を異ならせてもよい（たとえば、ラウンド数のフォントは同じで、キャラクタの種類のみが異なる）。
【０４６２】
また、第２期間特定画像および第３期間特定画像としては、先にキャラクタを表示した後にラウンド数を表示するようにしてもよい。このようにすれば、たとえば、＋３Ｒを特定する第２期間特定画像Ｃ３のように、超過Ｒ数を特定する第３期間特定画像Ｃ３０と共通の画像を用いるときには、当該共通の画像が表示されることにより、ラウンド数が表示されるまでの間に、超過Ｒ数を特定するラウンド数が表示されるかどうかについて遊技者の期待感を向上させることができる。
【０４６３】
継続報知ラウンド画像９１としては、第１期間特定画像（５Ｒ）が初期値として表示された後、第２期間特定画像Ｃ１〜Ｃ３が表示されるごとに、たとえば、図３４（Ｂ），（Ｃ）に示すように、当該表示後の値（５Ｒ）に追加報知するラウンド数分の値（たとえば、＋３Ｒ）が加算更新されて表示される（図中の「８Ｒまで続くよ」）。また、図３４（Ｄ）に示すような第３期間特定画像Ｃ３０が表示された後にも、追加報知するラウンド数が加算更新されて表示される（図示省略、たとえば、図３４（Ｄ）の場合には、「１６Ｒまで続くよ」）。このようにすれば、第３期間特定画像Ｃ３０が表示された後も継続報知ラウンド画像９１が加算更新されて合計値が示されれば、第３継続報知演出により最大総Ｒ数（１５Ｒ）を超える超過Ｒ数が表示されたことを、より明確に示すことができる。
【０４６４】
なお、共通のキャラクタを用いて、第２期間特定画像Ｃ１〜Ｃ３を表示するようにしてもよい。また、たとえば、キャラクタの種類と追加報知するラウンド数（＋１Ｒ、＋２Ｒ，＋３Ｒ）との対応関係が予め明確化されている場合のように、キャラクタの種類に基づいて、追加報知するラウンド数が特定可能である場合には、ラウンド数を表示せずにキャラクタを表示することで第２期間特定画像を表示するようにしてもよい。
【０４６５】
このように、第２継続報知演出においては、第２期間を特定可能に報知する演出であれば、どのような演出を用いてもよく、また、第３継続報知演出においては、第３期間を特定可能に報知する演出であれば、どのような演出を用いてもよい。
【０４６６】
図３６は、第２継続報知演出および第３継続報知演出を実行するときに継続報知演出をするか否か、および、継続報知演出で報知する第２期間および第３期間としてのラウンド数を決定するときに用いられるデータテーブルである報知選択テーブルを表形式で示す図である。
【０４６７】
報知選択テーブルとしては、図３６（Ａ）〜（Ｅ）に示すように、第１〜第５報知選択テーブルという複数のテーブルが設けられており、遊技状態に応じていずれかのテーブルが選択されて用いられる。第１〜第５報知選択テーブルは、継続報知選択用の乱数ＳＲ２（０〜９９の１００個の値を取り得る）の抽出値（ここでは抽出値の個数で示す）と、継続報知演出の有無および継続報知演出をするときのラウンド数との関係が設定されたデータテーブルであり、演出制御基板８０に搭載されたＲＯＭに記憶されている。
【０４６８】
図３６（Ａ），（Ｂ）の第１，第２報知選択テーブルは、１５Ｒ確変大当りＡ〜Ｋのいずれかの大当り遊技状態において保留記憶内に特別大当りとしての１５Ｒ確変大当りＡ〜Ｋのいずれかとなる保留記憶情報が含まれていないときに用いられるテーブルである。「決定総Ｒ数−報知合計Ｒ数＝２」であるときに、第１報知選択テーブルが用いられ、「決定総Ｒ数−報知合計Ｒ数≧３」であるときに、第２報知選択テーブルが用いられる。報知合計Ｒ数は、第１〜第３継続報知演出で報知されたラウンド数の合計の現在値である。
【０４６９】
第１報知選択テーブルにおいては、「報知なし」、「＋１Ｒ」、「＋２Ｒ」のうち、いずれかが選択される。第２報知選択テーブルにおいては、「報知なし」、「＋１Ｒ」、「＋２Ｒ」、「＋３Ｒ」のうち、いずれかが選択される。ここで、「報知なし」とは、継続報知演出で「＋１Ｒ」、「＋２Ｒ」、「＋３Ｒ」のような追加するラウンド数の報知を実行しないことを意味している。「＋１Ｒ」、「＋２Ｒ」、「＋３Ｒ」のような追加するラウンド数が、第２継続報知演出における第２期間に該当する。
【０４７０】
図３６（Ｃ）〜（Ｅ）の第３〜第５報知選択テーブルは、１５Ｒ確変大当りＡ〜Ｋのいずれかの大当り遊技状態において保留記憶内に特別大当りとしての１５Ｒ確変大当りＡ〜Ｋのいずれかとなる保留記憶情報が含まれているときに用いられるテーブルである。「決定総Ｒ数−報知合計Ｒ数＝１」であるときに、第３報知選択テーブルが用いられ、「決定総Ｒ数−報知合計Ｒ数＝２」であるときに、第４報知選択テーブルが用いられ、「決定総Ｒ数−報知合計Ｒ数≧３」であるときに、第５報知選択テーブルが用いられる。
【０４７１】
第３報知選択テーブルにおいては、「報知なし」、「＋１Ｒ」、「超過Ｒ数」のうち、いずれかが選択される。第４報知選択テーブルにおいては、「報知なし」、「＋１Ｒ」、「＋２Ｒ」、「超過Ｒ数」のうち、いずれかが選択される。第５報知選択テーブルにおいては、「報知なし」、「＋１Ｒ」、「＋２Ｒ」、「＋３Ｒ」、「超過Ｒ数」のうち、いずれかが選択される。「超過Ｒ数」は、最大総Ｒ数（１５Ｒ）と第１継続報知演出または第２継続報知演出により特定される期間との差分期間を超える第３期間に該当する。
【０４７２】
ここで、「超過Ｒ数」の具体的な数値データは、これらテーブルに記憶されておらず、当該テーブルにより「超過Ｒ数」とすることが選択されたときに、「超過Ｒ数＝最大総Ｒ数−報知合計Ｒ数＋α（本実施の形態では１）」という、超過Ｒ数を算出するための計算式を用いた演算をする処理が実行されることにより、算出される。
【０４７３】
なお、報知合計Ｒ数ごとに、報知する「超過Ｒ数」の値をテーブルに記憶しておき、現在の報知合計Ｒ数に応じて、テーブルから「超過Ｒ数」を選択するようにしてもよい。
【０４７４】
また、「超過Ｒ数」における＋αの値（たとえば、１，２，３・・・）をランダムに選択するためのデータテーブルをさらに設け、「超過Ｒ数」が選択されるときに、当該＋αの値をランダムに選択可能となるようにしてもよい。このようにすれば、「超過Ｒ数」について、最大総Ｒ数からの超過数のバリエーションが豊富になり、演出の面白みを向上させることができる。
【０４７５】
第１報知選択テーブルでは、「決定総Ｒ数−報知合計Ｒ数＝２」であるときに、「＋３Ｒ」というような超過Ｒ数に相当するラウンド数が表示されてしまわないようにするために、「＋２Ｒ」を超える報知ラウンド数のデータは設定されていない。また、第２報知選択テーブルでは、「決定総Ｒ数−報知合計Ｒ数≧３」であるときに、「＋４Ｒ」というような超過Ｒ数に相当するラウンド数が表示されてしまわないようにするために、「＋３Ｒ」を超える報知ラウンド数のデータは設定されていない。
【０４７６】
第３〜第５報知選択テーブルでは、保留記憶内に特別大当りとしての１５Ｒ確変大当りＡ〜Ｋのいずれかとなる保留記憶情報が含まれていないときと同様の態様で報知ラウンド数（＋１Ｒ、＋２Ｒ，＋３Ｒ）を報知可能とするために、「報知なし」、「＋１Ｒ」、「＋２Ｒ」、「＋３Ｒ」のデータが選択可能とされている。
【０４７７】
また、第３報知選択テーブルでは、「超過Ｒ数」を選択するデータが設けられているので、これとは別に「決定総Ｒ数−報知合計Ｒ数＝１」であるときに、「＋２Ｒ」、「＋３Ｒ」というような超過Ｒ数に相当するラウンド数が選択されないようにするために、「＋１Ｒ」を超える報知ラウンド数のデータは設定されていない。また、第４報知選択テーブルでは、「超過Ｒ数」を選択するデータが設けられているので、これとは別に「決定総Ｒ数−報知合計Ｒ数＝１」であるときに、「＋３Ｒ」というような超過Ｒ数に相当するラウンド数が選択されないようにするために、「＋２Ｒ」を超える報知ラウンド数のデータは設定されていない。
【０４７８】
このような第１〜第５報知選択テーブルを用いて、継続報知演出で報知するラウンド数が決定されることにより、ラウンドごとに選択される継続報知演出の報知ラウンド数に変化幅を持たせてバラエティに富んだものにすることができる。
【０４７９】
また、たとえば、「決定総Ｒ数−報知合計Ｒ数≧３」のときに、（Ｅ）のような超過Ｒ数の報知を実行するときは、（Ｂ）のような超過Ｒ数の報知を実行しないときと比べて、１Ｒのような比較的少ないラウンド数を報知する割合が低く、＋３Ｒのような比較的多いラウンド数を報知する割合が高くなるように設定されている。これにより、たとえば、第２報知演出として、「＋３Ｒ」→「＋３Ｒ」→「＋３Ｒ」というように、比較的多い第２期間が報知されたときは、「＋１Ｒ」→「＋１Ｒ」→「＋１Ｒ」というように、比較的少ない第２期間が報知されたときと比べて超過Ｒ数の報知を実行する割合が高い。言い換えると、第２継続報知演出の実行履歴に基づいて、第３継続報知演出を実行する割合が異なる。なお、比較的少ない第２期間が報知されたときに、比較的多い第２期間が報知されたときと比べて超過Ｒ数の報知を実行する割合が高くなるようにしてもよい。
【０４８０】
これにより、第２継続報知演出が実行されること（実行されること自体、および、実行される報知演出内容）に対して、遊技の興趣をより一層向上させることができる。
【０４８１】
なお、前述した第１期間の例としては、１５Ｒ確変大当りが発生するごとに、たとえば、「５Ｒ」というような１つのラウンド数を固定的に用いる例を示した。しかし、これに限らず、１期間としては、１５Ｒ確変大当りが発生するごとに、複数種類のラウンド期間から１つのラウンド期間を選択して、選択したラウンド期間を用いるようにしてもよい。
【０４８２】
また、前述した第２期間の例としては、各ラウンドにおいて、複数種類のラウンド数から１つのラウンド数を選択可能とする例を示した。しかし、これに限らず、第２期間の例としては、たとえば、「＋３Ｒ」という報知内容を各ラウンドにおいて固定的に繰返し用いることが可能となるようにしてもよい。また、第２期間を固定的に繰返し用いる例としては、１５Ｒ確変大当りが発生するごとに、常に、たとえば「＋３Ｒ」というような１つのラウンド期間を各ラウンドにおいて固定的に繰返し用いてもよく、１５Ｒ確変大当りが発生するごとに、複数種類のラウンド期間（「＋２Ｒ」または「＋３Ｒ」）から１つのラウンド期間を選択し各ラウンドにおいて固定的に繰返し用いてもよい。
【０４８３】
また、前述した第３期間としての「超過Ｒ数」を選択する割合を、保留記憶内に存在する１５Ｒ確変大当りの種類に応じて異ならせるようにしてもよい。たとえば、保留記憶内に存在する１５Ｒ確変大当りにおける実質的に大入賞口に入賞可能なラウンド数が多い程、「超過Ｒ数」を選択する割合が高くなるように設定してもよい。
【０４８４】
図３７は、演出制御プロセス処理における演出図柄変動開始処理（Ｓ８０１）を示すフローチャートである。
【０４８５】
演出図柄変動開始処理において、演出制御用ＣＰＵ１０１は、変動表示結果をはずれとすることに決定されているか否か確認する（Ｓ６０１）。はずれとすることに決定されているか否かは、たとえば、表示結果特定コマンド格納領域に表示結果１指定コマンドが格納されているか否かによって判定される。なお、はずれとすることに決定されているか否かは、大当りとするか否かを特定可能な変動パターンコマンドに基づいて、確認するようにしてもよい。はずれとすることに決定されている場合には、変動パターンコマンドとして、非リーチ変動パターンに対応したコマンドを受信したか否か確認する（Ｓ６０２）。非リーチ変動パターンに対応したコマンドを受信したか否かは、たとえば、変動パターンコマンド格納領域に格納されているデータによって判定される。
【０４８６】
非リーチ変動パターンに対応したコマンドを受信したと判定した場合、演出制御用ＣＰＵ１０１は、予め定められたはずれ図柄決定用データテーブルを用いて、演出図柄のリーチにならないはずれの停止図柄を決定し（Ｓ６０４）、Ｓ６１７へ進む。はずれ図柄決定用データテーブルでは、複数種類の演出図柄のそれぞれに、ＳＲ１−１〜ＳＲ１−３のそれぞれの数値データが対応付けられている。Ｓ６０４の処理では、所定のタイミングでＳＲ１−１〜ＳＲ１−３のそれぞれから数値データ（乱数）を抽出し、演出制御用マイクロコンピュータ１００のＲＯＭに記憶されたはずれ図柄決定用データテーブルを用い、抽出した数値データに対応する図柄がそれぞれ左，中，右の演出図柄の変動表示結果となる停止図柄の組合せとして決定される。このように非リーチはずれの図柄の組合せを決定する場合において、抽出された乱数に対応する停止図柄が偶然大当り図柄の組合せと一致する場合には、はずれ図柄の組合せとなるように補正（たとえば、右図柄を１図柄ずらす補正）して各停止図柄が決定される。また、抽出された乱数に対応する停止図柄が偶然リーチ図柄となってしまう場合には、非リーチはずれ図柄の組合せとなるように補正（たとえば、右図柄を１図柄ずらす補正）して各停止図柄が決定される。
【０４８７】
Ｓ６０２の処理で非リーチ変動パターンではないと判定した場合（リーチ変動パターンであると判定した場合）に、演出制御用ＣＰＵ１０１は、リーチの組合せを構成する演出図柄の停止図柄を決定し（Ｓ６０５）、Ｓ６１７へ進む。Ｓ６０５の処理では、所定のタイミングでＳＲ１−１〜ＳＲ１−３のそれぞれから数値データ（乱数）を抽出し、はずれ図柄決定用データテーブルを用い、ＳＲ１−１から抽出された乱数に対応する図柄がリーチ状態を形成する左，右の各演出図柄の停止図柄として決定され、ＳＲ１−２から抽出されたカウンタの値と合致する乱数に対応する図柄が中図柄の停止図柄として決定される。また、この場合も、偶然大当り図柄の組合せとなってしまうときには、はずれ図柄の組合せとなるように補正（たとえば、中図柄を１図柄ずらす補正）して各停止図柄が決定される。
【０４８８】
はずれとすることに決定されていない場合に（Ｓ６０１）、演出制御用ＣＰＵ１０１は、大当りの種別に応じて、当り図柄の組合せを構成する演出図柄の停止図柄を決定し（Ｓ６０３）、Ｓ６１７へ進む。
【０４８９】
Ｓ６０３では、以下のように、当りの種別に応じて当り図柄の組合せを決定する。
演出制御用ＣＰＵ１０１は、表示結果２指定コマンド〜表示結果７指定コマンドのうちのどの表示結果指定コマンドが表示結果特定コマンド格納領域に格納されているかに基づいて、１５Ｒ通常大当り、１５Ｒ確変大当りＡ〜Ｋ、２Ｒ確変大当り、小当りのうちから、当りの種別を判定する。
【０４９０】
１５Ｒ確変大当りＡ〜Ｋにすることに決定されていると判定したときには、所定のタイミングでＳＲ１−１から数値データ（乱数）を抽出し、ＳＲ１−１と確変大当り図柄の組合せ（たとえば、左，中，右が「７，７，７」等の奇数のゾロ目の組合せ）との関係が設定されたデータテーブル（確変大当り図柄決定用テーブル）を用いて、抽出値からいずれかの確変大当り図柄の組合せを選択決定する。また、１５Ｒ通常大当りにすることに決定されていないと判定したときには、所定のタイミングでＳＲ１−１から数値データ（乱数）を抽出し、ＳＲ１−１と通常大当り図柄の組合せ（たとえば、左，中，右が「４，４，４」等の偶数のゾロ目の組合せ）との関係が設定されたデータテーブル（通常大当り図柄決定用テーブル）を用いて、抽出値からいずれかの確変大当り図柄の組合せを選択決定する。このように決定された図柄が大当り遊技状態に制御される前の変動表示結果である最終停止図柄として用いられる。
【０４９１】
また、演出制御用ＣＰＵ１０１は、２Ｒ確変大当りにすることに決定されていると判定したときには、チャンス目図柄決定用テーブルを用いて、チャンス目図柄の組合せ（たとえば、左，中，右が「１，２，３」というような特定のはずれ図柄の組合せ）を選択決定する。チャンス目図柄決定用テーブルは、複数種類のチャンス目図柄の組合せのそれぞれに、ＳＲ１−１のそれぞれの数値データが対応付けられている。チャンス目図柄の組合せを決定するときには、所定のタイミングでＳＲ１−１から数値データ（乱数）を抽出し、チャンス目図柄決定用テーブルを用い、抽出した乱数に対応する図柄を、チャンス目図柄の組合せを構成する左，中，右の演出図柄の停止図柄の組合せとして決定する。
【０４９２】
次に、Ｓ６１７では、演出制御パターンを複数種類の演出制御パターンのうちのいずれかに決定する（Ｓ６１７）。Ｓ６１７において、演出制御用ＣＰＵ１０１は、変動パターン指定コマンドによって指定された変動パターン、および、Ｓ６１７の処理で決定した予告演出パターン等により指定された各種演出制御（演出動作）パターンに応じて、図柄変動制御パターンテーブルに格納されている複数種類の図柄変動制御パターンのうち、指定された各種演出動作パターンに対応するいずれかの演出制御パターンを使用パターンとして選択決定する。
【０４９３】
演出制御基板８０に搭載されたＲＯＭに記憶されている制御パターンテーブルには、たとえば、演出図柄の変動が開始されてから最終停止図柄となる確定演出図柄が停止表示されるまでの期間における、演出表示装置９の表示領域における演出図柄の変動表示動作、リーチ演出における演出表示動作、擬似連または滑りの演出による演出表示動作、および、予告演出における演出表示動作といった各種の演出動作の制御内容を示すデータが、図柄変動制御パターンとして複数種類格納されている。
【０４９４】
また、各図柄変動制御パターンは、たとえば、演出制御プロセスタイマ設定値、演出制御プロセスタイマ判定値、演出表示制御データ、音声制御データ、ランプ制御データ、および、終了コードといった、演出図柄の変動表示に応じた各種の演出動作を制御するための制御データを含み、時系列的に、各種の演出制御の内容、および、演出制御の切替えタイミング等が設定されている。なお、図柄変動制御パターンテーブルとしては、演出図柄の演出動作を制御するための制御データよりなる図柄制御パターンテーブルと、演出図柄の演出動作とは別の予告演出の演出動作を制御するための制御データよりなる予告制御パターンテーブルとを設け、これら演出図柄の演出動作を制御するための制御データと、予告演出の演出動作を制御するための制御データとを組合せて用いることにより、１つの図柄変動制御パターンテーブルにより図柄の演出動作と予告の演出動作とを実行する場合と同様の演出動作を実行するように構成してもよい。
【０４９５】
次いで、演出制御用ＣＰＵ１０１は、Ｓ６１７で選択した演出制御パターンに応じたプロセステーブルを選択する（Ｓ６１８）。そして、選択したプロセステーブルのプロセスデータ１におけるプロセスタイマ（演出設定プロセスタイマ）をスタートさせる（Ｓ６１９）。
【０４９６】
演出制御用ＣＰＵ１０１は、Ｓ６１９の処理を実行したら、プロセスデータ１の内容（表示制御実行データ１、ランプ制御実行データ１、音番号データ１）にしたがって演出装置（演出用部品としての演出表示装置９、演出用部品としての各種ランプ、および、演出用部品としてのスピーカ２７）の制御を開始する（Ｓ６２０）。たとえば、表示制御実行データにしたがって、演出表示装置９において変動パターンに応じた画像（演出図柄を含む。）を表示させるために、ＶＤＰ１０９に指令を出力する。また、各種ＬＥＤ等の発光体を点灯／消灯制御を行なわせるために、ランプドライバ基板３５に対して制御信号（ランプ制御実行データ）を出力する。また、スピーカ２７からの音声出力を行なわせるために、音声出力基板７０に対して制御信号（音番号データ）を出力する。
【０４９７】
そして、変動時間タイマに、変動パターンコマンドで特定される変動時間に相当する値を設定し（Ｓ６２１）、演出制御プロセスフラグの値を演出図柄変動中処理（Ｓ８０２）に対応した値にし、演出図柄変動開始処理を実行する（Ｓ６２２）。そして、演出図柄変動開始処理が終了する。
【０４９８】
図３８は、演出制御プロセス処理における演出図柄変動停止処理（Ｓ８０３）を示すフローチャートである。演出図柄変動中処理において、変動表示時間タイマを用いて監視する変動時間が終了したという条件、または、図柄確定指定コマンドを受信したという条件が成立したときに、この演出図柄変動停止処理が実行される。なお、変動表示時間タイマを用いて監視する変動時間が終了したという条件が成立したときにのみ、演出図柄変動中処理に進むようにしてもよい。また、図柄確定指定コマンドを受信したという条件が成立したときにのみ、演出図柄変動中処理に進むようにしてもよい。
【０４９９】
演出図柄変動停止処理において、まず、演出制御用ＣＰＵ１０１は、演出図柄の停止図柄を表示していることを示す停止図柄表示フラグがセットされているか否かを確認する（Ｓ７３１）。なお、変動表示時間タイマを用いて監視する変動時間が終了したという条件が成立したときに演出制御プロセス処理に進んだ場合には、遊技制御用マイクロコンピュータ５６０と演出制御用マイクロコンピュータ１００との間で変動表示の終了タイミングについての認識がずれないようにするために、図柄確定指定コマンドを受信したこという条件が成立したときにＳ７３１の処理を実行するのが望ましい。停止図柄表示フラグがセットされていれば、７３２に移行する。この実施の形態では、演出図柄の停止図柄として大当り図柄の組合せまたは小当り図柄の組合せを表示した場合には、後述するＳ７３４で停止図柄表示フラグがセットされる。そして、ファンファーレ演出を実行するときに停止図柄表示フラグがリセットされる。したがって、停止図柄表示フラグがセットされているということは、大当り図柄を停止表示したがファンファーレ演出をまだ実行していない段階であるので、Ｓ７３５に移行する。
【０５００】
停止図柄表示フラグがセットされていない場合には、決定されている停止図柄を停止表示させる制御を行なう（Ｓ７３２）。そして、停止図柄として、通常大当り、１５Ｒ確変大当りＡ〜Ｋ、２Ｒ確変大当り、または、小当りに対応する図柄の組合せを表示したか否か（すなわち、大当りまたは小当りとなるか否か）を確認する（Ｓ７３３）。大当りまたは小当りとならないときには、演出制御用ＣＰＵ１０１は、演出制御プロセスフラグの値を変動パターンコマンド受信待ち処理（Ｓ８００）に応じた値に更新し（Ｓ７４３）、処理を終了する。
【０５０１】
一方、大当りまたは小当りとなるときには、演出制御用ＣＰＵ１０１は、停止図柄表示フラグをセットし（Ｓ７３４）、いずれかの大当り開始指定コマンドを受信したことを示す大当り開始指定コマンド受信フラグ（大当り開始１指定コマンド受信フラグ〜大当り開始１３指定コマンド受信フラグのいずれか）または小当り開始指定コマンドを受信したことを示す小当り開始指定コマンド受信フラグがセットされているか否か確認する（Ｓ７３５）。大当り開始指定コマンド受信フラグまたは小当り開始指定コマンド受信フラグがセットされている場合には、演出制御用ＣＰＵ１０１は、停止図柄表示フラグをリセットする（Ｓ７３６）。そして、ファンファーレ演出に応じたプロセステーブルを選択する（Ｓ７３７）。Ｓ７３７では、確変大当りＡ〜Ｋのいずれかの大当り遊技状態を実行するときに、前述のような第１期間として５Ｒを報知する第１継続報知演出を実行するためのデータがセットされる。これにより、大当り遊技状態の開始時において、第１継続報知演出が実行されることとなる。
【０５０２】
なお、演出制御用ＣＰＵ１０１は、大当り開始指定コマンド受信フラグまたは小当り開始指定コマンド受信フラグのうち、セットされているフラグをリセットする。また、Ｓ７３７の処理では、演出制御用ＣＰＵ１０１は、当り種別に対応するファンファーレ演出等のプロセステーブルを選択する。そして、プロセスタイマ設定値をプロセスタイマに設定することによってプロセスタイマをスタートさせ（Ｓ７３８）、プロセスデータ１の内容（表示制御実行データ１、ランプ制御実行データ１、音番号データ１、可動部材制御データ１）にしたがって演出装置（演出用部品としての演出表示装置９、演出用部品としての各種ランプ、演出用部品としてのスピーカ２７等）の制御を実行する（Ｓ７３９）。その後、演出制御プロセスフラグの値を大当り表示処理（Ｓ７４０）に応じた値に更新する（Ｓ８９０）。
【０５０３】
次に、大当り遊技状態における演出制御プロセス処理の処理内容を説明する。図３９は、演出制御プロセス処理における大当り表示処理（Ｓ８０４）を示すフローチャートである。
【０５０４】
大当り表示処理において、演出制御用ＣＰＵ１０１は、まず、大入賞口開放中指定コマンドを受信したことを示す大入賞口開放中フラグがセットされているか否かを確認する（Ｓ９０１）。大入賞口開放中フラグがセットされていないときは、演出制御用ＣＰＵ１０１は、プロセスタイマの値を１減算し（Ｓ９０２）、プロセスデータｎの内容に従って演出装置（演出表示装置９、スピーカ２７、各種ＬＥＤ２５，２８等）の制御を実行する（Ｓ９０３）。たとえば、演出表示装置９において大当り表示結果となる演出図柄の組合せを表示するとともに、大当りが発生したことを示す文字やキャラクタなどを表示する演出が実行される。
【０５０５】
次いで、演出制御用ＣＰＵ１０１は、プロセスタイマがタイムアウトしていないかどうかを確認し（Ｓ９０６）、プロセスタイマがタイムアウトしていれば、プロセスデータの切替えを行なう（Ｓ９０７）。すなわち、プロセステーブルにおける次に設定されているプロセスデータ（表示制御実行データ、ランプ制御実行データおよび音番号データ）に切替える。そして、次のプロセスデータにおけるプロセスタイマ設定値をプロセスタイマに設定してプロセスタイマをスタートさせる（Ｓ９０８）。
【０５０６】
Ｓ９０１で大入賞口開放中フラグがセットされているときは、演出制御用ＣＰＵ１０１は、大入賞口開放中フラグをリセットする（Ｓ９０９）。そして、実行する大当り遊技状態が１５Ｒ確変大当りＡ〜Ｋのいずれかの大当り遊技状態であるかを確認する（Ｓ９０９Ａ）。Ｓ９０９Ａでは、たとえば、大当り遊技状態の開始時に受信した大当り開始指定コマンドに基づいて、１５Ｒ確変大当りＡ〜Ｋの大当り遊技状態であるかを判断する。１５Ｒ確変大当りＡ〜Ｋの大当り遊技状態であるときには、各ラウンドの開始時において、継続報知演出（第２継続報知演出または第３継続報知演出）に関する各種判定を行なうためのラウンド開始時判定処理を実行する（Ｓ９０９Ｂ）。そして、ラウンド中演出に応じたプロセスデータを選択する（Ｓ９１０）。そして、プロセスタイマをスタートさせ（Ｓ９１１）、演出制御プロセスフラグの値をラウンド中処理（Ｓ８０５）に対応した値に設定する（Ｓ９１２）。
【０５０７】
また、小当りまたは２Ｒ確変大当りである場合に、小当り開始コマンドまたは大当り開始１３指定コマンドの受信に基づいて、小当りまたは２Ｒ確変大当りであることを示唆するような予め定められた共通の演出を実行する。なお、小当りまたは２Ｒ確変大当りである場合には、小当り開始コマンドまたは大当り開始１３指定コマンドの受信に基づいて演出を実行するのではなく、たとえば、小当りまたは２Ｒ確変大当り用の変動パターンコマンドを受信したことに基づいて、小当りまたは２Ｒ確変大当りであることを示唆するような演出を所定期間実行するようにしてもよい。この場合、演出制御用ＣＰＵ１０１は、小当りまたは２Ｒ確変大当りであることを示唆するような演出を行なうためのプロセスデータをプロセス時間ごとに切替え、切替えたプロセスデータに従って演出を行なう。
【０５０８】
図４０は、ラウンド開始時判定処理を示すフローチャートである。ラウンド開始時判定処理は、１５Ｒ確変大当りＡ〜Ｋのそれぞれにおける実質的に大入賞口に入賞可能なラウンドの各ラウンドの開始時（たとえば、大当り表示処理のＳ９０９Ｂおよびラウンド後処理のＳ１９８０Ｃ）に実行される。
【０５０９】
図４０のラウンド開始時判定処理において、演出制御用ＣＰＵ１０１は、まず、第３継続報知制限フラグがセットされているか否かを判定する（Ｓ９７１）。第３継続報知制限フラグは、超過Ｒ数が報知された後に、追加的にラウンド数をさらに報知することを制限するためのフラグであり、後述するＳ９９０Ａによりセットされ、大当り遊技状態の終了時に実行される大当り演出終了処理（Ｓ８０７）においてリセットされる。
【０５１０】
Ｓ９７１で第３継続報知制限フラグがセットされていないときは、「決定総Ｒ数−報知合計Ｒ数」を演算し、その演算値が「０」であるか否かを判定する（Ｓ９７３）。
【０５１１】
決定総Ｒ数は、大当り遊技状態の開始時に受信した大当り遊技状態開始指定コマンドに基づいて、実行する大当り遊技状態が、１５Ｒ確変大当りＡ〜Ｋのいずれであるかを判定し、図５に示したような１５Ｒ確変大当りＡ〜Ｋと実質的に入賞可能なラウンド数との関係を示したデータテーブル（演出制御基板８０に設けられたＲＯＭに記憶されている）を用いて、１５Ｒ確変大当りの種類に応じて特定され、その特定結果を示すデータが演出制御基板８０のＲＡＭに記憶される。このような決定総Ｒ数を特定して特定結果を示すデータを記憶する処理は、たとえば、コマンド解析処理において実行される。Ｓ９７３では、このように記憶された決定総Ｒ数を用いて前述の演算が行なわれる。
【０５１２】
また、報知合計Ｒ数は、大当り遊技状態の開始時において初期値が「５」（第１継続報知演出で報知されるラウンド数）に設定されており、その後、第２継続報知演出と第２継続報知演出とが実行されるごとに、報知されたラウンド数分ずつ、後述するＳ９９０Ｂにより加算更新される合計ラウンド数の現在値である。報知合計Ｒ数は、データが演出制御基板８０のＲＡＭに更新可能に記憶され、ラウンド開始処理が実行されるごとに、ラウンド開始処理において新たに決定された報知するラウンド数を用いて更新する演算がされて、その演算結果が記憶される。Ｓ９７３では、このように記憶された報知合計Ｒ数を用いて前述の演算が行なわれる。
【０５１３】
Ｓ９７３により、前述の演算値が「０」であると判定されたときは、保留記憶内に特別大当りとしての１５Ｒ確変大当りＡ〜Ｋのいずれかとなる保留記憶情報が含まれているか否かを判断する（Ｓ９７４）。Ｓ９７４では、たとえば、前述した始動入賞時受信コマンドバッファに記憶された図柄指定コマンド等の現在の保留記憶情報を示す情報に基づいて、１５Ｒ確変大当りＡ〜Ｋのいずれかとなる保留記憶情報が含まれているか否かを判断する。
【０５１４】
Ｓ９７４で、１５Ｒ確変大当りＡ〜Ｋのいずれかとなる保留記憶情報が含まれていないと判断されたときは、「報知なし」を決定する（Ｓ９７５）。これにより、この場合は、＋１Ｒ〜＋３Ｒのような第２期間、および、超過Ｒ数のような第３期間を報知する演出が行なわれない。この場合は、決定総Ｒ数のうちの最終ラウンドであり、１５Ｒ確変大当りＡ〜Ｋのいずれかとなる保留記憶情報が含まれておらず、超過Ｒ数を報知する場合ではないので、ラウンド数の報知により報知合計Ｒ数が決定総Ｒ数を超えてしまわないようにするために、「報知なし」が決定される。これにより、この場合は、継続報知演出のラウンド数の報知が行なわれない。その後、Ｓ９８９に進む。
【０５１５】
一方、Ｓ９７４で、１５Ｒ確変大当りＡ〜Ｋのいずれかとなる保留記憶情報が含まれていると判断されたときは、第３期間としての「超過Ｒ数」を報知することを決定する。これにより、この場合は、図３５（Ｄ）のような超過Ｒ数の報知が行なわれる。その後、Ｓ９８９に進む。
【０５１６】
また、前述のＳ９７３により、前述の演算値が「０」ではないと判定されたときは、その演算値が「１」であるか否かを判定する（Ｓ９７７）。
【０５１７】
Ｓ９７７により、前述の演算値が「１」であると判定されたときは、前述のＳ９７４と同様に、保留記憶内に特別大当りとしての１５Ｒ確変大当りＡ〜Ｋのいずれかとなる保留記憶情報が含まれているか否かを判断する（Ｓ９７８）。
【０５１８】
Ｓ９７８で、１５Ｒ確変大当りＡ〜Ｋのいずれかとなる保留記憶情報が含まれていないと判断されたときは、第２期間としての「＋１Ｒ」を報知することを決定する（Ｓ９７９）。この場合は、決定総Ｒ数のうちの最終ラウンドの１ラウンド前であり、１５Ｒ確変大当りＡ〜Ｋのいずれかとなる保留記憶情報が含まれておらず、超過Ｒ数を報知する場合ではないので、ラウンド数の報知により報知合計Ｒ数が決定総Ｒ数を超えてしまわないようにするために、第２期間としての「＋１Ｒ」が決定される。これにより、この場合は、図３５（Ａ）のような＋１Ｒの報知が行なわれる。その後、Ｓ９８９に進む。その後、Ｓ９８９に進む。
【０５１９】
一方、Ｓ９７８で、１５Ｒ確変大当りＡ〜Ｋのいずれかとなる保留記憶情報が含まれていると判断されたときは、図３６（Ｃ）の第３報知選択テーブルを選択し（Ｓ９８０）、ＳＲ２を抽出して、選択したテーブルとＳＲ２とを用いて、継続報知演出で報知するラウンド数（「報知なし」の場合も含む）を決定する（Ｓ９８８）。これにより、この場合には、「報知なし」か、図３５（Ａ）のような＋１Ｒの報知か、図３５（Ｄ）のような超過Ｒ数の報知が行なわれる。その後、Ｓ９８９に進む。
【０５２０】
また、前述のＳ９７７により、前述の演算値が「１」ではないと判定されたときは、その演算値が「２」であるか否かを判定する（Ｓ９８１）。
【０５２１】
Ｓ９８１により、前述の演算値が「２」であると判定されたときは、前述のＳ９７４と同様に、保留記憶内に特別大当りとしての１５Ｒ確変大当りＡ〜Ｋのいずれかとなる保留記憶情報が含まれているか否かを判断する（Ｓ９８２）。
【０５２２】
Ｓ９８２で、１５Ｒ確変大当りＡ〜Ｋのいずれかとなる保留記憶情報が含まれていないと判断されたときは、図３６（Ａ）の第１報知選択テーブルを選択し（Ｓ９８３）、ＳＲ２を抽出して、選択したテーブルとＳＲ２とを用いて、継続報知演出で報知するラウンド数（「報知なし」の場合も含む）を決定する（Ｓ９８８）。この場合は、決定総Ｒ数のうちの最終ラウンドの２ラウンド前であり、１５Ｒ確変大当りＡ〜Ｋのいずれかとなる保留記憶情報が含まれておらず、超過Ｒ数を報知する場合ではないので、ラウンド数の報知により報知合計Ｒ数が決定総Ｒ数を超えてしまわないようにするために、「報知なし」、「＋１Ｒ」、または、「＋２Ｒ」が決定される。これにより、この場合には、「報知なし」か、図３５（Ａ）のような＋１Ｒの報知か、図３５（Ｂ）のような＋２Ｒの報知が行なわれる。その後、Ｓ９８９に進む。
【０５２３】
一方、Ｓ９８２で、１５Ｒ確変大当りＡ〜Ｋのいずれかとなる保留記憶情報が含まれていると判断されたときは、図３６（Ｄ）の第４報知選択テーブルを選択し（Ｓ９８４）、ＳＲ２を抽出して、選択したテーブルとＳＲ２とを用いて、継続報知演出で報知するラウンド数（「報知なし」の場合も含む）を決定する（Ｓ９８８）。これにより、この場合には、「報知なし」か、図３５（Ａ）のような＋１Ｒの報知か、図３５（Ｂ）のような＋２Ｒの報知か、図３５（Ｄ）のような超過Ｒ数の報知が行なわれる。その後、Ｓ９８９に進む。
【０５２４】
また、前述のＳ９８１により、前述の演算値が「２」ではないと判定されたときは、消去法的に、その演算値が「３」以上のときである。この場合には、前述のＳ９７４と同様に、保留記憶内に特別大当りとしての１５Ｒ確変大当りＡ〜Ｋのいずれかとなる保留記憶情報が含まれているか否かを判断する（Ｓ９８５）。
【０５２５】
Ｓ９８５で、１５Ｒ確変大当りＡ〜Ｋのいずれかとなる保留記憶情報が含まれていないと判断されたときは、図３６（Ｂ）の第２報知選択テーブルを選択し（Ｓ９８６）、ＳＲ２を抽出して、選択したテーブルとＳＲ２とを用いて、継続報知演出で報知するラウンド数（「報知なし」の場合も含む）を決定する（Ｓ９８８）。この場合は、決定総Ｒ数のうちの最終ラウンドの３ラウンド以上前であり、１５Ｒ確変大当りＡ〜Ｋのいずれかとなる保留記憶情報が含まれておらず、「＋１Ｒ」〜「＋３Ｒ」のいずれの報知をしても、ラウンド数の報知により報知合計Ｒ数が決定総Ｒ数を超えてしまわないので、「報知なし」、「＋１Ｒ」、「＋２Ｒ」、または、「＋３Ｒ」が決定される。これにより、この場合には、「報知なし」か、図３５（Ａ）のような＋１Ｒの報知か、図３５（Ｂ）のような＋２Ｒの報知か、図３５（Ｃ）のような＋３Ｒの報知かが行なわれる。その後、Ｓ９８９に進む。
【０５２６】
一方、Ｓ９８５で、１５Ｒ確変大当りＡ〜Ｋのいずれかとなる保留記憶情報が含まれていると判断されたときは、図３６（Ｅ）の第５報知選択テーブルを選択し（Ｓ９８４）、ＳＲ２を抽出して、選択したテーブルとＳＲ２とを用いて、継続報知演出で報知するラウンド数（「報知なし」の場合も含む）を決定する（Ｓ９８８）。これにより、この場合には、「報知なし」か、図３５（Ａ）のような＋１Ｒの報知か、図３５（Ｂ）のような＋２Ｒの報知か、図３５（Ｃ）のような＋３Ｒの報知か、図３５（Ｄ）のような超過Ｒ数の報知が行なわれる。その後、Ｓ９８９に進む。
【０５２７】
Ｓ９８９では、前述のような継続報知演出で報知するラウンド数の選択により超過Ｒ数の報知が選択されたか否かを判定する（Ｓ９８９）。超過Ｒ数の報知が選択されていないときは、後述するＳ９９０Ｂに進む。一方、超過Ｒ数の報知が選択されたときは、超過Ｒ数として報知するラウンド数を具体的に決定するために、前述したような「超過Ｒ数＝最大総Ｒ数−報知合計Ｒ数＋α（本実施の形態では１）」という計算式を用いた演算をする処理が実行されることにより、超過Ｒ数の具体的な数値が算出される（Ｓ９９０）。
【０５２８】
なお、超過Ｒ数を決定するときの＋αのラウンド数としては、本実施形態のような「１」に限らず、「１」を超えるその他の数値（次に実行される１５Ｒ確変大当りの総決定Ｒ数以下の範囲内の数値）を用いてもよい。また、超過Ｒ数を決定するときの＋αのラウンド数としては、本実施形態のように予め定められた数値を固定的に用いてもよく、複数種類の数値から選択した数値を選択してもよい。たとえば、当該数値は、ランダムに選択してもよく、処理の順序で選択してもよく、次に実行される１５Ｒ確変大当りの総決定Ｒ数に応じて選択してもよい。当該数値を、次に実行される１５Ｒ確変大当りの総決定Ｒ数に応じて選択するときには、たとえば、次に実行される１５Ｒ確変大当りの総決定Ｒ数が多い程、多い数値が選択されるように設定してもよい。このように当該数値を、次に実行される１５Ｒ確変大当りの総決定Ｒ数に応じて選択するようにすれば、当該数値の多少により、遊技者の期待感を高めることができる。
【０５２９】
また、超過Ｒ数を決定するときの＋αのラウンド数としては、本実施形態のように予め定められた数値を固定的に用いてもよく、複数種類の数値から選択した数値（ランダムに選択してもよく、処理の順序で選択してもよい）を用いてもよい。
【０５３０】
そして、第３継続報知制御フラグをセットし（Ａ９９０Ａ）、Ｓ９９０Ｂに進む。このように、第３継続報知制御フラグがセットされると、前述したＳ９７１により第３継続報知制御フラグがセットされていると判断されて、「報知なし」とすることが決定され、Ｓ９８９に進む。したがって、一度超過Ｒ数が報知された後には、追加的にラウンド数をさらに報知することが制限（禁止）される。これにより、超過Ｒ数が報知された後に、必要以上に追加的にラウンド数が報知されて報知合計Ｒ数が過剰に増加することを制限（禁止）することができる。
【０５３１】
なお、一度超過Ｒ数が報知された後には、追加的にラウンド数をさらに報知することを制限せずに、たとえば、次に実行される１５Ｒ通常大当りの総決定Ｒ数以下の範囲内（たとえば、全ラウンド数でもよく、一部のラウンド数でもよい）であれば、追加的にラウンド数をさらに報知するようにしてもよい。
【０５３２】
Ｓ９９０Ｂでは、前述したような継続報知演出で報知するラウンド数の決定結果を含めた報知合計Ｒ数を演算し、その演算結果をＲＡＭに記憶する処理が行なわれる（Ｓ９９０Ｂ）。そして、前述したように選択決定された継続報知演出で報知するラウンド数の決定結果（「報知なし」も含む）を示すデータを演出制御基板８０のＲＡＭに記憶し（Ｓ９９０Ｃ）、処理が終了する。
【０５３３】
このように、継続報知演出を実行するときに、ラウンド開始時処理において、「報知なし」、「＋１Ｒ」、「＋２Ｒ」、または、「＋３Ｒ」が決定されると、その決定結果に基づいて、前述の大当り表示処理のＳ９１０、および、後述するラウンド後処理のＳ１９８１において、このように決定された報知態様で第２継続報知演出または第３継続報知演出を実行するための演出データが選択され、その後、ラウンド中処理において、たとえば、ラウンドの後半（前半であってもよい）の所定タイミングに設定された演出実行タイミングにおいて、第２継続報知演出での第２期間の報知または第３継続報知演出での第３期間の報知が実行される。また、このような第２期間の報知または第３期間の報知を実行するタイミングは、各ラウンドの全期間に亘るものであってもよく、各ラウンドの一部期間に亘るものであってもよい。
【０５３４】
また、前述した演出図柄変動停止処理のＳ７３７では、確変大当りＡ〜Ｋのいずれかの大当り遊技状態を実行するときに、前述のような第１継続報知演出を実行するためのデータがセットされる。これにより、大当り遊技状態の第１ラウンドにおいて、第１継続報知演出が実行されることとなる。
【０５３５】
このようなラウンド開始時判定処理によれば、図３６（Ａ）〜（Ｅ）およびＳ９７３〜Ｓ９８８に示すように、最大総Ｒ数未満となる第１期間を報知する第１継続報知演出が行なわれた後、決定総Ｒ数と第１期間との差分期間以下となる第期間を報知する第２継続報知演出が実行され、大当り遊技状態の継続期間が増加してランクアップしていくような演出が行なわれることにより、遊技の興趣を向上させることができる。
【０５３６】
そして、このようなラウンド開始時判定処理によれば、図３６（Ｃ）〜（Ｅ）およびＳ９７３〜Ｓ９８８，Ｓ９９０に示すように、１５Ｒ確変大当りＡ〜Ｋのうちいずれかの１５Ｒ確変大当りの大当り遊技状態中において保留記憶内に、１５Ｒ確変大当りＡ〜Ｋのいずれかとなる保留記憶情報が含まれているときに、最大総Ｒ数と第１継続報知演出、第２継続報知演出により特定される期間（第１期間、第２期間）との差分期間を超える第３期間を特定可能な超過Ｒ数が報知されるので、大当り遊技状態で第１期間、第２期間が報知された後でも、大当り遊技状態が終了するまでの期間において、大当り遊技状態の継続期間についての演出を行なうときの遊技の興趣を向上させる演出を実行することができる。つまり、このような超過Ｒ数の報知演出は、たとえば、第１期間および第２期間の報知により決定総Ｒ数の最終ラウンドまでを継続報知演出として報知してしまった後でも、決定総Ｒ数の大当り遊技状態が終了するまでの間において報知することが可能であるので、遊技の興趣を向上させることができる。
【０５３７】
このように、超過Ｒ数を報知する第３継続報知演出は、大当り遊技状態におけるラウンドの継続期間を特定する報知をする演出であって、間接的に、保留記憶内に大当りとなる記憶情報が含まれていることを把握することが可能となる演出であり、保留記憶内に大当りとなる記憶情報が含まれていることを直接的に報知する演出と比べると、基本的な技術思想が異なる演出である。
【０５３８】
また、本実施の形態では、ラウンド開始時判定処理により１５Ｒ確変大当りＡ〜Ｋのそれぞれにおける実質的に大入賞口に入賞可能なラウンドの各ラウンドの開始時に、保留記憶内に１５Ｒ確変大当りとなる保留記憶があるか否かを判定するので、極力超過Ｒ数が報知されるようにすることができる。たとえば、各ラウンドの開始時に、保留記憶内に１５Ｒ確変大当りとなる保留記憶があるか否かを判定するので、大当り遊技状態の開始後に保留記憶情報が増加したときでも、超過Ｒ数が報知されるようにすることができる。なお、１５Ｒ確変大当りＡ〜Ｋの大当り遊技状態において保留記憶内に１５Ｒ確変大当りとなる保留記憶があるか否かの判定は、大当り遊技状態の開始時に１回だけ行なうようにしてもよく、また、大当り遊技状態の開始後の特定ラウンドにおいて行なうようにしてもよい。大当り遊技状態の開始後の特定ラウンドにおいて判定を行なう例としては、複数ラウンド（たとえば、特定の連続したラウンド、特定の不連続のラウンド（偶数ラウンド、奇数ラウンド等）、または、単数ラウンド（たとえば、第１０ラウンド１回のみ等）において判定をする例が含まれる。
【０５３９】
なお、図３６および図４０に示すように、本実施の形態では、１５Ｒ確変大当りＡ〜Ｋにおける第１Ｒ〜第１５Ｒのうち、各ラウンドにおいて超過Ｒ数を報知することが可能であるが、超過Ｒ数は、決定総Ｒ数のうちの一部のラウンドにおいてのみ報知可能となるようにしてもよい。つまり、超過Ｒ数は、どのラウンドで実行するようにしてもよい。
【０５４０】
また、決定総Ｒ数のうちの一部のラウンドにおいてのみ超過Ｒ数を報知可能とする場合としては、決定総Ｒ数の最終ラウンド（たとえば、１５Ｒが最終ラウンドのときの１５Ｒ）においてのみ報知可能となるようにしてもよく、決定総Ｒ数の最終ラウンドを含む連続した複数ラウンド（たとえば、１５Ｒが最終ラウンドのときの１３Ｒ，１４Ｒ，１５Ｒ）においてのみ報知可能となるようにしてもよく、決定総Ｒ数の最終ラウンドを含む不連続の複数ラウンド（たとえば、１５Ｒが最終ラウンドのときの１１Ｒ，１３Ｒ，１５Ｒ）においてのみ報知可能となるようにしてもよい。
【０５４１】
また、決定総Ｒ数のうちの一部のラウンドにおいてのみ超過Ｒ数を報知可能とする場合としては、決定総Ｒ数の後半のラウンド期間（たとえば、１５Ｒが最終ラウンドのときの１０Ｒ〜１５Ｒ）においてのみ報知可能となるようにしてもよい。
【０５４２】
また、決定総Ｒ数のうちの一部のラウンドにおいてのみ超過Ｒ数を報知可能とする場合としては、最終ラウンドを含む奇数ラウンド（たとえば、１Ｒ，３Ｒ，・・・１５Ｒ）においてのみ報知可能となるようにしてもよく、最終ラウンドを含む偶数ラウンド（たとえば、２Ｒ，４Ｒ，・・・１４）においてのみ報知可能となるようにしてもよい。
【０５４３】
また、大当り遊技状態の開始時に第１継続報知演出が実行されるので、第１Ｒを除く２Ｒ以降のラウンドにおいて、第２継続報知演出および第３継続報知演出が実行されるようにしてもよい。
【０５４４】
また、大当り遊技状態の開始時に第１継続報知演出が実行されるので、第１Ｒを除く２Ｒ以降のラウンドにおいて、第２継続報知演出の第２期間の報知または第３報知演出の第３期間の報知が実行されるようにしてもよい。
【０５４５】
また、第２継続報知演出の第２期間の報知または第３報知演出の第３期間の報知が大当り遊技状態の開始時に第１継続報知演出が実行されるので、第１Ｒを除く２Ｒ以降のラウンドにおいて、第２継続報知演出での第２期間の報知または第３報知演出での第３期間の報知が実行されるようにしてもよい。
【０５４６】
また、この実施の形態では、保留記憶内に１５Ｒ確変大当りとなる保留記憶情報が含まれているときに「超過Ｒ数」を報知可能とした例を示した。しかし、これに限らず、保留記憶内に１５Ｒ通常大当りとなる保留記憶情報が含まれているときに「超過Ｒ数」を報知可能とするようにしてもよい。
【０５４７】
また、この実施の形態では、第２期間および第３期間として、＋１Ｒ〜＋１５Ｒというような追加ラウンド数を報知する例を示した。しかし、これに限らず、第２期間および第３期間として、「８Ｒまで続くよ」というように、何ラウンドまで継続するかを報知するようにしてもよい。
【０５４８】
図４１は、演出制御プロセス処理におけるラウンド中処理（Ｓ８０５）を示すフローチャートである。
【０５４９】
図４１のラウンド中処理において、演出制御用ＣＰＵ１０１は、まず、当り終了指定コマンドとしての大当り終了指定コマンドまたは小当り終了指定コマンドを受信したか否かを確認する（Ｓ１９０１）このような受信フラグがセットされていないときは、演出制御用ＣＰＵ１０１は、大入賞口開放後指定コマンドを受信したことを示す大入賞口開放後フラグがセットされているか否かを確認する（Ｓ１９０２）。
【０５５０】
Ｓ１９０２で大入賞口開放後フラグがットされていないときは、大当り表示処理のＳ９０９Ｂおよびラウンド後処理のＳ１９８０Ｃで実行される前述のラウンド開始時判定処理で報知内容が決定された継続報知演出の実行タイミング（実行開始タイミング）であるか否かを判定する（Ｓ１９０３Ａ）。このような実行タイミングであるか否かは、現在のラウンド中演出のプロセスがどの段階のプロセスにあるかを確認し、当該プロセスが、大当り表示処理のＳ９１０およびラウンド後処理のＳ１９８１で設定される継続報知演出実行用のデータに含まれる実行開始タイミングを特定可能なデータ（たとえば、どの段階のプロセスの実行時に継続報知演出を実行開始させるかを特定するデータ）に基づいて特定される実行開始タイミングに該当するときに、実行タイミングであると判断する。
【０５５１】
Ｓ１９０３Ａで継続報知演出の実行タイミングでないときは、後述するＳ１９０４に進む。一方、Ｓ１９０３Ａで継続報知演出の実行タイミングであるときは、前述のように決定された継続報知演出を実行するための設定を行なうラウンド中継続報知演出処理を実行し（Ｓ１９０３Ｂ）、Ｓ１９０４に進む。ラウンド中継続報知演出処理の処理内容については、図４２を用いて後述する。
【０５５２】
Ｓ１９０４では、演出制御用ＣＰＵ１０１は、プロセスタイマの値を１減算する（Ｓ１９０３）。次いで、演出制御用ＣＰＵ１０１は、プロセスデータｎの内容（表示制御実行データｎ）にしたがって、演出装置（演出表示装置９、スピーカ２７、各種ＬＥＤ２５，２８等）の制御を実行する（Ｓ１９０４）。たとえば、Ｓ１９０４においては、Ｓ１９３０Ｂのラウンド中継続報知演出処理により設定された継続報知演出（図３４に示されるような演出）を行なうための制御が実行される。たとえば、演出表示装置９においてラウンド中演出に応じた画像を表示させるために、プロセスデータｎの内容（表示制御実行データｎ）にしたがってキャラクタＲＯＭから画像データを読出し、読出した画像データをＶＤＰ１０９に出力するとともに制御信号を出力する。また、各種ランプを点灯／消灯制御を行なわせるために、ランプドライバ基板３５に対して制御信号を出力する。また、スピーカ２７からの音声出力を行なわせるために、音声出力基板７０に対して制御信号（音番号データ）を出力する。
【０５５３】
次いで、演出制御用ＣＰＵ１０１は、プロセスタイマがタイムアウトしていないかどうかを確認し（Ｓ１９０６）、プロセスタイマがタイムアウトしていれば、プロセスデータの切替えを行なう（Ｓ１９０７）。すなわち、プロセステーブルにおける次に設定されているプロセスデータ（表示制御実行データ、ランプ制御実行データおよび音番号データ）に切替える。そして、次のプロセスデータにおけるプロセスタイマ設定値をプロセスタイマに設定してプロセスタイマをスタートさせる（Ｓ１９０８）。
【０５５４】
このように、プロセスタイマを用いて時間管理を行なって、プロセスデータを順次切替えていくことにより、たとえば、図３４に示す継続報知演出を含む各種演出制御が行なわれる。
【０５５５】
Ｓ１９０２において大入賞口開放後フラグがセットされているときは、演出制御用ＣＰＵ１０１は、大入賞口開放後指定コマンドの内容に基づいてインターバル演出（ラウンド数に応じたインターバル表示を行なう演出）を選択する（Ｓ１９０８）。そして、演出制御用ＣＰＵ１０１は、大入賞口開放後フラグをリセットし（Ｓ１９０９）、選択したインターバル演出に応じたプロセスデータを選択する（Ｓ１９１０）。そして、プロセスタイマをスタートさせ（Ｓ１９１１）、演出制御プロセスフラグの値をラウンド後処理（Ｓ８０６）に対応した値に設定する（Ｓ１９１２）。
【０５５６】
Ｓ１９０１において当り終了指定コマンド受信フラグがセットされているときは、遊技制御用マイクロコンピュータ５６０から大当り終了指定コマンドまたは小当り終了指定コマンドを受信したときである。この場合、演出制御用ＣＰＵ１０１は、大当り終了指定コマンド受信フラグまたは小当り終了指定コマンド受信フラグのうちセットされているフラグをリセットする（Ｓ１９１３）。次いで、受信した当り終了指定コマンドに応じてエンディング演出（大当り終了演出または小当り終了処理）に応じたプロセスデータを選択する（Ｓ１９１４）。そして、演出制御用ＣＰＵ１０１は、演出時間計測タイマをスタートさせるとともに、プロセスタイマをスタートさせる（Ｓ１９１５）。そして、演出制御用ＣＰＵ１０１は、演出制御プロセスフラグの値を大当り終了演出処理（Ｓ８０７）に対応した値に設定し（Ｓ１９１６）、ラウンド中処理を終了する。
【０５５７】
図４２は、ラウンド中継続報知演出処理（Ｓ１９０３Ｂ）を示すフローチャートである。ラウンド中継続報知演出処理において、演出制御用ＣＰＵ１０１は、まず、Ｓ９９０Ｃにより記憶された継続報知演出で報知するラウンド数の決定結果を示すデータが、継続報知演出を実行することを特定しているか否かを判定する（Ｓ９９１）。
【０５５８】
Ｓ９９１で継続報知演出を実行することを特定しているときは、Ｓ９９０Ｃにより記憶された継続報知演出で報知するラウンド数の決定結果を示すデータに基づいて、前述したラウンド開始時判定処理において決定された、ラウンド数を報知する継続報知演出（第２継続報知演出または第３継続報知演出）を実行させるための設定を行ない（Ｓ９９２）、Ｓ９９４に進む。これにより、各ラウンドにおいて、ラウンドの後半（前半であってもよい）の所定タイミングに設定された演出実行タイミングにおいて、ラウンド数を報知する継続報知演出（第２継続報知演出または第３継続報知演出）が実行される。
【０５５９】
一方、Ｓ９９１で継続報知演出を実行することを特定していないときは、Ｓ９９０Ｃにより記憶された継続報知演出で報知する「報知なし」の決定結果を示すデータに基づいて、前述したラウンド開始時判定処理において決定された、ラウンド数を報知しない演出を実行させるための設定を行ない（Ｓ９９３）、Ｓ９９４に進む。これにより、各ラウンドにおいて、ラウンドの後半（前半であってもよい）の所定タイミングに設定された演出実行タイミングにおいて、継続報知演出が「報知なし」の状態に制御される。
【０５６０】
図４３は、演出制御プロセス処理におけるラウンド後処理（Ｓ８０６）を示すフローチャートである。ラウンド後処理において、演出制御用ＣＰＵ１０１は、大入賞口開放中指定コマンドを受信したことを示す大入賞口開放中フラグがセットされているか否かを確認する（Ｓ１９７１）。大入賞口開放中フラグがセットされていないときは、演出制御用マイクロコンピュータ１００は、プロセスタイマの値を１減算する（Ｓ１９７２）。
【０５６１】
次いで、演出制御用マイクロコンピュータ１００は、プロセスデータｎの内容（表示制御実行データｎ）にしたがって、演出装置（演出表示装置９、スピーカ２７、各種ＬＥＤ２５，２８等）の制御を実行する（Ｓ１９７３）。たとえば、演出表示装置９においてインターバル演出に応じた画像を表示させるために、プロセスデータｎの内容（表示制御実行データｎ）にしたがってキャラクタＲＯＭから画像データを読出し、読出した画像データをＶＤＰ１０９に出力するとともに制御信号を出力する。また、各種ランプを点灯／消灯制御を行なわせるために、ランプドライバ基板３５に対して制御信号を出力する。また、スピーカ２７からの音声出力を行なわせるために、音声出力基板７０に対して制御信号（音番号データ）を出力する。
【０５６２】
次いで、演出制御用マイクロコンピュータ１００は、プロセスタイマがタイムアウトしていないかどうかを確認し（Ｓ１９７６）、プロセスタイマがタイムアウトしていれば、プロセスデータの切替えを行なう（Ｓ１９７７）。すなわち、プロセステーブルにおける次に設定されているプロセスデータ（表示制御実行データ、ランプ制御実行データおよび音番号データ）に切替える。そして、次のプロセスデータにおけるプロセスタイマ設定値をプロセスタイマに設定してプロセスタイマをスタートさせる（Ｓ１９７８）。
【０５６３】
このように、プロセスタイマを用いて時間管理を行なって、プロセスデータを順次切替えていくことにより、１５Ｒ通常大当り、１５Ｒ確変大当りＡ〜Ｋ、２Ｒ確変大当り、および、小当りにおいては、予め定められたインターバル演出が実行される。
【０５６４】
Ｓ１９７１で大入賞口開放中フラグがセットされているときは、大入賞口開放中フラグをリセットする（Ｓ１９８０）。そして、前述したＳ９０９Ａと同様に、実行する大当り遊技状態が１５Ｒ確変大当りＡ〜Ｋのいずれかの大当り遊技状態であるかを確認する（Ｓ１９８０Ａ）。１５Ｒ確変大当りＡ〜Ｋのいずれかの大当り遊技状態であるときには、次のラウンドは、実質的に大入賞口に入賞可能なラウンド（３０秒間開放ラウンド）であるか否かを判定する（Ｓ１９８０Ｂ）。Ｓ１９８０Ｂでは、Ｓ１９８０Ａでの判定に用いたデータに基づいて、予め定められた大当り遊技状態と、実質的に大入賞口に入賞可能なラウンドの期間との関係を示すデータを用いて、実行する大当り遊技状態が何ラウンド目までが実質的に大入賞口に入賞可能なラウンドであるかを確認し、Ｓ１９７１で確認した大入賞口開放中指定コマンドにより特定される次回のラウンドが、実質的に大入賞口に入賞可能なラウンドであるか否かを判断する。
【０５６５】
Ｓ１９８０Ｂで次回のラウンドが実質的に大入賞口に入賞可能なラウンドではないときは、後述するＳ１９８１に進む。一方、Ｓ１９８０Ｂで次回のラウンドが実質的に大入賞口に入賞可能なラウンドではあるときは、各ラウンドの開始時において、継続報知演出（第２継続報知演出または第３継続報知演出）に関する各種判定を行なうための前述したラウンド開始時判定処理（図４０）を実行し（Ｓ１９８０Ｃ）、Ｓ１９８１に進む。このように、ラウンド開始時判定処理は、大当り表示処理と、ラウンド後処理とで共通の処理として設けられている。
【０５６６】
Ｓ１９８１では、ラウンド中演出に応じたプロセスデータを選択する（Ｓ１９８１）。そして、プロセスタイマをスタートさせ（Ｓ１９８２）、演出制御プロセスフラグの値をラウンド中処理（Ｓ８０５）に対応した値に設定する（Ｓ１９８３）。
【０５６７】
ラウンド開始時処理において、「報知なし」、「＋１Ｒ」、「＋２Ｒ」、または、「＋３Ｒ」が決定されると、その決定結果に基づいて、Ｓ１９８１において、このように決定された報知態様で第２継続報知演出または第３継続報知演出を実行するための演出データが選択され、その後、ラウンド中処理において、たとえば、ラウンドの後半（前半であってもよい）の所定タイミングに設定された演出実行タイミングにおいて、第２継続報知演出または第３継続報知演出が実行される。
【０５６８】
［第２実施形態］
次に、第２実施形態を説明する。第２実施形態では、１５Ｒ確変大当りの大当り遊技状態において保留記憶中に１５Ｒ確変大当り（１５Ｒ確変大当りＡ〜Ｋのいずれか）となる保留記憶情報が含まれているときに、第３継続報知演出が実行されたときと、第３継続報知演出が実行されなかったときとで、大当り遊技状態終了後に、当該１５Ｒ確変大当りとなる保留記憶情報に基づく大当りに対して実行する演出の演出態様が異なるようにする例を説明する。
【０５６９】
このようなケースでの大当り遊技状態終了後に、第１実施形態のように超時短での変動表示を行なう場合には、大当り遊技状態中に第３継続報知演出が実行されたときは、第３継続報知演出が実行されなかったときには表示されない特別なキャラクタを表示することにより、変動表示の演出の演出態様を異ならせる制御を、演出制御マイクロコンピュータ１００が実行する。
【０５７０】
また、このようなケースでの大当り遊技状態終了後に、第１実施形態のような超時短での変動表示を行なわない場合には、前述のような特別なキャラクタを用いた演出態様を相違させることの他に、大当り遊技状態中に第３継続報知演出が実行されたときは、第３継続報知演出が実行されなかったときには表示される割合が少ない（表示されないものでもよい）特別なスーパーリーチの演出を実行する等、リーチ演出の演出態様を異ならせることで、変動表示の演出の演出態様を異ならせる制御を、演出制御マイクロコンピュータ１００が実行する。
【０５７１】
また、このようなケースでの大当り遊技状態終了後に、第１実施形態のような超時短での変動表示を行なうか否かにかかわらず、大当り遊技状態中に第３継続報知演出が実行されたときは、第３継続報知演出が実行されなかったときには表示される割合が少ない（表示されないものでもよい）特別な演出（たとえば、第１ラウンドから総決定Ｒ数を報知する等、遊技者にとって有利となるような特別な演出）が行なわれる大当り遊技状態の演出を実行する等、大当り遊技状態の演出の演出態様を異ならせる制御を、演出制御マイクロコンピュータ１００が実行する。
【０５７２】
このように、第２実施形態では、１５Ｒ確変大当りの大当り遊技状態において保留記憶中に１５Ｒ確変大当り（１５Ｒ確変大当りＡ〜Ｋのいずれか）となる保留記憶情報が含まれているときに、第３継続報知演出が実行されたときと、第３継続報知演出が実行されなかったときとで、大当り遊技状態終了後に、当該１５Ｒ確変大当りとなる保留記憶情報に基づく大当りに対して実行する演出の演出態様が異なることにより、第３継続報知演出が実行されることに対して、遊技の興趣をより一層向上させることができる。
【０５７３】
［第３実施形態］
次に、第３実施形態を説明する。第１，２実施形態に示すパチンコ遊技機１について適用される特徴的な制御をスロットマシンにおいて適用する例を説明する。
【０５７４】
まず、スロットマシンの基本的な構成および制御内容を説明する。図４４は、第３実施形態によるスロットマシンの全体構造を示す正面図である。スロットマシン２００の前面扉は、施錠装置１９にキーを差し込み、時計回り方向に回動操作することにより開放状態とすることができる。このスロットマシン２００の上部前面側には、変動表示装置２ａが設けられている。変動表示装置２ａは、リールユニット３ａ（図４５参照）を備える。リールユニット３ａ内には、後述するリール３Ｌ、３Ｃ、３Ｒと、当該リール３Ｌ、３Ｃ、３Ｒ各々に対して、リールを回転／停止させるためのリールモータ３ＭＬ、３ＭＣ、３ＭＲ（図４５参照）と、その基準位置を検出するリールセンサ３ＳＬ、３ＳＣ、３ＳＲ（図４５参照）と、背面から光を照射するリールランプ３ＬＰ（図４５参照）とが設けられている。
【０５７５】
リール３Ｌ、３Ｃ、３Ｒの外周部には、それぞれ「１」、「２」、「３」、「４」、「赤７」、「青７」、「ＢＡＲ」、「リプレイ１」、「リプレイ２」といった互いに識別可能な複数種類の図柄が所定の順序で描かれている。「赤７」、「青７」および「ＢＡＲ」は、「１」、「２」、「３」、「４」、「リプレイ１」、「リプレイ２」よりも大きい、特に横幅が広い図柄であり、リール３Ｌ、３Ｃ、３Ｒが回転しているときにも、比較的容易に遊技者が図柄を認識できる。「１」、「２」、「３」、「４」、「リプレイ１」、「リプレイ２」は、リール３Ｌ、３Ｃ、３Ｒが回転しているときに、これを遊技者が認識するのは困難なものとなっている。変動表示装置２ａは、リールモータ３ＭＬ、３ＭＣ、３ＭＲにより回転／停止されるリール３Ｌ、３Ｃ、３Ｒ各々の外周部に描かれた図柄を、前面扉の上部に形成された透視窓から遊技者が視認可能となるように構成されている。変動表示装置２ａは、リール３Ｌ、３Ｃ、３Ｒのうち停止しているリールの外周部に描かれた３つの図柄を上中下三段に導出させることができる。
【０５７６】
変動表示装置２ａには、リール３Ｌ、３Ｃ、３Ｒ各々の上段から構成される第１ライン、リール３Ｌ、３Ｃ、３Ｒ各々の下段から構成される第２ライン、リール３Ｌ、３Ｃ各々の上段とリール３Ｒの下段から構成される第３ライン、リール３Ｌ、３Ｃ各々の下段とリール３Ｒの上段から構成される第４ライン、リール３Ｌの上段とリール３Ｃ、３Ｒ各々の下段から構成される第５ライン、リール３Ｌの下段とリール３Ｃ、３Ｒ各々の上段から構成される第６ライン、リール３Ｌ、３Ｒ各々の上段とリール３Ｃの下段から構成される第７ライン、およびリール３Ｌ、３Ｒ各々の下段とリール３Ｃの上段から構成される第８ラインの合計８本の入賞ラインが設定される。すなわち、入賞ラインには、リール３Ｌ、３Ｃ、３Ｒ各々の上段または下段の組合せから構成されるすべてのラインが含まれる。このように入賞ラインが設けられているため、後述する各役を構成する図柄を、リール３Ｌ、３Ｃ、３Ｒ各々の上段または下段に停止させることにより入賞させることができる。リール３Ｌ、３Ｃ、３Ｒに描かれた図柄と、リール３Ｌ、３Ｃ、３Ｒの停止制御については、さらに詳しく後述するものとする。
【０５７７】
変動表示装置２ａの下側であって、スロットマシン２００の前面側ほぼ中央位置には、演出手段としての液晶表示器４ａが設けられている。液晶表示器４ａは、大きさ的にも変動表示装置２ａよりも大きく、しかも遊技者（平均的な身長のものを想定）がスロットマシン２００の前に座ったときに遊技者の目線の高さになる位置に設けられているので、変動表示装置２ａによりも視認容易になっている。
【０５７８】
液晶表示器４ａは、遊技状態や当選フラグの設定状況等、ゲームの進行に応じて様々な演出用の画像を表示する。液晶表示器４ａには、たとえば、遊技状態に対応した背景画像が表示される。また、液晶表示器４ａには、当選フラグの設定状況および入賞状況を報知するための画像が表示される。液晶表示器４ａにおいては、これらの画像が変動表示装置２ａのリール３Ｌ、３Ｃ、３Ｒの回転／停止に合わせて表示された後、変動表示装置２ａのリール３Ｌ、３Ｃ、３Ｒの表示結果に対応した演出結果画像が表示される。また、液晶表示器４ａにおいては、変動表示装置２ａの表示結果により連続して小役に入賞すると、後述する小役連続入賞演出等の所定の演出が行なわれる。さらに、液晶表示器４ａには、遊技に直接的または間接的に関わる様々な情報を表示することが可能である。
【０５７９】
液晶表示器４ａの左側には、上からペイアウト表示部２１ａと、クレジット表示部２２と、告知部３６と、リプレイ表示部３２ｂと、スタート表示部３０ａと、投入指示表示部２９ａと、ヒット表示部３４とが設けられている。ペイアウト表示部２１ａは、７セグメント表示器によるペイアウト表示器５３（図４５参照）によって構成され、後述する小役に入賞した場合に払出されるメダルの枚数を表示する。クレジット表示部２２は、７セグメント表示器によるクレジット表示器５２（図４５参照）によって構成され、後述するようにメダルの投入枚数および払出し枚数に応じてデータとして蓄積されたクレジットの数を表示する。
【０５８０】
告知部３６は、告知ランプ６６（図４５参照）が点灯状態となることで、後述する遊技者にとって有利な有利状態としてのビッグ（１）、ビッグ（２）、チャレンジ（１）、およびチャレンジ（２）のうちいずれかの入賞が可能となっていることを遊技者に告知する。本実施の形態において、このような告知は、に当選しているゲームが開始されるときに後述する制御部１２０ａにより所定の割合（極めて低い割合、たとえば５％以下の割合）で行なわれる。これにより、に当選していることを遊技者に気付かせにくくすることができる。投入指示表示部２９ａは、投入指示ランプ５９ａ（図４５参照）が点灯状態となることで、メダルが投入可能なことを示す。スタート表示部３０ａは、スタートランプ６０（図４５参照）が点灯状態となることで、スタート可能、すなわちスタートレバー１１の操作受付可能であることを示す。リプレイ表示部３２ｂは、リプレイランプ６２（図４５参照）が点灯状態となることで、後述するリプレイ入賞をしたことを示す。ヒット表示部３４は、ＨＩＴランプ５４（図４５参照）が点灯状態となることで、遊技状態が後述するチャレンジ（２）を除き、ビッグ（１）、ビッグ（２）、またはチャレンジ（１）のうちいずれかに入賞し中である旨を報知する。本実施の形態において、このような報知は、に入賞してから所定ゲーム数（たとえば２ゲーム）分遊技された後に行なわれる。これにより、に入賞してから所定ゲーム数分遊技されるまで、に入賞していることを遊技者に気付かせにくくすることができる。
【０５８１】
液晶表示器４ａの右側には、入賞表示部２５ａ〜２５ｄが設けられている。入賞表示部２５ａ〜２５ｄは、入賞表示ランプ４５ａ〜４５ｄ（図４５参照）が点滅状態となることで、変動表示装置２ａに対応する入賞の表示結果が導出されたことを示す。
【０５８２】
また、液晶表示器４ａの下方に設けられた台状部分の水平面には、メダル投入口１３ｂと、１枚ＢＥＴボタン１４ｂと、ＭＡＸＢＥＴボタン１５ｂと、精算ボタン１６ｂとが設けられている。１枚ＢＥＴボタン１４ｂおよびＭＡＸＢＥＴボタン１５ｂには、データとして蓄積されたクレジット（最大５０）から賭数の設定を可能としているときに点灯するＢＥＴボタンランプ７０ａ、７０ｂ（図４５参照）が内部に配されている。
【０５８３】
メダル投入口１３ｂは、遊技者がここからメダルを投入するものであり、投入指示表示部２９ａが点灯しているときにメダルの投入が投入メダルセンサ４４（図４５参照）によって検出されると、賭数が設定され、あるいはクレジットがデータとして蓄積される。１枚ＢＥＴボタン１４ｂおよびＭＡＸＢＥＴボタン１５ｂは、データとして蓄積されているクレジットから賭数（それぞれ１、３）を設定する際に遊技者が操作するボタンであり、遊技者によって操作されたことが１枚ＢＥＴスイッチ４５（図４５参照）またはＭＡＸＢＥＴスイッチ４６（図４５参照）によって検出されると、クレジットからの賭数の設定が行なわれる。
【０５８４】
メダル投入口１３ｂからのメダルの投入、１枚ＢＥＴボタン１４ｂまたはＭＡＸＢＥＴボタン１５ｂの操作により各ゲームで設定できる賭数は、何れの遊技状態においても３である。賭数が設定されると、スタートレバー１１が操作受付可能となり、ゲームを開始させることができる。精算ボタン１６ｂは、クレジットの払出しを指示するためのボタンであり、精算スイッチ４７（図４５参照）によって操作が検出されると、データとして蓄積されたクレジットに応じたメダルが払出される。
【０５８５】
その台状部分の垂直面には、スタートレバー１１と、停止ボタン１２Ｌ、１２Ｃ、１２Ｒと、メダルが詰まったときなどにおいてスロットマシン２００に機械的に振動を与えるメダル詰まり解消ボタン１８とが設けられている。スタートレバー１１は、ゲームを開始する際に遊技者が操作するもので、その操作がスタートスイッチ４１ａ（図４５参照）によって検出されると、リール駆動モータ３ＭＬ、３ＭＣ、３ＭＲが駆動開始され、リール３Ｌ、３Ｃ、３Ｒが回転開始する。リール３Ｌ、３Ｃ、３Ｒが回転開始した後所定の条件が成立することにより停止ボタン１２Ｌ、１２Ｃ、１２Ｒの操作が可能となると、その内部に備えられた操作有効ランプ６３Ｌ、６３Ｃ、６３Ｒ（図４５参照）が点灯状態となって、その旨が遊技者に示される。
【０５８６】
停止ボタン１２Ｌ、１２Ｃ、１２Ｒは、それぞれ遊技者が所望のタイミングでリール３Ｌ、３Ｃ、３Ｒの回転を停止させるべく操作するボタンであり、その操作がストップスイッチ４２Ｌ、４２Ｃ、４２Ｒ（図４５参照）で検出されると、リール３Ｌ、３Ｃ、３Ｒの回転が停止される。停止ボタン１２Ｌ、１２Ｃ、１２Ｒの操作から対応するリール３Ｌ、３Ｃ、３Ｒの回転を停止するまでの最大停止遅延時間は１９０ミリ秒である。リール３Ｌ、３Ｃ、３Ｒは、１分間に８０回転し、８０×２１（１リール当たりの図柄コマ数）＝１６８０コマ分の図柄を変動させるので、１９０ミリ秒の間では最大で４コマの図柄を引き込むことができることとなる。つまり、停止図柄として選択可能なのは、停止ボタン１２Ｌ、１２Ｃ、１２Ｒが操作されたときに表示されている図柄と、そこから４コマ先までにある図柄、合計５コマ分の図柄である。
【０５８７】
このため、たとえば、停止ボタン１２Ｌ、１２Ｃ、１２Ｒのいずれかが操作されたときに当該停止ボタンに対応するリールの下段に表示されている図柄を基準とした場合、当該図柄から４コマ先までの図柄を下段に表示させることができるため、その結果として当該図柄から６コマ先までの図柄を上段に表示させることができる。すなわち、リール３Ｌ、３Ｃ、３Ｒ各々において、停止ボタン１２Ｌ、１２Ｃ、１２Ｒのうちいずれかが操作されたときに当該停止ボタンに対応するリールの下段に表示されている図柄を含めて７コマ以内に配置されている図柄を入賞ライン上に表示させることができる。また、前述したように、入賞ラインとして、リール３Ｌ、３Ｃ、３Ｒ各々の上段または下段の組合せから構成されるすべてのラインが設定されており、各役を構成する図柄がリール３Ｌ、３Ｃ、３Ｒ各々の上段または下段に停止させることにより入賞可能に構成されている。このため、リール３Ｌ、３Ｃ、３Ｒ各々において７コマ以内に配置されている図柄から構成される役は、停止ボタンが操作されたタイミングに関わらず入賞させることができるため、取りこぼしの発生を防止することができる。
【０５８８】
また、後述するチャレンジ中に提供されるチャレンジタイム（ＣＴ）に制御されているときには、停止ボタン１２Ｃの操作から対応するリール３Ｃの回転を停止するまでの最大停止遅延時間が７５ミリ秒に短縮される。７５ミリ秒の間では最大で１コマの図柄を引き込むことができることとなる。つまり、停止図柄として選択可能なのは、停止ボタン１２Ｃが操作されたときに表示されている図柄と、１コマ先にある図柄との合計２コマ分の図柄である。
【０５８９】
スロットマシン２００の下部前面側には、メダル払出し口７１と、メダル貯留皿７２とが設けられている。メダル払出し口７１は、ホッパー８０ａ（図４５参照）によって払出しが行なわれたメダルを外部に排出するものである。メダル貯留皿７２は、払出されたメダルを貯めておくためのものである。メダル貯留皿７２の上の前面パネルには、内部に設置された蛍光灯６（図４５参照）が発した光が照射される。
【０５９０】
変動表示装置２ａの左右には、それぞれ演出手段としてのスピーカ７Ｌ、７Ｒが設けられている。スピーカ７Ｌ、７Ｒは、所定の役（たとえば、小役、再遊技役等）が入賞したときにおける効果音の出力や、異常時における警報音の出力を行なうと共に、遊技状態に応じた様々な演出用の音声の出力を行なう。
【０５９１】
さらに、スロットマシン２００の前面側には、変動表示装置２ａおよび液晶表示器４ａの周囲を取り囲むように、演出手段としての遊技効果ランプ７５Ａ〜７５Ｅ（図４５参照）の発光により光による演出を行なう遊技効果表示部５Ａ〜５Ｅが設けられている。遊技効果表示部５Ａ〜５Ｅは、遊技の進行状況に応じた様々なパターンで光による演出を行なうものである。なお、遊技効果表示部５Ａ〜５Ｅの発光色は、単色からなるものであっても、複数色からなるものであっても構わない。遊技効果表示部５Ａ〜５Ｅは、入賞した役の種類に応じて発光することがある。
【０５９２】
図４５は、スロットマシン２００の制御回路の構成を示す図である。図示するように、このスロットマシン２００の制御回路は、電源基板１００ａ、遊技制御基板１０１ａ、演出制御基板１０２ａ、リール中継基板１０３ａ、リールランプ中継基板１０４ａ、外部出力基板１０５ａ、および演出中継基板１０６ａに大きく分けて構成される。
【０５９３】
電源基板１００ａは、ＡＣ１００Ｖの外部電源電圧を変圧し、遊技制御基板１０１ａその他のスロットマシン２００の各部に動作電力を供給する。図４５では、遊技制御基板１０１ａ、ホッパー８０ａ、各スイッチ９１〜９４にのみ接続されているように示しているが、電源基板１００ａは、他の各部への電力の供給も行なっている。電源基板１００ａは、スロットマシン２００の内部に設けられ、メダルの払出し動作を行なうホッパーモータ８２と、メダルの払出しを検知する払出しセンサ８１とから構成されるホッパー８０ａに接続されている。
【０５９４】
電源基板１００ａは、後述する内部抽選への当選確率を設定し、これに基づいて算出されるメダルの払出率の設定値（設定１〜設定４）を変更するための設定スイッチ９１ａ、設定スイッチ９１ａを操作有効とする設定キースイッチ９２ａ、内部状態（ＲＡＭ１１２）をリセットする第２リセットスイッチ９３ａ、および電源のＯＮ／ＯＦＦ切替えを行なうメインスイッチ９４ａにもそれぞれ接続されており、これらのスイッチの検出信号を遊技制御基板１０１ａへと送る。これらのスイッチ９１〜９４は、スロットマシン２００の内部に設けられている。なお、第２リセットスイッチ９３ａは、後述するように、ゲームの進行を停止させる打ち止め制御が行なわれ打止状態に制御されている場合、該打止状態を解除するための解除操作を受付ける手段でもある。
【０５９５】
遊技制御基板１０１ａは、スロットマシン２００における遊技の進行全体の流れを制御するメイン側の制御基板であり、ＣＰＵ１１１、ＲＡＭ１１２、ＲＯＭ１１３およびＩ／Ｏポート１１４を含む１チップマイクロコンピュータからなる制御部１１０を搭載している。また、乱数発生回路１１５、サンプリング回路１１６、電源監視回路１１７、リセット回路１１８等の回路を搭載している。
【０５９６】
ＣＰＵ１１１は、計時機能、タイマ割り込みなどの割り込み機能（割り込み禁止機能を含む）を備え、ＲＯＭ１１３に記憶されたプログラム（後述）を実行して、遊技の進行に関する処理を行なうと共に、スロットマシン２００内の制御回路の各部を直接的または間接的に制御する。ＣＰＵ１１１が取り扱うデータの１ワードは、８ビット（１バイト）であり、ＲＡＭ１１２、ＲＯＭ１１３のアドレスも、８ビット単位で割り付けられている。
【０５９７】
ＲＡＭ１１２は、ＣＰＵ１１１がプログラムを実行する際のワーク領域として使用される。ＲＯＭ１１３は、ＣＰＵ１１１が実行するプログラムや固定的なデータを記憶する。ＲＡＭ１１２とＲＯＭ１１３のアドレスの割り当ては、メーカにおける開発用機種とホールに納入される量産機種とで異なる。Ｉ／Ｏポート１１４は、遊技制御基板１０１ａに接続された各回路との間で制御信号を入出力する。
【０５９８】
乱数発生回路１１５は、後述するように所定数のパルスを発生する度にカウントアップして値を更新するカウンタによって構成され、サンプリング回路１１６は、乱数発生回路１１５がカウントしている数値を取得する。乱数発生回路１１５は、遊技の進行に使用される乱数の種類毎に設けられていて、乱数の種類毎にカウントする数値の範囲が定められている。ＣＰＵ１１１は、その処理に応じてサンプリング回路１１６に指示を送ることで、乱数発生回路１１５が示している数値を乱数として取得する（以下、この機能をハードウェア乱数機能という）。後述する内部抽選用の乱数には、ハードウェア乱数機能により抽出した数値をソフトウェアにより加工した数値が使用される。
【０５９９】
電源監視回路１１７は、スロットマシン２００に供給される電源電圧を監視し、電圧の低下を検出（たとえば、所定電圧以下になったか否か判定）したときに、電圧低下信号を制御部１１０に対して出力する回路である。制御部１１０は、特に図示はしないが、割込入力端子を備えており、この割込入力端子に電圧低下信号が入力されることで外部割込が発生し、制御部１１０のＣＰＵ１１１は外部割込に応じて電断割込処理を実行する。
【０６００】
電断割込処理においては、当該処理の開始にともなってその他の割込処理の実行を禁止する。そして、使用している可能性がある全てのレジスタをＲＡＭに退避させる処理が行なわれる。これにより、電断復旧時に、元の処理に復帰できるようにする。
【０６０１】
次いで、全出力ポートを初期化した後、ＲＡＭに記憶されている全てのデータに基づいてＲＡＭパリティを計算してパリティ格納領域１１２−７にセットし、ＲＡＭアクセスを禁止する。そして何らの処理も行なわないループ処理に入る。すなわち、そのまま電圧が低下すると内部的に動作停止状態になる。よって、電断時に確実に制御部１１０は動作停止する。
【０６０２】
このように電断割込処理においては、その時点のＲＡＭパリティを計算してパリティ格納領域１１２−７に格納されるようになっており、次回起動時において計算したＲＡＭパリティと比較することで、ＲＡＭに格納されているデータが正常か否かを確認できるようになっている。
【０６０３】
次に、リセット回路１１８は、電源投入時において制御部１１０が起動可能なレベルまで電圧が上昇したときに制御部１１０に対してリセット信号を出力し、制御部１１０を起動させるとともに、制御部１１０から定期的に出力される信号に基づいてリセットカウンタの値がクリアされずにカウントアップした場合、すなわち制御部１１０が一定時間動作を行なわなかった場合に制御部１１０に対してリセット信号を出力し、制御部１１０を再起動させる回路である。
【０６０４】
ＣＰＵ１１１は、また、タイマ割り込み処理により、ＲＡＭ１１２の特定アドレスの数値を更新し、こうして更新された数値を乱数として取得する機能も有する（以下、この機能をソフトウェア乱数機能という）。ＣＰＵ１１１は、Ｉ／Ｏポート１１４を介して演出制御基板１０２ａに、各種のコマンドを送信する。これらのコマンドは、それぞれ８ビットで構成される。なお、遊技制御基板１０１ａから演出制御基板１０２ａへ情報（コマンド）は一方向のみで送られ、演出制御基板１０２ａから遊技制御基板１０１ａへ向けて情報（コマンド）が送られることはない。
【０６０５】
遊技制御基板１０１ａには、１枚ＢＥＴスイッチ４５、ＭＡＸＢＥＴスイッチ４６、スタートスイッチ４１ａ、ストップスイッチ４２Ｌ、４２Ｃ、４２Ｒ、精算スイッチ４７、第１リセットスイッチ４８、投入メダルセンサ４４が接続されており、これらのスイッチ／センサ類の検出信号が入力される。また、リール中継基板１０３ａを介して、リールセンサ３ＳＬ、３ＳＣ、３ＳＲの検出信号が入力される。Ｉ／Ｏポート１１４を介して入力されるこれらスイッチ／センサ類の検出信号、あるいは前述したように電源基板１００ａを介して入力される各種スイッチの検出信号に従って、遊技制御基板１０１ａ上のＣＰＵ１１１は、処理を行なっている。
【０６０６】
遊技制御基板１０１ａには、また、流路切替ソレノイド４９、ペイアウト表示器５３、クレジット表示器５２、投入指示ランプ５９ａ、スタートランプ６０、リプレイランプ６２、ＨＩＴランプ５４、ＢＥＴボタンランプ７０ａ、７０ｂ、操作有効ランプ６３Ｌ、６３Ｃ、６３Ｒ、入賞表示ランプ４５ａ〜４５ｄが接続されており、ＣＰＵ１１１は、遊技の進行状況に従ってこれらの動作を制御している。
【０６０７】
また、遊技制御基板１０１ａには、リール中継基板１０３ａを介してリールモータ３ＭＬ、３ＭＣ、３ＭＲが接続されている。ＣＰＵ１１１は、ＲＡＭ１１２に設定された当選フラグを参照して、リール中継基板１０３ａを介してリールモータ３ＭＬ、３ＭＣ、３ＭＲを制御して、リール３Ｌ、３Ｃ、３Ｒを停止させる。遊技制御基板１０１ａには、さらに演出中継基板１０６ａを介して演出制御基板１０２ａが接続されている。
【０６０８】
演出中継基板１０６ａは、遊技制御基板１０１ａから演出制御基板１０２ａへ送信される情報の一方向性を担保するために設けられた基板である。演出中継基板１０６ａは、この状態を調べることによって遊技制御基板１０１ａや演出制御基板１０２ａを調べなくても、遊技制御基板１０１ａの制御部１１０に不正な信号（特に演出制御基板１０２ａに外部から入力されるようになっている信号）が入力されるような改造がなされていないかどうかをチェックすることができるようにするものである。
【０６０９】
演出制御基板１０２ａは、スロットマシン２００における演出の実行を制御するサブ側の制御基板であり、ＣＰＵ１２１、ＲＡＭ１２２、ＲＯＭ１２３およびＩ／Ｏポート１２４を含む１チップマイクロコンピュータからなる制御部１２０ａを搭載している。また、乱数発生回路１２５およびサンプリング回路１２６を搭載しており、ＣＰＵ１２１は、サンプリング回路１２６により乱数発生回路１２５がカウントしている値を取得することにより、遊技制御基板１０１ａと同様のハードウェア乱数機能を形成している。また、割り込み処理によるソフトウェア乱数機能も有している。
【０６１０】
ＣＰＵ１２１は、ＲＯＭ１２３に記憶されたプログラム（後述）を実行して、演出の実行に関する処理を行なうと共に、演出制御基板１０２ａ内の各回路およびこれに接続された各回路を制御する。演出の実行は、Ｉ／Ｏポート１２４を介して遊技制御基板１０１ａから受信したコマンドに基づいて行なわれる。ＲＡＭ１２２は、ＣＰＵ１２１がプログラムを実行する際のワーク領域として使用される。ＲＯＭ１２３は、ＣＰＵ１２１が実行するプログラムや固定的なデータを記憶する。Ｉ／Ｏポート１２４は、演出制御基板１０２ａに接続された各回路との間で制御信号を入出力する。
【０６１１】
演出制御基板１０２ａには、遊技効果ランプ７５Ａ〜７５Ｅ、液晶表示器４ａ、スピーカ７Ｌ、７Ｒ、蛍光灯６、告知ランプ６６が接続されている。また、リールランプ中継基板１０４ａを介してリールランプ３ＬＰが接続されている。演出制御基板１０２ａの制御部１２０ａは、これら各部をそれぞれ制御して、演出を行なっている。
【０６１２】
リール中継基板１０３ａは、遊技制御基板１０１ａと外部出力基板１０５ａおよびリールユニット３ａとの間を中継している。リール中継基板１０３ａには、また、満タンセンサ９０が接続されており、その検出信号が入力される。満タンセンサ９０は、スロットマシン２００の内部に設けられ、ホッパー８０ａからオーバーフローしたメダルを貯留するオーバーフロータンク内のメダルが満タンになったことを検知するものである。
【０６１３】
リールランプ中継基板１０４ａは、演出制御基板１０２ａとリールユニット３ａとの間を中継している。外部出力基板１０５ａは、ホールの管理コンピュータなどの外部装置に接続されており、遊技制御基板１０１ａからリール中継基板１０３ａを介して入力されたビッグ（１）中信号、ビッグ（２）中信号、チャレンジ（１）中信号、チャレンジ（２）中信号、レギュラー中信号、チャレンジタイム中信号、メダルＩＮ信号、およびメダルＯＵＴ信号を、当該外部装置に出力する。これに加えて、当選状況信号、リール制御信号、ストップスイッチ信号を外部装置に出力するものであってもよい。
【０６１４】
上記スロットマシン２００においては、変動表示装置２ａのいずれかの入賞ライン上に役図柄が揃うと、入賞となる。入賞となる役の種類は、遊技状態に応じて定められているが、大きく分けて、ビッグ（１）、ビッグ（２）、チャレンジ（１）、チャレンジ（２）のいずれかへの移行を伴う特別役と、メダルの払出しを伴う小役と、賭数の設定を必要とせずに次のゲームを開始可能となる再遊技役とがある。なお、ビッグ（１）およびビッグ（２）を単にビッグといい、チャレンジ（１）およびチャレンジ（２）を単にチャレンジという場合もある。また、ビッグをＢＢと示す場合があり、チャレンジをＣＢと示す場合がある。ビッグおよびチャレンジを単にという場合もある。
【０６１５】
ビッグ（１）は、通常の遊技状態またはＲＴ（リプレイタイム）において入賞ラインのいずれかに「赤７−１−４」の組合せが揃ったときに入賞となる。ビッグ（２）は、通常の遊技状態またはＲＴにおいて入賞ラインのいずれかに「青７−４−１」の組合せが揃ったときに入賞となる。ビッグ（１）またはビッグ（２）が入賞すると、遊技状態がそれぞれビッグ（１）またはビッグ（２）に移行する。ビッグ（１）とビッグ（２）とでは、払出メダル枚数の上限と、その終了後に制御されるＲＴの種類とに違いがある。
【０６１６】
ビッグ（１）またはビッグ（２）においては、当該ビッグ（１）または当該ビッグ（２）が終了するまで、１２ゲームを消化したことまたは８ゲーム入賞（役の種類は、いずれでも可）したことにより終了条件が成立するレギュラー（ＲＢと示す場合もある）に、繰り返し制御される。遊技状態がビッグ（１）またはビッグ（２）にある間は、それぞれビッグ（１）中フラグまたはビッグ（２）中フラグがＲＡＭ１１２に設定される。また、遊技状態がレギュラーにある間は、レギュラー中フラグがＲＡＭ１１２に設定される。
【０６１７】
ビッグ（１）およびビッグ（２）は、各々、遊技者に払出したメダルの枚数が３４５枚を越えたときに終了条件が成立し終了する。ビッグ（１）およびビッグ（２）に内部当選してから、該当選したビッグが入賞するまでの間、ＲＴ２に遊技状態が制御される。また、ビッグ（１）の終了後は、予め規定されている１００ゲームの間だけＲＴ１に遊技状態が制御される。ただし、ＲＴ１に遊技状態が制御されているときに、ビッグやチャレンジの特別役に入賞すると、規定のゲーム数が残っていても、その時点でＲＴ１が終了する。本実施の形態においては、ビッグ（１）の払出枚数の上限を、ビッグ（２）の払出枚数の上限と同じに設定されている例について説明するが、しかし、これに限らず、ビッグ（１）の払出枚数の上限と、ビッグ（２）の払出枚数の上限とが異なるものであってもよい。たとえば、ビッグ（１）の払出枚数の上限を、ビッグ（２）の払出枚数の上限よりも大きくなるように設定してもよい。
【０６１８】
また、ビッグ（１）に制御された後、有利状態として、当選している小役の種類（または、これに入賞させるための停止ボタン１２Ｌ、１２Ｃ、１２Ｒの操作手順）を報知するＡＴ（Assist Time）に所定期間（たとえば、１００ゲームの間）制御される場合もある。その場合において、ＡＴに制御するか否かの判定は、ビッグ（１）に当選したとき、または、ビッグ（１）に制御された後に行なわれる。また、ＡＴは、ビッグ等の入賞とは別に、単独の有利状態として実行されるようにしてもよい。このような場合には、ＡＴに制御するか否かの判定は、ビッグ等の入賞とは別に行われ、ＡＴに制御する場合には、当該判定がなされたときから所定回数のゲームが実行されたときにＡＴに制御される。
【０６１９】
このようにＡＴに制御されるときは、ＡＴに制御する判定がされてから予め定められた期間（ゲーム回数）が経過したときにＡＴに制御されるので、ＡＴに制御する判定（ＡＴに制御しない判定も含む）がされてからＡＴに制御される（ＡＴに制御されない場合も含む）までの所定期間には、演出制御基板１０２ａのＣＰＵ１２１により、複数回のゲームに亘り、ＡＴに制御されることを示唆する演出等の所定の演出が実行される。
【０６２０】
また、ビッグ（１）が終了した後、およびビッグ（２）が終了した後には、クレジットの精算を除いて、遊技者のいずれの操作も無効となり、遊技の進行が不能となるフリーズ状態に一定期間制御される。また、打止機能が有効に設定されている場合にビッグ（１）が終了したとき、およびビッグ（２）が終了したときには、クレジットの精算を除いて、遊技者のいずれの操作も無効となり、遊技の進行が不能となる打止状態に第２リセットスイッチ９３ａが操作されるまで制御される。
【０６２１】
チャレンジ（１）は、通常の遊技状態またはＲＴにおいて入賞ラインのいずれかに「ＢＡＲ−４−リプレイ１」の組合せが揃ったときに入賞となる。チャレンジ（２）は、通常の遊技状態またはＲＴにおいて入賞ラインのいずれかに「１−２−１」の組合せが揃ったときに入賞となる。
【０６２２】
ビッグ（１）、ビッグ（２）、チャレンジ（１）、およびチャレンジ（２）の組合せについて説明したように、各々を構成する図柄が各リールで異なっているため、に入賞したかどうかが遊技者にとって識別しづらくなり、入賞をより一層遊技者に気付かせにくくすることができる。
【０６２３】
チャレンジ（１）またはチャレンジ（２）が入賞すると、遊技状態がそれぞれチャレンジ（１）またはチャレンジ（２）に移行する。チャレンジ（１）とチャレンジ（２）とは、払出メダル枚数の上限に違いがある。
【０６２４】
チャレンジ（１）、チャレンジ（２）においては、当該チャレンジ（１）、チャレンジ（２）が終了するまで、１ゲームを消化したことにより終了条件が成立するチャレンジタイム（ＣＴと示す場合もある）に、ゲーム毎に繰り返し制御される。遊技状態がチャレンジ（１）、チャレンジ（２）にある間は、それぞれチャレンジ（１）中フラグ、チャレンジ（２）中フラグがＲＡＭ１１２に設定される。また、遊技状態がチャレンジタイムにある間は、チャレンジタイム中フラグがＲＡＭ１１２に設定される。
【０６２５】
チャレンジ（１）は、遊技者に払出したメダルの枚数が１０５枚を越えたときに終了条件が成立し終了する。チャレンジ（１）に内部当選してから、該当選したチャレンジ（１）が入賞するまでの間、ＲＴ２に遊技状態が制御される。
【０６２６】
また、チャレンジ（１）が終了した後には、クレジットの精算を除いて、遊技者のいずれの操作も無効となり、遊技の進行が不能となるフリーズ状態に一定期間制御される。また、打止機能が有効に設定されている場合にチャレンジ（１）が終了したときには、クレジットの精算を除いて、遊技者のいずれの操作も無効となり、遊技の進行が不能となる打止状態に第２リセットスイッチ９３ａが操作されるまで制御される。
【０６２７】
一方、チャレンジ（２）は、遊技者に払出したメダルの枚数が１５枚を越えたときに終了条件が成立し終了する。よって、チャレンジ（２）は、スイカ、ベルが入賞したときの払出枚数が１５枚であることから、チャレンジに継続して制御されるゲーム数の期待値が２ゲームとなるように設定されている。なお、チャレンジに継続して制御されるゲーム数の期待値が２ゲームであるものに限らず、期待値が複数ゲームであればどのようなものであってもよい。
【０６２８】
後述する内部抽選においてビッグ（１）、ビッグ（２）、チャレンジ（１）に当選していても、停止ボタン１２Ｌ、１２Ｃ、１２Ｒをこれらの役に入賞可能とする適正な操作手順で操作しなければ、これらの役に入賞することはない。ビッグ（１）、ビッグ（２）、チャレンジ（１）を構成するリール３Ｌの図柄が、リール３Ｌにおいて７コマ以内に配置されていないためである。
【０６２９】
一方、ビッグ（１）、ビッグ（２）、およびチャレンジ（１）以外の、チャレンジ（２）、チェリー、ベル、スイカ、リプレイが後述する内部抽選において当選したときには、これらの役を構成する図柄が、リール３Ｌ、３Ｃ、３Ｒ各々において７コマ以内に配置されているため、停止ボタン１２Ｌ、１２Ｃ、１２Ｒを操作したタイミングに関わらず入賞可能なものとなっている。
【０６３０】
チェリーは、いずれの遊技状態においても左のリール３Ｌについていずれかの入賞ラインに「４」の図柄が導出されたときに入賞となり、１入賞ラインにつき２枚のメダルが払出される。左のリール３Ｌの上段または下段に「４」が停止したときには、４つの入賞ラインでの導出となるので合計８枚のメダルが払出される。
【０６３１】
ベルは、いずれの遊技状態においてもいずれかの入賞ラインに「リプレイ１−１−リプレイ１」の組合せが揃ったときに入賞となり、１５枚のメダルが払出される。
【０６３２】
スイカは、いずれの遊技状態においてもいずれかの入賞ラインに「リプレイ１−４−４」の組合せが揃ったときに入賞となり、１５枚のメダルが払出される。
【０６３３】
リプレイは、通常の遊技状態またはＲＴにおいて入賞ラインのいずれかに「リプレイ１−２−４」の組合せが揃ったときに入賞となる。リプレイに入賞したときには、メダルの払出しはないが次のゲームを改めて賭数を設定することなく開始できるので、次のゲームで設定不要となった賭数３に対応した３枚のメダルが払出されるのと実質的には同じこととなる。
【０６３４】
次に、内部抽選について説明する。内部抽選は、上記した各役への入賞（入賞表示結果の導出）を許容するかどうかを、変動表示装置２ａの表示結果が導出表示される以前に（実際には、スタートレバー１１の操作時）、決定するものである。内部抽選では、乱数発生回路１１５から内部抽選用の乱数（０〜６５５３５の整数）が取得される。そして、遊技状態に応じて定められた各役について、取得した内部抽選用の乱数と、遊技状態と、設定スイッチ９１ａにより設定された設定値に応じて定められた各役の判定値数に応じて行なわれる。内部抽選における当選は、排他的なものである。
【０６３５】
次に、第１，第２実施形態に示した継続報知演出をスロットマシン２００においてどのように適用するかについて説明する。
【０６３６】
スロットマシン２００においては、液晶表示器４ａがパチンコ遊技機１の演出表示装置９と対応関係にあり、変動表示装置２ａがパチンコ遊技機１の第１特別図柄表示器８ａおよび第２特別図柄表示器８ｂと対応関係にある。また、パチンコ遊技機１においては、変動表示の始動条件が始動入賞であることに対して、スロットマシン２００においては、変動表示の始動条件がスタートレバー１１の操作検出である。また、パチンコ遊技機１においては、変動表示の終了条件が、変動パターンにおける変動表示時間の経過であることに対して、スロットマシン２００においては、変動表示の終了条件が、停止ボタン１２Ｌ、１２Ｃ、１２Ｒの操作検出である。
【０６３７】
パチンコ遊技機１においては、始動入賞に応じて変動表示が行なわれることに対して、スロットマシン２００においては、メダル投入に基づくスタートレバー１１の操作に応じて変動表示をするゲームが行なわれる。そして、パチンコ遊技機１においては、各種入賞口への入賞に応じて景品としての賞球が払出されることに対して、スロットマシン２００においては、ゲームの結果にしたがい、賭数に応じた景品としてのメダルが払出される。
【０６３８】
また、パチンコ遊技機１においては、変動表示結果が大当り表示結果となると有利者にとって有利な有利状態となることに対して、スロットマシン２００においては、いずれかの入賞ライン上に役図柄が揃うと、遊技者にとって有利状態である特別役、小役、再遊技役等の役の種類がある入賞となり遊技者にとって有利な有利状態となる。なお、スロットマシン２００においては、遊技者にとって有利状態として、前述したＡＴが含まれている。
【０６３９】
パチンコ遊技機１においては、大当り遊技状態、高確率状態、時短状態、および、電チューサポート制御状態等が遊技者にとって有利な有利状態に含まれるのに対して、スロットマシン２００においては、およびＡＴ等が遊技者にとって有利な有利状態に含まれる。
【０６４０】
パチンコ遊技機１においては、演出制御基板８０に搭載され、演出表示装置９等の各種演出手段を制御する演出制御マイクロコンピュータ１００が、前述した継続報知演出を実行するのに対して、スロットマシン２００においては、演出制御基板１０２ａに搭載され、液晶表示器４ａ等の各種演出手段を制御する制御部１２０ａが、前述した継続報知演出に対応する演出を実行可能である。
【０６４１】
前述したパチンコ遊技機１においては、演出対象（予告対象）となる遊技が実行されるよりも複数回分の変動表示が実行される前のタイミング（始動入賞判定時）から複数回の変動表示が実行される期間に亘り演出を行なう先読み予告演出として、ステージ演出を実行する例を示した。これに対して、スロットマシン２００においては、前述のような継続報知演出は、次のような対応関係で行なわれ得る。たとえば、制御部１１０が、ＡＴの総継続期間（決定総ゲーム数）を、最大総継続期間（最大総ゲーム数）が予め定められた複数種類の総継続期間（たとえば、２０ゲーム、５０ゲーム、１００ゲーム）のうちから選択決定する。そして、ＡＴのゲーム実行期間前に制御部１１０がＡＴを実行するか否かの抽選を複数回行なって実行予定のＡＴをストックして後にＡＴの実行を開始させる場合があり、また、ＡＴのゲーム実行期間中に制御部１１０がさらに次のＡＴを実行するか否かの抽選をして後にＡＴを実行する場合がある。このような場合には、実行中のＡＴの継続期間中に、次に実行されるＡＴ（パチンコ遊技機１の保留記憶内の１５Ｒ確変大当りに相当）が存在する場合が生じ、制御部１１０および制御部１２０ａが、実行中のＡＴの継続期間中に、次に実行されるＡＴが存在するか否かを判定する。
【０６４２】
また、制御部１２０ａが、このようなＡＴの継続期間中において、ＡＴの最大総ゲーム数未満となる第１期間（たとえば、１０ゲーム）を特定可能に報知する第１継続報知演出と、該第１継続報知演出が行なわれた後に決定総ゲーム数と第１期間との差分期間以下である第２期間（たとえば、＋５ゲーム、＋１０ゲーム、＋１５ゲーム等）を特定可能に報知する第２継続報知演出とを含む継続報知演出を実行する。
【０６４３】
また、制御部１２０ａが、次に新たに実行されるＡＴが存在することが判定されたことに基づいて、最大総ゲーム数と前述の継続報知演出（第１，第２継続報知演出）により特定される期間（報知合計ゲーム数）との差分期間（最大総ゲーム数−報知合計ゲーム数）を超える第３期間（最大総ゲーム数−報知合計ゲーム数＋α＝超過ゲーム数）を特定可能に報知する第３継続報知演出を実行するための制御を行なう。
【０６４４】
また、スロットマシン２００においてこのような継続報知演出を実行する制御は、ＡＴの他に、たとえば、ＲＴおよびボーナスのような遊技者にとって有利なその他の有利状態に適用してもよい。そして、スロットマシン２００においてこのような継続報知演出を実行するときに第１〜第３期間として報知する期間は、前述のようなゲーム数の他に、有利状態でのメダル払出数および有利状態の継続時間のようなその他の期間を用いてもよい。
【０６４５】
スロットマシン２００においてこのような継続報知演出を実行する制御を行なえば、パチンコ遊技機１において前述したような継続報知演出を実行するときに得られる効果と同様の効果を得ることができる。
【０６４６】
次に、前述した実施の形態により得られる主な効果を説明する。
（１）  図３６（Ｃ）〜（Ｅ）およびＳ９７３〜Ｓ９８８，Ｓ９９０に示すように、１５Ｒ確変大当りＡ〜Ｋのうちいずれかの１５Ｒ確変大当りの大当り遊技状態中において保留記憶内に、１５Ｒ確変大当りＡ〜Ｋのいずれかとなる保留記憶情報が含まれているときに、最大総Ｒ数と第１継続報知演出、第２継続報知演出により特定される期間（第１期間、第２期間）との差分期間を超える第３期間を特定可能な超過Ｒ数が報知されるので、大当り遊技状態で第１期間、第２期間が報知された後でも、大当り遊技状態が終了するまでの期間において、遊技の興趣を向上させる演出を実行することができる。つまり、このような超過Ｒ数の報知演出は、たとえば、第１期間および第２期間の報知により決定総Ｒ数の最終ラウンドまでを継続報知演出として報知してしまった後でも、決定総Ｒ数の大当り遊技状態が終了するまでの間において報知することが可能であるので、遊技の興趣を向上させることができる。また、第３実施形態のスロットマシン２００においても、同様の第１〜第３継続報知演出を実行することにより、第１，第２実施形態のパチンコ遊技機１と同様の効果を得ることができる。
【０６４７】
（２）  図２６のＳ１０１Ａ，Ｓ１０１Ｂに示すように、１５Ｒ確変大当り（１５Ｒ確変大当りＡ〜Ｋのいずれか）の大当り遊技状態において保留記憶中に１５Ｒ確変大当り（１５Ｒ確変大当りＡ〜Ｋのいずれか）となる保留記憶情報が含まれているときに、超時短での変動表示を実行する条件が成立し、大当り遊技状態終了後に、当該保留記憶情報に基づく変動表示が実行されるまで、すなわち、保留記憶情報の上限数の範囲内で行なわれる変動表示について、当該変動表示以降に行なわれる変動表示よりも、極めて短い変動時間で保留記憶に基づく変動表示が行なわれる。このような超時短の変動表示により、大当り遊技状態において保留記憶中に存在した１５Ｒ確変大当りのような次回の大当りが早期に開始されるようにすることができ、遊技の興趣をより一層向上させることができる。また、１５Ｒ確変大当りというような大当りの種類に応じて、超時短の変動表示が実行されるため、遊技の興趣をより一層向上させることができる。
【０６４８】
（３）  図２６のＳ１０１Ａ，Ｓ１０１Ｂに示すように、１５Ｒ確変大当りというような大当りの種類、または、１５Ｒ確変大当りＡ〜Ｋというような１５Ｒ確変大当りのうちの大当りの種類に応じて、超時短の変動表示が実行されるため、遊技の興趣をより一層向上させることができる。
【０６４９】
（４）  第２実施形態において説明したように、第３継続報知演出が実行されたときと、実行されなかったときとで、１５Ｒ確変大当りの終了時の状態で記憶されている、１５Ｒ確変大当りとなることが特定された保留記憶情報を対象として実行される演出の演出態様が異なるので、第３の報知演出が実行されることに対して、遊技の興趣をより一層向上させることができる。
【０６５０】
（５）  図３６の（Ａ）〜（Ｅ）に示すように、たとえば、「決定総Ｒ数−報知合計Ｒ数≧３」のときに、（Ｅ）のような超過Ｒ数の報知を実行するときは、（Ｂ）のような超過Ｒ数の報知を実行しないときと比べて、１Ｒのような比較的少ないラウンド数を報知する割合が低く、＋３Ｒのような比較的多いラウンド数を報知する割合が高い。このように、第２継続報知演出の実行履歴に基づいて、第３継続報知演出を実行する割合が異なるので、第２継続報知演出が実行されること（実行されること自体、および、実行される報知演出内容）に対して、遊技の興趣をより一層向上させることができる。
【０６５１】
次に、以上に説明した実施の形態の変形例や特徴点等を以下に列挙する。
（１）  前述した実施の形態では、２つの特別図柄表示器である第１特別図柄表示器８ａおよび第２特別図柄表示器８ｂを設け、２つの特別図柄を変動表示する例を示した。しかし、これに限らず、２つの特別図柄表示器の代わりに、１つの特別図柄表示器を設け、１つの特別図柄を変動表示させる構成を採用してもよい。このような構成を採用する場合には、特別図柄表示器における特別図柄の変動表示が、第１始動入賞口１３の入賞、および、第２始動入賞口１４への入賞のそれぞれに応じて実行されるようにすればよい。つまり、第１始動入賞口１３の入賞に基づいて第１特別図柄表示器８ａで第１特別図柄を実行させるための各種制御と、第２始動入賞口１４の入賞に基づいて第２特別図柄表示器８ｂで第２特別図柄を実行させるための各種制御とをそれぞれ、１つの特別図柄表示器における特別図柄の変動表示について適用すればよい。
【０６５２】
（２）  前述の実施の形態では、演出装置を制御する回路が搭載された基板として、演出制御基板８０、音声出力基板７０およびランプドライバ基板３５が設けられているが、演出装置を制御する回路を１つの基板に搭載してもよい。さらに、演出表示装置９等を制御する回路が搭載された第１の演出制御基板（表示制御基板）と、その他の演出装置（ランプ、ＬＥＤ、スピーカ２７Ｒ，２７Ｌ等）を制御する回路が搭載された第２の演出制御基板との２つの基板を設けるようにしてもよい。
【０６５３】
（３）  前述の実施の形態では、遊技制御用マイクロコンピュータ５６０は、演出制御用マイクロコンピュータ１００に対して直接コマンドを送信していたが、遊技制御用マイクロコンピュータ５６０が他の基板（たとえば、図３に示す音声出力基板７０やランプドライバ基板３５等、または音声出力基板７０に搭載されている回路による機能とランプドライバ基板３５に搭載されている回路による機能とを備えた音／ランプ基板）に演出制御コマンドを送信し、他の基板を経由して演出制御基板８０における演出制御用マイクロコンピュータ１００に送信されるようにしてもよい。その場合、他の基板においてコマンドが単に通過するようにしてもよいし、音声出力基板７０、ランプドライバ基板３５、音／ランプ基板にマイクロコンピュータ等の制御手段を搭載し、制御手段がコマンドを受信したことに応じて音声制御やランプ制御に関わる制御を実行し、さらに、受信したコマンドを、そのまま、またはたとえば簡略化したコマンドに変更して、演出表示装置９を制御する演出制御用マイクロコンピュータ１００に送信するようにしてもよい。その場合でも、演出制御用マイクロコンピュータ１００は、上記の実施の形態における遊技制御用マイクロコンピュータ５６０から直接受信した演出制御コマンドに応じて表示制御を行なうのと同様に、音声出力基板７０、ランプドライバ基板３５または音／ランプ基板から受信したコマンドに応じて表示制御を行なうことができる。
【０６５４】
（４）  前述した実施の形態は、入賞球の検出に応答して所定数の賞球を払出す払出式遊技機に限定されるものではなく、遊技球を封入し入賞球の検出に応答して得点等を付与する封入式遊技機にも適用することができる。
【０６５５】
（５）  前述した実施の形態は、パチンコ遊技機１の動作をシミュレーションするゲーム機などの装置にも適用することができる。前述した実施の形態を実現するためのプログラム及びデータは、コンピュータ装置等に対して、着脱自在の記録媒体により配布・提供される形態に限定されるものではなく、予めコンピュータ装置等の有する記憶装置にプリインストールしておくことで配布される形態を採っても構わない。さらに、本発明を実現するためのプログラム及びデータは、通信処理部を設けておくことにより、通信回線等を介して接続されたネットワーク上の、他の機器からダウンロードすることによって配布する形態を採っても構わない。そして、ゲームの実施形態も、着脱自在の記録媒体を装着することにより実行するものだけではなく、通信回線等を介してダウンロードしたプログラム及びデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行なうことによりゲームを実行するような形態とすることもできる。
【０６５６】
（６）  なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【符号の説明】
【０６５７】
１  パチンコ遊技機、２００  スロットマシン、５６０  遊技制御用マイクロコンピュータ、１１０  制御部、８ａ  第１特別図柄表示器、８ｂ  第２特別図柄表示器、１３  第１始動入賞口、１４  第２始動入賞口、９  演出表示装置、１００  演出制御用マイクロコンピュータ。
【図１】
0005667995.tif 000002
【図２】
0005667995.tif 000003
【図３】
0005667995.tif 000004
【図４】
0005667995.tif 000005
【図５】
0005667995.tif 000006
【図６】
0005667995.tif 000007
【図７】
0005667995.tif 000008
【図８】
0005667995.tif 000009
【図９】
0005667995.tif 000010
【図１０】
0005667995.tif 000011
【図１１】
0005667995.tif 000012
【図１２】
0005667995.tif 000013
【図１３】
0005667995.tif 000014
【図１４】
0005667995.tif 000015
【図１５】
0005667995.tif 000016
【図１６】
0005667995.tif 000017
【図１７】
0005667995.tif 000018
【図１８】
0005667995.tif 000019
【図１９】
0005667995.tif 000020
【図２０】
0005667995.tif 000021
【図２１】
0005667995.tif 000022
【図２２】
0005667995.tif 000023
【図２３】
0005667995.tif 000024
【図２４】
0005667995.tif 000025
【図２５】
0005667995.tif 000026
【図２６】
0005667995.tif 000027
【図２７】
0005667995.tif 000028
【図２８】
0005667995.tif 000029
【図２９】
0005667995.tif 000030
【図３０】
0005667995.tif 000031
【図３１】
0005667995.tif 000032
【図３２】
0005667995.tif 000033
【図３３】
0005667995.tif 000034
【図３４】
0005667995.tif 000035
【図３５】
0005667995.tif 000036
【図３６】
0005667995.tif 000037
【図３７】
0005667995.tif 000038
【図３８】
0005667995.tif 000039
【図３９】
0005667995.tif 000040
【図４０】
0005667995.tif 000041
【図４１】
0005667995.tif 000042
【図４２】
0005667995.tif 000043
【図４３】
0005667995.tif 000044
【図４４】
0005667995.tif 000045
【図４５】
0005667995.tif 000046